(57)【要約】  本発明の実施形態は、通信分野に関し、ＳＲＳに対してビームフォーミングを実装するための情報伝送方法およびデバイスを開示する。具体的な解決法は以下の通りである。基地局がＵＥのために少なくとも１つの第１リソースを設定し、第１リソースは、目標チャネルおよび／または信号を送信するためにＵＥによって使用され、基地局は、第１指示情報をＵＥへ送信し、第１指示情報は、第１リソースとビームとの間の対応関係を示すために使用される、または、第１指示情報は、第１リソースと第２リソースとの間の対応関係を示すために使用される。本発明の実施形態は、ビームフォーミングプロセスにおいて使用される。
2019533950.tif 000002
【特許請求の範囲】
【請求項１】
情報伝送方法であって、
基地局が、ユーザ機器ＵＥのために少なくとも１つの第１リソースを設定する段階であって、前記第１リソースは、第１アンテナポート上で第１チャネルおよび／または信号を送信するために前記ＵＥによって使用される、段階と、
前記基地局が、第１指示情報を前記ＵＥへ送信する段階であって、前記第１指示情報は、前記第１リソースと第２リソースとの間の対応関係を示すために使用される、段階と、
前記基地局が、第２アンテナポート上で前記ＵＥによって送信された第２チャネルおよび／または信号を前記第２リソース上で受信し、前記基地局が、前記第１アンテナポート上で前記ＵＥによって送信された前記第１チャネルおよび／または信号を受信する段階であって、疑似コロケーションＱＣＬ関係が前記第１アンテナポートと前記第２アンテナポートとの間に存在する、または、前記ＵＥによって前記第１チャネルおよび／または信号を送信するためのビームは、前記ＵＥによって前記第２チャネルおよび／または信号を送信するためのビームと同一である、段階、または、
前記基地局が、前記第２リソースおよび第３アンテナポート上で第３チャネルおよび／または信号を前記ＵＥへ送信し、前記基地局が、前記第１アンテナポート上で前記ＵＥによって送信された前記第１チャネルおよび／または信号を受信する段階であって、疑似コロケーションＱＣＬ関係が前記第１アンテナポートと前記第３アンテナポートとの間に存在する、または、前記ＵＥによって前記第１チャネルおよび／または信号を送信するためのビームは、前記ＵＥによって前記第３チャネルおよび／または信号を受信するためのビームに対応する、段階と
を備える方法。
【請求項２】
前記少なくとも１つの第１リソースはリソースグループに含まれ、前記リソースグループは少なくとも１つのリソースサブグループを含む、請求項１に記載の方法。
【請求項３】
前記第１チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含む、請求項１または２に記載の方法。
【請求項４】
前記第１リソースは、時間領域リソース、周波数領域リソース、符号領域リソースおよびアンテナポートのうち少なくとも１つを含む、請求項１から３のいずれか一項に記載の方法。
【請求項５】
前記第１指示情報は、前記リソースサブグループにおける前記第１リソースの各々と、前記第２リソースとの間の対応関係を含む、請求項１から４のいずれか一項に記載の方法。
【請求項６】
前記第１指示情報は具体的には、前記リソースサブグループにおける前記第１リソースの各々の識別子、および、前記第１リソースの各々の前記識別子に対応する前記第２リソースの識別子を含む、または、
前記第１指示情報は具体的には、疑似コロケーションＱＣＬ関係が、前記第１リソースの各々における信号のためのアンテナポートと、前記第２リソースにおける前記信号のための前記アンテナポートとの間に存在することを示すために使用される情報を含む、請求項５に記載の方法。
【請求項７】
情報伝送方法であって、
ユーザ機器ＵＥが、基地局によって前記ＵＥのために設定される少なくとも１つの第１リソースを取得する段階であって、前記第１リソースは、第１アンテナポート上で第１チャネルおよび／または信号を送信するために前記ＵＥによって使用される、段階と、
前記ＵＥが、前記基地局によって送信された第１指示情報を受信する段階であって、前記第１指示情報は、前記第１リソースと第２リソースとの間の対応関係を示すために使用される、段階と、
前記ＵＥが、前記第２リソースおよび第２アンテナポート上で第２チャネルおよび／または信号を前記基地局へ送信し、前記ＵＥが、前記第１アンテナポート上で、前記第１チャネルおよび／または信号を前記基地局へ送信する段階であって、疑似コロケーションＱＣＬ関係が、前記第１アンテナポートと前記第２アンテナポートとの間に存在する、または、前記ＵＥによって前記第１チャネルおよび／または信号を送信するためのビームは、前記ＵＥによって前記第２チャネルおよび／または信号を送信するためのビームと同一である、段階、または、
前記ＵＥが、前記第２リソースおよび第３アンテナポート上で前記基地局によって送信された第３チャネルおよび／または信号を受信し、前記ＵＥが、前記第１アンテナポート上で、前記第１チャネルおよび／または信号を前記基地局へ送信する段階であって、疑似コロケーションＱＣＬ関係が前記第１アンテナポートと前記第３アンテナポートとの間に存在する、または、前記ＵＥによって前記第１チャネルおよび／または信号を送信するためのビームが、前記ＵＥによって前記第３チャネルおよび／または信号を受信するためのビームに対応する、段階と
を備える方法。
【請求項８】
前記少なくとも１つの第１リソースはリソースグループに含まれ、前記リソースグループは少なくとも１つのリソースサブグループを含む、請求項７に記載の方法。
【請求項９】
前記ＵＥが、前記基地局によって送信された第１指示情報を受信する前記段階の後に、前記方法は更に、
前記ＵＥが、前記第１リソースおよび前記第１指示情報に基づいて前記第２リソースを決定し、前記第２リソースに対応するビームに基づいてアップリンク送信ビームを決定する段階と、
前記ＵＥが、前記第１リソースおよび前記アップリンク送信ビーム上で前記第１チャネルおよび／または信号を送信する段階と
を備える、請求項７または８に記載の方法。
【請求項１０】
前記第１チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含む、請求項７から９のいずれか一項に記載の方法。
【請求項１１】
前記第１リソースは、時間領域リソース、周波数領域リソース、符号領域リソースおよびアンテナポートのうち少なくとも１つを含む、請求項７から１０のいずれか一項に記載の方法。
【請求項１２】
前記第１指示情報は、前記リソースサブグループにおける前記第１リソースの各々と、前記第２リソースとの間の対応関係を含む、請求項７から１１のいずれか一項に記載の方法。
【請求項１３】
設定ユニットと、送信ユニットと、受信ユニットとを備える基地局であって、
前記設定ユニットは、ユーザ機器ＵＥのために少なくとも１つの第１リソースを設定するよう構成され、前記第１リソースは、第１アンテナポート上で第１チャネルおよび／または信号を送信するために前記ＵＥによって使用され、
前記送信ユニットは、第１指示情報を前記ＵＥへ送信するよう構成され、前記第１指示情報は、前記第１リソースと第２リソースとの間の対応関係を示すために使用され、
前記受信ユニットは、第２アンテナポート上で前記ＵＥによって送信された第２チャネルおよび／または信号を前記第２リソース上で受信するよう構成され、前記受信ユニットは更に、前記第１アンテナポート上で前記ＵＥによって送信された前記第１チャネルおよび／または信号を受信するよう構成され、疑似コロケーションＱＣＬ関係が前記第１アンテナポートと前記第２アンテナポートとの間に存在する、または、前記ＵＥによって前記第１チャネルおよび／または信号を送信するためのビームが、前記ＵＥによって前記第２チャネルおよび／または信号を送信するためのビームと同一である、または、
前記送信ユニットが、前記第２リソースおよび第３アンテナポート上で第３チャネルおよび／または信号を前記ＵＥへ送信するよう構成され、前記受信ユニットは更に、前記第１アンテナポート上で前記ＵＥによって送信された前記第１チャネルおよび／または信号を受信するよう構成され、疑似コロケーションＱＣＬ関係が、前記第１アンテナポートと前記第３アンテナポートとの間に存在する、または、前記ＵＥによって前記第１チャネルおよび／または信号を送信するためのビームが、前記ＵＥによって前記第３チャネルおよび／または信号を受信するためのビームに対応する、
基地局。
【請求項１４】
前記少なくとも１つの第１リソースはリソースグループに含まれ、前記リソースグループは少なくとも１つのリソースサブグループを含む、請求項１３に記載の基地局。
【請求項１５】
前記第１チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含む、請求項１３または１４に記載の基地局。
【請求項１６】
前記第１リソースは、時間領域リソース、周波数領域リソース、符号領域リソースおよびアンテナポートのうち少なくとも１つを含む、請求項１３から１５のいずれか一項に記載の基地局。
【請求項１７】
前記第２リソースは、前記ＵＥが前記第１チャネルおよび／または信号を送信する前に、情報を前記基地局へ送信するために前記ＵＥによって使用される時間領域リソース、周波数領域リソース、符号領域リソースおよびアンテナポートのうち少なくとも１つを含む、または、
前記第２リソースは、前記ＵＥが前記第１チャネルおよび／または信号を送信する前に、情報を前記ＵＥへ送信するために前記基地局によって使用される時間領域リソース、周波数領域リソース、符号領域リソースおよびアンテナポートのうち少なくとも１つを含む、
請求項１３から１６のいずれか一項に記載の基地局。
【請求項１８】
前記第１指示情報は、前記リソースサブグループにおける前記第１リソースの各々と、前記第２リソースとの間の対応関係を含む、請求項１３から１７のいずれか一項に記載の基地局。
【請求項１９】
前記第１指示情報は、前記リソースサブグループの各々と前記第２リソースとの間の対応関係を含む、請求項１３から１７のいずれか一項に記載の基地局。
【請求項２０】
取得ユニット、受信ユニットおよび送信ユニットを備えるユーザ機器ＵＥであって、
前記取得ユニットは、基地局によって前記ＵＥのために設定された少なくとも１つの第１リソースを取得するよう構成され、前記第１リソースは、第１アンテナポート上で第１チャネルおよび／または信号を送信するために前記ＵＥによって使用され、
前記受信ユニットは、前記基地局によって送信された第１指示情報を受信するよう構成され、前記第１指示情報は、前記第１リソースと第２リソースとの間の対応関係を示すために使用され、
前記送信ユニットは、前記第２リソースおよび第２アンテナポート上で第２チャネルおよび／または信号を前記基地局へ送信するよう構成され、前記送信ユニットは更に、前記第１アンテナポート上で前記第１チャネルおよび／または信号を前記基地局へ送信するよう構成され、疑似コロケーションＱＣＬ関係が前記第１アンテナポートと前記第２アンテナポートとの間に存在する、または、前記送信ユニットによって前記第１チャネルおよび／または信号を送信するためのビームは、前記送信ユニットによって前記第２チャネルおよび／または信号を送信するためのビームと同一である、または、
前記受信ユニットは、前記第２リソースおよび第３アンテナポート上で前記基地局によって送信された第３チャネルおよび／または信号を受信するよう構成され、前記送信ユニットは、前記第１アンテナポート上で前記第１チャネルおよび／または信号を前記基地局へ送信するよう構成され、疑似コロケーションＱＣＬ関係が、前記第１アンテナポートと前記第３アンテナポートとの間に存在する、または、前記送信ユニットによって前記第１チャネルおよび／または信号を送信するためのビームは、前記受信ユニットによって前記第３チャネルおよび／または信号を受信するためのビームに対応する、
ＵＥ。
【請求項２１】
前記少なくとも１つの第１リソースはリソースグループに含まれ、前記リソースグループは少なくとも１つのリソースサブグループを含む、請求項２０に記載のＵＥ。
【請求項２２】
決定ユニットは、前記受信ユニットによって受信された前記第１リソースおよび前記第１指示情報に基づいて、前記第２リソースを決定し、前記第２リソースに対応するビームに基づいて、アップリンク送信ビームを決定するよう構成され、
前記送信ユニットは、前記取得ユニットによって取得された前記第１リソース上で、および、前記決定ユニットによって決定される前記アップリンク送信ビーム上で、前記第１チャネルおよび／または信号を送信するよう構成される、請求項２０または２１に記載のＵＥ。
【請求項２３】
前記第１チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含む、請求項２０から２２のいずれか一項に記載のＵＥ。
【請求項２４】
前記第１リソースは、時間領域リソース、周波数領域リソース、符号領域リソースおよびアンテナポートのうち少なくとも１つを含む、請求項２０から２３のいずれか一項に記載のＵＥ。
【請求項２５】
前記第２リソースは、前記ＵＥが前記第１チャネルおよび／または信号を送信する前に、情報を前記基地局へ送信するために前記ＵＥによって使用される時間領域リソース、周波数領域リソース、符号領域リソースおよびアンテナポートのうち少なくとも１つを含む、または、
前記第２リソースは、前記ＵＥが前記第１チャネルおよび／または信号を送信する前に、情報を前記ＵＥへ送信するために前記基地局によって使用される時間領域リソース、周波数領域リソース、符号領域リソースおよびアンテナポートのうち少なくとも１つを含む、
請求項２０から２４のいずれか一項に記載のＵＥ。
【請求項２６】
前記第１指示情報は、前記リソースサブグループにおける前記第１リソースの各々と、前記第２リソースとの間の対応関係を含む、請求項２０から２５のいずれか一項に記載のＵＥ。
【発明の詳細な説明】
【技術分野】
【０００１】
本発明の実施形態は、通信分野に関し、特に、情報伝送方法およびデバイスに関する。
【背景技術】
【０００２】
ロングタームエボリューション（Ｌｏｎｇ  Ｔｅｒｍ  Ｅｖｏｌｕｔｉｏｎ、ＬＴＥ）システムにおいて、ユーザ機器（Ｕｓｅｒ  Ｅｑｕｉｐｍｅｎｔ、ＵＥ）は、サウンディング参照信号（Ｓｏｕｎｄｉｎｇ  Ｒｅｆｅｒｅｎｃｅ  Ｓｉｇｎａｌｓ、ＳＲＳ）を基地局へ送信し得て、その結果、基地局は、受信されたＳＲＳに基づいて、アップリンクチャネル品質推定などのオペレーションを実行する。
【０００３】
加えて、モバイルインターネットの継続的な発展に伴い、低周波数スペクトルリソースはますます不足している。増大する通信速度および容量の要求を満たすべく、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）は、次世代無線通信システムにおいて使用されるスペクトル範囲に、豊富な周波数リソースを有する高周波数を組み込む。しかしながら、動作周波数として低周波数を使用する無線通信システムと比較して、動作周波数として高周波数を使用する無線通信システムは、比較的高い伝送損失を有する。言い換えれば、同一の送信電力では、動作周波数として高周波数を使用する無線通信システムのカバレッジは、動作周波数として低周波数を使用する無線通信システムのカバレッジより遥かに狭い。従って、動作周波数として高周波数を使用する無線通信システムのカバレッジを拡張するべく、業界ではビームフォーミング技術が導入されている。
【０００４】
結果として、動作周波数として高周波数を使用する無線通信システムにおいて、ＵＥがＳＲＳを送信する必要がある場合、ビームフォーミング処理をＳＲＳに実行する必要がある。しかしながら、ＬＴＥシステムは動作周波数として低周波数を使用するので、ＵＥがＬＴＥシステムにおいてＳＲＳを送信するとき、ビームフォーミング処理は必要ない。言い換えれば、先行技術には、ＳＲＳに対してビームフォーミングを実行するための解決法が無い。
【発明の概要】
【０００５】
本発明の実施形態はＳＲＳに対してビームフォーミングを実装するための情報伝送方法およびデバイスを提供する。
【０００６】
前述の目的を達成するべく、本発明の実施形態は、以下の技術的解決法を使用する。
【０００７】
第１態様によれば、本発明の実施形態は、情報伝送方法を提供し、当該方法は、基地局が、ＵＥのために少なくとも１つの第１リソースを設定する段階であって、第１リソースは、目標チャネルおよび／または信号を送信するためにＵＥによって使用される、段階と、基地局が、第１指示情報をＵＥへ送信する段階であって、第１指示情報は、第１リソースとビームとの間の対応関係を示すために使用され、ビームはアップリンク送信ビーム、または、ダウンリンク受信ビーム、または、ダウンリンク送信ビーム、または、アップリンク受信ビームである、段階とを備える。
【０００８】
本発明の本実施形態によって提供される情報伝送方法において、基地局は、目標チャネルおよび／または信号を送信するために使用される少なくとも１つの第１リソースをＵＥのために設定し、第１リソースとビームとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０００９】
第１態様に関連して、可能な実装において、少なくとも１つの第１リソースは、リソースグループに含まれ得て、リソースグループは少なくとも１つのリソースサブグループを含み得る。
【００１０】
第１態様および前述の可能な実装に関連して、別の可能な実装において、目標チャネルおよび／または信号は、ＳＲＳ、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【００１１】
第１態様および前述の可能な実装に関連して、別の可能な実装において、ビームは、ポート、プリコーディングマトリックス、および空間特性パラメータのうち少なくとも１つを使用することによって識別され得る、または、ビームは空間フィルタ（ｓｐａｔｉａｌ  ｆｉｌｔｅｒｉｎｇ）であり得る。
【００１２】
第１態様および前述の可能な実装に関連して、別の可能な実装において、第１リソースは、時間領域リソース、周波数領域リソース、符号領域リソースおよびアンテナポートのうち少なくとも１つを含み得る。
【００１３】
第１態様および前述の可能な実装に関連して、別の可能な実装において、第１リソースとビームとの間の対応関係は、以下の異なる方式で示され得る。
方式１：第１指示情報が、リソースサブグループにおける各第１リソースの識別子と、各第１リソースの識別子に対応するビームの番号とを含み得る。
方式２：第１指示情報が、各リソースサブグループの識別子と、各リソースサブグループの識別子に対応するビームの番号とを含み得る。
方式３：第１指示情報が、各リソースサブグループの識別子と、各リソースサブグループの識別子に対応するビームグループにおける各ビームの番号とを含み得て、ビームグループは、少なくとも１つのビームを含む（異なるリソースサブグループは、同一のビームグループに対応し得る）。
方式４：第１指示情報が、各リソースサブグループの識別子と、各リソースサブグループの識別子に対応するビームグループの番号とを含み得る（異なるリソースサブグループの識別子は同一のビームグループの番号に対応し得る）。
方式５：第１指示情報は、ビームグループにおける各ビームの番号を含み得る。
方式６：第１指示情報は、ビームグループの番号を含み得る。
方式７：第１指示情報は、各リソースサブグループの識別子と、各リソースサブグループの識別子に対応するビームの任意選択範囲とを含み得る。
方式８：第１指示情報は、各第１リソースの識別子と、各第１リソースの識別子に対応するビームの番号とを含み得る。
方式９：第１指示情報は、各第１リソースの識別子と、各第１リソースの識別子に対応するビームグループにおける各ビームの番号とを含み得て、ビームグループは少なくとも１つのビームを含む（異なる第１リソースは同一のビームグループに対応し得る）。
方式１０：第１指示情報は、各第１リソースの識別子と、各第１リソースの識別子に対応するビームグループの番号とを含み得る（異なる第１リソースの識別子は、同一のビームグループの番号に対応し得る）。
方式１１：第１指示情報は、各第１リソースの識別子と、各第１リソースの識別子に対応するビームの任意選択範囲とを含み得る。
【００１４】
方式１において、基地局は、第１指示情報を使用して、同一のリソースサブグループにおける第１リソース上で、ＵＥが異なる送信ビームを使用することによって目標チャネルおよび／または信号を送信する必要があることを示す。この場合、これに対応して、事前定義または事前設定方式が使用され得て、その結果、同一のリソースサブグループにおけるすべての第１リソース上で、基地局は、同一の受信ビームを使用することによって、目標チャネルおよび／または信号を受信する。
【００１５】
方式２から方式６において、基地局は、第１指示情報を使用して、同一のリソースサブグループにおけるすべての第１リソース上で、ＵＥが同一の送信ビームを使用することによって目標チャネルおよび／または信号を送信する必要があることを示す。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【００１６】
方式２において、ビームがダウンリンク送信ビームまたはアップリンク受信ビームである場合、ユーザ機器は、各サブリソース上で、ダウンリンク送信ビームまたはアップリンク受信ビームと対になったアップリンク送信ビームを使用することによって、目標チャネルおよび／または信号を送信する。
【００１７】
任意選択で、第１指示情報は設定情報であり得る。設定情報は上位層シグナリングにおいて搬送され得る。
【００１８】
代替的に、第１指示情報は設定情報または設定指示であり得る。設定情報は、第１リソースとビームとの間の対応関係を示すために使用され（設定情報は複数の設定を含み得る）、設定情報は、上位層シグナリングにおいて搬送され得る。設定指示は、ＵＥが目標チャネルおよび／または信号を送信するとき、複数の設定のうちどの設定が使用されるかを示すために使用され、設定指示は、ダウンリンク制御インジケータ（Ｄｏｗｎｌｉｎｋ  Ｃｏｎｔｒｏｌ  Ｉｎｄｉｃａｔｏｒ、ＤＣＩ）において搬送され得る。
【００１９】
第１態様および前述の可能な実装に関連して、別の可能な実装において、基地局が第１指示情報をＵＥへ送信する前に、情報伝送方法は更に、基地局が、ビームとビームの番号との間の対応関係を示すために使用される設定情報をＵＥへ送信する段階であって、ビームの番号は基地局によって選択されるビームのシーケンス番号であり得る、段階を備え得る。
【００２０】
第１態様および前述の可能な実装に関連して、別の可能な実装において、基地局が第１指示情報をＵＥへ送信する前に、情報伝送方法は更に、基地局が、リソースグループを少なくとも１つのリソースサブグループに分割するためにＵＥによって使用される第２指示情報をＵＥへ送信する段階を備え得る。
【００２１】
第１態様および前述の可能な実装に関連して、別の可能な実装において、基地局がＵＥの能力に基づいてＵＥのためにリソースを設定することを可能にするべく、基地局が少なくとも１つの第１リソースをＵＥのために設定する前に、情報伝送方法は更に、基地局が、ＵＥによって送信された能力指示情報を受信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備え得て、これに対応して、基地局が少なくとも１つの第１リソースをＵＥのために設定することは、具体的には、基地局が能力指示情報に基づいて少なくとも１つの第１リソースをＵＥのために設定することを含み得る。
【００２２】
第１態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【００２３】
第１態様および前述の可能な実装に関連して、ビームはまた、空間フィルタ、プリコーディングまたは空間加重であり得る。
【００２４】
第２態様によれば、本発明の実施形態は情報伝送方法を提供し、当該方法は、基地局が、少なくとも１つの第１リソースをＵＥのために設定する段階であって、第１リソースは、ＵＥが目標チャネルおよび／または信号を送信するために使用される、段階と、基地局が、第１指示情報をＵＥへ送信する段階であって、第１指示情報は第１リソースと第２リソースとの間の対応関係を示すために使用され、第１リソースと第２リソースとの間の対応関係は、疑似コロケーションＱＣＬ関係が目標チャネルおよび／または信号のためのアンテナポートと、第２リソース上で送信されるチャネルおよび／または信号のためのアンテナポートとの間に存在すること、目標チャネルおよび／または信号が、第２リソース上で送信されるチャネルおよび／または信号と同一のビームを使用することによって送信されること、ならびに、目標チャネルおよび／または信号が、第２リソース上で送信されるチャネルおよび／または信号と同一の空間フィルタを使用することによって送信されることのうち少なくとも１つを含み得る、段階とを備える。
【００２５】
本発明の本実施形態によって提供される情報伝送方法において、基地局は、目標チャネルおよび／または信号を送信するために使用される少なくとも１つの第１リソースをＵＥのために設定し、第１リソースと第２リソースとの間の対応関係を示すために使用される第１指示情報をＵＥへ送信し、その結果、ＵＥは、第１リソース、第１指示情報および第２リソースに基づいて、目標チャネルおよび／または信号を送信するために必要なビームを決定でき、または、その結果、ＵＥは、第１指示情報および第２リソースに基づいて、目標チャネルおよび／または信号を送信するために必要なビームを決定でき、または、その結果、ＵＥは、第２リソースおよび第１指示情報に基づいて、目標チャネルおよび／または信号を受信するために基地局によって使用されるビームを決定でき、それにより、目標チャネルおよび／または信号を受信するために基地局によって使用されるビームに基づいて、ＵＥによって目標チャネルおよび／または信号を送信するために必要なビームを更に決定する。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【００２６】
第２態様に関連して、可能な実装において、ビームはまた、空間フィルタ、プリコーディングまたは空間加重であり得る。
【００２７】
第２態様に関連して、可能な実装において、少なくとも１つの第１リソースは、リソースグループに含まれ、リソースグループは少なくとも１つのリソースサブグループを含み得る。
【００２８】
第２態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【００２９】
第２態様および前述の可能な実装に関連して、別の可能な実装において、第１リソースは、時間領域リソース、周波数領域リソース、符号領域リソースおよびアンテナポートのうち少なくとも１つを含み得る。
【００３０】
第２態様および前述の可能な実装に関連して、別の可能な実装において、第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含み得る、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。第２リソースは、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、主同期信号、副同期信号、同期信号ブロック、物理ブロードキャストチャネルの復調参照信号、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、物理ダウンリンク制御チャネルの復調参照信号、および、物理ダウンリンク共有チャネルの復調参照信号のうち少なくとも１つのチャネルおよび／または信号を送信するために使用されるリソースであり得る。任意選択で、物理ダウンリンク制御チャネルは、制御リソースセット（ＣＯＲＥＳＥＴ、ｃｏｎｔｒｏｌ  ｒｅｓｏｕｒｃｅ  ｓｅｔ）であり得る、または、ランダムアクセス応答またはシステム情報の制御情報を搬送する物理ダウンリンク制御チャネルであり得る。任意選択で、物理ダウンリンク共有チャネルは、システム情報を搬送する物理ダウンリンク共有チャネルであり得る。
【００３１】
第２態様および前述の可能な実装に関連して、別の可能な実装において、第１指示情報は、リソースサブグループにおける各第１リソースと第２リソースとの間の対応関係を含み得る。
【００３２】
基地局は、第１指示情報を使用して、リソースサブグループにおける第１リソースが、異なる第２リソースに対応することを示す。言い換えれば、同一のリソースサブグループにおける第１リソース上で、ＵＥは、異なる送信ビームを使用することによって、目標チャネルおよび／または信号を送信する必要がある。この場合、これに対応して、事前定義または事前設定方式が使用され得て、その結果、同一のリソースサブグループにおけるすべての第１リソース上で、基地局は、同一の受信ビームを使用することによって、目標チャネルおよび／または信号を受信する。
【００３３】
第２態様および前述の可能な実装に関連して、別の可能な実装において、第１指示情報は具体的には、リソースサブグループにおける各第１リソースの識別子と、各第１リソースの識別子に対応する第２リソースの識別子とを含み得る、または、第１指示情報は具体的には、疑似コロケーション（Ｑｕａｓｉ  Ｃｏ−Ｌｏｃａｔｉｏｎ、ＱＣＬ）関係が、各第１リソース上の信号のためのアンテナポートと、第２リソース上の信号のためのアンテナポートとの間に存在することを示すために使用される情報を含む。または、第１指示情報は具体的には、各第１リソースに対応する第２リソースの識別子を含む。任意選択で、第１指示情報が各第１リソースに対応する第２リソースの識別子を含むとき、第１指示情報は、１または複数の第２リソースの識別子を含み得て、第２リソースの識別子の数は、第１リソースの数と同一であり、第１指示情報によって示される第１リソースと、第２リソースの各々との間の対応関係は、事前定義され得る。
【００３４】
第２態様および前述の可能な実装に関連して、別の可能な実装において、第１指示情報は、各第１リソースとビームの任意選択範囲との間の対応関係を更に含み得る。
【００３５】
第２態様および前述の可能な実装に関連して、別の可能な実装において、第１指示情報は、各リソースサブグループと第２リソースとの間の対応関係を含み得る。
【００３６】
基地局は、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【００３７】
第２態様および前述の可能な実装に関連して、別の可能な実装において、第１指示情報は具体的には、各リソースサブグループの識別子、および、各リソースサブグループの識別子に対応する第２リソースの識別子を含み得る。または、第１指示情報は具体的には、ＱＣＬ関係が各リソースサブグループ上の信号のためのアンテナポートと、第２リソース上の信号のためのアンテナポートとの間に存在することを示すために使用される情報を含み得る。または、第１指示情報は具体的には、各リソースサブグループに対応する第２リソースの識別子を含み得る。
【００３８】
第２態様および前述の可能な実装に関連して、別の可能な実装において、第１指示情報は、各リソースサブグループと第２リソースグループとの間の対応関係を含み得て、第２リソースグループは少なくとも１つの第２リソースを含む。基地局は、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【００３９】
第２態様および前述の可能な実装に関連して、別の可能な実装において、第１指示情報は具体的には、各リソースサブグループの識別子、および、各リソースサブグループの識別子に対応する第２リソースグループにおける各第２リソースの識別子を含み得る。または、第１指示情報は具体的には、各リソースサブグループの識別子、および、各リソースサブグループの識別子に対応する第２リソースグループの識別子を含み得る。または、第１指示情報は具体的には、ＱＣＬ関係が各リソースサブグループ上の信号のためのアンテナポートと、第２リソースグループ上の信号のためのアンテナポートとの間に存在することを示すために使用される情報を含み得る。
【００４０】
第２態様および前述の可能な実装に関連して、別の可能な実装において、第１指示情報は、第２リソースグループにおける各第２リソースの識別子を含み得る。または、第１指示情報は、第２リソースグループの識別子を含み得る。任意選択で、第１指示情報が第２リソースグループの識別子を含むとき、第２リソースグループにおける第２リソースの数は、第１リソースグループにおける第１リソースサブグループの数と同一であり、かつ、第１指示情報において示されるような、第２リソースグループにおける第２リソースと、第１リソースグループにおける第１リソースサブグループとの間の対応関係は事前定義される。基地局は、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【００４１】
第２態様および前述の可能な実装に関連して、別の可能な実装において、第１指示情報は、各リソースサブグループとビームの任意選択範囲との間の対応関係を更に含み得る。
【００４２】
第２態様および前述の可能な実装に関連して、別の可能な実装において、第１指示情報は、各第１リソースと第２リソースとの間の対応関係を含み得る。
【００４３】
第２態様および前述の可能な実装に関連して、別の可能な実装において、第１指示情報は具体的には、各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含み得る。
【００４４】
第２態様および前述の可能な実装に関連して、別の可能な実装において、各第１リソースと第２リソースグループとの間の対応関係において、第２リソースグループは少なくとも１つの第２リソースを含む。
【００４５】
第２態様および前述の可能な実装に関連して、別の可能な実装において、第１指示情報は具体的には、各第１リソースの識別子、および、各第１リソースの識別子に対応する第２リソースグループにおける各第２リソースの識別子を含み得る。または、第１指示情報は具体的には、各第１リソースの識別子、および、各第１リソースの識別子に対応する第２リソースグループの識別子を含み得る。または、第１指示情報は具体的には、ＱＣＬ関係が、各第１リソース上の信号のためのアンテナポートと、第２リソースグループ上の信号のためのアンテナポートとの間に存在することを示すために使用される情報を含み得る。または、第１指示情報は具体的には、各第１リソースに対応する第２リソースグループにおける各第２リソースの識別子を含み得る。または、第１指示情報は具体的には、各第１リソースに対応する第２リソースグループの識別子を含み得る。
【００４６】
第２態様および前述の可能な実装に関連して、別の可能な実装において、第１指示情報は、各第１リソースとビームの任意選択範囲との間の対応関係を更に含み得る。
【００４７】
第２態様および前述の可能な実装に関連して、別の可能な実装において、第２リソースグループは１または複数の第２リソースを含む。
【００４８】
第２態様および前述の可能な実装に関連して、別の可能な実装において、ＱＣＬ関係が存在するということは、同一のアンテナポートパラメータを有することを意味する。
【００４９】
代替的に、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、到着角度（Ａｎｇｌｅ  ｏｆ  ａｒｒｉｖａｌ、ＡＯＡ）、平均ＡＯＡ、ＡＯＡスプレッド、発射角度（Ａｎｇｌｅ  ｏｆ  Ｄｅｐａｒｔｕｒｅ、ＡＯＤ）、平均発射角度ＡＯＤ、ＡＯＤスプレッド、受信アンテナ空間相関パラメータ、送信アンテナ空間相関パラメータ、送信ビーム、受信ビーム、リソース識別子、送信側電力方位角スペクトル（ＰＡＳ、Ｐｏｗｅｒ  Ａｚｉｍｕｔｈ  Ｓｐｅｃｔｒｕｍ）、受信側ＰＡＳおよびＰＡＳのうち少なくとも１つであり得る。ビームは、プリコーディング、加重シーケンス番号、ビームシーケンス番号および空間フィルタのうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）のリソース識別子、または、リソース上のビームを示すために使用されるＳＲＳのリソース識別子、または、同期信号もしくは同期信号ブロックのリソース識別子、または、ＰＲＡＣＨ上で送信されるプリアンブルシーケンスのリソース識別子、または、リソース上のビームを示すために使用されるＤＭＲＳのリソース識別子を含む。例えば、ダウンリンク信号のためのポートと、ダウンリンク信号のための別のポートとの間、または、アップリンク信号のためのポートと、アップリンク信号のための別のポートとの間の空間ＱＣＬ関係は、２つの信号が同一のＡＯＡまたはＡＯＤを有し得ることであり得て、２つの信号が同一の受信ビームまたは送信ビームを有することを示すために使用される。別の例として、ダウンリンク信号とアップリンク信号との間、または、アップリンク信号のためのポートと、ダウンリンク信号のためのポートとの間のＱＣＬ関係は、２つの信号のうち一方の信号のＡＯＡと、他方の信号とのＡＯＤとの間に対応関係が存在すること、または、２つの信号のうち一方の信号のＡＯＤと、他方の信号のＡＯＡとの間に対応関係が存在することであり得る���言い換えれば、ビーム対応関係を使用することによって、アップリンク送信ビームは、ダウンリンク受信ビームに基づいて決定され得る、または、ダウンリンク受信ビームは、アップリンク送信ビームに基づいて決定され得る。
【００５０】
ＱＣＬ関係を有するポート上で送信された信号はまた、対応するビームを有するものとして理解され得て、対応するビームは、同一の受信ビーム、同一の送信ビーム、受信ビームに対応する送信ビーム（レシプロシティシナリオに対応する）、送信ビームに対応する受信ビーム（レシプロシティシナリオに対応する）のうち少なくとも１つを含む。
【００５１】
ＱＣＬ関係を有するポート上で送信される信号はまた、同一の空間フィルタ（ｓｐａｔｉａｌ  ｆｉｌｔｅｒ）を使用することによって受信または送信された信号として理解され得る。空間フィルタは、プリコーディング、アンテナポートの加重、アンテナポートの位相偏向、および、アンテナポートの振幅利得のうち少なくとも１つであり得る。
【００５２】
ＱＣＬ関係を有するポート上で送信される信号はまた、対応するビーム対リンク（ＢＰＬ、ｂｅａｍ  ｐａｉｒ  ｌｉｎｋ）を有するものとして理解され得て、対応するＢＰＬは、同一のダウンリンクＢＰＬ、同一のアップリンクＢＰＬ、ダウンリンクＢＰＬに対応するアップリンクＢＰＬ、および、アップリンクＢＰＬに対応するダウンリンクＢＰＬのうち少なくとも１つを含む。
【００５３】
任意選択で、ＱＣＬ関係は、技術的本質を変更することなく別の名前を有し得て、例えば、空間ＱＣＬ関係またはレシプロシティＱＣＬ関係とも称され得る。
【００５４】
第２態様および前述の可能な実装に関連して、別の可能な実装において、第１指示情報は設定情報であり得る。設定情報は、上位層シグナリングにおいて搬送され得る。
【００５５】
代替的に、第１指示情報は設定情報または設定指示であり得る。設定情報は、第１リソースと、ビームまたは第２リソースとの間の対応関係を示すために使用され（設定情報は複数の設定を同時に含み得る）、設定情報は上位層シグナリングにおいて搬送され得る。設定指示は、ＵＥが目標チャネルおよび／または信号を送信するとき、複数の設定のうちどの設定が使用されるかを示すために使用され、設定指示は、ＤＣＩにおいて搬送され得る。
【００５６】
第２態様および前述の可能な実装に関連して、別の可能な実装において、第１指示情報を搬送するチャネルが位置する時間単位と、第２リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【００５７】
第２態様および前述の可能な実装に関連して、別の可能な実装において、第１リソースと第２リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【００５８】
第２態様および前述の可能な実装に関連して、別の可能な実装において、第２リソースと、第１指示情報を搬送するチャネルが位置する時間単位との間の時間オフセットは事前定義される、または、基地局の第４設定情報に基づいて決定される。任意選択で、時間オフセットは、正の値または０であり得る。時間単位は、タイムスロット、サブフレーム、シンボルまたはミニタイムスロットであり得る。
【００５９】
第２態様および前述の可能な実装に関連して、別の可能な実装において、第２リソースと第１リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【００６０】
第２態様および前述の可能な実装に関連して、別の可能な実装において、基地局が第１指示情報をＵＥへ送信する前に、情報伝送方法は更に、基地局が、リソースグループを少なくとも１つのリソースサブグループに分割するためにＵＥによって使用される第２指示情報をＵＥへ送信する段階を備え得る。
【００６１】
第２態様および前述の可能な実装に関連して、別の可能な実装において、基地局がＵＥの能力に基づいてＵＥのためにリソースを設定することを可能にするべく、基地局が少なくとも１つの第１リソースをＵＥのために設定する前に、情報伝送方法は更に、基地局が、ＵＥによって送信された能力指示情報を受信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備え得て、これに対応して、基地局が少なくとも１つの第１リソースをＵＥのために設定することは、具体的には、基地局が能力指示情報に基づいて少なくとも１つの第１リソースをＵＥのために設定することを含み得る。
【００６２】
第２態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【００６３】
第３態様によれば、本発明の実施形態は情報伝送方法を提供し、当該方法は、ＵＥが、基地局によってＵＥのために設定された少なくとも１つの第１リソースを取得する段階であって、第１リソースは、目標チャネルおよび／または信号を送信するためにＵＥによって使用される、段階と、ＵＥが、基地局によって送信された第１指示情報を受信する段階であって、第１指示情報は、第１リソースとビームとの間の対応関係を示すために使用され、ビームはアップリンク送信ビーム、または、ダウンリンク受信ビーム、または、ダウンリンク送信ビーム、または、アップリンク受信ビームである、段階とを備える。
【００６４】
本発明の本実施形態によって提供される情報伝送方法において、ＵＥは、ＵＥのために基地局によって設定された、目標チャネルおよび／または信号を送信するために使用される少なくとも１つの第１リソースを取得し、基地局によって送信された、第１リソースとビームとの間の対応関係を示すために使用される第１指示情報を受信する。従って、ＵＥは、第１リソースおよび第１指示情報に基づいて、目標チャネルおよび／または信号を送信するために必要なビームを決定でき、第１リソース上、および、目標チャネルおよび／または信号を送信するために必要なビーム上で、目標チャネルおよび／または信号を送信できる。目標チャネルまたは信号、またはその両方がＳＲＳであるとき、ＵＥは、目標チャネルおよび／または信号を送信するために必要な決定されたビームを使用することによってＳＲＳを送信し、それにより、ＳＲＳに対するビームフォーミングを実装する。
【００６５】
第３態様に関連して、可能な実装において、少なくとも１つの第１リソースは、リソースグループに含まれ得て、リソースグループは少なくとも１つのリソースサブグループを含み得る。
【００６６】
第３態様および前述の可能な実装に関連して、別の可能な実装において、ＵＥが、基地局によって送信された第１指示情報を受信した後に、情報伝送方法は更に、ＵＥが第１リソースおよび第１指示情報に基づいて、目標チャネルおよび／または信号、すなわち、アップリンク送信ビームを送信するために必要なビームを決定する段階と、第１リソース上およびアップリンク送信ビーム上で目標チャネルおよび／または信号を送信する段階とを備え得る。
【００６７】
ビームがアップリンク送信ビームであるとき、ＵＥは、第１リソース、および、第１リソースとビームとの間の対応関係に基づいて、アップリンク送信ビームを直接決定し得る。ビームがダウンリンク受信ビームであるとき、ＵＥはまず、第１リソース、および、第１リソースとビームとの間の対応関係に基づいて、ダウンリンク受信ビームを決定してから、アップリンクビームとダウンリンクビームとの間の対応関係を使用することによって、ダウンリンク受信ビームに基づいて、アップリンク送信ビームを決定し得る（アップリンクビームとダウンリンクビームとの間の対応関係は、アップリンクおよびダウンリンクチャネルのレシプロシティから取得され得る）。または、ビームがダウンリンク送信ビームであるとき、ＵＥはまず、第１リソース、および、第１リソースとビームとの間の対応関係に基づいて、ダウンリンク送信ビームを決定してから、アップリンクビームとダウンリンクビームとの間の対応関係を使用することによって、ダウンリンク送信ビームに基づいてダウンリンク受信ビームを決定し、最後に、アップリンクビームとダウンリンクビームとの間の対応関係を使用することによって、ダウンリンク受信ビームに基づいて、アップリンク送信ビームを決定し得る。
【００６８】
第３態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【００６９】
第３態様および前述の可能な実装に関連して、別の可能な実装において、ビームはポートであり得る、または、プリコーディングであり得る。
【００７０】
第３態様および前述の可能な実装に関連して、別の可能な実装において、第１リソースは、時間領域リソース、周波数領域リソース、符号領域リソースおよびアンテナポートのうち少なくとも１つを含み得る。
【００７１】
第３態様および前述の可能な実装に関連して、別の可能な実装において、第１指示情報は、リソースサブグループにおける各第１リソースの識別子、および、各第１リソースの識別子に対応するビームの番号を含み得て、これに対応して、ＵＥが第１リソースおよび第１指示情報に基づいてアップリンク送信ビームを決定することは、具体的には、ＵＥが、第１リソースの識別子に対応するビームの番号を決定してから、ビームの番号に対応するビームに基づいてアップリンク送信ビームを決定することであり得る。
または、第１指示情報は、各リソースサブグループの識別子、および、各リソースサブグループの識別子に対応するビームの番号を含み得て、これに対応して、ＵＥが、第１リソースおよび第１指示情報に基づいてアップリンク送信ビームを決定することは、具体的には、ＵＥが、第１リソースが属するリソースサブグループの識別子を決定し、リソースサブグループの識別子に対応するビームの番号を決定してから、ビームの番号に対応するビームに基づいてアップリンク送信ビームを決定することであり得る。
または、第１指示情報は、各リソースサブグループの識別子、および、各リソースサブグループの識別子に対応するビームグループにおける各ビームの番号を含み得て、ビームグループは少なくとも１つのビームを含み、これに対応して、ＵＥが、第１リソースおよび第１指示情報に基づいてアップリンク送信ビームを決定することは、具体的には、ＵＥが、第１リソースが属するリソースサブグループの識別子を決定し、リソースサブグループの識別子に対応するビームグループにおける各ビームの番号を決定してから、ビームグループにおけるビームに基づいてアップリンク送信ビームを決定することであり得る。
または、第１指示情報は、各リソースサブグループの識別子、および、各リソースサブグループの識別子に対応するビームグループの番号を含み得て、これに対応して、ＵＥが、第１リソースおよび第１指示情報に基づいてアップリンク送信ビームを決定することは、具体的には、ＵＥが、第１リソースが属するリソースサブグループの識別子を決定し、リソースサブグループの識別子に対応するビームグループの番号を決定してから、ビームグループにおけるビームに基づいてアップリンク送信ビームを決定することであり得る。
または、第１指示情報は、ビームグループにおける各ビームの番号を含み得る、または、第１指示情報は、ビームグループの番号を含み得て、これに対応して、ＵＥが第１リソースおよび第１指示情報に基づいてアップリンク送信ビームを決定することは、具体的には、ＵＥが、ビームグループにおけるビームに基づいてアップリンク送信ビームを決定することであり得て、第１リソースが属するリソースサブグループはビームに対応する。
または、第１指示情報は、各リソースサブグループの識別子、および、各リソースサブグループの識別子に対応するビームの任意選択範囲を含み得て、これに対応して、ＵＥが、第１リソースおよび第１指示情報に基づいてアップリンク送信ビームを決定することは、具体的には、ＵＥが、第１リソースが属するリソースサブグループの識別子を決定し、リソースサブグループの識別子に対応するビームの任意選択範囲を決定してから、ビームの任意選択範囲に基づいてアップリンク送信ビームを決定することであり得る。
または、第１指示情報は各第１リソースの識別子、および、各第１リソースの識別子に対応するビームの番号を含み得る。
または、第１指示情報は、各第１リソースの識別子、および、各第１リソースの識別子に対応するビームグループにおける各ビームの番号を含み得て、ビームグループは少なくとも１つのビームを含む。
または、第１指示情報は、各第１リソースの識別子、および、各第１リソースの識別子に対応するビームグループの番号を含み得る。
または、第１指示情報は、各第１リソースの識別子、および、各第１リソースの識別子に対応するビームの任意選択範囲を含み得る。
【００７２】
第３態様および前述の可能な実装に関連して、別の可能な実装において、ＵＥが、基地局によって送信された第１指示情報を受信する前に、情報伝送方法は、基地局によって送信された、ビームとビームの番号との間の対応関係を示すために使用される設定情報をＵＥが受信する段階を更に備え得る。これに対応して、ＵＥが第１指示情報に基づいてビームの番号を決定するとき、ＵＥは、設定情報に基づいて、番号に対応するビームを決定し得て、ビームの番号は、基地局によって選択されたビームのシーケンス番号であり得る。
【００７３】
第３態様および前述の可能な実装に関連して、別の可能な実装において、ＵＥが、基地局によって送信された第１指示情報を受信する前に、情報伝送方法は更に、ＵＥが、基地局によって送信された、リソースグループを少なくとも１つのリソースサブグループに分割するためにＵＥによって使用される第２指示情報を受信し、第２指示情報に基づいてリソースグループを少なくとも１つのリソースサブグループに分割する段階を備え得る。
【００７４】
第３態様および前述の可能な実装に関連して、別の可能な実装において、基地局がＵＥの能力に基づいてＵＥのためにリソースを設定することを可能するべく、基地局によってＵＥのために設定された少なくとも１つの第１リソースをＵＥが取得する前に、情報伝送方法は更に、ＵＥが、能力指示情報を基地局へ送信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備え得る。
【００７５】
第３態様および前述の可能な実装に関連して、別の可能な実装において、能力タイプはビームマネジメントステージおよび／またはビームの任意選択範囲を含む。能力タイプは事前定義され得る、または、基地局によって設定され得る。
【００７６】
第４態様によれば、本発明の実施形態は、情報伝送方法を提供し、当該方法は、ＵＥが、基地局によってＵＥのために設定された少なくとも１つの第１リソースを取得する段階であって、第１リソースは目標チャネルおよび／または信号を送信するためにＵＥによって使用される、段階と、ＵＥが、基地局によって送信された第１指示情報を受信する段階であって、第１指示情報は、第１リソースと第２リソースとの間の対応関係を示すために使用され、第１リソースと第２リソースとの間の対応関係は、疑似コロケーションＱＣＬ関係が目標チャネルおよび／または信号のためのアンテナポートと、第２リソース上で送信されるチャネルおよび／または信号のためのアンテナポートとの間に存在すること、目標チャネルおよび／または信号が、第２リソース上で送信されるチャネルおよび／または信号と同一のビームを使用することによって送信されること、ならびに、目標チャネルおよび／または信号が、第２リソース上で送信されるチャネルおよび／または信号と同一の空間フィルタを使用することによって送信されることのうち少なくとも１つを含み得る、段階とを備える。
【００７７】
本発明の本実施形態によって提供される情報伝送方法において、ＵＥは、ＵＥのために基地局によって設定された、目標チャネルおよび／または信号を送信するために使用される少なくとも１つの第１リソースを取得し、基地局によって送信された、第１リソースと第２リソースとの間の対応関係を示すために使用される第１指示情報を受信する。従って、ＵＥは、第１リソースおよび第１指示情報に基づいて、目標チャネルおよび／または信号を送信するために必要なビームを決定できる、または、第１指示情報および第２リソースに基づいて、目標チャネルおよび／または信号を送信するために必要なビームを決定でき、第１リソース上で、ならびに、目標チャネルおよび／または信号を送信するために必要なビーム上で、目標チャネルおよび／または信号を送信できる。目標チャネルまたは信号、またはその両方がＳＲＳであるとき、ＵＥは、目標チャネルおよび／または信号を送信するために必要な決定されたビームを使用することによってＳＲＳを送信し、それにより、ＳＲＳに対するビームフォーミングを実装する。
【００７８】
第４態様に関連して、可能な実装において、ビームはまた、空間フィルタ、プリコーディングまたは空間加重であり得る。
【００７９】
第４態様に関連して、可能な実装において、少なくとも１つの第１リソースは、リソースグループに含まれ得て、リソースグループは少なくとも１つのリソースサブグループを含み得る。
【００８０】
第４態様および前述の可能な実装に関連して、別の可能な実装において、ＵＥが、基地局によって送信された第１指示情報を受信した後に、情報伝送方法は更に、ＵＥが、第１リソースおよび第１指示情報に基づいて第２リソースを決定し、第２リソースに対応するビームに基づいて、目標チャネルおよび／または信号を送信するために必要なビーム、すなわちアップリンク送信ビームを決定し、ＵＥが、第１リソース上およびアップリンク送信ビーム上で目標チャネルおよび／または信号を送信する段階を備え得る。
【００８１】
第４態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【００８２】
第４態様および前述の可能な実装に関連して、別の可能な実装において、第１リソースは、時間領域リソース、周波数領域リソース、符号領域リソースおよびアンテナポートのうち少なくとも１つを含み得る。
【００８３】
第４態様および前述の可能な実装に関連して、別の可能な実装において、第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含み得る、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。
【００８４】
第２リソースは、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、主同期信号、副同期信号、同期信号ブロック、物理ブロードキャストチャネルの復調参照信号、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、物理ダウンリンク制御チャネルの復調参照信号、および、物理ダウンリンク共有チャネルの復調参照信号のうち少なくとも１つのチャネルおよび／または信号を送信するために使用されるリソースであり得る。任意選択で、物理ダウンリンク制御チャネルは、制御リソースセット（ＣＯＲＥＳＥＴ、ｃｏｎｔｒｏｌ  ｒｅｓｏｕｒｃｅ  ｓｅｔ）であり得る、または、ランダムアクセス応答またはシステム情報の制御情報を搬送する物理ダウンリンク制御チャネルであり得る。任意選択で、物理ダウンリンク共有チャネルは、システム情報を搬送する物理ダウンリンク共有チャネルであり得る。
【００８５】
第４態様および前述の可能な実装に関連して、別の可能な実装において、第１指示情報は、リソースサブグループにおける各第１リソースと第２リソースとの間の対応関係を含み得る。
【００８６】
第４態様および前述の可能な実装に関連して、別の可能な実装において、第１指示情報は具体的には、リソースサブグループにおける各第１リソースの識別子と、各第１リソースの識別子に対応する第２リソースの識別子とを含み得る、または、第１指示情報は具体的には、ＱＣＬ関係が、各第１リソース上の信号のためのアンテナポートと、第２リソース上の信号のためのアンテナポートとの間に存在することを示すために使用される情報を含む。または、第１指示情報は具体的には、各第１リソースに対応する第２リソースの識別子を含む。任意選択で、第１指示情報が各第１リソースに対応する第２リソースの識別子を含むとき、第１指示情報は、１または複数の第２リソースの識別子を含み得て、第２リソースの識別子の数は、第１リソースの数と同一であり、第１指示情報によって示される第１リソースと、第２リソースの各々との間の対応関係は、事前定義され得る。
【００８７】
第４態様および前述の可能な実装に関連して、別の可能な実装において、第１指示情報は、各第１リソースとビームの任意選択範囲との間の対応関係を更に含み得る。
【００８８】
第４態様および前述の可能な実装に関連して、別の可能な実装において、第１指示情報は、各リソースサブグループと第２リソースとの間の対応関係を含み得る。
【００８９】
第４態様および前述の可能な実装に関連して、別の可能な実装において、第１指示情報は具体的には、各リソースサブグループの識別子、および、各リソースサブグループの識別子に対応する第２リソースの識別子を含み得る。または、第１指示情報は具体的には、ＱＣＬ関係が各リソースサブグループ上の信号のためのアンテナポートと、第２リソース上の信号のためのアンテナポートとの間に存在することを示すために使用される情報を含み得る。または、第１指示情報は具体的には、各リソースサブグループに対応する第２リソースの識別子を含み得る。
【００９０】
第４態様および前述の可能な実装に関連して、別の可能な実装において、第１指示情報は、各リソースサブグループと第２リソースグループとの間の対応関係を含み得て、第２リソースグループは少なくとも１つの第２リソースを含む。
【００９１】
第４態様および前述の可能な実装に関連して、別の可能な実装において、第１指示情報は具体的には、各リソースサブグループの識別子、および、各リソースサブグループの識別子に対応する第２リソースグループにおける各第２リソースの識別子を含み得る。または、第１指示情報は具体的には、各リソースサブグループの識別子、および、各リソースサブグループの識別子に対応する第２リソースグループの識別子を含み得る。または、第１指示情報は具体的には、ＱＣＬ関係が各リソースサブグループ上の信号のためのアンテナポートと、第２リソースグループ上の信号のためのアンテナポートとの間に存在することを示すために使用される情報を含み得る。
【００９２】
第４態様および前述の可能な実装に関連して、別の可能な実装において、第１指示情報は、第２リソースグループにおける各第２リソースの識別子を含み得る。または、第１指示情報は、第２リソースグループの識別子を含み得る。任意選択で、第１指示情報が第２リソースグループの識別子を含むとき、第２リソースグループにおける第２リソースの数は、第１リソースグループにおける第１リソースサブグループの数と同一であり、かつ、第１指示情報において示されるような、第２リソースグループにおける第２リソースと、第１リソースグループにおける第１リソースサブグループとの間の対応関係は事前定義される。
【００９３】
第４態様および前述の可能な実装に関連して、別の可能な実装において、第１指示情報は、各リソースサブグループとビームの任意選択範囲との間の対応関係を更に含み得る。
【００９４】
第４態様および前述の可能な実装に関連して、別の可能な実装において、第１指示情報は、各第１リソースと第２リソースとの間の対応関係を含み得る。
【００９５】
第４態様および前述の可能な実装に関連して、別の可能な実装において、第１指示情報は具体的には、各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含み得る。
【００９６】
第４態様および前述の可能な実装に関連して、別の可能な実装において、各第１リソースと第２リソースグループとの間の対応関係において、第２リソースグループは少なくとも１つの第２リソースを含む。
【００９７】
第４態様および前述の可能な実装に関連して、別の可能な実装において、第１指示情報は具体的には、各第１リソースの識別子、および、各第１リソースの識別子に対応する第２リソースグループにおける各第２リソースの識別子を含み得る。または、第１指示情報は具体的には、各第１リソースの識別子、および、各第１リソースの識別子に対応する第２リソースグループの識別子を含み得る。または、第１指示情報は具体的には、ＱＣＬ関係が、各第１リソース上の信号のためのアンテナポートと、第２リソースグループ上の信号のためのアンテナポートとの間に存在することを示すために使用される情報を含み得る。または、第１指示情報は具体的には、各第１リソースに対応する第２リソースグループにおける各第２リソースの識別子を含み得る。または、第１指示情報は具体的には、各第１リソースに対応する第２リソースグループの識別子を含み得る。
【００９８】
第４態様および前述の可能な実装に関連して、別の可能な実装において、第１指示情報は、各第１リソースとビームの任意選択範囲との間の対応関係を更に含み得る。
【００９９】
第４態様および前述の可能な実装に関連して、別の可能な実装において、第２リソースグループは１または複数の第２リソースを含む。
【０１００】
第４態様および前述の可能な実装に関連して、別の可能な実装において、ＱＣＬ関係が存在するということは、同一のアンテナポートパラメータを有することを意味する。
【０１０１】
代替的に、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、到着角度（Ａｎｇｌｅ  ｏｆ  ａｒｒｉｖａｌ、ＡＯＡ）、平均ＡＯＡ、ＡＯＡスプレッド、発射角度（Ａｎｇｌｅ  ｏｆ  Ｄｅｐａｒｔｕｒｅ、ＡＯＤ）、平均発射角度ＡＯＤ、ＡＯＤスプレッド、受信アンテナ空間相関パラメータ、送信アンテナ空間相関パラメータ、送信ビーム、受信ビーム、リソース識別子、送信側電力方位角スペクトル（ＰＡＳ、Ｐｏｗｅｒ  Ａｚｉｍｕｔｈ  Ｓｐｅｃｔｒｕｍ）、受信側ＰＡＳおよびＰＡＳのうち少なくとも１つであり得る。ビームは、プリコーディング、加重シーケンス番号、ビームシーケンス番号および空間フィルタのうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、ＣＳＩ−ＲＳのリソース識別子、または、リソース上のビームを示すために使用されるＳＲＳのリソース識別子、または、同期信号もしくは同期信号ブロックのリソース識別子、または、ＰＲＡＣＨ上で送信されるプリアンブルシーケンスのリソース識別子、または、リソース上のビームを示すために使用されるＤＭＲＳのリソース識別子を含む。例えば、ダウンリンク信号のためのポートと、ダウンリンク信号のための別のポートとの間、または、アップリンク信号のためのポートと、アップリンク信号のための別のポートとの間の空間ＱＣＬ関係は、２つの信号が同一のＡＯＡまたはＡＯＤを有し得ることであり得て、２つの信号が同一の受信ビームまたは送信ビームを有することを示すために使用される。別の例として、ダウンリンク信号とアップリンク信号との間、または、アップリンク信号のためのポートと、ダウンリンク信号のためのポートとの間のＱＣＬ関係は、２つの信号のうち一方の信号のＡＯＡと、他方の信号とのＡＯＤとの間に対応関係が存在すること、または、２つの信号のうち一方の信号のＡＯＤと、他方の信号のＡＯＡとの間に対応関係が存在することであり得る。言い換えれば、ビーム対応関係を使用することによって、アップリンク送信ビームは、ダウンリンク受信ビームに基づいて決定され得る、または、ダウンリンク受信ビームは、アップリンク送信ビームに基づいて決定され得る。
【０１０２】
空間ＱＣＬ関係を有するポート上で送信された信号はまた、対応するビームを有するものとして理解され得て、対応するビームは、同一の受信ビーム、同一の送信ビーム、受信ビームに対応する送信ビーム（レシプロシティシナリオに対応する）、および、送信ビームに対応する受信ビーム（レシプロシティシナリオに対応する）のうち少なくとも１つを含む。
【０１０３】
空間ＱＣＬ関係を有するポート上で送信される信号はまた、同一の空間フィルタ（ｓｐａｔｉａｌ  ｆｉｌｔｅｒ）を使用することによって受信または送信された信号として理解され得る。空間フィルタは、プリコーディング、アンテナポートの加重、アンテナポートの位相偏向、および、アンテナポートの振幅利得のうち少なくとも１つであり得る。
【０１０４】
空間ＱＣＬ関係を有するポート上で送信される信号はまた、対応するビーム対リンク（ＢＰＬ、ｂｅａｍ  ｐａｉｒ  ｌｉｎｋ）を有するものとして理解され得て、対応するＢＰＬは、同一のダウンリンクＢＰＬ、同一のアップリンクＢＰＬ、ダウンリンクＢＰＬに対応するアップリンクＢＰＬ、および、アップリンクＢＰＬに対応するダウンリンクＢＰＬのうち少なくとも１つを含む。
【０１０５】
任意選択で、ＱＣＬ関係は、技術的本質を変更することなく別の名前を有し得て、例えば、空間ＱＣＬ関係またはレシプロシティＱＣＬ関係とも称され得る。
【０１０６】
第４態様および前述の可能な実装に関連して、別の可能な実装において、ＵＥが、基地局によって送信された第１指示情報を受信する前に、情報伝送方法は更に、ＵＥが、基地局によって送信された、リソースグループを少なくとも１つのリソースサブグループに分割するためにＵＥによって使用される第２指示情報を受信し、第２指示情報に基づいてリソースグループを少なくとも１つのリソースサブグループに分割する段階を備え得る。
【０１０７】
第４態様および前述の可能な実装に関連して、別の可能な実装において、基地局がＵＥの能力に基づいてＵＥのためにリソースを設定することを可能するべく、基地局によってＵＥのために設定された少なくとも１つの第１リソースをＵＥが取得する前に、情報伝送方法は更に、ＵＥが、能力指示情報を基地局へ送信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備え得る。
【０１０８】
第４態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【０１０９】
第４態様および前述の可能な実装に関連して、別の可能な実装において、第１指示情報を搬送するチャネルが位置する時間単位と、第２リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【０１１０】
第４態様および前述の可能な実装に関連して、別の可能な実装において、第１リソースと第２リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【０１１１】
第４態様および前述の可能な実装に関連して、別の可能な実装において、第２リソースと、第１指示情報を搬送するチャネルが位置する時間単位との間の時間オフセットは事前定義される、または、基地局の第４設定情報に基づいて決定される。任意選択で、時間オフセットは、正の値または０であり得る。時間単位は、タイムスロット、サブフレーム、シンボルまたはミニタイムスロットであり得る。
【０１１２】
第４態様および前述の可能な実装に関連して、別の可能な実装において、第２リソースと第１リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【０１１３】
第５態様によれば、本発明の実施形態は、基地局を提供し、当該基地局は、ＵＥのために少なくとも１つの第１リソースを設定するよう構成される設定ユニットであって、第１リソースは、目標チャネルおよび／または信号を送信するためにＵＥによって使用される、設定ユニットと、第１指示情報をＵＥへ送信するよう構成される送信ユニットであって、第１指示情報は、第１リソースとビームとの間の対応関係を示すために使用され、ビームは、アップリンク送信ビーム、または、ダウンリンク受信ビーム、または、ダウンリンク送信ビーム、または、アップリンク受信ビームである、送信ユニットとを備える。
【０１１４】
第５態様に関連して、可能な実装において、少なくとも１つの第１リソースは、リソースグループに含まれ得て、リソースグループは少なくとも１つのリソースサブグループを含み得る。
【０１１５】
第５態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【０１１６】
第５態様および前述の可能な実装に関連して、別の可能な実装において、ビームはポートであり得る、または、プリコーディングであり得る。
【０１１７】
第５態様および前述の可能な実装に関連して、別の可能な実装において、第１リソースは、時間領域リソース、周波数領域リソース、符号領域リソースおよびアンテナポートのうち少なくとも１つを含み得る。
【０１１８】
第５態様および前述の可能な実装に関連して、別の可能な実装において、第１リソースとビームとの間の対応関係は、以下の異なる方式で示され得る。
方式１：第１指示情報が、リソースサブグループにおける各第１リソースの識別子と、各第１リソースの識別子に対応するビームの番号とを含み得る。
方式２：第１指示情報が、各リソースサブグループの識別子と、各リソースサブグループの識別子に対応するビームの番号とを含み得る。
方式３：第１指示情報が、各リソースサブグループの識別子と、各リソースサブグループの識別子に対応するビームグループにおける各ビームの番号とを含み得て、ビームグループは、少なくとも１つのビームを含む（異なるリソースサブグループは、同一のビームグループに対応し得る）。
方式４：第１指示情報が、各リソースサブグループの識別子と、各リソースサブグループの識別子に対応するビームグループの番号とを含み得る（異なるリソースサブグループの識別子は同一のビームグループの番号に対応し得る）。
方式５：第１指示情報は、ビームグループにおける各ビームの番号を含み得る。
方式６：第１指示情報は、ビームグループの番号を含み得る。
方式７：第１指示情報は、各リソースサブグループの識別子と、各リソースサブグループの識別子に対応するビームの任意選択範囲とを含み得る。
方式８：第１指示情報は、各第１リソースの識別子と、各第１リソースの識別子に対応するビームの番号とを含み得る。
方式９：第１指示情報は、各第１リソースの識別子と、各第１リソースの識別子に対応するビームグループにおける各ビームの番号とを含み得て、ビームグループは少なくとも１つのビームを含む（異なる第１リソースは同一のビームグループに対応し得る）。
方式１０：第１指示情報は、各第１リソースの識別子と、各第１リソースの識別子に対応するビームグループの番号とを含み得る（異なる第１リソースの識別子は、同一のビームグループの番号に対応し得る）。
方式１１：第１指示情報は、各第１リソースの識別子と、各第１リソースの識別子に対応するビームの任意選択範囲とを含み得る。
【０１１９】
方式１において、送信ユニットは、第１指示情報を使用して、同一のリソースサブグループにおける第１リソース上で、ＵＥが異なる送信ビームを使用することによって目標チャネルおよび／または信号を送信する必要があることを示す。この場合、これに対応して、事前定義または事前設定方式が使用され得て、その結果、同一のリソースサブグループにおけるすべての第１リソース上で、基地局は、同一の受信ビームを使用することによって、目標チャネルおよび／または信号を受信する。
【０１２０】
方式２から方式６において、送信ユニットは、第１指示情報を使用して、同一のリソースサブグループにおけるすべての第１リソース上で、ＵＥが同一の送信ビームを使用することによって目標チャネルおよび／または信号を送信する必要があることを示す。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０１２１】
方式２において、ビームがダウンリンク送信ビームまたはアップリンク受信ビームである場合、ユーザ機器は、各サブリソース上で、ダウンリンク送信ビームまたはアップリンク受信ビームと対になったアップリンク送信ビームを使用することによって、目標チャネルおよび／または信号を送信する。
【０１２２】
任意選択で、第１指示情報は設定情報であり得る。設定情報は、上位層シグナリングにおいて搬送され得る。
【０１２３】
代替的に、第１指示情報は設定情報または設定指示であり得る。設定情報は、第１リソースとビームとの間の対応関係を示すために使用され（設定情報は複数の設定を同時に含み得る）、設定情報は、上位層シグナリングにおいて搬送され得る。設定指示は、ＵＥが目標チャネルおよび／または信号を送信するとき、複数の設定のうちどの設定が使用されるかを示すために使用され、設定指示は、ＤＣＩにおいて搬送され得る。
【０１２４】
第５態様および前述の可能な実装に関連して、別の可能な実装において、送信ユニットは更に、ビームとビームの番号との間の対応関係を示すために使用される設定情報をＵＥへ送信するよう構成され、ビームの番号は、基地局によって選択されるビームのシーケンス番号であり得る。
【０１２５】
第５態様および前述の可能な実装に関連して、別の可能な実装において、送信ユニットは更に、リソースグループを少なくとも１つのリソースサブグループに分割するためにＵＥによって使用される第２指示情報をＵＥへ送信するよう構成される。
【０１２６】
第５態様および前述の可能な実装に関連して、別の可能な実装において、基地局が、ＵＥの能力に基づいてＵＥのためにリソースを設定することを可能にするべく、基地局は更に、ＵＥによって送信された能力指示情報を受信するよう構成される受信ユニットであって、能力指示情報は、ＵＥによって能力タイプ内においてサポートされるビームの最大数を含む、または、能力指示情報は、ＵＥによって能力タイプ内においてサポートされるビームの最大数の量子化値を含む、受信ユニットを備え得て、これに対応して、設定ユニットは具体的には、受信ユニットによって受信された能力指示情報に基づいて、ＵＥのために少なくとも１つの第１リソースを設定するよう構成される。
【０１２７】
第５態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【０１２８】
第６態様によれば、本発明の実施形態は基地局を提供し、当該基地局は、ＵＥのために少なくとも１つの第１リソースを設定するよう構成される設定ユニットであって、第１リソースは、目標チャネルおよび／または信号を送信するためにＵＥによって使用される、設定ユニットと、第１指示情報をＵＥへ送信するよう構成される送信ユニットであって、第１指示情報は、第１リソースと第２リソースとの間の対応関係を示すために使用される、送信ユニットとを備える。
【０１２９】
第６態様に関連して、可能な実装において、少なくとも１つの第１リソースは、リソースグループに含まれ得て、リソースグループは少なくとも１つのリソースサブグループを含み得る。
【０１３０】
第６態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【０１３１】
第６態様および前述の可能な実装に関連して、別の可能な実装において、第１リソースは、時間領域リソース、周波数領域リソース、符号領域リソースおよびアンテナポートのうち少なくとも１つを含み得る。
【０１３２】
第６態様および前述の可能な実装に関連して、別の可能な実装において、第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含み得る、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。
【０１３３】
第６態様および前述の可能な実装に関連して、別の可能な実装において、第１指示情報は、リソースサブグループにおける各第１リソースと第２リソースとの間の対応関係を含み得る。
【０１３４】
送信ユニットは、第１指示情報を使用して、リソースサブグループにおける第１リソースが異なる第２リソースに対応することを示す。言い換えれば、同一のリソースサブグループにおける第１リソース上で、ＵＥは、異なる送信ビームを使用することによって、目標チャネルおよび／または信号を送信する必要がある。この場合、これに対応して、事前定義または事前設定方式が使用され得て、その結果、同一のリソースサブグループにおけるすべての第１リソース上で、基地局は、同一の受信ビームを使用することによって、目標チャネルおよび／または信号を受信する。
【０１３５】
第６態様および前述の可能な実装に関連して、別の可能な実装において、第１指示情報は具体的には、リソースサブグループにおける各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含む。
【０１３６】
第６態様および前述の可能な実装に関連して、別の可能な実装において、第１指示情報は、各第１リソースとビームの任意選択範囲との間の対応関係を更に含み得る。
【０１３７】
第６態様および前述の可能な実装に関連して、別の可能な実装において、第１指示情報は、各リソースサブグループと第２リソースとの間の対応関係を含み得る。
【０１３８】
送信ユニットは、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０１３９】
第６態様および前述の可能な実装に関連して、別の可能な実装において、第１指示情報は具体的には、各リソースサブグループの識別子、および、各リソースサブグループの識別子に対応する第２リソースの識別子を含み得る、または、第１指示情報は具体的には、ＱＣＬ関係が、各リソースサブグループ上の信号のためのアンテナポートと、第２リソース上の信号のためのアンテナポートとの間に存在することを示すために使用される情報を含み得る。
【０１４０】
第６態様および前述の可能な実装に関連して、別の可能な実装において、第１指示情報は、各リソースサブグループと第２リソースグループとの間の対応関係を含み得て、第２リソースグループは少なくとも１つの第２リソースを含む。送信ユニットは、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０１４１】
第６態様および前述の可能な実装に関連して、別の可能な実装において、第１指示情報は具体的には、各リソースサブグループの識別子、および、各リソースサブグループの識別子に対応する第２リソースグループにおける各第２リソースの識別子を含み得る。または、第１指示情報は具体的には、各リソースサブグループの識別子、および、各リソースサブグループの識別子に対応する第２リソースグループの識別子を含み得る。または、第１指示情報は具体的には、ＱＣＬ関係が各リソースサブグループ上の信号のためのアンテナポートと、第２リソースグループ上の信号のためのアンテナポートとの間に存在することを示すために使用される情報を含み得る。
【０１４２】
第６態様および前述の可能な実装に関連して、別の可能な実装において、第１指示情報は、第２リソースグループにおける各第２リソースの識別子を含み得る。または、第１指示情報は、第２リソースグループの識別子を含み得る。送信ユニットは、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０１４３】
第６態様および前述の可能な実装に関連して、別の可能な実装において、第１指示情報は、各リソースサブグループとビームの任意選択範囲との間の対応関係を更に含み得る。
【０１４４】
第６態様および前述の可能な実装に関連して、別の可能な実装において、第１指示情報は、各第１リソースと第２リソースとの間の対応関係を含み得る。
【０１４５】
第６態様および前述の可能な実装に関連して、別の可能な実装において、第１指示情報は具体的には、各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含み得る。
【０１４６】
第６態様および前述の可能な実装に関連して、別の可能な実装において、各第１リソースと第２リソースグループとの間の対応関係において、第２リソースグループは少なくとも１つの第２リソースを含む。
【０１４７】
第６態様および前述の可能な実装に関連して、別の可能な実装において、第１指示情報は具体的には、各第１リソースの識別子、および、各第１リソースの識別子に対応する第２リソースグループにおける各第２リソースの識別子を含み得る。または、第１指示情報は具体的には、各第１リソースの識別子、および、各第１リソースの識別子に対応する第２リソースグループの識別子を含み得る。または、第１指示情報は具体的には、ＱＣＬ関係が、各第１リソース上の信号のためのアンテナポートと、第２リソースグループ上の信号のためのアンテナポートとの間に存在することを示すために使用される情報を含み得る。
【０１４８】
第６態様および前述の可能な実装に関連して、別の可能な実装において、第１指示情報は、各第１リソースとビームの任意選択範囲との間の対応関係を更に含み得る。
【０１４９】
第６態様および前述の可能な実装に関連して、別の可能な実装において、ＱＣＬ関係が存在するということは、同一のアンテナポートパラメータを有することを意味する。
【０１５０】
代替的に、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、ＡＯＡ、平均ＡＯＡ、ＡＯＡスプレッド、ＡＯＤ、平均発射角度ＡＯＤ、ＡＯＤスプレッド、受信アンテナ空間相関パラメータ、送信ビーム、受信ビームおよびリソース識別子のうち少なくとも１つであり得る。ビームは、プリコーディング、加重シーケンス番号およびビームシーケンス番号のうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、ＣＳＩ−ＲＳのリソース識別子、または、ＳＲＳのリソース識別子を含む。
【０１５１】
第６態様および前述の可能な実装に関連して、別の可能な実装において、第１指示情報は設定情報であり得る。設定情報は、上位層シグナリングにおいて搬送され得る。
【０１５２】
代替的に、第１指示情報は設定情報または設定指示であり得る。設定情報は、第１リソースとビームとの間の対応関係を示すために使用され（設定情報は複数の設定を同時に含み得る）、設定情報は、上位層シグナリングにおいて搬送され得る。設定指示は、ＵＥが目標チャネルおよび／または信号を送信するとき、複数の設定のうちどの設定が使用されるかを示すために使用され、設定指示は、ＤＣＩにおいて搬送され得る。
【０１５３】
第６態様および前述の可能な実装に関連して、別の可能な実装において、送信ユニットは更に、リソースグループを少なくとも１つのリソースサブグループに分割するためにＵＥによって使用される第２指示情報をＵＥへ送信するよう構成される。
【０１５４】
第６態様および前述の可能な実装に関連して、別の可能な実装において、基地局が、ＵＥの能力に基づいてＵＥのためにリソースを設定することを可能にするべく、基地局は更に、ＵＥによって送信された能力指示情報を受信するよう構成される受信ユニットであって、能力指示情報は、ＵＥによって能力タイプ内においてサポートされるビームの最大数を含む、または、能力指示情報は、ＵＥによって能力タイプ内においてサポートされるビームの最大数の量子化値を含む、受信ユニットを備え得て、これに対応して、設定ユニットは具体的には、受信ユニットによって受信された能力指示情報に基づいて、ＵＥのために少なくとも１つの第１リソースを設定するよう構成される。
【０１５５】
第６態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【０１５６】
第７態様によれば、本発明の実施形態は、ＵＥを提供し、ＵＥは、基地局によってＵＥのために設定された少なくとも１つの第１リソースを取得するよう構成される取得ユニットであって、第１リソースは、目標チャネルおよび／または信号を送信するためにＵＥによって使用される、取得ユニットと、基地局によって送信された第１指示情報を受信するよう構成される受信ユニットであって、第１指示情報は、第１リソースとビームとの間の対応関係を示すために使用され、ビームは、アップリンク送信ビーム、または、ダウンリンク受信ビーム、または、ダウンリンク送信ビーム、または、アップリンク受信ビームである、受信ユニットとを備える。
【０１５７】
第７態様に関連して、可能な実装において、少なくとも１つの第１リソースは、リソースグループに含まれ得て、リソースグループは少なくとも１つのリソースサブグループを含み得る。
【０１５８】
第７態様および前述の可能な実装に関連して、別の可能な実装において、ＵＥは更に、取得ユニットによって取得された第１リソース、および、受信ユニットによって受信された第１指示情報に基づいて、目標チャネルおよび／または信号を送信するために必要なビーム、すなわちアップリンク送信ビームを決定するよう構成される決定ユニットと、第１リソース上、および、決定ユニットによって決定されたアップリンク送信ビーム上で、目標チャネルおよび／または信号を送信するよう構成される送信ユニットとを備え得る。
【０１５９】
ビームがアップリンク送信ビームであるとき、決定ユニットは、第１リソース、および、第１リソースとビームとの間の対応関係に基づいて、アップリンク送信ビームを直接決定し得る。ビームがダウンリンク受信ビームであるとき、決定ユニットはまず、第１リソース、および、第１リソースとビームとの間の対応関係に基づいて、ダウンリンク受信ビームを決定してから、アップリンクビームとダウンリンクビームとの間の対応関係を使用することによって、ダウンリンク受信ビームに基づいて、アップリンク送信ビームを決定し得る（アップリンクビームとダウンリンクビームとの間の対応関係は、アップリンクおよびダウンリンクチャネルのレシプロシティから取得され得る）。または、ビームがダウンリンク送信ビームであるとき、決定ユニットはまず、第１リソース、および、第１リソースとビームとの間の対応関係に基づいて、ダウンリンク送信ビームを決定してから、アップリンクビームとダウンリンクビームとの間の対応関係を使用することによって、ダウンリンク送信ビームに基づいてダウンリンク受信ビームを決定し、最後に、アップリンクビームとダウンリンクビームとの間の対応関係を使用することによって、ダウンリンク受信ビームに基づいて、アップリンク送信ビームを決定し得る。
【０１６０】
第７態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【０１６１】
第７態様および前述の可能な実装に関連して、別の可能な実装において、ビームはポートであり得る、または、プリコーディングであり得る。
【０１６２】
第７態様および前述の可能な実装に関連して、別の可能な実装において、第１リソースは、時間領域リソース、周波数領域リソース、符号領域リソースおよびアンテナポートのうち少なくとも１つを含み得る。
【０１６３】
第７態様および前述の可能な実装に関連して、別の可能な実装において、第１指示情報は、リソースサブグループにおける各第１リソースの識別子、および、各第１リソースの識別子に対応するビームの番号を含み得て、これに対応して、決定ユニットは具体的には、第１リソースの識別子に対応するビームの番号を決定してから、ビームの番号に対応するビームに基づいてアップリンク送信ビームを決定するよう構成される。
または、第１指示情報は、各リソースサブグループの識別子、および、各リソースサブグループの識別子に対応するビームの番号を含み得て、これに対応して、決定ユニットは具体的には、第１リソースが属するリソースサブグループの識別子を決定し、リソースサブグループの識別子に対応するビームの番号を決定してから、ビームの番号に対応するビームに基づいてアップリンク送信ビームを決定するよう構成される。
または、第１指示情報は、各リソースサブグループの識別子、および、各リソースサブグループの識別子に対応するビームグループにおける各ビームの番号を含み得て、ビームグループは、少なくとも１つのビームを含み、これに対応して、決定ユニットは具体的には、第１リソースが属するリソースサブグループの識別子を決定し、リソースサブグループの識別子に対応するビームグループにおける各ビームの番号を決定してから、ビームグループにおけるビームに基づいてアップリンク送信ビームを決定するよう構成される。
または、第１指示情報は、各リソースサブグループの識別子、および、各リソースサブグループの識別子に対応するビームグループの番号を含み得て、これに対応して、決定ユニットは具体的には、第１リソースが属するリソースサブグループの識別子を決定し、リソースサブグループの識別子に対応するビームグループの番号を決定してから、ビームグループにおけるビームに基づいてアップリンク送信ビームを決定するよう構成される。
または、第１指示情報は、ビームグループにおける各ビームの番号を含み得る、または、第１指示情報は、ビームグループの番号を含み得て、これに対応して、決定ユニットは具体的には、ビームグループにおけるビームに基づいてアップリンク送信ビームを決定するよう構成され、第１リソースが属するリソースサブグループはビームに対応する。
または、第１指示情報は、各リソースサブグループの識別子、および、各リソースサブグループの識別子に対応するビームの任意選択範囲を含み得て、これに対応して、決定ユニットは具体的には、第１リソースが属するリソースサブグループの識別子を決定し、リソースサブグループの識別子に対応するビームの任意選択範囲を決定してから、ビームの任意選択範囲に基づいてアップリンク送信ビームを決定するよう構成される。
または、第１指示情報は、各第１リソースの識別子、および、各第１リソースの識別子に対応するビームの番号を含み得る。
または、第１指示情報は、各第１リソースの識別子、および、各第１リソースの識別子に対応するビームグループにおける各ビームの番号を含み得て、ビームグループは少なくとも１つのビームを含む。
または、第１指示情報は、各第１リソースの識別子、および、各第１リソースの識別子に対応するビームグループの番号を含み得る。
または、第１指示情報は、各第１リソースの識別子、および、各第１リソースの識別子に対応するビームの任意選択範囲を含み得る。
【０１６４】
第７態様および前述の可能な実装に関連して、別の可能な実装において、受信ユニットは更に、基地局によって送信された、ビームとビームの番号との間の対応関係を示すために使用される設定情報を受信するよう構成される。これに対応して、決定ユニットが第１指示情報に基づいてビームの番号を決定するとき、決定ユニットは、受信ユニットによって受信された設定情報に基づいて、番号に対応するビームを決定し得て、ビームの番号は、基地局によって選択されるビームのシーケンス番号であり得る。
【０１６５】
第７態様および前述の可能な実装に関連して、別の可能な実装において、受信ユニットは更に、基地局によって送信された、リソースグループを少なくとも１つのリソースサブグループに分割するためにＵＥによって使用される第２指示情報を受信し、第２指示情報に基づいてリソースグループを少なくとも１つのリソースサブグループに分割するよう構成される。
【０１６６】
第７態様および前述の可能な実装に関連して、別の可能な実装において、基地局が、ＵＥの能力に基づいて、ＵＥのためにリソースを設定することを可能にするべく、送信ユニットは更に、能力指示情報を基地局へ送信するよう構成され、能力指示情報は、ＵＥによって能力タイプ内においてサポートされるビームの最大数を含む、または、能力指示情報は、ＵＥによって能力タイプ内においてサポートされるビームの最大数の量子化値を含む。
【０１６７】
第７態様および前述の可能な実装に関連して、別の可能な実装において、能力タイプはビームマネジメントステージおよび／またはビームの任意選択範囲を含む。能力タイプは事前定義され得る、または、基地局によって設定され得る。
【０１６８】
第８態様によれば、本発明の実施形態はＵＥを提供し、当該ＵＥは、基地局によってＵＥのために設定された少なくとも１つの第１リソースを取得するよう構成される取得ユニットであって、第１リソースは、目標チャネルおよび／または信号を送信するためにＵＥによって使用される、取得ユニットと、基地局によって送信された第１指示情報を受信するよう構成される受信ユニットであって、第１指示情報は、第１リソースと第２リソースとの間の対応関係を示すために使用される、受信ユニットとを含む。
【０１６９】
第８態様に関連して、可能な実装において、少なくとも１つの第１リソースは、リソースグループに含まれ得て、リソースグループは少なくとも１つのリソースサブグループを含み得る。
【０１７０】
第８態様および前述の可能な実装に関連して、別の可能な実装において、ＵＥは更に、第１リソースおよび第１指示情報に基づいて第２リソースを決定し、第２リソースに対応するビームに基づいて、目標チャネルおよび／または信号を送信するために必要なビーム、すなわち、アップリンク送信ビームを決定するよう構成される決定ユニットと、第１リソース上およびアップリンク送信ビーム上で目標チャネルおよび／または信号を送信するよう構成される送信ユニットとを備え得る。
【０１７１】
第８態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【０１７２】
第８態様および前述の可能な実装に関連して、別の可能な実装において、第１リソースは、時間領域リソース、周波数領域リソース、符号領域リソースおよびアンテナポートのうち少なくとも１つを含み得る。
【０１７３】
第８態様および前述の可能な実装に関連して、別の可能な実装において、第２リソースは、送信ユニットが目標チャネルおよび／または信号を送信する前に、情報を基地局へ送信するために送信ユニットによって使用される時間領域リソース、周波数領域リソース、符号領域リソースおよびアンテナポートのうち少なくとも１つを含み得る、または、第２リソースは、送信ユニットが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。
【０１７４】
第８態様および前述の可能な実装に関連して、別の可能な実装において、第１指示情報は、リソースサブグループにおける各第１リソースと第２リソースとの間の対応関係を含み得る。
【０１７５】
第８態様および前述の可能な実装に関連して、別の可能な実装において、第１指示情報は具体的には、リソースサブグループにおける各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含む。
【０１７６】
第８態様および前述の可能な実装に関連して、別の可能な実装において、第１指示情報は、各第１リソースとビームの任意選択範囲との間の対応関係を更に含み得る。
【０１７７】
第８態様および前述の可能な実装に関連して、別の可能な実装において、第１指示情報は、各リソースサブグループと第２リソースとの間の対応関係を含み得る。
【０１７８】
第８態様および前述の可能な実装に関連して、別の可能な実装において、第１指示情報は具体的には、各リソースサブグループの識別子、および、各リソースサブグループの識別子に対応する第２リソースの識別子を含み得る、または、第１指示情報は具体的には、ＱＣＬ関係が、各リソースサブグループ上の信号のためのアンテナポートと、第２リソース上の信号のためのアンテナポートとの間に存在することを示すために使用される情報を含み得る。
【０１７９】
第８態様および前述の可能な実装に関連して、別の可能な実装において、第１指示情報は、各リソースサブグループと第２リソースグループとの間の対応関係を含み得て、第２リソースグループは少なくとも１つの第２リソースを含む。
【０１８０】
第８態様および前述の可能な実装に関連して、別の可能な実装において、第１指示情報は具体的には、各リソースサブグループの識別子、および、各リソースサブグループの識別子に対応する第２リソースグループにおける各第２リソースの識別子を含み得る。または、第１指示情報は具体的には、各リソースサブグループの識別子、および、各リソースサブグループの識別子に対応する第２リソースグループの識別子を含み得る。または、第１指示情報は具体的には、ＱＣＬ関係が各リソースサブグループ上の信号のためのアンテナポートと、第２リソースグループ上の信号のためのアンテナポートとの間に存在することを示すために使用される情報を含み得る。
【０１８１】
第８態様および前述の可能な実装に関連して、別の可能な実装において、第１指示情報は、第２リソースグループにおける各第２リソースの識別子を含み得る。または、第１指示情報は、第２リソースグループの識別子を含み得る。
【０１８２】
第８態様および前述の可能な実装に関連して、別の可能な実装において、第１指示情報は、各リソースサブグループとビームの任意選択範囲との間の対応関係を更に含み得る。
【０１８３】
第８態様および前述の可能な実装に関連して、別の可能な実装において、第１指示情報は、各第１リソースと第２リソースとの間の対応関係を含み得る。
【０１８４】
第８態様および前述の可能な実装に関連して、別の可能な実装において、第１指示情報は具体的には、各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含み得る。
【０１８５】
第８態様および前述の可能な実装に関連して、別の可能な実装において、各第１リソースと第２リソースグループとの間の対応関係において、第２リソースグループは少なくとも１つの第２リソースを含む。
【０１８６】
第８態様および前述の可能な実装に関連して、別の可能な実装において、第１指示情報は具体的には、各第１リソースの識別子、および、各第１リソースの識別子に対応する第２リソースグループにおける各第２リソースの識別子を含み得る。または、第１指示情報は具体的には、各第１リソースの識別子、および、各第１リソースの識別子に対応する第２リソースグループの識別子を含み得る。または、第１指示情報は具体的には、ＱＣＬ関係が、各第１リソース上の信号のためのアンテナポートと、第２リソースグループ上の信号のためのアンテナポートとの間に存在することを示すために使用される情報を含み得る。
【０１８７】
第８態様および前述の可能な実装に関連して、別の可能な実装において、第１指示情報は、各第１リソースとビームの任意選択範囲との間の対応関係を更に含み得る。
【０１８８】
第８態様および前述の可能な実装に関連して、別の可能な実装において、ＱＣＬ関係が存在するということは、同一のアンテナポートパラメータを有することを意味する。
【０１８９】
代替的に、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、到着角度ＡＯＡ、平均ＡＯＡ、ＡＯＡスプレッド、発射角度ＡＯＤ、平均発射角度ＡＯＤ、ＡＯＤスプレッド、受信アンテナ空間相関パラメータ、送信ビーム、受信ビーム、およびリソース識別子のうち少なくとも１つであり得る。ビームは、プリコーディング、加重シーケンス番号およびビームシーケンス番号のうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、ＣＳＩ−ＲＳのリソース識別子、または、ＳＲＳのリソース識別子を含む。
【０１９０】
第８態様および前述の可能な実装に関連して、別の可能な実装において、受信ユニットは更に、基地局によって送信された、リソースグループを少なくとも１つのリソースサブグループに分割するためにＵＥによって使用される第２指示情報を受信し、第２指示情報に基づいてリソースグループを少なくとも１つのリソースサブグループに分割するよう構成される。
【０１９１】
第８態様および前述の可能な実装に関連して、別の可能な実装において、基地局が、ＵＥの能力に基づいて、ＵＥのためにリソースを設定することを可能にするべく、送信ユニットは更に、能力指示情報を基地局へ送信するよう構成され、能力指示情報は、ＵＥによって能力タイプ内においてサポートされるビームの最大数を含む、または、能力指示情報は、ＵＥによって能力タイプ内においてサポートされるビームの最大数の量子化値を含む。
【０１９２】
第８態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【０１９３】
第９態様によれば、本発明の実施形態は、能力報告方法を提供し、当該方法は、ＵＥが、能力タイプに基づいて能力指示情報を基地局へ送信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備える。
【０１９４】
本発明の本実施形態によって提供される能力報告方法において、ＵＥは、能力タイプに基づいて、ＵＥによって能力タイプ内においてサポートされるビームの最大数、または、ビームの最大数の量子化値を含む能力指示情報を基地局へ送信し、その結果、基地局は、ＵＥの能力指示情報に基づいて、第１リソースをＵＥに割り当てることができる。これにより、過剰なリソースをＵＥに割り当てることにより発生するリソースの無駄、または、不十分な第１リソースをＵＥに割り当てることにより発生する不完全なビーム探索の問題を回避する。
【０１９５】
第９態様に関連して、可能な実装において、能力タイプは、ビームマネジメントステージおよび／またはビームの任意選択範囲を含み、ビームはポートまたはプリコーディングである。能力タイプは事前定義され得る、または、基地局によって設定され得る。
【０１９６】
第１０態様によれば、本発明の実施形態は、能力報告方法を提供し、当該方法は、基地局が、ＵＥによって送信された能力指示情報を受信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備える。
【０１９７】
本発明の本実施形態によって提供される能力報告方法において、基地局は、ＵＥによって能力タイプ内においてサポートされるビームの最大数、または、ビームの最大数の量子化値を含む、ＵＥによって送信された能力指示情報を受信し、それにより、ＵＥの能力指示情報に基づいて、第１リソースをＵＥに割り当てる。これにより、過剰なリソースをＵＥに割り当てることにより発生するリソースの無駄、または、不十分な第１リソースをＵＥに割り当てることにより発生する不完全なビーム探索の問題を回避する。
【０１９８】
第１０態様に関連して、可能な実装において、能力タイプは、ビームマネジメントステージおよび／またはビームの任意選択範囲を含み、ビームはポートまたはプリコーディングである。能力タイプは事前定義され得る、または、基地局によって設定され得る。
【０１９９】
第１１態様によれば、本発明の実施形態は、ＵＥを提供し、当該ＵＥは、能力タイプに基づいて能力指示情報を基地局へ送信するよう構成される送信ユニットであって、能力指示情報はＵＥによって能力タイプ内においてサポートされるビームの最大数を含む、または、能力指示情報は、ＵＥによって能力タイプ内においてサポートされるビームの最大数の量子化値を含む、送信ユニットを備える。
【０２００】
第１１態様に関連して、可能な実装において、能力タイプは、ビームマネジメントステージおよび／またはビームの任意選択範囲を含み、ビームはポートまたはプリコーディングである。能力タイプは事前定義され得る、または、基地局によって設定され得る。
【０２０１】
第１２態様によれば、本発明の実施形態は基地局を提供し、当該基地局は、ＵＥによって送信された能力指示情報を受信するよう構成された受信ユニットであって、能力指示情報は、ＵＥによって能力タイプ内においてサポートされるビームの最大数を含む、または、能力指示情報は、ＵＥによって能力タイプ内においてサポートされるビームの最大数の量子化値を含む、受信ユニットを備える。
【０２０２】
第１２態様に関連して、可能な実装において、能力タイプは、ビームマネジメントステージおよび／またはビームの任意選択範囲を含み、ビームはポートまたはプリコーディングである。能力タイプは事前定義され得る、または、基地局によって設定され得る。
【０２０３】
第１３態様によれば、本発明の実施形態は、リソース指示方法を提供し、当該方法は、基地局が、指示情報をＵＥへ送信する段階であって、指示情報は、ビームの番号およびビームの番号に対応するリソースの識別子、または、リソースの番号およびリソースの番号に対応するリソースの識別子を含む、段階を備える。
【０２０４】
本発明の本実施形態によって提供されるリソース指示方法において、基地局は、ビームの番号およびビームの番号に対応するリソースの識別子を含む指示情報をＵＥへ送信する、または、基地局は、リソースの番号およびリソースの番号に対応するリソースの識別子を含む指示情報をＵＥへ送信し、その結果、ＵＥは、指示情報に基づいて、情報を送信するために必要なビーム、または、ビームの候補セットを決定し、決定されたビームを使用することによって情報を送信し、それにより、ビームフォーミングを実装する。基地局は、いくつかのリソース識別子のみに番号を付け得て、それにより、基地局がビームの番号またはリソースの番号を示すときのシグナリングオーバーヘッドが減少する。
【０２０５】
第１３態様に関連して、可能な実装において、ビームはポートであり得る、または、プリコーディングであり得る。
【０２０６】
第１３態様および前述の可能な実装に関連して、別の可能な実装において、リソースは、時間領域リソース、周波数領域リソース、符号領域リソースおよびアンテナポートのうち少なくとも１つを含み得る。
【０２０７】
第１４態様によれば、本発明の実施形態は、リソース指示方法を提供し、当該方法は、ＵＥが、基地局によって送信された指示情報を受信する段階であって、指示情報は、ビームの番号およびビームの番号に対応するリソースの識別子、または、リソースの番号およびリソースの番号に対応するリソースの識別子を含む、段階を備える。
【０２０８】
本発明の本実施形態によって提供されるリソース指示方法において、ＵＥは、基地局によって送信された指示情報を受信し、指示情報は、ビームの番号およびビームの番号に対応するリソースの識別子、または、リソースの番号およびリソースの番号に対応するリソースの識別子を含み、その結果、ＵＥは、指示情報に基づいて、情報を送信するために必要なビームまたはビームの候補セットを決定し、決定されたビームを使用することによって情報を送信でき、それにより、ビームフォーミングを実装する。基地局は、いくつかのリソース識別子のみに番号を付け得て、それにより、基地局がビームの番号またはリソースの番号を示すときのシグナリングオーバーヘッドが減少する。
【０２０９】
第１４態様に関連して、可能な実装において、ビームはポートであり得る、または、プリコーディングであり得る。
【０２１０】
第１４態様および前述の可能な実装に関連して、別の可能な実装において、リソースは、時間領域リソース、周波数領域リソース、符号領域リソースおよびアンテナポートのうち少なくとも１つを含み得る。
【０２１１】
第１５態様によれば、本発明の実施形態は基地局を提供し、当該基地局は、指示情報をＵＥへ送信するよう構成される送信ユニットであって、指示情報は、ビームの番号およびビームの番号に対応するリソースの識別子、または、リソースの番号およびリソースの番号に対応するリソースの識別子を含む、送信ユニットを備える。
【０２１２】
第１５態様に関連して、可能な実装において、ビームはポートであり得る、または、プリコーディングであり得る。
【０２１３】
第１５態様および前述の可能な実装に関連して、別の可能な実装において、リソースは、時間領域リソース、周波数領域リソース、符号領域リソースおよびアンテナポートのうち少なくとも１つを含み得る。
【０２１４】
第１６態様によれば、本発明の実施形態はＵＥを提供し、当該ＵＥは、基地局によって送信された指示情報を受信するよう構成される受信ユニットであって、指示情報は、ビームの番号およびビームの番号に対応するリソースの識別子、または、リソースの番号およびリソースの番号に対応するリソースの識別子を含む、受信ユニットを備える。
【０２１５】
第１６態様に関連して、可能な実装において、ビームはポートであり得る、または、プリコーディングであり得る。
【０２１６】
第１６態様および前述の可能な実装に関連して、別の可能な実装において、リソースは、時間領域リソース、周波数領域リソース、符号領域リソースおよびアンテナポートのうち少なくとも１つを含み得る。
【０２１７】
第１７態様によれば、本発明の実施形態は、プロセッサ、メモリおよび送受信機を含む基地局を提供し、メモリは、コンピュータ実行可能命令を記憶するよう構成され、基地局が動作するとき、プロセッサは、メモリに記憶されたコンピュータ実行可能命令を実行し、その結果、基地局は、第１態様、および、第１態様の可能な実装のいずれか１つにおける情報伝送方法を実行する、または、第２態様、および、第２態様の可能な実装のいずれか１つにおける情報伝送方法を実行する、または、第１０態様、または、第１０態様の可能な実装における能力報告方法を実行する、または、第１３態様、および、第１３態様の可能な実装のいずれか１つにおけるリソース指示伝送方法を実行する。
【０２１８】
第１８態様によれば、本発明の実施形態は、プロセッサ、メモリおよび送受信機を含むＵＥを提供し、メモリは、コンピュータ実行可能命令を記憶するよう構成され、ＵＥが動作するとき、プロセッサは、メモリに記憶されたコンピュータ実行可能命令を実行し、その結果、ＵＥは、第３態様、および、第３態様の可能な実装のいずれか１つにおける情報伝送方法を実行する、または、第４態様、および、第４態様の可能な実装のいずれか１つにおける情報伝送方法を実行する、または、第９態様、または、第９態様の可能な実装の能力報告方法を実行する、または、第１４態様、および、第１４態様の可能な実装のいずれか１つにおけるリソース指示伝送方法を実行する。
【０２１９】
第１９態様によれば、本発明の実施形態は、基地局が、ユーザ機器ＵＥのために少なくとも１つの第１リソースを設定する段階であって、第１リソースは、第１アンテナポート上で第１チャネルおよび／または信号を送信するためにＵＥによって使用される、段階と、
基地局が、第１指示情報をＵＥへ送信する段階であって、第１指示情報は、第１リソースと第２リソースとの間の対応関係を示すために使用される、段階と、
基地局が、第２アンテナポート上でＵＥによって送信された第２チャネルおよび／または信号を第２リソース上で受信し、基地局が、第１アンテナポート上でＵＥによって送信された第１チャネルおよび／または信号を受信する段階であって、疑似コロケーションＱＣＬ関係が第１アンテナポートと第２アンテナポートとの間に存在する、または、ＵＥによって第１チャネルおよび／または信号を送信するためのビームは、ＵＥによって第２チャネルおよび／または信号を送信するためのビームと同一である、段階、または、
基地局が、第２リソースおよび第３アンテナポート上で第３チャネルおよび／または信号をＵＥへ送信し、基地局が、第１アンテナポート上でＵＥによって送信された第１チャネルおよび／または信号を受信する段階であって、疑似コロケーションＱＣＬ関係が第１アンテナポートと第３アンテナポートとの間に存在する、または、ＵＥによって第１チャネルおよび／または信号を送信するためのビームは、ＵＥによって第３チャネルおよび／または信号を受信するためのビームに対応する、段階と
を備える情報伝送方法を提供する。
【０２２０】
第２０態様によれば、本発明の実施形態は、ユーザ機器ＵＥが、基地局によってＵＥのために設定される少なくとも１つの第１リソースを取得する段階であって、第１リソースは、第１アンテナポート上で第１チャネルおよび／または信号を送信するためにＵＥによって使用される、段階と、
ＵＥが、基地局によって送信された第１指示情報を受信する段階であって、第１指示情報は、第１リソースと第２リソースとの間の対応関係を示すために使用される、段階と、
ＵＥが、第２リソースおよび第２アンテナポート上で第２チャネルおよび／または信号を基地局へ送信し、ＵＥが、第１アンテナポート上で、第１チャネルおよび／または信号を基地局へ送信する段階であって、疑似コロケーションＱＣＬ関係が、第１アンテナポートと第２アンテナポートとの間に存在する、または、ＵＥによって第１チャネルおよび／または信号を送信するためのビームは、ＵＥによって第２チャネルおよび／または信号を送信するためのビームと同一である、段階、または、
ＵＥが、第２リソースおよび第３アンテナポート上で基地局によって送信された第３チャネルおよび／または信号を受信し、ＵＥが、第１アンテナポート上で、第１チャネルおよび／または信号を基地局へ送信する段階であって、疑似コロケーションＱＣＬ関係が第１アンテナポートと第３アンテナポートとの間に存在する、または、ＵＥによって第１チャネルおよび／または信号を送信するためのビームが、ＵＥによって第３チャネルおよび／または信号を受信するためのビームに対応する、段階と
を備える情報伝送方法を提供する。
【０２２１】
第２１態様によれば、本発明の実施形態は、設定ユニットと、送信ユニットと、受信ユニットとを備える基地局であって、
設定ユニットは、ユーザ機器ＵＥのために少なくとも１つの第１リソースを設定するよう構成され、第１リソースは、第１アンテナポート上で第１チャネルおよび／または信号を送信するためにＵＥによって使用され、
送信ユニットは、第１指示情報をＵＥへ送信するよう構成され、第１指示情報は、第１リソースと第２リソースとの間の対応関係を示すために使用され、
受信ユニットは、第２アンテナポート上でＵＥによって送信された第２チャネルおよび／または信号を第２リソース上で受信するよう構成され、受信ユニットは更に、第１アンテナポート上でＵＥによって送信された第１チャネルおよび／または信号を受信するよう構成され、疑似コロケーションＱＣＬ関係が第１アンテナポートと第２アンテナポートとの間に存在する、または、ＵＥによって第１チャネルおよび／または信号を送信するためのビームが、ＵＥによって第２チャネルおよび／または信号を送信するためのビームと同一である、または、
送信ユニットが、第２リソースおよび第３アンテナポート上で第３チャネルおよび／または信号をＵＥへ送信するよう構成され、受信ユニットは更に、第１アンテナポート上でＵＥによって送信された第１チャネルおよび／または信号を受信するよう構成され、疑似コロケーションＱＣＬ関係が、第１アンテナポートと第３アンテナポートとの間に存在する、または、ＵＥによって第１チャネルおよび／または信号を送信するためのビームが、ＵＥによって第３チャネルおよび／または信号を受信するためのビームに対応する、
基地局を提供する。
【０２２２】
第２２態様によれば、本発明の実施形態は、取得ユニット、受信ユニットおよび送信ユニットを備えるユーザ機器ＵＥであって、
取得ユニットは、基地局によってＵＥのために設定された少なくとも１つの第１リソースを取得するよう構成され、第１リソースは、第１アンテナポート上で第１チャネルおよび／または信号を送信するためにＵＥによって使用され、
受信ユニットは、基地局によって送信された第１指示情報を受信するよう構成され、第１指示情報は、第１リソースと第２リソースとの間の対応関係を示すために使用され、
送信ユニットは、第２リソースおよび第２アンテナポート上で第２チャネルおよび／または信号を基地局へ送信するよう構成され、送信ユニットは更に、第１アンテナポート上で第１チャネルおよび／または信号を基地局へ送信するよう構成され、疑似コロケーションＱＣＬ関係が第１アンテナポートと第２アンテナポートとの間に存在する、または、送信ユニットによって第１チャネルおよび／または信号を送信するためのビームは、送信ユニットによって第２チャネルおよび／または信号を送信するためのビームと同一である、または、
受信ユニットは、第２リソースおよび第３アンテナポート上で基地局によって送信された第３チャネルおよび／または信号を受信するよう構成され、送信ユニットは、第１アンテナポート上で第１チャネルおよび／または信号を基地局へ送信するよう構成され、疑似コロケーションＱＣＬ関係が、第１アンテナポートと第３アンテナポートとの間に存在する、または、送信ユニットによって第１チャネルおよび／または信号を送信するためのビームは、受信ユニットによって第３チャネルおよび／または信号を受信するためのビームに対応する、
ＵＥを提供する。
【０２２３】
第２３態様によれば、本発明の実施形態は、前述の基地局によって使用されるコンピュータソフトウェア命令を記憶するよう構成されるコンピュータ記憶媒体を提供し、コンピュータソフトウェア命令は、前述の情報伝送方法、能力報告方法、または、リソース指示方法を実行するために使用されるプログラムを含む。
【０２２４】
第２４態様によれば、本発明の実施形態は、前述のＵＥによって使用されるコンピュータソフトウェア命令を記憶するよう構成されるコンピュータ記憶媒体を提供し、コンピュータソフトウェア命令は、前述の情報伝送方法、能力報告方法、または、リソース指示方法を実行するために使用されるプログラムを含む。
【図面の簡単な説明】
【０２２５】
【図１】本発明の実施形態に係る、本発明の実施形態が適用され得る通信システムの簡略化された概略図である。
【０２２６】
【図２】本発明の実施形態に係る基地局の概略構造図である。
【０２２７】
【図３】本発明の一実施形態に係るＵＥの概略構造図である。
【０２２８】
【図４】本発明の一実施形態に係る情報伝送方法のフローチャートである。
【０２２９】
【図５】本発明の一実施形態に係る別の情報伝送方法のフローチャートである。
【０２３０】
【図５−１】本発明の実施形態に係る、リソースとタイムスロットとの間の関係の概略図である。
【０２３１】
【図５−２】本発明の実施形態に係る、リソースとタイムスロットとの間の別の関係の概略図である。
【０２３２】
【図５−３】本発明の実施形態に係る、リソースとタイムスロットとの間の別の関係の概略図である。
【０２３３】
【図５−４】本発明の実施形態に係る、リソースとタイムスロットとの間の別の関係の概略図である。
【０２３４】
【図５−５】本発明の実施形態に係る、リソースとタイムスロットとの間の別の関係の概略図である。
【０２３５】
【図５−６】本発明の実施形態に係る、リソースとタイムスロットとの間の別の関係の概略図である。
【０２３６】
【図６】本発明の一実施形態に係る別の情報伝送方法のフローチャートである。
【０２３７】
【図７】本発明の一実施形態に係るＵＥのビーム能力を示すための概略図である。
【０２３８】
【図８】本発明の一実施形態に係る別の情報伝送方法のフローチャートである。
【０２３９】
【図９】本発明の実施形態に係る能力報告方法のフローチャートである。
【０２４０】
【図１０】本発明の実施形態に係るリソース指示方法のフローチャートである。
【０２４１】
【図１１】本発明の実施形態に係るリソースとビームとの間の対応関係の概略図である。
【０２４２】
【図１２】本発明の一実施形態による別の基地局の概略構造図である。
【０２４３】
【図１３】本発明の一実施形態による別の基地局の概略構造図である。
【０２４４】
【図１４】本発明の一実施形態に係る別のＵＥの概略構造図である。
【０２４５】
【図１５】本発明の一実施形態に係る別のＵＥの概略構造図である。
【発明を実施するための形態】
【０２４６】
ＳＲＳに対するビームフォーミングを実装するべく、本発明の実施形態は情報伝送方法を提供する。当該方法の基本原理は以下の通りである。基地局がＵＥのために少なくとも１つの第１リソースを設定し、第１リソースは目標チャネルおよび／または信号を送信するためにＵＥによって使用され、基地局は、第１リソースとビームとの間の対応関係を示すために使用される、または、第１リソースと第２リソースとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０２４７】
ビームは、ポート、プリコーディングマトリックスおよび空間特性パラメータのうち少なくとも１つを使用することによって識別され得て、または、ビームは、空間フィルタ（ｓｐａｔｉａｌ  ｆｉｌｔｅｒｉｎｇ）であり得る。
【０２４８】
任意選択で、ビームは、空間リソースとしても理解され得て、エネルギー伝送方向を有する送信または受信プリコーディングベクトルであり得る。加えて、送信または受信プリコーディングベクトルは、インデックス情報を使用することによって識別されることができる。エネルギー伝送方向は、空間位置において受信された、プリコーディングベクトルを使用することによってプリコーディング処理を受けた信号が、比較的良好な受信電力を有すること、例えば、受信復調信号対雑音比を満たすことを示し得る。また、エネルギー伝送方向は、異なる空間位置から送信された、プリコーディングベクトルを使用することによって受信された同じ信号が、異なる受信電力を有することを示し得る。
【０２４９】
任意選択で、同一の通信デバイス（端末デバイスまたはネットワークデバイスなど）は、異なるプリコーディングベクトルを有し得て、異なるデバイスはまた、異なるビームに対応する異なるプリコーディングベクトルを有し得る。
【０２５０】
通信デバイスの設定または能力に関して、通信デバイスは、異なるプリコーディングベクトルのうち１または複数を同時に使用し得る。言い換えれば、１または複数のビームは同時に形成され得る。ビーム情報はインデックス情報を使用することによって識別され得る。任意選択で、インデックス情報は、ＵＥのために設定されたリソース識別子（ｉｄｅｎｔｉｔｙ、ＩＤ）に対応し得る。例えば、インデックス情報は、チャネル状態情報参照信号（Ｃｈａｎｎｅｌ  ｓｔａｔｕｓ  ｉｎｆｏｒｍａｔｉｏｎ  Ｒｅｆｅｒｅｎｃｅ  Ｓｉｇｎａｌ、ＣＳＩ−ＲＳ）の設定されたＩＤまたはリソースに対応し得る、または、アップリンクサウンディング参照信号（Ｓｏｕｎｄｉｎｇ  Ｒｅｆｅｒｅｎｃｅ  Ｓｉｇｎａｌ、ＳＲＳ）の設定されたＩＤまたはリソースに対応し得る。代替的に、任意選択で、インデックス情報は、ビーム上で搬送される信号またはチャネルによって明示的または黙示的に搬送されるインデックス情報であり得る。例えば、インデックス情報は、ビームを使用することによって送信される同期信号またはブロードキャストチャネルによって示されるビームのインデックス情報であり得る。
【０２５１】
ビーム対は、送信側の送信ビーム、および、受信側の受信ビームを含み得て、アップリンクビームまたはダウンリンクビームとも称される。例えば、ビーム対は、基地局の送信ビームもしくはＵＥの受信ビーム、または、ＵＥの送信ビームもしくは基地局の受信ビームを含み得る。
【０２５２】
本発明の本実施形態における目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、および、アップリンク位相トラッキング参照信号のうち少なくとも１つを含み得る。サウンディング参照信号は、チャネル品質情報を取得するために使用される、および／または、ビームマネジメントのために使用される。ＰＲＡＣＨは、アップリンクアクセスに使用される。ＰＵＳＣＨは、少なくともアップリンクデータ伝送に使用される。ＰＵＣＣＨは、少なくともアップリンク制御情報伝送に使用される。アップリンク復調参照信号は、アップリンクチャネルの復調に使用される。アップリンクトラッキング信号、アップリンク発見信号、アップリンクビーム参照信号およびアップリンクモビリティ参照信号は、ビームマネジメントおよび／または無線リソース管理（Ｒａｄｉｏ  Ｒｅｓｏｕｒｃｅ  Ｍａｎａｇｅｍｅｎｔ、ＲＲＭ）測定に使用される。アップリンク位相トラッキング参照信号は位相トラッキングに使用される。
【０２５３】
本発明の本実施形態における疑似コロケーション（ｑｕａｓｉ  ｃｏ−ｌｏｃａｔｅｄ、ＱＣＬ）関係は以下の意味を有し得る。
【０２５４】
ＱＣＬ関係が存在するということは、同一のアンテナポートパラメータを有することを意味する。または、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、到着角度（Ａｎｇｌｅ  ｏｆ  ａｒｒｉｖａｌ、ＡＯＡ）、平均ＡＯＡ、ＡＯＡスプレッド、発射角度（Ａｎｇｌｅ  ｏｆ  Ｄｅｐａｒｔｕｒｅ、ＡＯＤ）、平均発射角度ＡＯＤ、ＡＯＤスプレッド、受信アンテナ空間相関パラメータ、送信アンテナ空間相関パラメータ、送信ビーム、受信ビーム、リソース識別子、送信側電力方位角スペクトル（ＰＡＳ、Ｐｏｗｅｒ  Ａｚｉｍｕｔｈ  Ｓｐｅｃｔｒｕｍ）、受信側ＰＡＳおよびＰＡＳのうち少なくとも１つであり得る。ビームは、プリコーディング、加重シーケンス番号、ビームシーケンス番号および空間フィルタのうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）のリソース識別子、または、リソース上のビームを示すために使用されるＳＲＳのリソース識別子、または、同期信号もしくは同期信号ブロックのリソース識別子、または、ＰＲＡＣＨ上で送信されるプリアンブルシーケンスのリソース識別子、または、リソース上のビームを示すために使用されるＤＭＲＳのリソース識別子を含む。例えば、ダウンリンク信号のためのポートと、ダウンリンク信号のための別のポートとの間、または、アップリンク信号のためのポートと、アップリンク信号のための別のポートとの間の空間ＱＣＬ関係は、２つの信号が同一のＡＯＡまたはＡＯＤを有し得ることであり得て、２つの信号が同一の受信ビームまたは送信ビームを有することを示すために使用される。別の例として、ダウンリンク信号とアップリンク信号との間、または、アップリンク信号のためのポートと、ダウンリンク信号のためのポートとの間のＱＣＬ関係は、２つの信号のうち一方の信号のＡＯＡと、他方の信号とのＡＯＤとの間に対応関係が存在すること、または、２つの信号���うち一方の信号のＡＯＤと、他方の信号のＡＯＡとの間に対応関係が存在することであり得る。言い換えれば、ビーム対応関係を使用することによって、アップリンク送信ビームは、ダウンリンク受信ビームに基づいて決定され得る、または、ダウンリンク受信ビームは、アップリンク送信ビームに基づいて決定され得る。
【０２５５】
ＱＣＬ関係を有するポート上で送信された信号はまた、対応するビームを有するものとして理解され得て、対応するビームは、同一の受信ビーム、同一の送信ビーム、受信ビームに対応する送信ビーム（レシプロシティシナリオに対応する）、送信ビームに対応する受信ビーム（レシプロシティシナリオに対応する）のうち少なくとも１つを含む。
【０２５６】
ＱＣＬ関係を有するポート上で送信された信号はまた、同一の空間フィルタ（ｓｐａｔｉａｌ  ｆｉｌｔｅｒ）を使用することによって受信または送信された信号として理解され得る。空間フィルタは、プリコーディング、アンテナポートの加重、アンテナポートの位相偏向、および、アンテナポートの振幅利得のうち少なくとも１つであり得る。
【０２５７】
ＱＣＬ関係を有するポート上で送信される信号はまた、対応するビーム対リンク（ＢＰＬ、ｂｅａｍ  ｐａｉｒ  ｌｉｎｋ）を有するものとして理解され得て、対応するＢＰＬは、同一のダウンリンクＢＰＬ、同一のアップリンクＢＰＬ、ダウンリンクＢＰＬに対応するアップリンクＢＰＬ、および、アップリンクＢＰＬに対応するダウンリンクＢＰＬのうち少なくとも１つを含む。
【０２５８】
任意選択で、ＱＣＬ関係は、技術的本質を変更することなく別の名前を有し得て、例えば、空間ＱＣＬ関係またはレシプロシティＱＣＬ関係とも称され得る。
【０２５９】
本発明の本実施形態における第１リソースは、時間領域リソース、周波数領域リソース、符号領域リソースおよびアンテナポートのうち少なくとも１つを含み得る。
【０２６０】
本発明の本実施形態における第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含み得る、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。
【０２６１】
任意選択で、本発明の本実施形態における第２リソースは、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、主同期信号、副同期信号、同期信号ブロック、物理ブロードキャストチャネルの復調参照信号、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、物理ダウンリンク制御チャネルの復調参照信号、および、物理ダウンリンク共有チャネルの復調参照信号のうち少なくとも１つのチャネルおよび／または信号を送信するために使用されるリソースであり得る。任意選択で、物理ダウンリンク制御チャネルは、制御リソースセット（ＣＯＲＥＳＥＴ、ｃｏｎｔｒｏｌ  ｒｅｓｏｕｒｃｅ  ｓｅｔ）であり得る、または、ランダムアクセス応答またはシステム情報の制御情報を搬送する物理ダウンリンク制御チャネルであり得る。任意選択で、物理ダウンリンク共有チャネルは、システム情報を搬送する物理ダウンリンク共有チャネルであり得る。
【０２６２】
以下では、本発明の実施形態を、添付図面を参照して詳細に説明する。
【０２６３】
図１は、本発明の実施形態が適用され得る通信システムの簡略化された概略図である。図１に示されるように、通信システムは基地局１１およびＵＥ１２を含み得る。
【０２６４】
通信システムは、ＬＴＥシステム、ＬＴＥシステムから進化した将来のシステム、ワイヤレス・フィディリティ（Ｗｉｒｅｌｅｓｓ  Ｆｉｄｅｌｉｔｙ、Ｗｉ−Ｆｉ）システム、マイクロ波アクセスのためのワールドワイドインターオペラビリティ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）システム、３ＧＰＰ関連セルラシステム、または同様のものであり得る。
【０２６５】
基地局１１は、無線通信基地局（Ｂａｓｅ  Ｓｔａｔｉｏｎ、ＢＳ）、基地局コントローラ、伝送受信ポイント（Ｔｒａｎｓｍｉｓｓｉｏｎ  Ｒｅｃｅｐｔｉｏｎ  ｐｏｉｎｔ、ＴＲＰ）、ｇＮＢ、または同様のものであり得る。基地局１１は、無線アクセスネットワークにデプロイされてＵＥ１２のための無線通信機能を提供する機器である。基地局１１の主な機能は、無線リソース管理を実行すること、インターネットプロトコル（Ｉｎｔｅｒｎｅｔ  Ｐｒｏｔｏｃｏｌ、ＩＰ）ヘッダを圧縮すること、ユーザ機器のデータストリームを暗号化すること、ＵＥ１２がアタッチされたときモビリティマネジメントエンティティ（Ｍｏｂｉｌｅ  Ｍａｎａｇｅｍｅｎｔ  Ｅｎｔｉｔｙ、ＭＭＥ）を選択すること、ユースプレーンデータをサービングゲートウェイ（Ｓｅｒｖｉｃｅ  Ｇａｔｅｗａｙ、ＳＧＷ）へルーティングすること、ページングメッセージを編成および送信すること、ブロードキャストメッセージを編成および送信すること、モビリティまたはスケジューリングの目的で測定および測定報告設定を実行することなどである。基地局１１は、さまざまな形態のマクロ基地局、ミクロ基地局、中継局、アクセスポイントなどを含み得る。異なる無線アクセス技術を使用するシステムにおいて、基地局の機能を有するデバイスの名称は異なり得る。例えば、そのようなデバイスは、ＬＴＥシステムにおいて進化型ノードＢ（ｅｖｏｌｖｅｄ  ＮｏｄｅＢ、ｅＮＢ  ｏｒ  ｅＮｏｄｅＢ）と称され、または、第３世代遠隔通信（Ｔｈｅ  ３ｒｄ  Ｇｅｎｅｒａｔｉｏｎ  Ｔｅｌｅｃｏｍｍｕｎｉｃａｔｉｏｎｓ、３Ｇ）システムにおいてノードＢ（Ｎｏｄｅ  Ｂ）と称されるなどである。通信技術の進化に伴い、「基地局」という名称は変化し得る。加えて、別の可能な場合において、基地局１１は、無線通信機能をＵＥ１２に提供する別の機器であり得る。説明を簡単にするべく、本発明の本実施形態において、無線通信機能をＵＥ１２に提供する機器は、基地局１１と称される。
【０２６６】
ＵＥ１２は、無線通信機能を有する様々なハンドヘルドデバイス（携帯電話、インテリジェント端末、マルチメディアデバイスまたはメディアストリーミングデバイスなど）、車載デバイス、ウェアラブルデバイス、コンピューティングデバイス、または、無線モデムに接続された別の処理デバイス、さまざまな形態の移動局（Ｍｏｂｉｌｅ  Ｓｔａｔｉｏｎ、ＭＳ）または端末デバイス（ｔｅｒｍｉｎａｌ  ｄｅｖｉｃｅ）などを含み得る。説明を簡単にするべく、前述のデバイスはＵＥ１２と総称される。
【０２６７】
図２は本発明の実施形態に係る基地局の概略構造図である。図２に示すように、基地局はプロセッサ２１、メモリ２２および送受信機２３を含み得る。
【０２６８】
以下では、基地局の各コンポーネントを図２を参照して詳細に説明する。
【０２６９】
プロセッサ２１は、１つのプロセッサであり得る、または、複数の処理要素の総称であり得る。例えば、プロセッサ２１は、汎用中央演算処理装置（Ｃｅｎｔｒａｌ  Ｐｒｏｃｅｓｓｉｎｇ  Ｕｎｉｔ、ＣＰＵ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、または、本発明の解決法におけるプログラム実行を制御するための１または複数の集積回路、例えば、１または複数のマイクロプロセッサ（Ｄｉｇｉｔａｌ  Ｓｉｇｎａｌ  Ｐｒｏｃｅｓｓｏｒ、ＤＳＰ）、または、１または複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）であり得る。プロセッサ２１は、メモリ２２に記憶されたソフトウェアプログラムを動作させる、または、実行すること、および、メモリ２２に記憶されたデータを呼び出すことによって、端末の様々な機能を実行し得る。
【０２７０】
特定の実装では、実施形態において、プロセッサ２１は１または複数のＣＰＵを含み得る。例えば、図２に示されるように、プロセッサ２１はＣＰＵ０およびＣＰＵ１を含む。
【０２７１】
特定の実装では、実施形態において、基地局は複数のプロセッサを含み得る。例えば、図２に示されるように、基地局は、プロセッサ２１およびプロセッサ２５を含む。プロセッサの各々は、シングルＣＰＵ（ｓｉｎｇｌｅ−ＣＰＵ）プロセッサであり得る、または、マルチＣＰＵ（ｍｕｌｔｉ−ＣＰＵ）プロセッサであり得る。本明細書のプロセッサは、データ（例えばコンピュータプログラム命令）を処理するために使用される１または複数のデバイス、回路、および／または、プロセッシングコアであり得る。
【０２７２】
メモリ２２は、リードオンリメモリ（Ｒｅａｄ−Ｏｎｌｙ  Ｍｅｍｏｒｙ、ＲＯＭ）、または、静的な情報および命令を記憶可能な別のタイプの静的ストレージデバイス、ランダムアクセスメモリ（Ｒａｎｄｏｍ  Ａｃｃｅｓｓ  Ｍｅｍｏｒｙ、ＲＡＭ）、または、情報および命令を記憶可能な別のタイプの動的ストレージデバイスであり得る、または、電気的消去可能プログラマブルリードオンリーメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または他のコンパクトディスクストレージまたは光ディスクストレージ（圧縮光ディスク、レーザディスク、光ディスク、デジタルバーサタイルディスク、Ｂｌｕｅ−ｒａｙ光ディスクなどを含む）、磁気ディスク記憶媒体、または、別の磁気ストレージデバイス、または、命令もしくはデータ構造の形態で所望のプログラムコードを保持または記憶可能で、コンピュータからアクセス可能な任意の他の媒体であり得るが、これらに限定されるものではない。メモリは独立して存在し得て、バスを使用することによってプロセッサに接続される。メモリはまた、プロセッサと統合され得る。
【０２７３】
メモリ２２は、本発明の解決法を実行するために使用されるアプリケーションプログラムコードを記憶するよう構成され、アプリケーションプログラムコードは、プロセッサ２１の制御下で実行される。プロセッサ２１は、メモリ２２に記憶されたアプリケーションプログラムコードを実行するよう構成される。
【０２７４】
送受信機２３は、イーサネット（登録商標）、無線アクセスネットワーク（Ｒａｄｉｏ  Ａｃｃｅｓｓ  Ｎｅｔｗｏｒｋ、ＲＡＮ）、または、無線ローカルエリアネットワーク（Ｗｉｒｅｌｅｓｓ  Ｌｏｃａｌ  Ａｒｅａ  Ｎｅｔｗｏｒｋ、ＷＬＡＮ）など、別のデバイスまたは通信ネットワークと通信するよう構成される。本発明の本実施形態において、送受信機２３は、ベースバンドプロセッサの一部または全部を含み得て、任意選択で、無線周波数（Ｒａｄｉｏ  Ｆｒｅｑｕｅｎｃｙ、ＲＦ）プロセッサを更に含み得る。ＲＦプロセッサはＲＦ信号を送信および受信するよう構成される。ベースバンドプロセッサは、ＲＦ信号から変換されたベースバンド信号の処理、または、ＲＦ信号に変換される予定のベースバンド信号の処理を実装するよう構成される。
【０２７５】
図３は、本発明の一実施形態に係るＵＥの概略構造図である。図３に示されるように、ＵＥは、プロセッサ３１、メモリ３２および送受信機３３を含み得る。
【０２７６】
以下では、ＵＥの各コンポーネントを、図３を参照して詳細に説明する。
【０２７７】
プロセッサ３１は、１つのプロセッサであり得る、または、複数の処理要素の総称であり得る。例えば、プロセッサ３１は、本発明の解決法において実行されるプログラムを制御するための汎用ＣＰＵ、ＡＳＩＣ、または１または複数の集積回路、例えば、１または複数のＤＳＰ、または、１または複数のＦＰＧＡであり得る。プロセッサ３１は、メモリ３２に記憶されたソフトウェアプログラムを動作させる、または、実行すること、および、メモリ３２に記憶されたデータを呼び出すことによって、端末の様々な機能を実行し得る。
【０２７８】
特定の実装では、実施形態において、プロセッサ３１は１または複数のＣＰＵを含み得る。例えば、図３に示すように、プロセッサ３１はＣＰＵ０およびＣＰＵ１を含む。
【０２７９】
特定の実装では、実施形態において、ＵＥは複数のプロセッサを含み得る。例えば、図３に示されるように、ＵＥは、プロセッサ３１およびプロセッサ３５を含む。プロセッサの各々はシングルＣＰＵプロセッサであり得る、または、マルチＣＰＵプロセッサであり得る。本明細書のプロセッサは、データ（例えばコンピュータプログラム命令）を処理するために使用される１または複数のデバイス、回路、および／または、プロセッシングコアであり得る。
【０２８０】
メモリ３２は、ＲＯＭ、または、静的な情報および命令を記憶可能な別のタイプの静的ストレージデバイス、または、ＲＡＭ、または、情報および命令を記憶可能な別のタイプの動的ストレージデバイスであり得る、または、ＥＥＰＲＯＭ、ＣＤ−ＲＯＭ、または、他のコンパクトディスクストレージまたは光ディスクストレージ（圧縮光ディスク、レーザディスク、光ディスク、デジタルバーサタイルディスク、Ｂｌｕ−ｒａｙ（登録商標）ディスクなどを含む）、磁気ディスク記憶媒体、または別の磁気ストレージデバイス、または、命令もしくはデータ構造の形態で所望のプログラムコードを保持もしくは記憶可能で、コンピュータからアクセス可能な任意の他の媒体であり得るが、これらに限定されるものではない。メモリは独立して存在し得て、バスを使用することによってプロセッサに接続される。メモリはまた、プロセッサと統合され得る。
【０２８１】
送受信機３３は、別のデバイスまたは通信ネットワーク、例えばイーサネット（登録商標）、ＲＡＮまたはＷＬＡＮなどと通信するよう構成される。送受信機３３は、受信機能を実装するための受信ユニット、および、送信機能を実装するための送信ユニットを含み得る。
【０２８２】
図３に示されるデバイスの構造は、ＵＥに対する限定を設定するものではない。含まれるコンポーネントの数は、図に示されるものより大きくてよく、または、より小さくてよく、または、いくつかのコンポーネントは組み合わされる、または、コンポーネントの配置は異なる。示されてはいないが、ＵＥは、バッテリ、カメラ、Ｂｌｕｅｔｏｏｔｈ（登録商標）モジュール、ＧＰＳモジュールおよびディスプレイなどを更に含み得る。ここでは詳細を説明しない。
【０２８３】
図４は、本発明の一実施形態に係る情報伝送方法のフローチャートである。図４に示すように、当該方法は以下の段階を備え得る。
【０２８４】
４０１．基地局がＵＥのために少なくとも１つの第１リソースを設定する。
【０２８５】
第１リソースは、目標チャネルおよび／または信号を送信するためにＵＥによって使用される。目標チャネルおよび／または信号（例えばＳＲＳ）に対するビームフォーミングを実装するために、基地局は、ＵＥが目標チャネルおよび／または信号を送信するための少なくとも１つの第１リソース（例えば、時間領域リソース、周波数領域リソース、符号領域リソースおよびアンテナポートのうち１または複数）を設定し得る。
【０２８６】
少なくとも１つの第１リソースはリソースグループを形成し、リソースグループは少なくとも１つのリソースサブグループを含み得る。
【０２８７】
任意選択で、同一のリソースサブグループにおけるすべての第１リソースは、同一の周波数領域リソース、または、同一の符号領域リソースであり得る。
【０２８８】
更に、任意選択で、基地局は更に、特定のリソースグループ使用方式をＵＥのために設定し得る。例えば、ＵＥのために設定された特定のリソースグループ使用方式は、設定されたリソースグループを周期的に使用して目標チャネルおよび／または信号を送信する、または、設定されたリソースグループを周期的に使用して目標チャネルおよび／または信号を送信する代わりに、基地局によって送信されたＤＣＩを受信した後に、設定されたリソースグループを使用して目標チャネルおよび／または信号を送信する、または、設定されたリソースグループを半永久的（ｓｅｍｉ−ｐｅｒｓｉｓｔｅｎｔ）に使用して目標チャネルおよび／または信号を送信することであり得る。言い換えれば、アクティブ化（ａｃｔｉｖａｔｅ）は、ＤＣＩまたはＭＡＣ  ＣＥを使用することによってトリガされ得て、非アクティブ化（ｄｅａｃｔｉｖａｔｅ）は、ＤＣＩまたはＭＡＣ  ＣＥを使用することによってトリガされ得る。または、アクティブ化（ａｃｔｉｖａｔｅ）は、ＤＣＩまたはＭＡＣ  ＣＥを使用することによってトリガされ得て、非アクティブ化は、一定期間後にトリガされ、一定期間は、（基地局によって設定されることなく、または、ローカルに予め記憶される、もしくは、事前設定されることなく）プロトコルによって規定され得る、または、基地局によって設定され得る。または、アクティブ化は、設定情報が受信されたとき、一定期間後にトリガされ得て、非アクティブ化は、ＤＣＩまたはＭＡＣ  ＣＥを使用することによってトリガされる、または、非アクティブ化は、一定期間後にトリガされ、設定情報の受信とアクティブ化との間の一定期間は、（基地局によって設定されることなく、または、ローカルに予め記憶される、もしくは事前設定されることなく）プロトコルによって規定され得る、または、基地局によって設定され得て、アクティブ化と非アクティブ化との間の一定期間もまた、（基地局によって設定されることなく、または、ローカルに予め記憶される、もしくは事前設定されることなく）プロトコルによって規定され得る、または、基地局によって設定され得る。
【０２８９】
更に、任意選択で、基地局は更に、設定されたリソースグループのグループ化方式をＵＥに示し得て、すなわち、設定されたリソースグループを少なくとも１つのリソースサブグループに分割するグループ化方式をＵＥに示す。
【０２９０】
４０２．ＵＥが、基地局によってＵＥのために設定された少なくとも１つの第１リソースを取得する。
【０２９１】
４０３．基地局が第１指示情報をＵＥへ送信し、第１指示情報は、第１リソースとビームとの間の対応関係を示すために使用される。
【０２９２】
ビームは、アップリンク送信ビーム、ダウンリンク受信ビーム、ダウンリンク送信ビームまたはアップリンク受信ビームである。基地局によってＵＥのために設定されたリソースグループに基づいて、基地局は、リソースグループに含まれる第１リソースとビームとの間の対応関係を示すために使用される第１指示情報をＵＥに送信し得る。
【０２９３】
４０４．ＵＥが、基地局によって送信された第１指示情報を受信する。
【０２９４】
４０５．ＵＥが、第１リソースおよび第１指示情報に基づいてアップリンク送信ビームを決定する。
【０２９５】
ＵＥが、基地局によって送信された第１指示情報を受信した後に、ＵＥが、第１指示情報に含まれる対応関係、および、設定されたリソースグループに含まれる第１リソースに基づいて、目標チャネルおよび／または信号を送信するために必要なビーム、すなわちアップリンク送信ビームを決定し得る。
【０２９６】
例えば、対応関係におけるビームがアップリンク送信ビームであるとき、ＵＥは、第１リソースに対応するビームをアップリンク送信ビームとして直接決定し得る。対応関係におけるビームがダウンリンク受信ビームであるとき、ＵＥはまず、第１リソースに対応するダウンリンク受信ビームを取得してから、アップリンクビームとダウンリンクビームとの間の対応関係を使用することによって、ダウンリンク受信ビームに基づいて、アップリンク送信ビームを決定し得る、または、ビームがダウンリンク送信ビームであるとき、ＵＥはまず、第１リソース、および、第１リソースとビームとの間の対応関係に基づいて、ダウンリンク送信ビームを決定してから、アップリンクビームとダウンリンクビームとの間の対応関係を使用することによって、ダウンリンク送信ビームに基づいて、ダウンリンク受信ビームを決定し、最後に、アップリンクビームとダウンリンクビームとの間の対応関係を使用することによって、ダウンリンク受信ビームに基づいて、アップリンク送信ビームを決定し得る。
【０２９７】
４０６．ＵＥが、第１リソースおよびアップリンク送信ビーム上で、目標チャネルおよび／または信号を送信する。
【０２９８】
ＵＥがアップリンク送信ビームを決定した後に、ＵＥは、第１リソースおよび決定されたアップリンク送信ビーム上で目標チャネルおよび／または信号を送信し得て、それにより、目標チャネルおよび／または信号に対するビームフォーミングを実装する。
【０２９９】
本発明の本実施形態によって提供される情報伝送方法において、基地局は、目標チャネルおよび／または信号を送信するために使用される少なくとも１つの第１リソースをＵＥのために設定し、第１リソースとビームとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０３００】
図５は、本発明の一実施形態に係る別の情報伝送方法のフローチャートである。図５に示されるように、当該方法は以下の段階を備え得る。
【０３０１】
５０１．基地局がＵＥのために少なくとも１つの第１リソースを設定する。
【０３０２】
第１リソースは、目標チャネルおよび／または信号を送信するためにＵＥによって使用される、または、第１リソースは、目標チャネルおよび／または信号を受信するためにＵＥによって使用される。
【０３０３】
目標チャネルおよび／または信号（例えばＳＲＳ）に対するビームフォーミングを実装するために、基地局は、ＵＥが目標チャネルおよび／または信号を送信するためのうち少なくとも１つの第１リソース（例えば、時間領域リソース、周波数領域リソース、符号領域リソースおよびアンテナポートのうち１または複数）を設定し得る。
【０３０４】
少なくとも１つの第１リソースはリソースグループを形成し、リソースグループは少なくとも１つのリソースサブグループを含み得る。
【０３０５】
任意選択で、同一のリソースサブグループにおけるすべての第１リソースは、同一の周波数領域リソース、または、同一の符号領域リソースであり得る。
【０３０６】
任意選択で、基地局は、リソースグループ使用方式をＵＥのために更に設定し得る。例えば、使用方式は、設定されたリソースグループを周期的に使用して、目標チャネルおよび／または信号を送信すること、または、設定されたリソースグループを周期的に使用して、目標チャネルおよび／または信号を送信する代わりに、基地局によって送信されたＤＣＩを受信後、設定されたリソースグループを使用して、目標チャネルおよび／または信号を送信すること、または、設定されたリソースグループを半永久的（ｓｅｍｉ−ｐｅｒｓｉｓｔｅｎｔ）に使用して目標チャネルおよび／または信号を送信すること、すなわち、基地局によって送信されたＤＣＩまたはＭＡＣ  ＣＥを受信後、設定されたリソースグループを周期的に使用して、目標チャネルおよび／または信号を送信し、基地局によって送信された新しいＤＣＩまたは新しいＭＡＣ  ＣＥを受信後に伝送を停止することであり得る。
【０３０７】
任意選択で、基地局は更に、設定されたリソースグループのグループ化方式をＵＥに示し得て、すなわち、設定されたリソースグループを少なくとも１つのリソースサブグループに分割するグループ化方式をＵＥに示す。
【０３０８】
５０２．ＵＥが、基地局によってＵＥのために設定される少なくとも１つの第１リソースを取得する。
【０３０９】
基地局は、シグナリングによって第１リソースをＵＥに通知し得る。
【０３１０】
５０３．基地局が第１指示情報をＵＥへ送信し、第１指示情報は、第１リソースと第２リソースとの間の対応関係を示すために使用される。
【０３１１】
ＵＥが目標チャネルおよび／または信号を基地局へ送信する前に、ＵＥは、第２リソースおよび第２リソースに対応するビームを使用することによって、他の情報を基地局へ送信する、または、ＵＥが目標チャネルおよび／または信号を基地局へ送信する前に、基地局は、第２リソースおよび第２リソースに対応するビームを使用することによって、他の情報をＵＥへ送信する。言い換えれば、第２リソースとビームとの間の対応関係は知られており、これに基づいて、基地局は、第１リソースと第２リソースとの間の対応関係を示すために使用される第１指示情報をＵＥへ送信し得て、その結果、ＵＥは、第１指示情報に基づいて、目標チャネルおよび／または信号を送信するためのビームを決定する、または、第１リソース上で目標チャネルおよび／または信号を受信するために基地局によって使用されるビームを決定する。
【０３１２】
ＵＥが目標チャネルおよび／または信号を送信するときにビームフォーミングを実装できるようにするべく、基地局は、第１指示情報を使用することによって、ＵＥのために設定されたリソースグループにおける第１リソースと、第２リソースとの間の対応関係をＵＥに示す。第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含む、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含む。任意選択で、本発明の本実施形態における第２リソースは、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、主同期信号、副同期信号、同期信号ブロック、物理ブロードキャストチャネルの復調参照信号、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、および、物理ダウンリンク制御チャネルの復調参照信号、および、物理ダウンリンク共有チャネルの復調参照信号のうち少なくとも１つのチャネルおよび／または信号を送信するために使用されるリソースであり得る。任意選択で、物理ダウンリンク制御チャネルは、制御リソースセット（ＣＯＲＥＳＥＴ、ｃｏｎｔｒｏｌ  ｒｅｓｏｕｒｃｅ  ｓｅｔ）であり得る、または、ランダムアクセス応答またはシステム情報の制御情報を搬送する物理ダウンリンク制御チャネルであり得る。任意選択で、物理ダウンリンク共有チャネルは、システム情報を搬送する物理ダウンリンク共有チャネルであり得る。
【０３１３】
言い換えれば、基地局は、ビームと対応関係にあることが知られている第２リソースと第１リソースとの間の対応関係をＵＥへ送信し得て、その結果、ＵＥは必要なビームを決定する。
【０３１４】
特定の実装において、基地局は、以下の異なる方式で、ＵＥのために設定されたリソースグループにおける各第１リソースと、第２リソースとの間の対応関係をＵＥに示し得る。任意選択で、以下の実装において、第１リソースと第２リソースとの間の対応関係は、疑似コロケーションＱＣＬ関係が目標チャネルおよび／または信号のためのアンテナポートと、第２リソース上で送信されるチャネルおよび／または信号のためのアンテナポートとの間に存在すること、目標チャネルおよび／または信号のために使用される送信ビームが、第２リソース上で送信されるチャネルおよび／または信号に使用される送信ビームと同一であること、目標チャネルおよび／または信号に使用される送信ビームが、第２リソース上で送信されるチャネルおよび／または信号に使用される受信ビームに対応すること、および、目標チャネルおよび／または信号に使用される空間フィルタが、第２リソース上で送信されるチャネルおよび／または信号に使用される空間フィルタと同一であることのうち少なくとも１つを含む。
【０３１５】
任意選択で、第２リソースの識別子と第２リソースとの間の対応関係は事前定義され得る、または、基地局によって設定され得る。例えば、第２リソースがＳＲＳを送信するために使用されるとき、第２リソースの識別子は、ＳＲＩ（ＳＲＳリソースインジケータ、ＳＲＳ  ｒｅｓｏｕｒｃｅ  ｉｎｄｉｃａｔｏｒ）であり得る、または、第２リソースの識別子と、ＳＲＩまたはＳＲＳリソースとの間の対応関係は、基地局によって設定または事前定義され、その結果、第２リソースの識別子は、いくつかのＳＲＳリソースまたはＳＲＩに対応し得て、これにより、第２リソースインジケータのオーバーヘッドを低減する。別の例として、第２リソースがＣＳＩ−ＲＳであるとき、第２リソースの識別子はＣＲＩ（ＣＳＩ−ＲＳリソースインジケータ、ＣＳＩ−ＲＳ  ｒｅｓｏｕｒｃｅ  ｉｎｄｉｃａｔｏｒ）であり得る、または、基地局は、第２リソースの識別子と、ＣＲＩまたはＣＳＩ−ＲＳリソースまたはユーザ機器によって報告されるＣＲＩとの間の対応関係を設定または事前定義し得る。例えば、第２リソースの識別子は、低オーバーヘッドインジケータ（ＬＯＩ、ｌｏｗ  ｏｖｅｒｈｅａｄ  ｉｎｄｉｃａｔｏｒ）であり得て、その結果、第２リソースの識別子は、いくつかのＣＳＩ−ＲＳリソースまたはＣＲＩに対応し、これにより、第２リソースインジケータのオーバーヘッドを低減する。
【０３１６】
方式１：第１指示情報は、リソースサブグループにおける各第１リソースと第２リソースとの間の対応関係を含む。
【０３１７】
以下の方式は、リソースサブグループにおける各第１リソースと、第２リソースとの間の対応関係を示すために使用され得る。第１指示情報は具体的には、リソースサブグループにおける各第１リソースの識別子、および、各第１リソースの識別子に対応する第２リソースの識別子を含む。または、第１指示情報は具体的には、ＱＣＬ関係が、各第１リソース上で送信される目標チャネルおよび／または信号のためのアンテナポートと、第２リソース上の信号のためのアンテナポートとの間に存在することを示すために使用される情報を含む。または、第１指示情報は具体的には、各第１リソースに対応する第２リソースの識別子を含む。
【０３１８】
任意選択で、第１指示情報が、各第１リソースに対応する第２リソースの識別子を含むとき、第１指示情報は、第２リソースの１または複数の識別子を含み得る。任意選択で、第２リソースの識別子の数は第１リソースの数と同一である。任意選択で、第１指示情報によって示される第２リソースの各々と、第１リソースとの間の対応関係は、事前定義され得る。例えば、第１指示情報によって示される第２リソースの各々は、順番に第１リソースに対応する。
【０３１９】
加えて、更に、方式１に基づいて、第１指示情報は更に、各第１リソースとビームの任意選択範囲との間の対応関係を含む。
【０３２０】
方式２：第１指示情報は、各リソースサブグループと第２リソースとの間の対応関係を含む。
【０３２１】
以下の方式は、各リソースサブグループと第２リソースとの間の対応関係を示すために使用され得る。第１指示情報は具体的には、各リソースサブグループの識別子、および、各リソースサブグループの識別子に対応する第２リソースの識別子を含む。または、第１指示情報は具体的には、ＱＣＬ関係が、各リソースサブグループ上の信号のためのアンテナポートと、第２リソース上の信号のためのアンテナポートとの間に存在することを示すために使用される情報を含む。または、第１指示情報は具体的には、各リソースサブグループに対応する第２リソースの識別子を含み得る。
【０３２２】
基地局は、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０３２３】
方式３：第１指示情報は、各リソースサブグループと、第２リソースグループとの間の対応関係を含み、第２リソースグループは１または複数の第２リソースを含む。以下の方式は、リソースサブグループと第２リソースグループとの間の対応関係を示すために使用され得る。第１指示情報は具体的には、リソースサブグループの識別子、および、リソースサブグループの識別子に対応する第２リソースグループにおける第２リソースの識別子を含む。または、第１指示情報は具体的には、リソースサブグループの識別子、および、リソースサブグループの識別子に対応する第２リソースグループの識別子を含む。
【０３２４】
方式４：第１指示情報は、リソースサブグループに対応する第２リソースグループにおける第２リソースの識別子を含む。
【０３２５】
方式５：第１指示情報は、リソースグループに対応する第２リソースグループの識別子を含む。
【０３２６】
任意選択で、方式３から方式５において、第２リソースグループにおける第２リソースの数は、リソースグループにおけるリソースサブグループの数と同一である。
【０３２７】
任意選択で、方式３から方式５において、対応関係、例えば、第２リソースグループにおける第２リソースと、リソースグループにおけるリソースサブグループとの間の順次的な対応関係は事前定義され得る。
【０３２８】
任意選択で、例えば、第２リソースはＳＲＳリソースである。別の例として、第２リソースはＣＳＩ−ＲＳリソースである。別の例として、第１リソースはＳＲＳリソースにおけるポートであり、第１リソースサブグループは、１または複数のＳＲＳポートを含むＳＲＳリソースであり、第１リソースグループは、１または複数のＳＲＳリソースを含むＳＲＳリソースグループである。
【０３２９】
任意選択で、第１指示情報を送信するための方法は、基地局が、ＲＲＣシグナリングまたはＭＡＣ  ＣＥシグナリングなどの上位層シグナリングを使用することによって、複数の第２リソースグループ候補を設定してから、基地局が、ＭＡＣ  ＣＥシグナリングまたはＤＣＩシグナリングを使用することによって、第２リソースグループ候補の１つを第２リソースグループとして示す段階を備え得る。
【０３３０】
更に任意選択で、１または複数の第２リソースグループ候補は、第２リソースグループ候補のセットを形成する。基地局は、ＲＲＣシグナリングまたはＭＡＣ  ＣＥシグナリングなどの上位層シグナリングを使用することによって、第２リソースグループ候補の１または複数のセットを設定し、次に、基地局は、ＲＲＣシグナリングまたはＭＡＣ  ＣＥシグナリングなどのシグナリングを使用することによって、第２リソースグループ候補のセットの１つを示し、次に、基地局は、ＭＡＣ  ＣＥまたはＤＣＩシグナリングを使用することによって、第２リソースグループ候補の示されたセットにおけるある第２リソースグループ候補を第２リソースグループとして示す。
【０３３１】
更に任意選択で、第２リソースグループ候補の同一セットに含まれる第２リソースグループにおける第２リソースの数は同一であり、第２リソースグループ候補の異なるセットに含まれる第２リソースグループにおける第２リソースの数は異なり得る。
【０３３２】
更に任意選択で、ＵＥは、第１リソースグループにおける第１リソースサブグループの数に基づいて、第２リソースグループ候補のセットを決定し得る。例えば、第２リソースグループ候補の決定されたセットにおける第２リソースグループにおける第２リソースの数は、第１リソースグループにおける第１リソースサブグループの数に等しい。実現可能な実施形態が表１に提供される。ＵＥは、第１リソースグループにおける第１リソースサブグループの数に基づいて、表における列を決定する。言い換えれば、ＵＥは、第２リソースグループ候補のセットを決定する。例えば、リソースグループが１つの第１リソースサブグループを含む場合、第２リソースグループ候補のセット０が選択され、第２リソースグループ候補のセット０における各第２リソースグループは１つの第２リソースを含む。この場合、第２リソースグループは、１つの第２リソースのみを含むので、ビームインジケータは、第２リソースの識別子を直接示し得る。別の例として、リソースグループが２つの第１リソースサブグループを含むと想定すると、第２リソースグループ候補のセット１が選択され、第２リソースグループ候補のセット１における各第２リソースグループは２つの第２リソースを含む。別の例として、リソースグループが４つの第１リソースサブグループを含むと想定すると、第２リソースグループ候補のセット２が選択され、第２リソースグループ候補のセット２における各第２リソースグループは４つの第２リソースを含む。この事前定義された対応関係によれば、第１リソースサブグループが確実に第２リソースに対応し得る。加えて、基地局は、ＭＡＣ  ＣＥまたはＤＣＩインジケータテーブルにおけるビームインジケータを使用することによって、表における行を決定する。例えば、ＭＡＣ  ＣＥまたはＤＣＩにおける対応するフィールドにおけるビットが「００」である場合、リソースグループ０が選択される。以下の表における行および列は単に例であり、交換可能であり得て、行および／または列の数も増加または減少し得る、または、別の表の一部でもあり得ることに留意すべきである。以下の表におけるフィールドの値は２進数である、または、小数、８進数もしくは１６進数によって示され得る。表において、ＭＡＣ  ＣＥまたはＤＣＩにおける、第１リソースと第２リソースとの間の対応関係を示すために使用されるフィールドと第２リソースグループの識別子との間の対応関係、または、ＭＡＣ  ＣＥまたはＤＣＩにおける、第１リソースと第２リソースとの間の対応関係を示すために使用されるフィールドと第２リソースの識別子との間の対応関係は、リスト（ｌｉｓｔ）、式、文字列、アレイ、コードセグメントまたは同様のものの形式で反映され得る。表において、第１列における第１リソースサブグループの数は、別の数値でもあり得て、ここでは単に例として使用される。
［表１］
【表１】
2019533950.tif 000003
【０３３３】
更に、第２リソースがＳＲＳリソースまたはＣＳＩ−ＲＳリソースであり、第１リソースサブグループがＳＲＳリソースであると想定すると、表１は、以下の表２に変更され得る。ＳＲＳ／ＣＳＩ−ＲＳリソースの識別子は、ＳＲＩまたはＣＲＩであり得る、または、基地局は、ＳＲＩまたはＣＲＩと、ＳＲＳ／ＣＳＩ−ＲＳリソースの識別子との間の対応関係を設定または事前定義し得る。
【０３３４】
以下の表におけるフィールドの値は２進数である、または、小数、８進数もしくは１６進数によって示され得る。表において、ＭＡＣ  ＣＥまたはＤＣＩにおける、ＳＲＳリソースとＳＲＳ／ＣＳＩ−ＲＳリソースとの間の対応関係を示すために使用されるフィールドとＳＲＳ／ＣＳＩ−ＲＳリソースグループの識別子との間の対応関係、または、ＭＡＣ  ＣＥまたはＤＣＩにおける、ＳＲＳリソースとＳＲＳ／ＣＳＩ−ＲＳリソースとの間の対応関係を示すために使用されるフィールドとＳＲＳ／ＣＳＩ−ＲＳリソースの識別子との間の対応関係は、リスト（ｌｉｓｔ）、式、文字列、アレイ、および、コードセグメントなどの形式で反映され得る。表において、第１列におけるＳＲＳリソースの数は、別の数値でもあり得て、ここでは単に例として使用される。
［表２］
【表２】
2019533950.tif 000004
【０３３５】
加えて、更に、方式２から方式５に基づいて、第１指示情報は更に、各リソースサブグループとビームの任意選択範囲との間の対応関係を含む。
【０３３６】
方式６：第１指示情報は、各第１リソースと第２リソースとの間の対応関係を含む。
【０３３７】
以下の方式は、各第１リソースと第２リソースとの間の対応関係を示すために使用され得る。第１指示情報は具体的には、各第１リソースの識別子、および、各第１リソースの識別子に対応する第２リソースの識別子を含む。または、第１指示情報は具体的には、ＱＣＬ関係が、各第１リソース上の信号のためのアンテナポートと、第２リソース上の信号のためのアンテナポートとの間に存在することを示すために使用される情報を含む。または、第１指示情報は、第１リソースに対応する第２リソースの識別子を含む。
【０３３８】
方式７：第１指示情報は、各第１リソースと第２リソースグループとの間の対応関係を含み、第２リソースグループは少なくとも１つの第２リソースを含む。
【０３３９】
以下の方式は、各第１リソースと第２リソースグループとの間の対応関係を示すために使用され得る。第１指示情報は具体的には、各第１リソースの識別子、および、各第１リソースの識別子に対応する第２リソースグループにおける各第２リソースの識別子を含む。または、第１指示情報は具体的には、各第１リソースの識別子、および、各第１リソースの識別子に対応する第２リソースグループの識別子を含む。または、第１指示情報は具体的には、ＱＣＬ関係が、各第１リソース上の信号のためのアンテナポートと、第２リソースグループ上の信号のためのアンテナポートとの間に存在することを示すために使用される情報を含む。または、第１指示情報は具体的には、第１リソースに対応する第２リソースグループの識別子を含む。
【０３４０】
方式８：第１指示情報は、各第１リソースとビームの任意選択範囲との間の対応関係を含む。
【０３４１】
任意選択で、前述の方式１から８において、第１指示情報は、同一のシグナリングにおいて搬送され得る、または、異なるシグナリングにおいて搬送され得る。例えば、第１指示情報が異なるシグナリングにおいて搬送されるとき、第１リソースの識別子、または、第１リソースサブグループの識別子は、シグナリング１において搬送され得て、前述の実装における第１指示情報における第１リソースの識別子および第１リソースサブグループの識別子以外の情報はシグナリング２において搬送され得る。別の例として、第１シグナリングがＤＣＩにおいて搬送されるとき、ＤＣＩは、第１リソースの識別子、または、第１リソースサブグループの識別子、または、第１リソースグループの識別子を含まないことがあり得る。または、第１シグナリングがＭＡＣ  ＣＥにおいて搬送されるとき、第１ＭＡＣ  ＣＥは、第１リソースの識別子、または、第１リソースサブグループの識別子、または、第１リソースグループの識別子、および、対応する第２リソースの識別子もしくは第２リソースグループの識別子を含み得る。任意選択で、前述の実装１から８において、第１指示情報は更に、ユーザ機器自体が、目標チャネルおよび／または信号のための送信ビーム、または、目標チャネルおよび／または信号との間でＱＣＬ関係を有する信号を選択することを示すために使用され得る。
【０３４２】
任意選択で、前述の実装１から８において、第１指示情報は更に、既に使用された第ｋ回目の送信ビームが目標チャネルおよび／または信号のために使用されること、または、第１リソースが、第ｋ回目で既に示された第２リソースに対応することを示すために使用され得て、ｋは、基地局によって設定または事前定義され得て、例えば、ｋ＝１またはｋ＝２である。例えば、方式５における表１のＭＡＣ  ＣＥまたはＤＣＩにおける、第１リソースと第２リソースとの間の対応関係を示すために使用されるフィールドは更に、既に使用された第ｋ回目の送信ビームが、目標チャネルおよび／または信号に使用されること、または、第２リソースが、第ｋ回目で既に示された第２リソースであることを示すために使用され得る。または、方式５における表２のＭＡＣ  ＣＥまたはＤＣＩにおける、ＳＲＳリソースとＳＲＳ／ＣＳＩ−ＲＳリソースとの間の対応関係を示すために使用されるフィールドは更に、既に使用された第ｋ回目の送信ビームが、目標チャネルおよび／または信号のために使用されること、または、ＳＲＳ／ＣＳＩ−ＲＳリソースが、第ｋ回目で既に示されたＳＲＳ／ＣＳＩ−ＲＳリソースであることを示すために使用され得る。
【０３４３】
任意選択で、前述の実装１から８において、第１指示情報は更に、目標チャネルおよび／または信号に使用される送信ビームが、ＵＥ自体によって決定されること、または、目標チャネルおよび／または信号に使用されるアンテナポートとの間でＱＣＬ関係を有するアンテナポートが限定されないことを示すために使用され得る。例えば、方式５における表１のＭＡＣ  ＣＥまたはＤＣＩにおける第１リソースと第２リソースとの間の対応関係を示すために使用されるフィールドは更に、目標チャネルおよび／または信号に使用される送信ビームが、ＵＥ自体によって決定されること、または、目標チャネルおよび／または信号に使用されるアンテナポートとのＱＣＬ関係を有するアンテナポートは限定されないことを示すために使用され得る。または、方式５における表２のＭＡＣ  ＣＥまたはＤＣＩにおける、ＳＲＳリソースとＳＲＳ／ＣＳＩ−ＲＳリソースとの間の対応関係を示すために使用されるフィールドは更に、目標チャネルおよび／または信号に使用される送信ビームがＵＥ自体によって決定されること、または、ＳＲＳに使用されるアンテナポートとのＱＣＬ関係を有するアンテナポートが限定されないことを示すために使用され得る。
【０３４４】
任意選択で、前述の実装１から８において、基地局は、第１指示情報が存在するかどうか、または、第１指示情報が第２リソースの識別子、もしくは、第２リソースグループの識別子を含むかどうかを示すために使用される第３指示情報を送信し得て、それにより、ビームを示す必要が無いときのシグナリングオーバーヘッドを低減する。
【０３４５】
任意選択で、前述の実装１から８において、第２リソースと、第３リソースまたは第１リソースとの間の時間領域間隔は、基地局によって事前定義される、または、設定される。第３リソースは、第１指示情報を送信するためのリソースの一部または全部である。
【０３４６】
例えば、第１指示情報は、ＲＲＣシグナリングまたはＭＡＣ  ＣＥシグナリングにおいて搬送される、または、第１指示情報における、第２リソースの識別子、もしくは、第２リソースグループの識別子は、ＲＲＣシグナリングまたはＭＡＣ  ＣＥシグナリングにおいて搬送され、この場合、第３リソースは、ＲＲＣシグナリングまたはＭＡＣ  ＣＥシグナリングを搬送するＰＤＳＣＨが位置するタイムスロットまたはサブフレームまたはシンボルまたはミニタイムスロットであり得る。タイムスロットが、本実施形態において、例として使用される。別の例として、第１指示情報は、ＤＣＩにおいて搬送される、または、第１指示情報における、第２リソースの識別子、もしくは、第２リソースグループの識別子は、ＤＣＩにおいて搬送され、この場合、第３リソースは、ＤＣＩを搬送するＰＤＣＣＨが位置するタイムスロットまたはサブフレームまたはシンボルまたはミニタイムスロットであり得る。タイムスロットが、本実施形態において、例として使用される。
【０３４７】
任意選択で、第２リソースが非周期的ＳＲＳまたは非周期的ＣＳＩ−ＲＳなどの非周期的信号を搬送する場合、事前定義された第２リソースは、非周期的信号を送信するためのリソースであり、第２リソースと第３リソースまたは第１リソースとの間の時間領域間隔は、非周期的信号が位置するタイムスロットと、第３リソースまたは第１リソースのタイムスロットとの間の間隔である。
【０３４８】
任意選択で、第２リソースが、周期的または半永続的ＳＲＳまたはＣＳＩ−ＲＳなどの、周期的信号または半永続的信号を搬送する場合、基地局は、信号を周期的に送信するプロセスにおいてシグナリングを使用することによって、種々のビームを設定し得る。従って、第２リソースは、周期的に送信される予定の対応する信号を送信する特定の時間において占有されるリソースとして定義される必要がある。
【０３４９】
具体的には、第１指示情報は、第２リソース上で送信される第２信号のためのリソースインジケータを示すために使用される。例えば、第２信号は、ＳＲＳまたはＣＳＩ−ＲＳであり、第２信号のためのリソースインジケータは、ＳＲＩまたはＣＲＩまたはそれらの識別子である。第２リソースは、第２リソースグループに含まれ得て、指示方法は、前述の方式１から８における指示方法であり得る。第２リソースと第３リソースまたは第１リソースとの間の時間領域間隔は、以下の実装方法において、基地局によって事前定義または設定される。
【０３５０】
実装方法１：第２リソースは、第３リソースのａ１個前のタイムスロットよりａ２回前に送信された第２信号のためのリソースであり得る。例えば、第３リソースがタイムスロットｎである場合、または、第３リソースが位置するタイムスロットがタイムスロットｎである場合、第２リソースは、図５−１に示すように、ｎ−ａ１タイムスロットよりａ２回前に送信される第２信号のためのリソースである。ａ１は基地局によって設定または事前定義され得て、例えば、ａ１＝０またはａ１＝１である。ａ２もまた、基地局によって設定または事前定義され得て、例えば、ａ２＝１である。ａ１は、正の値、負の値または０であり得て、ａ１＝０はまた、「ａ１が定義されていない」ことであると理解され得る。すなわち、第２リソースは、第３リソースよりａ２回前に送信される第２信号のためのリソースであり得る。
【０３５１】
実装方法２：第２リソースは、第３リソースよりａ１個前のタイムスロットよりａ２回前の、第３リソースのビームとは異なるビーム上にある、または、第３リソース上の信号との非ＱＣＬ関係を有する、第２信号のためのリソースであり得る。例えば、第３リソースがタイムスロットｎである場合、または、第３リソースが位置するタイムスロットがタイムスロットｎである場合、第２リソースは、図５−２に示すように、ｎ−ａ１タイムスロットよりａ２回前の、第３リソースのビームとは異なるビーム上にある、または、第３リソース上の信号との非ＱＣＬ関係を有する、第２信号のためのリソースである。異なるビームは更に、異なる空間フィルタとして、または、非ＱＣＬ関係を有するものとして理解され得る。ａ１は基地局によって設定または事前定義され得て、例えば、ａ１＝０またはａ１＝１である。ａ２もまた、基地局によって設定または事前定義され得て、例えば、ａ２＝１である。ａ１は、正の値、負の値または０であり得て、ａ１＝０は、「ａ１は定義されていない」こととしても理解され得る。すなわち、第２リソースは、第３リソースよりａ２回前の、異なるビーム上の第２信号のためのリソースであり得る。実装方法１と比較して、実装方法２では、複数のａ２の値は同一のビームに対応し得る。従って、ａ２を示すためのオーバーヘッドを低減できる。
【０３５２】
実装方法３：第２リソースは、第１リソースよりａ１個前のタイムスロットよりａ２回前に送信される第２信号のためのリソースであり得る。例えば、第１リソースが位置するタイムスロットがタイムスロットｎである場合、第２リソースは、図５−３に示すように、ｎ−ａ１タイムスロットよりａ２回前に送信される第２信号のためのリソースである。ａ１は、基地局によって設定または事前定義され得て、例えば、ａ１＝０、または、ａ１＝１である。ａ２はまた、基地局によって設定または事前定義され得て、例えば、ａ２＝１である。ａ１は、正の値、負の値または０であり得て、ａ１＝０は、「ａ１が定義されていない」ものとして理解され得る。すなわち、第２リソースは、第１リソースよりａ２回前に送信される第２信号のためのリソースであり得る。
【０３５３】
実装方法４：第２リソースは、第１リソースよりａ１個前のタイムスロットよりａ２回前の、第１リソースのビームとは異なるビーム上にある第２信号のためのリソースであり得る。例えば、第１リソースが位置するタイムスロットが、タイムスロットｎである場合、第２リソースは、図５−４に示すように、ｎ−ａ１タイムスロットよりａ２回前の、第１リソースのビームとは異なるビーム上にある、または、第１リソース上の信号との非ＱＣＬ関係を有する、第２信号のためのリソースである。異なるビームは更に、異なる空間フィルタとして、または、非ＱＣＬ関係を有するものとして理解され得る。ａ１は基地局によって設定または事前定義され得て、例えば、ａ１＝０またはａ１＝１である。ａ２はまた、基地局によって設定または事前定義され得て、例えば、ａ２＝１である。ａ１は、正の値、負の値または０であり得て、ａ１＝０はまた、「ａ１は定義されていない」こととして理解され得る。すなわち、第２リソースは、第１リソースよりａ２回前の、異なるビーム上の第２信号のためのリソースであり得る。実装方法３と比較して、実装方法４では、複数のａ２の値は同一のビームに対応し得る。従って、ａ２を示すためのオーバーヘッドを減少できる。
【０３５４】
任意選択で、前述の実装１から８において、第１リソースと第３リソースまたは第２リソースとの間の時間領域間隔は、基地局によって事前定義または設定される。第３リソースは、第１指示情報を送信するためのリソースの一部または全部である。例えば、第１指示情報は、ＲＲＣシグナリングまたはＭＡＣ  ＣＥシグナリングにおいて搬送される、または、第１指示情報における、第２リソースの識別子、もしくは、第２リソースグループの識別子は、ＲＲＣシグナリングまたはＭＡＣ  ＣＥシグナリングにおいて搬送され、この場合、第３リソースは、ＲＲＣシグナリングまたはＭＡＣ  ＣＥシグナリングを搬送するＰＤＳＣＨが位置するタイムスロットまたはサブフレームまたはシンボルまたはミニタイムスロットであり得る。タイムスロットが、本実施形態において、例として使用される。別の例として、第１指示情報は、ＤＣＩにおいて搬送される、または、第１指示情報における、第２リソースの識別子、もしくは、第２リソースグループの識別子は、ＤＣＩにおいて搬送され、この場合、第３リソースは、ＤＣＩを搬送するＰＤＣＣＨが位置するタイムスロットまたはサブフレームまたはシンボルまたはミニタイムスロットであり得る。タイムスロットが、本実施形態において、例として使用される。
【０３５５】
任意選択で、第１リソースが非周期的ＳＲＳまたは非周期的ＣＳＩ−ＲＳなどの非周期的目標チャネルおよび／または信号を搬送する場合、事前定義された第１リソースは、非周期的目標チャネルおよび／または信号を送信するためのリソースであり、第１リソースと第３リソースまたは第２リソースとの間の時間領域間隔は、非周期的目標チャネルおよび／または信号が位置するタイムスロットと、第３リソースまたは第２リソースのタイムスロットとの間の間隔である。
【０３５６】
任意選択で、第１リソースが、周期的または半永続的ＳＲＳまたはＣＳＩ−ＲＳなどの周期的信号または半永続的目標チャネルおよび／または信号を搬送する場合、第１指示情報のための有効な遅延またはファジー時間が存在すると想定すると、第１指示情報の具体的な有効時間が規定される必要がある。
【０３５７】
具体的には、第１指示情報は、第１リソースに対応する第２リソース、または、第１リソースと第２リソースとの間の対応関係を示すために使用される。例えば、目標チャネルまたは信号、またはその両方はＳＲＳである。第１リソースは、第１リソースグループまたは第１リソースサブグループに含まれ得て、指示方法は、前述の方式１から８における指示方法であり得る。第１リソースと第３リソースまたは第２リソースとの間の時間領域間隔は、以下の実装方法において基地局によって事前定義または設定される。
【０３５８】
実装方法１：第１リソースは第３リソースのｂ１個後のタイムスロットのｂ２回後に送信される目標チャネルおよび／または信号のためのリソースであり得る、または、第１指示情報は、目標チャネルおよび／または信号が、第３リソースのｂ１個後のタイムスロットのｂ２回後に送信されるときに有効になり始める。例えば、第３リソースがタイムスロットｎである場合、または、第３リソースが位置するタイムスロットがタイムスロットｎである場合、第１リソースは、ｎ＋ｂ１タイムスロットのｂ２回後に送信される目標チャネルおよび／または信号のためのリソースである、または、第１指示情報は、図５−５に示すように、目標チャネルおよび／または信号が、ｎ＋ｂ１タイムスロットのｂ２回後に送信されるときに有効になる。ｂ１は、基地局によって設定または事前定義され得て、例えば、ｂ１＝０またはｂ１＝１である。ｂ２もまた、基地局によって設定または事前定義され得て、例えば、ｂ２＝１である。ｂ１＝０は、「ｂ１は定義されていない」ものとしても理解され得る。すなわち、第１リソースは、第３リソースのｂ２回後に送信される目標チャネルおよび／または信号のためのリソースであり得る、または、第１指示情報は、目標チャネルおよび／または信号が、第３リソースのｂ２回後に送信されるときに有効になり始める。
【０３５９】
実装方法２：第１リソースは第２リソースのｂ１個後のタイムスロットのｂ２回後に送信される目標チャネルおよび／または信号のためのリソースであり得る、または、第１指示情報は、目標チャネルおよび／または信号が、第２リソースのａ１個後のタイムスロットのｂ２回後に送信されるときに有効になり始める。例えば、第２リソースがタイムスロットｎである場合、または、第２リソースが位置するタイムスロットがタイムスロットｎである場合、第１リソースは、ｎ＋ｂ１タイムスロットのｂ２回後に送信される目標チャネルおよび／または信号のためのリソースである、または、第１指示情報は、図５−６に示すように、目標チャネルおよび／または信号が、ｎ＋ｂ１タイムスロットのｂ２回後に送信されるときに有効になる。ｂ１は、基地局によって設定または事前定義され得て、例えば、ｂ１＝０またはｂ１＝１である。ｂ２もまた、基地局によって設定または事前定義され得て、例えば、ｂ２＝１である。ｂ１＝０は、「ｂ１は定義されていない」ものとしても理解され得る。すなわち、第１リソースは、第２リソースのｂ２回後に送信される目標チャネルおよび／または信号のためのリソースであり得る、または、第１指示情報は、目標チャネルおよび／または信号が、第２リソースのｂ２回後に送信されるときに有効になり始める。
【０３６０】
本実施形態の別の実装方法において、第１指示情報における、第２リソースまたは第２リソースグループを示すために使用される情報は、第１ＤＣＩにおいて搬送され得る。第１ＤＣＩは、１より多くの周波数領域リソース部分上で目標チャネルおよび／または信号の伝送をトリガするために使用され得る。周波数領域リソース部分は、キャリアまたは帯域幅部分（ＢＷＰ、ｂａｎｄｗｉｄｔｈ  ｐａｒｔ）であり得る。ＢＷＰは、基地局によってＵＥのために設定された帯域幅であり得て、一意のサブキャリア間隔およびＣＰタイプを有し、データの送信に使用され得る。本実施形態において、例えば、目標チャネルまたは信号、またはその両方はＳＲＳである。この場合、第１リソースまたは第１リソースサブグループまたは第１リソースグループは、複数の周波数領域リソース部分を含む。各第１リソースは、周波数領域リソース部分に位置すること、または、各第１リソースサブグループは周波数領域リソース部分に位置すること、または、第１リソースは複数の周波数領域リソース部分に位置することが理解され得る。周波数領域リソース部分のいくつかは、ＰＵＳＣＨ伝送が実行されない、または、ＰＵＳＣＨ伝送およびＰＵＣＣＨ伝送が実行されない周波数領域リソース部分である。この場合、第１指示情報は、複数の周波数領域リソース部分上のビームまたは対応する第２リソースまたは第２リソースグループを示すために使用される。
【０３６１】
具体的には、第１ＤＣＩは１または複数のブロックを含む。例えば、第１ＤＣＩは、ブロック１、ブロック２、...ブロックＣを含み得て、Ｃは正の整数である。第１ＤＣＩにおけるＣ個のブロックのうち１または複数は、第１指示情報における、第２リソースまたは第２リソースグループを示すために使用される情報を搬送するために使用され得る。任意選択で、Ｃ個のブロックが第１ＤＣＩにおけるいくつかのビットである場合、第１ＤＣＩにおける別のブロックまたはより多くのブロックは、他のＵＥの第１指示情報を搬送するために使用され得る。この場合、第１ＤＣＩは、異なるユーザ機器のＳＲＳ伝送を示すために使用される。この場合、第１ＤＣＩにおけるＣ個のブロックの１つは、ｂ１個の第２リソースおよびｂ２個の電力伝送電力制御（ＴＰＣ、Ｔｒａｎｓｍｉｓｓｉｏｎ  Ｐｏｗｅｒ  Ｃｏｎｔｒｏｌ）パラメータを示すために使用され、ｂ１＞１、ｂ２＞１である。例えば、第１ＤＣＩにおけるＣ個のブロックの１つは、ｂ１個の第２リソースの識別子を含む、または、ｂ１個の第２リソースの第２リソースグループのうち１または複数の識別子を含む。具体的には、第１ＤＣＩにおけるＣ個のブロックの１つ（例えば、第１ＤＣＩにおけるブロックであり得る）のビット数および具体的な意味は、以下の方式を有する。
【０３６２】
方式１：ｂ２は、ｂ１、キャリアの数、および、各キャリアにおけるＢＷＰの数に基づいて決定される。例えば、ｂ２＝ｂ１×キャリアの数×各キャリアにおけるＢＷＰの数である。この場合、ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る。例えば、ＴＰＣはソートされ、ｂ１個のグループに分類され、各グループは、１つの第２リソースに対応し、例えば順次に対応する。従って、各リソース、および、各ビームについて、ＴＰＣが決定され、閉ループ電力制御の調整が実行される。この場合、Ｃ＝１である。
【０３６３】
この方式において、各ブロック（ｂｌｏｃｋ）は、１つのユーザ機器に対応し、ユーザ機器のための以下のビットを含む。
【０３６４】
（１）┌ｌｏｇ２（ｂ１）┐個のビット、ここで、┌・┐は切り上げを表し、基地局は、第１ＤＣＩのブロック（ｂｌｏｃｋ）における┌ｌｏｇ２（ｂ１）┐個のビットを使用することによって、ブロックに対応するキャリアにおけるＢＷＰにおいてユーザ機器によって使用される、第２リソースの識別子、または、第２リソースの１または複数の第２リソースグループの識別子を示す。
【０３６５】
（２）┌ｌｏｇ２（ｂ２）┐個のビット、ここで、┌・┐は切り上げを表し、基地局は、第１ＤＣＩのブロック（ｂｌｏｃｋ）における┌ｌｏｇ２（ｂ２）┐個のビットを使用することによって、ユーザ機器の電力制御コマンドを示し、電力制御コマンドはＴＰＣであり得る。ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。
【０３６６】
方式２：ｂ２はｂ１に基づいて決定される。例えばｂ２＝ｂ１である。この場合、ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。例えば、一対一の対応関係が、ソートされたＴＰＣと、示されたソートされた第２リソースとの間に存在する。従って、ＴＰＣは、各ビームについて決定され、閉ループ電力制御の調整が実行される。更に、この場合、Ｃ＞１である。第１ＤＣＩにおけるＣ個のブロックの各々は、キャリアにおけるＢＰに対応する。例えば、Ｃは、キャリアの数、および、各キャリアにおけるＢＷＰの数に基づいて決定され得る。例えば、Ｃ＝キャリアの数×各キャリアにおけるＢＷＰの数である。
【０３６７】
この方式において、各ブロック（ｂｌｏｃｋ）は、キャリアにおけるＢＷＰに対応し、キャリアにおけるＢＷＰのための以下のビットを含む。
【０３６８】
（１）┌ｌｏｇ２（ｂ１）┐個のビット、ここで、┌・┐は切り上げを表し、基地局は、第１ＤＣＩのブロック（ｂｌｏｃｋ）における┌ｌｏｇ２（ｂ１）┐個のビットを使用することによって、キャリアにおけるＢＷＰにおいてユーザ機器によって使用される、第２リソースの識別子、または、第２リソースの１または複数の第２リソースグループの識別子を示す。
【０３６９】
（２）┌ｌｏｇ２（ｂ２）┐個のビット、ここで、┌・┐は切り上げを表し、基地局は、第１ＤＣＩのブロック（ｂｌｏｃｋ）における┌ｌｏｇ２（ｂ２）┐個のビットを使用することによって、キャリアにおけるＢＷＰにおけるユーザ機器の電力制御コマンドを示し、電力制御コマンドはＴＰＣであり得る。ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。
【０３７０】
この場合、ユーザ機器は、１または複数のブロック（ｂｌｏｃｋ）に対応し得る。言い換えれば、基地局は、第１ＤＣＩにおける１または複数のブロック（ｂｌｏｃｋ）を使用することによって、ユーザ機器によって使用される、第２リソースの識別子、または、第２リソースの１または複数の第２リソースグループの識別子を示し得る。
【０３７１】
方式３：ｂ２は、ｂ１およびキャリアの数に基づいて決定される、または、ｂ１およびＢＷＰの数に基づいて決定される。例えば、ｂ２＝ｂ１×キャリアの数、または、ｂ２＝ｂ１×ＢＷＰの数である。この場合、ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る。例えば、ＴＰＣはソートされ、ｂ１個のグループに分類され、各グループは、１つの第２リソースに対応し、例えば順次に対応する。従って、各リソース、および、各ビームについて、ＴＰＣが決定され、閉ループ電力制御の調整が実行される。この場合、Ｃ＝１である。
【０３７２】
この方式において、各ブロック（ｂｌｏｃｋ）は、１つのユーザ機器に対応し、ユーザ機器のための以下のビットを含む。
【０３７３】
（１）┌ｌｏｇ２（ｂ１）┐個のビット、ここで、┌・┐は切り上げを表し、基地局は、第１ＤＣＩのブロック（ｂｌｏｃｋ）における┌ｌｏｇ２（ｂ１）┐個のビットを使用することによって、ブロック（ｂｌｏｃｋ）に対応するキャリアまたはＢＷＰにおいてユーザ機器によって使用される、第２リソースの識別子、または、第２リソースの１または複数の第２リソースグループの識別子を示す。
【０３７４】
（２）┌ｌｏｇ２（ｂ２）┐個のビット、ここで、┌・┐は切り上げを表し、基地局は、第１ＤＣＩのブロック（ｂｌｏｃｋ）における┌ｌｏｇ２（ｂ２）┐個のビットを使用することによって、ユーザ機器の電力制御コマンドを示し、電力制御コマンドはＴＰＣであり得る。ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。
【０３７５】
方式４：ｂ２はｂ１に基づいて決定される。例えばｂ２＝ｂ１である。この場合、ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。例えば、一対一の対応関係が、ソートされたＴＰＣと、示されたソートされた第２リソースとの間に存在する。従って、ＴＰＣは、各ビームについて決定され、閉ループ電力制御の調整が実行される。更に、この場合、Ｃ＞１である。第１ＤＣＩにおけるＣ個のブロックの各々は、キャリアにおけるＢＰに対応する。例えば、Ｃは、キャリアの数、または、ＢＷＰの数に基づいて決定され得る。例えば、Ｃ＝キャリアの数、または、Ｃ＝ＢＷＰの数である。
【０３７６】
この方式において、各ブロック（ｂｌｏｃｋ）は、キャリアまたはＢＷＰに対応し、キャリアまたはＢＷＰのための以下のビットを含む。
【０３７７】
（１）┌ｌｏｇ２（ｂ１）┐個のビット、ここで、┌・┐は切り上げを表し、基地局は、第１ＤＣＩのブロック（ｂｌｏｃｋ）における┌ｌｏｇ２（ｂ１）┐個のビットを使用することによって、キャリアまたはＢＷＰにおいてユーザ機器によって使用される、第２リソースの識別子、または、第２リソースの１または複数の第２リソースグループの識別子を示す。
【０３７８】
（２）┌ｌｏｇ２（ｂ２）┐個のビット、ここで、┌・┐は切り上げを表し、基地局は、第１ＤＣＩのブロック（ｂｌｏｃｋ）における┌ｌｏｇ２（ｂ２）┐個のビットを使用することによって、キャリアまたはＢＷＰのためのユーザ機器の電力制御コマンドを示し、電力制御コマンドはＴＰＣであり得る。ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。
【０３７９】
この場合、ユーザ機器は、１または複数のブロック（ｂｌｏｃｋ）に対応し得る。言い換えれば、基地局は、第１ＤＣＩにおける１または複数のブロック（ｂｌｏｃｋ）を使用することによって、ユーザ機器によって使用される、第２リソースの識別子、または、第２リソースの１または複数の第２リソースグループの識別子を示し得る。
【０３８０】
任意選択で、ユーザ機器は、ｂ１、キャリアの数、および、各キャリアにおけるＢＷＰの数に基づいて、実装方法１または実装方法２を使用することを決定する。例えば、ｂ１、キャリアの数、および、各キャリアにおけるＢＷＰの数を乗算した積が、Ｌより大きい、または、Ｌ以上であるとき、実装方法１が使用され、そうでない場合、実装方法２が使用される。Ｌは事前設定される、または、プロトコルによって規定される、または、基地局によって設定される。例えば、基地局は、ＲＲＣシグナリングを使用することによってＬの値を設定し得る。
【０３８１】
任意選択で、ユーザ機器は、ｂ１およびキャリアの数に基づいて、実装方法３または実装方法４を使用することを決定する。代替的に、ユーザ機器は、ｂ１およびＢＷＰの数に基づいて、実装方法３または実装方法４を使用することを決定する。例えば、ｂ１とキャリアの数とを乗算した積がＬより大きい、または、Ｌ以上であるとき、実装方法３が使用され、そうでない場合、実装方法４が使用される。代替的に、例えば、ｂ１とＢＷＰの数とを乗算した積がＬより大きい、または、Ｌ以上であるとき、実装方法３が使用され、そうでない場合、実装方法４が使用される。Ｌは事前設定される、または、プロトコルによって規定される、または、基地局によって設定される。例えば、基地局は、ＲＲＣシグナリングを使用することによってＬの値を設定し得る。
【０３８２】
任意選択で、前述の実装方法において、同一のキャリアにおける異なるＢＷＰが同一の第２リソースまたは第２リソースグループに対応することが、基地局によって事前定義または示される。
【０３８３】
任意選択で、前述の実装方法において、キャリアはコンポーネントキャリア（ＣＣ、ｃｏｍｐｏｎｅｎｔ  ｃａｒｒｉｅｒ）である。
【０３８４】
任意選択で、前述の実装方法において、第１ＤＣＩにおけるＣ個のブロックは更に、ＳＲＳ伝送をトリガするために使用される情報を含み得る。例えば、第１ＤＣＩにおけるＣ個のブロックの１つは、ＳＲＳトリガシグナリングを含み、ＳＲＳトリガシグナリングは、基地局がＲＲＣシグナリングまたはＭＡＣ  ＣＥシグナリングなどの上位層シグナリングを使用することによって設定するＳＲＳ伝送をトリガするために使用され得る。
【０３８５】
本発明の拡張において、情報伝送方法は更に、ダウンリンク方向に拡張され得る。この場合、基地局は、目標チャネルおよび／または信号をＵＥへ送信し、第１リソースは、ダウンリンク送信リソースである。この場合、目標チャネルおよび／または信号は、主同期信号、副同期信号、同期信号ブロック、物理ブロードキャストチャネル、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、復調参照信号（ＤＭＲＳ、Ｄｅｍｏｄｕｌａｔｉｏｎ  ｒｅｆｅｒｅｎｃｅ  ｓｉｇｎａｌ）、物理ダウンリンク制御チャネル、物理ダウンリンク共有チャネルおよび制御リソースセットＣＯＲＥＳＥＴのうち少なくとも１つであり得る。
【０３８６】
前述の第１指示情報設定方法が、ダウンリンク送信において目標チャネルおよび／または信号を示すために使用されるとき、基地局は第１指示情報をＵＥへ送信し、第１指示情報は、第１リソースと第２リソースとの間の対応関係を示すために使用される。
【０３８７】
基地局が目標チャネルおよび／または信号をＵＥへ送信する前に、ＵＥは、第２リソースおよび対応するビームを使用することによって、他の情報を基地局へ送信する、または、基地局が目標チャネルおよび／または信号をＵＥへ送信する前に、基地局は、第２リソースおよび対応するビームを使用することによって、他の情報をＵＥへ送信し、ＵＥは、対応する受信ビームを使用することによって、第２リソース上で送信された信号を受信する。言い換えれば、ＵＥはすでに、第２リソースと受信ビームとの間の対応関係を認識し、基地局は、これに基づいて、第１リソースと第２リソースとの間の対応関係を示すために使用される第１指示情報をＵＥへ送信し得て、その結果、ＵＥは、第１指示情報に基づいて、第１リソース上で目標チャネルおよび／または信号を受信するためにＵＥが必要とするビームを決定する、または、第１リソース上で目標チャネルおよび／または信号を送信するために基地局によって使用されるビームを決定する。例えば、ＵＥは、第１指示情報に基づいて、第１リソース上で目標チャネルおよび／または信号を受信するためにＵＥが必要とするビームが、第２リソース上で送信される信号をＵＥが受信する受信ビームであると決定する、または、ＵＥは、第１指示情報に基づいて、ＱＣＬ関係が、目標チャネルおよび／または信号を送信するためのアンテナポートと、第２リソース上で信号を送信するためのアンテナポートとの間に存在すると決定する。具体的には、第１指示情報を送信するための方法は、前述の方式のいずれか１つ、または、組み合わせであり得る。
【０３８８】
任意選択で、前述の実装において、第１指示情報は更に、既に使用された第ｋ回目の受信ビームが目標チャネルおよび／または信号のために使用されること、または、第１リソースが、第ｋ回目で既に示された第２リソースに対応することを示すために使用され得て、ｋは、基地局によって設定または事前定義され得て、例えば、ｋ＝１またはｋ＝２である。例えば、方式５における表１のＭＡＣ  ＣＥまたはＤＣＩにおける、第１リソースと第２リソースとの間の対応関係を示すために使用されるフィールドは更に、既に使用された第ｋ回目の受信ビームが、目標チャネルおよび／または信号に使用されること、または、第２リソースが、第ｋ回目で既に示された第２リソースであることを示すために使用され得る。
【０３８９】
任意選択で、前述の実装において、第１指示情報は更に、目標チャネルおよび／または信号に使用される受信ビームが、ＵＥ自体によって決定されること、または、目標チャネルおよび／または信号に使用されるアンテナポートとのＱＣＬ関係を有するアンテナポートが限定されないことを示すために使用され得る。例えば、方式５における表１のＭＡＣ  ＣＥまたはＤＣＩにおける第１リソースと第２リソースとの間の対応関係を示すために使用されるフィールドは更に、目標チャネルおよび／または信号に使用される受信ビームが、ＵＥ自体によって決定されること、または、目標チャネルおよび／または信号に使用されるアンテナポートとのＱＣＬ関係を有するアンテナポートは限定されないことを示すために使用され得る。
【０３９０】
５０４：ＵＥが、基地局によって送信された第１指示情報を受信する。
【０３９１】
５０５．ＵＥが、第１リソースおよび第１指示情報に基づいて、第２リソースを決定し、第２リソースに対応するビームに基づいて、アップリンク送信ビームまたはダウンリンク受信ビームを決定する。
【０３９２】
任意選択で、第２リソースに対応するビームに基づいてアップリンク送信ビームを決定することは更に、アップリンク受信ビームを決定することであり得る。例えば、第２リソース上でチャネルおよび／または信号を送信するために使用されるアップリンク受信ビームは、目標チャネルおよび／または信号のためのアップリンク受信ビームとして決定され得る、または、第２リソース上でチャネルおよび／または信号を送信するために使用されるアップリンク受信ビームは、第２リソース上でチャネルおよび／または信号を送信するために使用されるアンテナポートと、目標チャネルおよび／または信号のために使用されるアンテナポートとの間のＱＣＬ関係に基づいて、目標チャネルおよび／または信号のためのアップリンク受信ビームとして決定される。別の例として、第２リソース上でのチャネルおよび／または信号のダウンリンク送信に使用される空間フィルタは、目標チャネルおよび／または信号のアップリンク受信に使用される空間フィルタとして決定され得る、または、第２リソース上でのチャネルおよび／または信号のダウンリンク送信に使用されるダウンリンク送信ビームに対応するアップリンク受信ビームは、目標チャネルおよび／または信号のためのアップリンク受信ビームとして決定され得る、または、第２リソース上でチャネルおよび／または信号を送信するために使用されるアンテナポートと、目標チャネルおよび／または信号のために使用されるアンテナポートとの間のＱＣＬ関係に基づいて、第２リソース上でのチャネルおよび／または信号のダウンリンク送信に使用される空間フィルタは、目標チャネルおよび／または信号のアップリンク受信に使用される空間フィルタとして決定され得る、または、第２リソース上でのチャネルおよび／または信号のダウンリンク送信に使用されるダウンリンク送信ビームに対応するアップリンク受信ビームは、目標チャネルおよび／または信号のためのアップリンク受信ビームとして決定される。
【０３９３】
ＵＥが、基地局によって送信された第１指示情報を受信した後に、ＵＥはまず、第１指示情報に含まれる対応関係と、設定されたリソースグループに含まれる第１リソースとに基づいて、第１リソースに対応する第２リソースを決定し、次に、第２リソースとビームとの間の知られている対応関係と、第２リソースに対応するビームとに基づいて、目標チャネルおよび／または信号についてのアップリンク送信ビームまたはアップリンク受信ビームを決定し得る。
【０３９４】
例えば、ＵＥが第２リソースおよび対応するビーム上で他の情報を送信するとき、第２リソースとアップリンク送信ビームとの間の対応関係は知られており、この場合、第２リソースに対応するビームは、目標チャネルおよび／または信号のためのアップリンク送信ビームとして直接決定され得る、または、第２リソースに対応する受信ビームは、目標チャネルおよび／または信号のためのアップリンク受信ビームとして直接決定される。基地局が第２リソースおよび対応するビーム上で他の情報を送信するとき、第２リソースとダウンリンク受信ビームとの間の対応関係は知られており、この場合、目標チャネルおよび／または信号のためのアップリンク送信ビームは、アップリンクビームとダウンリンクビームとの間の対応関係を使用することによって第２リソースに対応するビームに基づいて決定され得る。任意選択で、ビームは、空間フィルタでもあり得る、または、ＱＣＬ関係が、第２リソース上で送信される信号のためのアンテナポートと、目標チャネルおよび／または信号のためのアンテナポートとの間に存在する。
【０３９５】
任意選択で、解決するための別の実装において、前述の段階および実施形態において、第１リソースと第２リソースとの間の対応関係を示す対応する第１シグナリングが無い場合、第１リソースと、第１リソースの前の目標チャネルおよび／または信号の送信のために占有されたリソースとの間に対応関係が存在することが事前定義される。例えば、前回の目標チャネルおよび／または信号を送信するためのビームまたは空間フィルタが、今回の目標チャネルおよび／または信号を送信するために使用される、または、例えば、ＱＣＬ関係が、目標チャネルおよび／または信号のためのアンテナポートと、前回のチャネルおよび／または信号を送信するためのアンテナポートとの間に存在する。任意選択で、第１リソースと第２リソースとの間の対応関係を示す対応する第１シグナリングが無い場合、ユーザ機器自体が、目標チャネルおよび／または信号のために使用される送信ビーム、または、目標チャネルおよび／または信号とのＱＣＬ関係を有する信号を決定することが事前定義される。任意選択で、第１リソースと第２リソースとの間の対応関係を示す対応する第１シグナリングが無く、かつ、目標チャネルおよび／または信号が初めて送信された場合、ユーザ機器自体が、目標チャネルおよび／または信号に使用される送信ビーム、または、目標チャネルおよび／または信号とのＱＣＬ関係を有する信号を決定すること、または、目標チャネルおよび／または信号とのＱＣＬ関係を有する信号が限定されないことが事前定義される。
【０３９６】
任意選択で、既に使用された第ｋ回目の送信ビームが目標チャネルおよび／または信号のために使用されること、または、第１リソースが、既に示された第ｋ回目の第２リソースに対応することを示すために第１指示情報が使用される場合（ここで、ｋは基地局によって設定または事前定義され得て、例えば、ｋ＝１またはｋ＝２）、ＵＥは、既に使用された第ｋ回目の送信ビームを使用する、または、既に示された第ｋ回目の第１リソースと第２リソースとの間の対応関係に基づいて、アップリンク送信ビームまたは受信ビームを決定する、または、既に示された第ｋ回目の第１リソースと第２リソースとの間の対応関係に基づいて、目標チャネルおよび／または信号に使用されるアンテナポートと、第２リソース上で送信される信号のために使用されるアンテナポートとの間にＱＣＬ関係が存在すると決定する。具体的には、本発明の本実施形態における、送信ビームまたは受信ビーム、または、ＱＣＬ関係を決定するための方法が使用され得る。
【０３９７】
任意選択で、第１指示情報は、目標チャネルおよび／または信号に使用される送信ビームがＵＥ自体によって決定されること、または、目標チャネルおよび／または信号に使用されるアンテナポートとのＱＣＬ関係を有するアンテナポートが限定されないと示すために使用される場合、ＵＥ自体が、目標チャネルおよび／または信号のための送信ビーム、または、目標チャネルおよび／または信号に使用されるアンテナポートとのＱＣＬ関係を有するアンテナポートが限定されないことを決定する。
【０３９８】
任意選択で、前述の段階または実施形態において、目標チャネルおよび／または信号によって占有されるシンボルの一部または全部で、ＵＥが第３チャネルおよび／または信号を送信する場合、ＵＥは、第３チャネルおよび／または信号のための送信ビームまたは受信ビームが、目標チャネルおよび／または信号のものと同一であるかどうかを決定する必要がある、または、ＵＥは、第３チャネルおよび／または信号のためのアンテナポートと、目標チャネルおよび／または信号のためのアンテナポートとの間にＱＣＬ関係が存在するかどうかを決定する必要がある。任意選択で、本発明における、目標チャネルおよび／または信号を示すための方法が、第３チャネルおよび／または信号を示す、例えば、第３チャネルおよび／または信号と第４リソースとの間の対応関係を示す、または、第３チャネルおよび／または信号とビームまたは空間フィルタとの間の対応関係、または、第３チャネルおよび／または信号のためのポートと、第４リソース上で送信される信号のためのポートとの間にＱＣＬ関係が存在するかどうかを示すために使用され得る。この場合、ＵＥは、第２リソースが第４リソースと同一であるかどうかに基づいて、第３チャネルおよび／または信号のための送信ビームまたは受信ビームが目標チャネルおよび／または信号のためのものと同一であるかどうかを決定し得る（ビームは、空間フィルタであり得る）、または、ＵＥは、第３チャネルおよび／または信号のためのアンテナポートと、目標チャネルおよび／または信号のためのアンテナポートとの間にＱＣＬ関係が存在するかどうかを決定する必要がある。
【０３９９】
任意選択で、第３チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つであり得る。
【０４００】
任意選択で、第３チャネルおよび／または信号のための送信ビームまたは受信ビームが目標チャネルおよび／または信号のものと同一であるとＵＥが決定した場合、または、第３チャネルおよび／または信号のためのアンテナポートと、目標チャネルおよび／または信号のためのアンテナポートとの間にＱＣＬ関係が存在するとＵＥが決定する必要がある場合、ＵＥは、目標チャネルおよび／または信号、および、第３チャネルおよび／または信号を送信する。第３チャネルおよび／または信号のための送信ビームまたは受信ビームが目標チャネルおよび／または信号のものと異なるとＵＥが決定した場合、または、第３チャネルおよび／または信号のためのアンテナポートと、目標チャネルおよび／または信号のためのアンテナポートとの間にＱＣＬ関係が存在しないとＵＥが決定した場合、以下の実装方法が利用可能である。
【０４０１】
実装方法１：ＵＥは、事前定義された優先度に基づいて、目標チャネルおよび／または信号、ならびに、第３チャネルおよび／または信号のうちの１つをシンボル上で送信することを決定する。例えば、事前定義された優先度は、ＰＵＳＣＨの優先度がＳＲＳより低いこと、および、ＰＵＣＣＨの優先度がＳＲＳより高いことであり得る。この場合、例えば、目標チャネルまたは信号、またはその両方がＳＲＳであり、かつ、第３チャネルおよび／または信号がＰＵＳＣＨである場合、ＰＵＳＣＨはＳＲＳのシンボルにマッピングされず、レートマッチングが実行される。別の例として、目標チャネルおよび／または信号がＰＵＣＣＨであり、かつ、第３チャネルおよび／または信号がＳＲＳである場合、ＳＲＳはＰＵＣＣＨのシンボルにマッピングされない。加えて、例えば、ＰＵＳＣＨ上でアップリンク制御情報を搬送する、または、ＤＭＲＳを搬送するシンボルの優先度は、ＳＲＳのものより高いこと、または、ＰＵＳＣＨ上の前方配置ＤＭＲＳ（ｆｒｏｎｔ−ｌｏａｄｅｄ  ＤＭＲＳ）のシンボルの優先度は、ＳＲＳのものより高く、ＰＵＳＣＨ上の追加のＤＭＲＳ（ａｄｄｉｔｉｏｎａｌ  ＤＭＲＳ）の優先度がＳＲＳのものより低い、または、より高いことが更に定義され得る。別の例として、ＣＳＩを搬送するＰＵＣＣＨの優先度はＳＲＳのものより低いことが定義され得る。例えば、目標チャネルおよび／または信号がＰＵＣＣＨであり、かつ、第３チャネルおよび／または信号がＳＲＳである場合、ＰＵＣＣＨはＳＲＳのシンボルにマッピングされない。任意選択で、シンボルの数、フォーマット、占有された周波数領域リソースの数、または、ＰＵＣＣＨの占有されたＲＢの数は、事前定義された方式で調整され得て、その結果、ＰＵＣＣＨはＳＲＳのシンボルにマッピングされず、ＵＥはＰＵＣＣＨを送信できる。
【０４０２】
実装方法２：基地局は優先度情報を設定する。例えば、実装方法１における優先度は基地局によって設定されないことがあり得て、例えば、ＲＲＣシグナリングまたはＭＡＣ  ＣＥシグナリングを使用することによって設定される。ＵＥは、基地局によって設定された優先度情報、および、実装方法１における方法に基づいて、目標チャネルおよび／または信号と第３チャネルおよび／または信号との間のマッピングおよび／またはレートマッチングを決定する。
【０４０３】
任意選択で、前述の実装方法において、目標チャネルおよび／または信号によって占有される周波数領域リソースは、第３チャネルおよび／または信号によって占有される周波数領域リソースと異なり得る、または、それと部分的もしくは完全に重複する。
【０４０４】
任意選択で、前述の実装方法において、目標チャネルおよび／または信号の時間−周波数リソースの一部または全部が、第３チャネルおよび／または信号のものと同一である場合、以下の処理方法が利用可能である。
【０４０５】
処理方法１：前述の実装方法における優先度に基づいて、高い優先度のチャネルおよび／または信号を決定する。ＵＥが、高い優先度のチャネルおよび／または信号の設定に基づいて、高い優先度のチャネルおよび／または信号をマッピングし、ＵＥは、低い優先度のチャネルおよび／または信号を送信しない。
【０４０６】
処理方法２：前述の実装方法における優先度に基づいて、高い優先度のチャネルおよび／または信号を決定する。ＵＥが、高い優先度のチャネルおよび／または信号の設定に基づいて、高い優先度のチャネルおよび／または信号をマッピングし、ＵＥは、高い優先度のチャネルおよび／または信号の時間−周波数リソース以外の時間−周波数リソース上で、低い優先度のチャネルおよび／または信号を送信する。具体的には、低い優先度のチャネルおよび／または信号がＰＵＳＣＨであるとき、ＰＵＳＣＨは、高い優先度のチャネルおよび／または信号の時間−周波数リソース以外の、基地局によって設定またはスケジューリングされる、ＰＵＳＣＨを送信するために使用される時間−周波数リソースにマッピングされる。低い優先度のチャネルおよび／または信号がＳＲＳであるとき、目標チャネルおよび／または信号の一部または全部の時間−周波数リソースが第３チャネルおよび／または信号のものと同一であるシンボル上で、ＳＲＳは、設定されたＳＲＳ帯域幅における高い優先度のチャネルおよび／または信号の周波数領域リソースとは異なる周波数領域リソースにおける一部または全部のリソースにマッピングされる。例えば、具体的には、ＳＲＳがマッピングされる帯域幅は、４個のＲＢの整数倍であり、ＳＲＳがマッピングされる周波数領域リソースは連続することが確実にされる必要がある。更に、ＵＥは、ＳＲＳがマッピングされる周波数領域リソースに基づいてＳＲＳのシーケンスを決定し得る。低い優先度のチャネルおよび／または信号がＰＵＣＣＨであるとき、ＰＵＣＣＨは、高い優先度のチャネルおよび／または信号の時間−周波数リソース以外の時間−周波数リソースにマッピングされ、ＵＥは、ＰＵＣＣＨがマッピングされるリソースに基づいて、ＰＵＣＣＨのシンボルの数、フォーマットおよび帯域幅、ならびに、ＰＵＣＣＨに含まれるアップリンク制御情報のうち少なくとも１つを決定し、ＰＵＣＣＨを送信する。
【０４０７】
任意選択で、第１指示情報が無いとき、または、送信ビームが無いとき、処理方法１および処理方法２が更に使用され得る。
【０４０８】
本発明の拡張において、情報伝送方法は更に、ダウンリンク方向に拡張され得る。この場合、ＵＥは、第１リソースおよび第１指示情報に基づいて第２リソースを決定し、第２リソースに対応するビームに基づいてダウンリンク受信ビームを決定する。例えば、本発明の本実施形態における、送信ビームを決定するためにアップリンク方向において使用される方法は、受信ビームを決定するためにダウンリンク方向において使用され得る。
【０４０９】
ＵＥが、基地局によって送信された第１指示情報を受信した後に、ＵＥはまず、第１指示情報に含まれる対応関係と、設定されたリソースグループに含まれる第１リソースとに基づいて、第１リソースに対応する第２リソースを決定し、次に、第２リソースとビームとの間の知られている対応関係と、第２リソースに対応するビームとに基づいて、目標チャネルおよび／または信号についてのダウンリンク受信ビームを決定し得る。
【０４１０】
例えば、ＵＥが第２リソースおよび対応するビーム上で他の情報を受信したとき、第２リソースとダウンリンク受信ビームとの間の対応関係は知られており、この場合、第２リソースに対応するダウンリンク受信ビームは、目標チャネルおよび／または信号のためのダウンリンク受信ビームとして直接決定され得る。ＵＥが第２リソースおよび対応するビーム上で他の情報を送信するとき、第２リソースとアップリンク送信ビームとの間の対応関係は知られており、この場合、目標チャネルおよび／または信号のためのダウンリンク受信ビームは、アップリンクビームとダウンリンクビームとの間の対応関係を使用することによって、第２リソースに対応するアップリンク送信ビームに基づいて決定され得る。任意選択で、ビームは、空間フィルタでもあり得る、または、ＱＣＬ関係が、第２リソース上で送信される信号のためのアンテナポートと、目標チャネルおよび／または信号のためのアンテナポートとの間に存在する。
【０４１１】
任意選択で、前述の段階および実施形態において、第１リソースと第２リソースとの間の対応関係を示す対応する第１シグナリングが無い場合、第１リソースと、第１リソースの前の目標チャネルおよび／または信号の送信のために占有されたリソースとの間に対応関係が存在することが事前定義される。例えば、前回の目標チャネルおよび／または信号を受信するためのビームまたは空間フィルタが、今回の目標チャネルおよび／または信号を送信するために使用される、または、例えば、ＱＣＬ関係が、目標チャネルおよび／または信号のためのアンテナポートと、前回のチャネルおよび／または信号を送信するためのアンテナポートとの間に存在する。任意選択で、第１リソースと第２リソースとの間の対応関係を示す対応する第１シグナリングが無い場合、ユーザ機器自体が、目標チャネルおよび／または信号のために使用される受信ビーム、または、目標チャネルおよび／または信号とのＱＣＬ関係を有する信号を決定することが事前定義される。任意選択で、第１リソースと第２リソースとの間の対応関係を示す対応する第１シグナリングが無く、かつ、目標チャネルおよび／または信号が初めて受信された場合、ユーザ機器自体が、目標チャネルおよび／または信号のために使用される受信ビーム、または、目標チャネルおよび／または信号とのＱＣＬ関係を有する信号を決定することが事前定義される。
【０４１２】
任意選択で、前述の段階または実施形態において、目標チャネルおよび／または信号によって占有されるシンボルの一部または全部で、第３チャネルおよび／または信号をＵＥが受信する、または、基地局が送信する場合、ＵＥは、第３チャネルおよび／または信号のための送信ビームまたは受信ビームが、目標チャネルおよび／または信号のものと同一であるかどうかを決定する必要がある（ビームは空間フィルタであり得る）、または、ＵＥは、第３チャネルおよび／または信号のためのアンテナポートと、目標チャネルおよび／または信号のためのアンテナポートとの間にＱＣＬ関係が存在するかどうかを決定する必要がある。任意選択で、本発明における、目標チャネルおよび／または信号を示すための方法が、第３チャネルおよび／または信号を示す、例えば、第３チャネルおよび／または信号と第４リソースとの間の対応関係を示す、または、第３チャネルおよび／または信号とビームまたは空間フィルタとの間の対応関係、または、第３チャネルおよび／または信号のためのポートと、第４リソース上で送信される信号のためのポートとの間にＱＣＬ関係が存在するかどうかを示すために使用され得る。この場合、ＵＥは、第２リソースが第４リソースと同一であるかどうかに基づいて、第３チャネルおよび／または信号のための受信ビームが目標チャネルおよび／または信号のためのものと同一であるかどうかを決定し得る（ビームは、空間フィルタであり得る）、または、ＵＥは、第３チャネルおよび／または信号のためのアンテナポートと、目標チャネルおよび／または信号のためのアンテナポートとの間にＱＣＬ関係が存在するかどうかを決定する必要がある。
【０４１３】
この場合、第３チャネルおよび／または信号は、ダウンリンクチャネルおよび／または信号であり、主同期信号、副同期信号、同期信号ブロック、物理ブロードキャストチャネル、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、復調参照信号（ＤＭＲＳ、Ｄｅｍｏｄｕｌａｔｉｏｎ  ｒｅｆｅｒｅｎｃｅ  ｓｉｇｎａｌ）、物理ダウンリンク制御チャネル、物理ダウンリンク共有チャネルおよび制御リソースセットＣＯＲＥＳＥＴのうち少なくとも１つであり得る。
【０４１４】
任意選択で、第３チャネルおよび／または信号のための受信ビームが目標チャネルおよび／または信号のものと同一であるとＵＥが決定した場合、または、第３チャネルおよび／または信号のためのアンテナポートと、目標チャネルおよび／または信号のためのアンテナポートとの間にＱＣＬ関係が存在するとＵＥが決定する必要がある場合、ＵＥは、目標チャネルおよび／または信号、および、第３チャネルおよび／または信号を受信する。第３チャネルおよび／または信号のための受信ビームが目標チャネルおよび／または信号のものと異なるとＵＥが決定した場合、または、第３チャネルおよび／または信号のためのアンテナポートと、目標チャネルおよび／または信号のためのアンテナポートとの間にＱＣＬ関係が存在しないとＵＥが決定した場合、以下の実装方法が利用可能である。
【０４１５】
実装方法１：ＵＥが、事前定義された優先度に基づいて、目標チャネルおよび／または信号、および、第３チャネルおよび／または信号のうちの１つは、シンボル上で受信される、または、シンボルにマッピングされると決定する。例えば、事前定義された優先度は、ＰＤＳＣＨの優先度がＣＳＩ−ＲＳのものより低いこと、および、ＰＤＣＣＨの優先度はＣＳＩ−ＲＳのものより高いことであり得る。この場合、例えば、目標チャネルおよび／または信号がＣＳＩ−ＲＳであり、かつ、第３チャネルおよび／または信号がＰＤＳＣＨである場合、ＰＤＳＣＨはＣＳＩ−ＲＳのシンボルにマッピングされず、レートマッチングが実行される。別の例として、目標チャネルおよび／または信号がＰＤＣＣＨであり、かつ、第３チャネルおよび／または信号がＣＳＩ−ＲＳである場合、ＣＳＩ−ＲＳはＰＳＣＣＨのシンボルにマッピングされない。加えて、例えば、ＰＤＳＣＨ上の前方配置ＤＭＲＳ（ｆｒｏｎｔ−ｌｏａｄｅｄ  ＤＭＲＳ）を搬送するシンボルの優先度は、ＣＳＩ−ＲＳのものより高いこと、および、ＰＤＳＣＨ上の追加のＤＭＲＳ（ａｄｄｉｔｉｏｎａｌ  ＤＭＲＳ）の優先度は、ＳＲＳのものより低い、または、より高いことが更に定義され得る。別の例として、目標チャネルおよび／または信号がＣＳＩ−ＲＳであり、かつ、第３チャネルおよび／または信号が同期信号または同期信号ブロックである場合、ＣＳＩ−ＲＳはシンボルにマッピングされない。
【０４１６】
実装方法２：基地局は優先度情報を設定する。例えば、実装方法１における優先度は基地局によって設定されないことがあり得て、例えば、ＲＲＣシグナリングまたはＭＡＣ  ＣＥシグナリングを使用することによって設定される。ＵＥは、基地局によって設定された優先度情報、および、実装方法１における方法に基づいて、目標チャネルおよび／または信号と第３チャネルおよび／または信号との間のマッピングおよび／またはレートマッチングを決定する。
【０４１７】
任意選択で、第３チャネルおよび／または信号の受信ビームが、目標チャネルおよび／または信号のためのアンテナポートの第１部分のものと同一であるとＵＥが決定した場合、または、第３チャネルおよび／または信号のためのアンテナポートと、目標チャネルおよび／または信号のためのアンテナポートの第１部分との間にＱＣＬ関係が存在するとＵＥが決定する必要がある場合、ＵＥは、アンテナポートの第１部分における目標チャネルおよび／または信号、ならびに、第３チャネルおよび／または信号を受信する。例えば、目標チャネルおよび／または信号がＰＤＳＣＨ、または、ＰＤＳＣＨのＤＭＲＳであり、かつ、第３チャネルおよび／または信号がＣＳＩ−ＲＳであるとき、目標チャネルおよび／または信号のためのアンテナポートの第１部分は、ＤＭＲＳグループにおけるアンテナポートであり得る。第３チャネルおよび／または信号のための受信ビームが、目標チャネルおよび／または信号のためのアンテナポートの第２部分と異なるとＵＥが決定する場合、または、第３チャネルおよび／または信号のためのアンテナポートと、目標チャネルおよび／または信号のためのアンテナポートの第２部分との間にＱＣＬ関係が存在しないとＵＥが決定した場合、以下の実装方法が利用可能となる。
【０４１８】
実装方法１：ＵＥが、事前定義された優先度に基づいて、アンテナポートの第２部分上の目標チャネルおよび／または信号、および、第３チャネルおよび／または信号のうちの１つは、シンボル上で受信される、または、シンボルにマッピングされると決定する。例えば、事前定義された優先度は、ＰＤＳＣＨの優先度がＣＳＩ−ＲＳより低いことであり得る。この場合、例えば、目標チャネルおよび／または信号がＰＤＳＣＨ、または、ＰＤＳＣＨのＤＭＲＳであり、かつ、第３チャネルおよび／または信号がＣＳＩ−ＲＳである場合、アンテナポートの第２部分上のＰＤＳＣＨは、ＣＳＩ−ＲＳのシンボルにマッピングされず、レートマッチングが実行される。
【０４１９】
実装方法２：基地局は優先度情報を設定する。例えば、実装方法１における優先度は基地局によって設定されないことがあり得て、例えば、ＲＲＣシグナリングまたはＭＡＣ  ＣＥシグナリングを使用することによって設定される。ＵＥは、基地局によって設定された優先度情報、および、実装方法１における方法に基づいて、アンテナポートの第２部分における目標チャネルおよび／または信号と、第３チャネルおよび／または信号との間のマッピングおよび／またはレートマッチングを決定する。
【０４２０】
任意選択で、基地局は、第３チャネルおよび／または信号のためのアンテナポートと、目標チャネルおよび／または信号のためのアンテナポートとの間の関連を設定し、第３チャネルおよび／または信号、ならびに、目標チャネルおよび／または信号は、関連ポート上で同時に送信され得る。具体的には、第３チャネルおよび／または信号のためのアンテナポートａと、目標チャネルおよび／または信号のためのアンテナポートｂとの間に関連が存在する場合、第３チャネルおよび／または信号のためのアンテナポートａの受信ビームが目標チャネルおよび／または信号のためのアンテナポートｂの受信ビームと同一であるかどうか、または、第３チャネルおよび／または信号のためのアンテナポートａと、目標チャネルおよび／または信号のためのアンテナポートｂとの間にＱＣＬ関係が存在するかどうかにかかわらず、第３チャネルおよび／または信号は、アンテナポートａ上で送信され得て、目標チャネルおよび／または信号はアンテナポートｂ上で同時に送信され得る。
【０４２１】
任意選択で、第３信号および／またはチャネルのためのアンテナポートと、目標チャネルおよび／または信号のためのアンテナポートとの間の関連もユーザ機器によって報告され得る。
【０４２２】
任意選択で、既に使用された第ｋ回目の受信ビームが目標チャネルおよび／または信号のために使用されること、または、第１リソースが、既に示された第ｋ回目の第２リソースに対応することを示すために第１指示情報が使用される場合（ここで、ｋは基地局によって設定または事前定義され得て、例えば、ｋ＝１またはｋ＝２）、ＵＥは、既に使用された第ｋ回目の受信ビームを使用する、または、既に示された第ｋ回目の第１リソースと第２リソースとの間の対応関係に基づいて、アップリンク送信ビームまたは受信ビームを決定する、または、既に示された第ｋ回目の第１リソースと第２リソースとの間の対応関係に基づいて、目標チャネルおよび／または信号に使用されるアンテナポートと、第２リソース上で送信される信号のために使用されるアンテナポートとの間にＱＣＬ関係が存在すると決定する。具体的には、本発明の本実施形態における、受信ビームまたは受信ビーム、または、ＱＣＬ関係を決定するための方法が使用され得る。
【０４２３】
任意選択で、第１指示情報は、目標チャネルおよび／または信号に使用される受信ビームがＵＥ自体によって決定されること、または、目標チャネルおよび／または信号に使用されるアンテナポートとのＱＣＬ関係を有するアンテナポートが限定されないことを示すために使用される場合、ＵＥ自体が、目標チャネルおよび／または信号のための受信ビーム、または、目標チャネルおよび／または信号に使用されるアンテナポートとのＱＣＬ関係を有するアンテナポートが限定されないことを決定する。
【０４２４】
任意選択で、解決するための別の実装において、前述の段階および実施形態において、第１リソースと第２リソースとの間の対応関係を示す対応する第１シグナリングが無い場合、第１リソースと、第１リソースの前の目標チャネルおよび／または信号の送信のために占有されたリソースとの間に対応関係が存在することが事前定義される。例えば、前回の目標チャネルおよび／または信号を送信するためのビームまたは空間フィルタが、今回の目標チャネルおよび／または信号を送信するために使用される、または、例えば、ＱＣＬ関係が、目標チャネルおよび／または信号のためのアンテナポートと、前回のチャネルおよび／または信号を送信するためのアンテナポートとの間に存在する。任意選択で、第１リソースと第２リソースとの間の対応関係を示す対応する第１シグナリングが無い場合、ユーザ機器自体が、目標チャネルおよび／または信号のために使用される受信ビームを、または、目標チャネルおよび／または信号とのＱＣＬ関係を有する信号決定する必要があることが事前定義される。任意選択で、第１リソースと第２リソースとの間の対応関係を示す対応する第１シグナリングが無く、かつ、目標チャネルおよび／または信号が初めて送信される場合、ユーザ機器自体が、目標チャネルおよび／または信号に使用される受信ビーム、または、目標チャネルおよび／または信号とのＱＣＬ関係を有する信号を決定する必要があること、または、目標チャネルおよび／または信号とのＱＣＬ関係を有する信号が限定されないことが事前定義される。
【０４２５】
５０６．ＵＥが、第１リソースおよびアップリンク送信ビーム上で、目標チャネルおよび／または信号を送信する。
【０４２６】
本発明の本実施形態における段階５０１から段階５０６の詳細な説明は、本発明の別の実施形態における段階４０１から段階４０６の詳細な説明と同様であることに留意すべきである。本発明の本実施形態における段階５０１から段階５０６の詳細な説明については、本発明の別の実施形態における段階４０１から段階４０６の詳細な説明を参照されたい。ここでは詳細を更に説明しない。
【０４２７】
本発明の本実施形態によって提供される情報伝送方法において、基地局は、目標チャネルおよび／または信号を送信するために使用される少なくとも１つの第１リソースをＵＥのために設定し、第１リソースと第２リソースとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０４２８】
図６は、本発明の一実施形態に係る別の情報伝送方法のフローチャートである。図６に示すように、方法は以下の段階を備え得る。
【０４２９】
６０１．ＵＥは能力指示情報を基地局へ送信する。
【０４３０】
基地局がＵＥのビーム能力に基づいてＵＥのためにリソースを設定することを可能にするべく、ＵＥは、自身のビーム能力を基地局へ報告し得る。具体的には、ＵＥは、能力指示情報を基地局へ送信することによって自身のビーム能力を報告し得る。
【０４３１】
例えば、ＵＥは、メッセージ３（Ｍｅｓｓａｇｅ  ３）および／またはアップリンク上位層シグナリングを使用することによって、能力指示情報を基地局へ送信し得る。
【０４３２】
能力指示情報は、ＵＥによって能力タイプ内においてサポートされるビームの最大数を含む、または、能力指示情報は、ＵＥによって能力タイプ内においてサポートされるビームの最大数の量子化値を含む。能力タイプは、ビームマネジメントステージおよび／またはビームの任意選択範囲を含み得る。加えて、能力タイプは事前定義され得る、または、基地局によって設定され得る。
【０４３３】
例えば、能力タイプがビームマネジメントステージを含むとき、ビームマネジメントステージは、Ｕ−１ステージ、Ｕ−２ステージおよびＵ−３ステージを含み得る。Ｕ−１ステージにおいて、基地局は、ＵＥの異なる送信ビームを測定し得て、それにより、ＵＥの送信ビームの選択、または、基地局の受信ビームの選択をサポートする。Ｕ−２ステージにおいて、基地局は、自身の異なる受信ビームを測定し得て（この場合、これに対応して、ＵＥは同一の送信ビーム上で信号を基地局へ送信し得る）、それにより、基地局内、または、基地局間の可能な受信ビームの切り替えをサポートする。Ｕ−３ステージにおいて、基地局は、自身の異なる受信ビームを測定し得て（この場合、これに対応して、ＵＥは異なる送信ビーム上で信号を基地局へ送信し得る）、その結果、ＵＥはビームフォーミングシナリオにおいて自身の送信ビームを変更できる。
【０４３４】
能力タイプがビームの任意選択範囲を含むとき、ビーム（送信ビームを指す）の任意選択範囲は、０度〜３６０度または４５度〜１３５度などを含み得る。
【０４３５】
例えば、能力タイプがビームマネジメントステージを含み、かつ、ＵＥによって能力タイプ内においてサポートされるビームの最大数が能力指示情報の報告に使用されるとき、図７に示されるように、Ｕ−１ステージにおいてＵＥによってサポートされるビームの最大数が４であり、かつ、Ｕ−３ステージにおいてＵＥによってサポートされるビームの最大数が５であると想定すると、ＵＥによって基地局へ送信される能力指示情報は、Ｕ−１ステージにおいてサポートされるビームの最大数が４であること、および、Ｕ−３ステージにおいてサポートされるビームの最大数が５であることを含み得る。
【０４３６】
別の例として、能力タイプがビームの任意選択範囲を含み、かつ、ＵＥによって能力タイプ内においてサポートされるビームの最大数の量子化値が能力指示情報の報告に使用されるとき、０度〜３６０度においてＵＥによってサポートされるビームの最大数が１６であり、４５度〜１３５度においてＵＥによってサポートされるビームの最大数が４であり、かつ、ビームの数が８以上１６未満であるとき対応する量子化値が２であり、ビームの数が１以上８未満であるとき対応する量子化値が１であると想定すると、ＵＥによって基地局へ送信される能力指示情報は、０度〜３６０度においてサポートされるビームの最大数の量子化値は２であること、および、４５度〜１３５度においてサポートされるビームの最大数の量子化値は１であることを含み得る。
【０４３７】
６０２．基地局がＵＥによって送信された能力指示情報を受信する。
【０４３８】
６０３．基地局が、能力指示情報に基づいてＵＥのためにリソースグループを設定する。
【０４３９】
リソースグループは、少なくとも１つのリソースサブグループを含み得て、リソースサブグループは少なくとも１つの第１リソースを含み、第１リソースは、目標チャネルおよび／または信号を送信するためにＵＥによって使用される。
【０４４０】
本発明の本実施形態において、第１リソースは、時間領域リソース、周波数領域リソース、符号領域リソースおよびアンテナポートのうち少なくとも１つを含み得る。目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号およびアップリンク復調参照信号のうち少なくとも１つを含む。
【０４４１】
基地局が、ＵＥによって送信された能力指示情報を受信した後に、基地局は、ＵＥによって異なる能力タイプ内においてサポートされるビームの最大数、または、サポートされるビームの最大数の量子化値に基づいて、対応する能力タイプに対応するリソースグループをＵＥのために設定し得る。原理としては、ＵＥのために設定されたリソースグループを分割することによって取得され得るリソースサブグループの数は、対応する能力タイプにおけるＵＥのビームの最大数以下である。
【０４４２】
段階６０３の詳細な説明は、本発明の別の実施形態における段階４０１の詳細な説明と同様であることに留意すべきである。本発明の本実施形態における段階６０３の詳細な説明については、本発明の別の実施形態における段階４０１の詳細な説明を参照されたい。本発明の本実施形態において、ここでは詳細を更に説明しない。
【０４４３】
６０４．基地局が第２指示情報をＵＥへ送信する。
【０４４４】
リソースグループの分割を実装するべく、基地局は更に、リソースグループを少なくとも１つのリソースサブグループに分割するためにＵＥによって使用される第２指示情報をＵＥへ送信し得る。
【０４４５】
６０５．ＵＥが、基地局によってＵＥのために設定されるリソースグループを取得する。
【０４４６】
６０６．ＵＥが、基地局によって送信された第２指示情報を受信する。
【０４４７】
６０７．ＵＥが、第２指示情報に基づいて、リソースグループを少なくとも１つのリソースサブグループに分割する。
【０４４８】
ＵＥが、基地局によって設定されたリソースグループを取得し、基地局によって送信された第２指示情報を受信した後に、ＵＥは、第２指示情報によって示されるグループ化方式において、取得されたリソースグループを少なくとも１つのリソースサブグループに分割し得る。
【０４４９】
６０８．基地局が第１指示情報をＵＥへ送信し、第１指示情報は、第１リソースとビームとの間の対応関係を示すために使用される。
【０４５０】
ビームはアップリンク送信ビームであり得る、または、ダウンリンク受信ビームであり得る。ＵＥが目標チャネルおよび／または信号を送信するときにビームフォーミングを実装できるようにするべく、基地局は、第１指示情報を使用することによって、ＵＥのために設定されたリソースグループにおける各第１リソースと、ビームとの間の対応関係をＵＥに示す。
【０４５１】
特定の実装において、基地局は、以下の異なる方式で、ＵＥのために設定されたリソースグループにおける各第１リソースと、ビームとの間の対応関係をＵＥに示し得る。
【０４５２】
方式１：第１指示情報は、リソースサブグループにおける各第１リソースの識別子、および、各第１リソースの識別子に対応するビームの番号を含む。
【０４５３】
同一の識別子が、異なるリソースサブグループにおける第１リソースを示すために使用され得て、この場合、リソースグループに含まれるすべてのリソースサブグループについて、対応関係は、第１リソースが同一のビームに対応すると決定するために使用され得る。
【０４５４】
方式２：第１指示情報は、各リソースサブグループの識別子、および、各リソースサブグループの識別子に対応するビームの番号を含む。言い換えれば、各リソースサブグループに含まれるすべての第１リソースは同一のビームに対応する。ビームがダウンリンク送信ビームまたはアップリンク受信ビームである場合、ユーザ機器は、各サブリソース上で、ダウンリンク送信ビームまたはアップリンク受信ビームと対になったアップリンク送信ビームを使用することによって、目標チャネルおよび／または信号を送信する。
【０４５５】
方式３：第１指示情報は、各リソースサブグループの識別子、および、各リソースサブグループの識別子に対応するビームグループにおける各ビームの番号を含み、ビームグループは少なくとも１つのビームを含む。
【０４５６】
例えば、ビームグループは、Ｕ−１ステージにおける送信ビームに含まれる、Ｕ−３ステージにおけるＵＥのものである送信ビームであり得る、または、基地局によって定義されたビームグループであり得る。
【０４５７】
方式４：第１指示情報は、各リソースサブグループの識別子、および、各リソースサブグループの識別子に対応するビームグループの番号を含む。
【０４５８】
言い換えれば、方式３から方式４において、各リソースサブグループはビームグループに対応する。当然ながら、ビームグループにおけるビームの番号、または、複数のリソースサブグループの識別子に対応するビームグループの番号は同一であり得る。言い換えれば、複数のリソースサブグループは１つのビームグループに対応し得る。
【０４５９】
方式５：第１指示情報はビームグループにおける各ビームの番号を含む。
【０４６０】
方式６：第１指示情報はビームグループの番号を含む。
【０４６１】
言い換えれば、方式５および方式６において、すべてのリソースサブグループは１つのビームグループに対応する。
【０４６２】
リソースグループが少なくとも１つのリソースサブグループに分割され、リソースグループにおける各第１リソースとビームとの間の対応関係が方式２から方式６において示されるので、第１指示情報のシグナリングオーバーヘッドを効果的に低減できる。
【０４６３】
方式７：第１指示情報は、各リソースサブグループの識別子、および、各リソースサブグループの識別子に対応するビームの任意選択範囲を含む。
【０４６４】
基地局がＵＥのビーム能力を認識していないとき、基地局は、方式７において、ＵＥのために設定されたリソースグループにおける各第１リソースと、ビームとの間の対応関係をＵＥに示し得て、その結果、ＵＥ自体は、ある範囲内のビームを選択でき、より正確なビーム探索を実装できる。
【０４６５】
方式８：第１指示情報は、各第１リソースの識別子と、各第１リソースの識別子に対応するビームの番号とを含む。
【０４６６】
方式９：第１指示情報は、各第１リソースの識別子と、各第１リソースの識別子に対応するビームグループにおける各ビームの番号とを含み、ビームグループは、少なくとも１つのビームを含む（異なる第１リソースは、同一のビームグループに対応し得る）。
【０４６７】
方式１０：第１指示情報は、各第１リソースの識別子と、各第１リソースの識別子に対応するビームグループの番号とを含む（異なる第１リソースの識別子は同一のビームグループの番号に対応し得る）。
【０４６８】
言い換えれば、方式９および方式１０において、各第１リソースは１つのビームグループに対応する。当然ながら、ビームグループにおけるビームの番号、または、複数の第１リソースの識別子に対応するビームグループの番号は同一であり得る。言い換えれば、複数の第１リソースは１つのビームグループに対応し得る。
【０４６９】
方式１１：第１指示情報は、各第１リソースの識別子と、各第１リソースの識別子に対応するビームの任意選択範囲とを含む。基地局がＵＥのビーム能力を認識していないとき、基地局は、方式１１において、ＵＥのために設定されたリソースグループにおける各第１リソースとビームとの間の対応関係をＵＥに示し得る。
【０４７０】
基地局が第１指示情報をＵＥへ送信する前に、基地局は更に、ビームと、ビームの番号との間の対応関係を示すために使用される設定情報をＵＥへ送信する必要があり、ビームの番号は、基地局によって選択されるビームのシーケンス番号であり得る。
【０４７１】
６０９．ＵＥが、基地局によって送信された第１指示情報を受信する。
【０４７２】
６１０．ＵＥが、第１リソースおよび第１指示情報に基づいてアップリンク送信ビームを決定する。
【０４７３】
基地局が、段階６０８における方式１において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥは、第１指示情報に含まれる、リソースサブグループにおける各第１リソースの識別子、および、各第１リソースの識別子に対応するビームの番号に基づいて、第１リソースに対応するビームの番号を直接決定し、次に、ビームの番号に対応するビームに基づいてアップリンク送信ビームを決定し得る。
【０４７４】
基地局が、段階６０８における方式２において、ＵＥのために設定されるリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥはまず、第１リソースが属するリソースサブグループの識別子を決定し、次に、リソースサブグループの決定された識別子、ならびに、第１指示情報に含まれる、各リソースサブグループの識別子、および、各リソースサブグループの識別子に対応するビームの番号に基づいて、リソースサブグループの識別子に対応するビームの番号を決定し、ビームの番号に対応するビームに基づいてアップリンク送信ビームを決定し得る。ビームがダウンリンク送信ビームまたはアップリンク受信ビームである場合、ユーザ機器は、各サブリソース上で、ダウンリンク送信ビームまたはアップリンク受信ビームと対になったアップリンク送信ビームを使用することによって、目標チャネルおよび／または信号を送信する。
【０４７５】
基地局が、段階６０８における方式３において、ＵＥのために設定されるリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥはまず、第１リソースが属するリソースサブグループの識別子を決定し、次に、リソースサブグループの決定された識別子、ならびに、第１指示情報に含まれる、各リソースサブグループの識別子、および、各リソースサブグループの識別子に対応するビームの番号に基づいて、リソースサブグループの識別子に対応するビームグループにおける各ビームの番号を決定し、ビームグループにおけるビームに基づいてアップリンク送信ビームを決定し得る。
【０４７６】
基地局が、方式４において、ＵＥのために設定されたリソースグループにおける各第１リソースとビームとの間の対応関係をＵＥに示すとき、ＵＥが第１リソースおよび第１指示情報に基づいてアップリンク送信ビームを決定する具体的なプロセスは、基地局が方式３において第１リソースとビームとの間の対応関係をＵＥに示すときに、ＵＥがアップリンク送信ビームを決定するプロセスと同様である。本発明の本実施形態において、ここでは詳細を更に説明しない。
【０４７７】
基地局が方式５または方式６において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥは、ビームグループにおけるビームに基づいてアップリンク送信ビームを決定し得る。第１リソースが属するリソースサブグループにおけるすべての第１リソースは、１つのアップリンク送信ビームに対応する。
【０４７８】
基地局が方式７において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥはまず、第１リソースが属するリソースサブグループの識別子を決定し、次に、決定されたリソースサブグループの識別子、ならびに、第１指示情報に含まれる各リソースサブグループの識別子、および、各リソースサブグループの識別子に対応するビームの任意選択範囲に基づいて、リソースサブグループの識別子に対応するビームの任意選択範囲を決定し、ビームの任意選択範囲に基づいてアップリンク送信ビームを決定し得る。
【０４７９】
基地局が、段階６０８における方式８において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥは、第１指示情報に含まれる、第１リソースの識別子、および、各第１リソースの識別子に対応するビームの番号に基づいて、第１リソースに対応するビームの番号を直接決定し、次に、ビームの番号に対応するビームに基づいてアップリンク送信ビームを決定し得る。
【０４８０】
基地局が段階６０８における方式９において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥは、第１指示情報に含まれる第１リソースの識別子、および、各第１リソースの識別子に対応するビームグループにおける各ビームの番号に基づいて、第１リソースの識別子に対応するビームグループにおける各ビームの番号を直接決定し、ビームグループにおけるビームに基づいてアップリンク送信ビームを決定し得る。
【０４８１】
基地局が、方式１０または方式１１において、ＵＥのために設定されたリソースグループにおける各第１リソースとビームとの間の対応関係をＵＥに示すとき、ＵＥが第１リソースおよび第１指示情報に基づいてアップリンク送信ビームを決定する具体的なプロセスは、基地局が方式９において第１リソースとビームとの間の対応関係をＵＥに示すときに、ＵＥがアップリンク送信ビームを決定するプロセスと同様である。本発明の本実施形態において、ここでは詳細を更に説明しない。
【０４８２】
段階６１０の詳細な説明は、本発明の別の実施形態における段階４０５の詳細な説明と同様であることに留意すべきである。本発明の本実施形態における段階６１０の詳細な説明については、別の実施形態における段階４０５の詳細な説明を参照されたい。本発明の本実施形態において、ここでは詳細を更に説明しない。
【０４８３】
６１１．ＵＥが、第１リソースおよびアップリンク送信ビーム上で、目標チャネルおよび／または信号を送信する。
【０４８４】
ＵＥがアップリンク送信ビームを決定した後に、ＵＥは、第１リソースおよび決定されたアップリンク送信ビーム上で目標チャネルおよび／または信号を送信し得て、それにより、目標チャネルおよび／または信号に対するビームフォーミングを実装する。
【０４８５】
本発明の本実施形態によって提供される情報伝送方法において、基地局は、目標チャネルおよび／または信号を送信するために使用される少なくとも１つの第１リソースをＵＥのために設定し、第１リソースとビームとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０４８６】
図８は、本発明の一実施形態に係る別の情報伝送方法のフローチャートである。図８に示されるように、方法は以下の段階を備え得る。
【０４８７】
７０１．ＵＥが能力指示情報を基地局へ送信する。
【０４８８】
７０２．基地局が、ＵＥによって送信された能力指示情報を受信する。
【０４８９】
７０３．基地局が、能力指示情報に基づいて、ＵＥのためにリソースグループを設定する。
【０４９０】
７０４．基地局が第２指示情報をＵＥへ送信する。
【０４９１】
７０５．ＵＥが、ＵＥのために基地局によって設定されたリソースグループを取得する。
【０４９２】
７０６．ＵＥが、基地局によって送信された第２指示情報を受信する。
【０４９３】
７０７．ＵＥが、第２指示情報に基づいて、リソースグループを少なくとも１つのリソースサブグループに分割する。
【０４９４】
７０８．基地局が第１指示情報をＵＥへ送信し、第１指示情報は、第１リソースと第２リソースとの間の対応関係を示すために使用される。
【０４９５】
ＵＥが目標チャネルおよび／または信号を送信するときにビームフォーミングを実装できるようにするべく、基地局は、第１指示情報を使用することによって、ＵＥのために設定されたリソースグループにおける各第１リソースと、第２リソースとの間の対応関係をＵＥに示す。第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含む、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含む。言い換えれば、基地局は、ビームと対応関係にあることが知られている第２リソースと第１リソースとの間の対応関係をＵＥへ送信し得て、その結果、ＵＥはビームフォーミングに必要なビームを決定する。
【０４９６】
特定の実装において、基地局は、以下の異なる方式で、ＵＥのために設定されたリソースグループにおける各第１リソースと、第２リソースとの間の対応関係をＵＥに示し得る。
【０４９７】
方式１．第１指示情報は、リソースサブグループにおける各第１リソースと第２リソースとの間の対応関係を含む。
【０４９８】
以下の方式は、リソースサブグループにおける各第１リソースと第２リソースとの間の対応関係を示すために使用され得る。第１指示情報は具体的には、リソースサブグループにおける各第１リソースの識別子、および、各第１リソースの識別子に対応する第２リソースの識別子を含む。または、第１指示情報は具体的には、ＱＣＬ関係が、各第１リソース上の信号のためのアンテナポートと、第２リソース上の信号のためのアンテナポートとの間に存在することを示すために使用される情報を含む。
【０４９９】
加えて、更に、方式１に基づいて、第１指示情報は更に、各第１リソースとビームの任意選択範囲との間の対応関係を含む。
【０５００】
方式２：第１指示情報は、各リソースサブグループと第２リソースとの間の対応関係を含む。
【０５０１】
以下の方式は、各リソースサブグループと第２リソースとの間の対応関係を示すために使用され得る。第１指示情報は具体的には、各リソースサブグループの識別子、および、各リソースサブグループの識別子に対応する第２リソースの識別子を含む、または、第１指示情報は具体的には、各リソースサブグループ上の信号のためのアンテナポートと第２リソース上の信号のためのアンテナポートとの間にＱＣＬ関係が存在することを示すために使用される情報を含む。
【０５０２】
方式３：第１指示情報は、各リソースサブグループと、第２リソースグループとの間の対応関係を含み、第２リソースグループは少なくとも１つの第２リソースを含む。
【０５０３】
以下の方式は、各リソースサブグループと第２リソースグループとの間の対応関係を示すために使用され得る。第１指示情報は具体的には、各リソースサブグループの識別子と、各リソースサブグループの識別子に対応する第２リソースグループにおける各第２リソースの識別子とを含む、または、第１指示情報は具体的には、各リソースサブグループの識別子と、各リソースサブグループの識別子に対応する第２リソースグループの識別子とを含む。
【０５０４】
方式４：第１指示情報は第２リソースグループにおける各第２リソースの識別子を含む。
【０５０５】
方式５：第１指示情報が第２リソースグループの識別子を含む。
【０５０６】
加えて、更に、方式２から方式５に基づいて、第１指示情報は更に、各リソースサブグループとビームの任意選択範囲との間の対応関係を含む。
【０５０７】
方式６：第１指示情報は、各第１リソースと第２リソースとの間の対応関係を含む。
【０５０８】
以下の方式は、各第１リソースと第２リソースとの間の対応関係を示すために使用され得る。第１指示情報は具体的には、各第１リソースの識別子、および、各第１リソースの識別子に対応する第２リソースの識別子を含む。または、第１指示情報は具体的には、ＱＣＬ関係が、各第１リソース上の信号のためのアンテナポートと、第２リソース上の信号のためのアンテナポートとの間に存在することを示すために使用される情報を含む。
【０５０９】
方式７：第１指示情報は、各第１リソースと第２リソースグループとの間の対応関係を含み、第２リソースグループは少なくとも１つの第２リソースを含む。
【０５１０】
以下の方式は、各第１リソースと第２リソースグループとの間の対応関係を示すために使用され得る。第１指示情報は具体的には、各第１リソースの識別子、および、各第１リソースの識別子に対応する第２リソースグループにおける各第２リソースの識別子を含む。または、第１指示情報は具体的には、各第１リソースの識別子、および、各第１リソースの識別子に対応する第２リソースグループの識別子を含む。または、第１指示情報は具体的には、ＱＣＬ関係が、各第１リソース上の信号のためのアンテナポートと、第２リソースグループ上の信号のためのアンテナポートとの間に存在することを示すために使用される情報を含む。
【０５１１】
方式８：第１指示情報は、各第１リソースとビームの任意選択範囲との間の対応関係を含む。
【０５１２】
任意選択で、図５に対応する実施形態の解決法は、本実施形態においても使用され得る。
【０５１３】
７０９：ＵＥが、基地局によって送信された第１指示情報を受信する。
【０５１４】
７１０．ＵＥが、第１リソースおよび第１指示情報に基づいて、第２リソースを決定し、第２リソースに対応するアップリンク送信ビームを決定する。
【０５１５】
ＵＥが、基地局によって送信された第１指示情報を受信した後に、ＵＥはまず、第１指示情報に含まれる対応関係と、設定されたリソースグループに含まれる第１リソースとに基づいて、第１リソースに対応する第２リソースを決定し、次に、第２リソースとビームとの間の知られている対応関係と、第２リソースに対応するビームとに基づいて、アップリンク送信ビームを決定し得る。
【０５１６】
本発明の本実施形態において、本発明の本実施形態における、第１指示情報に基づいて第２リソースを決定する説明は、本発明の別の実施形態における段階６１０における、第１指示情報に基づいてビームを決定するプロセスと同様であることに留意すべきである。本発明の本実施形態において、第１指示情報に基づ第２リソースを決定する具体的なプロセスはここでは更に説明されない。詳細については、本発明の別の実施形態における段階６１０における、第１指示情報に基づいてビームを決定する詳細な説明を参照されたい。
【０５１７】
加えて、更に、段階７０８における方式１において、第１指示情報が更に各第１リソースとビームの任意選択範囲との間の対応関係を含むとき、ＵＥが第２リソースを決定した後に、ＵＥは、第２リソースに対応するビームを参照ビームとして使用し、次に、参照ビームおよびビームの任意選択範囲に基づいて、ビームの任意選択範囲におけるアップリンク送信ビームを決定し得る。当然、更に、段階７０８における方式２〜方式５においても、第１指示情報が更に各リソースサブグループとビームの任意選択範囲との間の対応関係を含むとき、ＵＥが第２リソースを決定した後に、ＵＥは、第２リソースに対応するビームを参照ビームとして使用し、次に、参照ビームおよびビームの任意選択範囲に基づいて、ビームの任意選択範囲におけるアップリンク送信ビームを決定し得る。
【０５１８】
段階７１０の詳細な説明は、本発明の別の実施形態における段階５０５の詳細な説明と同様であることに留意すべきである。本発明の本実施形態における段階７１０の詳細な説明については、別の実施形態における段階５０５の詳細な説明を参照されたい。本発明の本実施形態において、ここでは詳細を更に説明しない。
【０５１９】
７１１．ＵＥが、第１リソースおよびアップリンク送信ビーム上で、目標チャネルおよび／または信号を送信する。
【０５２０】
本発明の本実施形態によって提供される情報伝送方法において、基地局は、目標チャネルおよび／または信号を送信するために使用される少なくとも１つの第１リソースをＵＥのために設定し、第１リソースと第２リソースとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０５２１】
図５に対応する実施形態における指示方法も前述の実施形態に適用され得ることに留意すべきである。
【０５２２】
図９は、本発明の実施形態に係る能力報告方法のフローチャートである。図９に示されるように、方法は以下の段階を備え得る。
【０５２３】
８０１：ＵＥが、能力タイプに基づいて、能力指示情報を基地局へ送信する。
【０５２４】
能力指示情報は、ＵＥによって能力タイプ内においてサポートされるビームの最大数を含む、または、能力指示情報は、ＵＥによって能力タイプ内においてサポートされるビームの最大数の量子化値を含む。
【０５２５】
段階８０１の詳細な説明は、本発明の別の実施形態における段階６０１の詳細な説明と同様であることに留意すべきである。段階８０１の詳細な説明については、本発明の別の実施形態における段階６０１の詳細な説明を参照されたい。本発明の本実施形態において、ここでは詳細を更に説明しない。
【０５２６】
８０２．基地局が、ＵＥによって送信された能力指示情報を受信する。
【０５２７】
本発明の本実施形態によって提供される能力報告方法において、ＵＥは、能力タイプに基づいて、ＵＥによって能力タイプ内においてサポートされるビームの最大数、または、ＵＥによって能力タイプ内においてサポートされるビームの最大数の量子化値を含む能力指示情報を基地局へ送信し、その結果、基地局が、ＵＥによって送信された能力指示情報を受信した後に、基地局は、ＵＥの能力指示情報に基づいて、第１リソースをＵＥに割り当てることができる。これにより、過剰なリソースをＵＥに割り当てることにより発生するリソースの無駄、または、不十分な第１リソースをＵＥに割り当てることにより発生する不完全なビーム探索の問題を回避する。
【０５２８】
図１０は、本発明の実施形態に係るリソース指示方法のフローチャートである。図１０に示されるように、方法は以下の段階を備え得る。
【０５２９】
９０１．基地局が指示情報をＵＥへ送信し、指示情報は、ビームの番号およびビームの番号に対応するリソースの識別子、または、リソースの番号およびリソースの番号に対応するリソースの識別子を含む。
【０５３０】
ビームはポートであり得る、または、プリコーディングされ得る。リソースは、時間領域リソース、周波数領域リソース、符号領域リソースおよびアンテナポートのうち少なくとも１つを含み得る。ビームは、ダウンリンク受信ビーム、または、ダウンリンク送信ビーム、または、ダウンリンク受信ビームおよびダウンリンク送信ビーム（の対）、または、アップリンク送信ビーム、または、アップリンク受信ビーム、または、アップリンク送信ビームおよびアップリンク受信ビームの対、または、ダウンリンク受信ビームおよびアップリンク送信ビームの対であり得る。
【０５３１】
図１１に示されるように、異なるリソースは同一のビームに対応し得る。ビーム１（１はビームの番号）がリソース１に対応することを基地局がＵＥに示すとき、ＵＥは、ビーム１がリソース１に対応するビームであると決定し得る。ビーム１がリソース１に対応することを基地局がＵＥに示した後に、ビーム１がリソース２に対応することを基地局がＵＥに示す場合、ビーム１がリソース２に対応することを示す、基地局によって送信されたインジケーションをＵＥが受信した後に、ＵＥは、ビーム１が、リソース２に対応するビームであると決定し得る。加えて、ビーム１がリソース２に対応することを示すインジケーションが受信されるまで、基地局が２つのインジケーションを送信する間の一定期間に、ＵＥは常に、ビーム１がリソース１に対応するビームであると決定する。
【０５３２】
９０２．ＵＥが、基地局によって送信された指示情報を受信する。
【０５３３】
本発明の本実施形態によって提供されるリソース指示方法において、基地局は、ビームの番号およびビームの番号に対応するリソースの識別子を含む指示情報をＵＥへ送信する、または、基地局は、リソースの番号およびリソースの番号に対応するリソースの識別子を含む指示情報をＵＥへ送信し、その結果、ＵＥは、指示情報に基づいて、情報を送信するために必要なビーム、または、ビームの候補セットを決定し、決定されたビームを使用することによって情報を送信し、それにより、ビームフォーミングを実装する。基地局は、いくつかのリソース識別子のみに番号を付け得て、それにより、基地局がビームの番号またはリソースの番号を示すときのシグナリングオーバーヘッドが減少する。
【０５３４】
上では主に、ネットワーク要素間のインタラクションという観点から、本発明の実施形態によって提供される解決法が説明される。前述の機能を実装するべく、各ネットワーク要素は例えば、基地局またはＵＥが、機能を実行するための対応するハードウェア構造および／またはソフトウェアモジュールを含むことが理解され得る。当業者であれば、本明細書に開示される実施形態に関連して説明される例におけるアルゴリズムのステップは、本発明におけるハードウェア、または、ハードウェアおよびコンピュータソフトウェアの組み合わせによって実装されることができると容易に認識するはずである。機能がハードウェアによって実行されるか、または、コンピュータソフトウェアによって駆動されるハードウェアによって実行されるかは、技術的解決法の特定の適用、および、設計上の制約条件で決まる。当業者であれば、異なる方法を使用して、説明された機能を特定の適用毎に実装し得るが、そのような実装が本発明の範囲を超えるものとみなされるべきではない。
【０５３５】
本発明の実施形態において、基地局およびＵＥにおける機能モジュールは、前述の方法の例に従って定義され得る。例えば、各機能モジュールは、各機能との対応関係において定義され得る、または、２またはより多くの機能は１つの処理モジュールに統合され得る。統合モジュールは、ハードウェアの形式で実装され得る、または、ソフトウェア機能モジュールの形式で実装され得る。本発明の実施形態におけるモジュールの分割は単に例であり、論理的機能の分割に過ぎないことに留意すべきである。実際の実装において他の分割方式が利用可能であり得る。
【０５３６】
各機能モジュールが、各機能との対応関係において定義されるとき、図１２は、前述の実施形態における基地局の可能な概略構造図である。図１２に示されるように、基地局は、設定ユニット１００１、送信ユニット１００２および受信ユニット１００３を含み得る。
【０５３７】
設定ユニット１００１は、図４に示される情報伝送方法における段階４０１、図５に示される情報伝送方法における段階５０１、図６に示される情報伝送方法における段階６０３、および、図８に示される情報伝送方法における段階７０３を基地局が実行することをサポートするよう構成される。
【０５３８】
送信ユニット１００２は、図４に示される情報伝送方法における段階４０３、図５に示される情報伝送方法における段階５０３、図６に示される情報伝送方法における段階６０４および段階６０８、図８に示される情報伝送方法における段階７０４および段階７０８、ならびに、図１０に示されるリソース指示方法における段階９０１を基地局が実行することをサポートするよう構成される。
【０５３９】
受信ユニット１００３は、図６に示される情報伝送方法における段階６０２、図８に示される情報伝送方法における段階７０２、および、図９に示される能力報告方法における段階８０２を基地局が実行することをサポートするよう構成される。
【０５４０】
前述の方法の実施形態における段階のすべての関連内容は、対応する機能モジュールの機能説明において引用され得ることに留意すべきである。ここでは詳細を更に説明しない。
【０５４１】
本発明の本実施形態によって提供される基地局は、前述の情報伝送方法を実行するよう構成され、それにより、前述の情報伝送方法と同一の効果を達成する、または、前述のリソース指示方法を実行するよう構成され、それにより、前述のリソース指示方法と同一の効果を達成する、または、前述の能力報告方法を実行するよう構成され、それにより、前述の能力報告方法と同一の効果を達成する。
【０５４２】
統合されたユニットが使用されるとき、図１３は、前述の実施形態における基地局の別の可能な概略構造図である。図１３に示されるように、基地局は処理モジュール１１０１および通信モジュール１１０２を含む。
【０５４３】
処理モジュール１１０１は、基地局の動作を制御および管理するよう構成される。例えば、処理モジュール８１は、図４に示される情報伝送方法における段階４０１、図５に示される情報伝送方法における段階５０１、図６に示される情報伝送方法における段階６０３、および、図８に示される情報伝送方法における段階７０３を基地局が実行することをサポートするよう構成され、および／または、明細書において説明される技術の他のプロセスにおいて使用される。通信モジュール１１０２は、基地局と別のネットワークエンティティとの間の通信、例えば、図１、図３、図１４または図１５に示される機能モジュールまたはネットワークエンティティとの通信をサポートするよう構成される。例えば、通信モジュール１１０２は、図４に示される情報伝送方法における段階４０３、図５に示される情報伝送方法における段階５０３、図６に示される情報伝送方法における段階６０２、段階６０４および段階６０８、図８に示される情報伝送方法における段階７０４および段階７０８、図９に示される能力報告方法における段階８０２、および、図１０に示されるリソース指示方法における段階９０１を基地局が実行することをサポートするよう構成される。基地局は更に、基地局のプログラムコードおよびデータを記憶するよう構成される記憶モジュール１１０３を含み得る。
【０５４４】
処理モジュール１１０１はプロセッサまたはコントローラであり得る。処理モジュール１１０１は、本発明の開示において説明される、様々な例示的論理ブロック、モジュールおよび回路を実装または実行し得る。プロセッサはまた、演算機能を実装するための組み合わせ、例えば、１または複数のマイクロプロセッサを含む組み合わせ、ＤＳＰおよびマイクロプロセッサの組み合わせ、または同様のものであり得る。通信モジュール１１０２は、送受信機、送受信回路、通信インタフェースまたは同様のものであり得る。記憶モジュール１１０３はメモリであり得る。
【０５４５】
処理モジュール１１０１がプロセッサであり、通信モジュール１１０２が送受信機であり、記憶モジュール１１０３がメモリであるとき、本発明の本実施形態における基地局は、図２に示される基地局であり得る。
【０５４６】
各機能モジュールが、各機能との対応関係において定義されるとき、図１４は、前述の実施形態におけるＵＥの可能な概略構造図である。図１４に示されるように、ＵＥは、取得ユニット１２０１、受信ユニット１２０２、送信ユニット１２０３および決定ユニット１２０４を含み得る。
【０５４７】
取得ユニット１２０１は、図４に示される情報伝送方法における段階４０２、図５に示される情報伝送方法における段階５０２、図６に示される情報伝送方法における段階６０５、および、図８に示される情報伝送方法における段階７０５をＵＥが実行することをサポートするよう構成される。
【０５４８】
受信ユニット１２０２は、図４に示される情報伝送方法における段階４０４、図５に示される情報伝送方法における段階５０４、図６に示される情報伝送方法における段階６０６および段階６０９、図８に示される情報伝送方法における段階７０６および段階７０９、および、図１０に示されるリソース指示方法における段階９０２をＵＥが実行することをサポートするよう構成される。
【０５４９】
送信ユニット１２０３は、図４に示される情報伝送方法における段階４０６、図５に示される情報伝送方法における段階５０６、図６に示される情報伝送方法における段階６０１および段階６１１、図８に示される情報伝送方法における段階７０１および段階７１１、および、図９に示される能力報告方法における段階８０１をＵＥが実行することをサポートするよう構成される。
【０５５０】
決定ユニット１２０４は、図４に示される情報伝送方法における段階４０５、図５に示される情報伝送方法における段階５０５、図６に示される情報伝送方法における段階６０７および段階６１０、および、図８に示される情報伝送方法における段階７０７および段階７１０をＵＥが実行することをサポートするよう構成される。
【０５５１】
前述の方法の実施形態における段階のすべての関連内容は、対応する機能モジュールの機能説明において引用され得ることに留意すべきである。ここでは詳細を更に説明しない。
【０５５２】
本発明の本実施形態によって提供されるＵＥは、前述の情報伝送方法を実行するよう構成され、それにより、前述の情報伝送方法と同一の効果を達成する、または、前述のリソース指示方法を実行するよう構成され、それにより、前述のリソース指示方法と同一の効果を達成する、または、前述の能力報告方法を実行するよう構成され、それにより、前述の能力報告方法と同一の効果を達成する。
【０５５３】
統合されたユニットが使用されるとき、図１５は、前述の実施形態におけるＵＥの別の可能な概略構造図である。図１５に示されるように、ＵＥは、処理モジュール１３０１および通信モジュール１３０２を含む。
【０５５４】
処理モジュール１３０１は、ＵＥの動作を制御および管理するよう構成され、例えば、図４に示される情報伝送方法における段階４０２および段階４０５、図５に示される情報伝送方法における段階５０２および段階５０５、図６に示される情報伝送方法における段階６０５、段階６０７および段階６１０、図８に示される情報伝送方法における段階７０５、段階７０７および段階７１０を実行するよう構成される。通信モジュール１３０２は、ＵＥと別のネットワークエンティティとの間の通信、例えば、図１、図２、図１２、または、図１３に示される機能モジュールまたはネットワークエンティティとの通信をサポートするよう構成される。例えば、通信モジュール１３０２は、図４に示される情報伝送方法における段階４０４および段階４０６、図５に示される情報伝送方法における段階５０４および段階５０６、図６に示される情報伝送方法における段階６０１、段階６０６、段階６０９および段階６１１、図８に示される情報伝送方法における段階７０１、段階７０６、段階７０９および段階７１１、図９に示される能力報告方法における段階８０１、および、図１０に示されるリソース指示方法における段階９０２をＵＥが実行することをサポートする。ＵＥは更に、ＵＥのプログラムコードおよびデータを記憶するよう構成される記憶モジュール１３０３を含み得る。
【０５５５】
処理モジュール１３０１はプロセッサまたはコントローラであり得る。処理モジュール１３０１は、本発明の開示において説明される、様々な例示的論理ブロック、モジュールおよび回路を実装または実行し得る。プロセッサはまた、演算機能を実装するための組み合わせ、例えば、１または複数のマイクロプロセッサを含む組み合わせ、ＤＳＰおよびマイクロプロセッサの組み合わせ、または同様のものであり得る。通信モジュール１３０２は、送受信機、送受信回路、通信インタフェースまたは同様のものであり得る。記憶モジュール１３０３はメモリであり得る。
【０５５６】
処理モジュール１３０１がプロセッサであり、通信モジュール１３０２が送受信機であり、記憶モジュール１３０３がメモリであるとき、本発明の本実施形態におけるＵＥは、図３に示されるＵＥであり得る。
【０５５７】
実装についての前述の説明により、当業者は、説明を簡便性および簡潔性の目的で、前述の機能モジュールの分割は説明のための例であることを理解することが可能である。実際の適用において、前述の機能は、要求に従って異なる複数のモジュールに割り当てられて実装され得る。すなわち、機器の内部構造は、前述の機能のすべてまたは一部を実装するべく異なる機能モジュールに分割される。
【０５５８】
本願で提供されるいくつかの実施形態において、開示された機器および方法は、他の方式で実装され得ることが理解されるべきである。例えば、説明されている機器の実施形態は一例に過ぎない。例えば、モジュールまたはユニットの分割は、論理的機能の分割に過ぎず、実際の実装においては、他の分割であり得る。例えば、複数のユニットまたはコンポーネントは、組み合わされ得る、または、別の機器に統合され得る、または、いくつかの特徴が無視され得る、または、実行されないことがあり得る。加えて、表示または議論されている相互結合もしくは直接的結合または通信接続は、いくつかのインタフェースを使用することによって実装され得る。機器間またはユニット間の間接的結合または通信接続は、電子的形態、機械的形態、または他の形態で実装されてよい。
【０５５９】
別個の部分として説明されるユニットは、物理的に別個であっても、そうでなくてもよく、ユニットとして表示される部分は、１または複数の物理的ユニットであり得る、または、１つの場所に位置し得る、または、異なる場所に分散し得る。実施形態の解決法の目的を達成するべく、実際の必要性に従ってユニットの一部または全部が選択され得る。
【０５６０】
加えて、本発明の実施形態の機能ユニットが１つの処理ユニットに統合されてよく、または、当該ユニットの各々が物理的に単独で存在してよく、または、２つまたはそれより多くのユニットが１つのユニットに統合される。統合されたユニットは、ハードウェアの形態で実装されてよく、または、ソフトウェア機能ユニットの形態で実装され得る。
【０５６１】
統合されたユニットがソフトウェア機能ユニットの形式で実装され、かつ、個別の製品として販売または使用されるとき、統合されたユニットは可読記憶媒体に記憶され得る。そのような理解に基づいて、本発明の実施形態における技術的解決法は本質的に、または、先行技術に寄与する部分、または、技術的解決法の全部もしくは一部は、ソフトウェア製品の形態で実装され得る。ソフトウェア製品は、記憶媒体に記憶され、本発明の実施形態において説明される方法の段階の全部または一部を実行するよう、（シングルチップマイクロコンピュータ、チップ、または同様のものであり得る）デバイス、または、プロセッサ（ｐｒｏｃｅｓｓｏｒ）に命令するための複数の命令を含む。前述の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、光ディスクまたは同様のものなど、プログラムコードを記憶できる任意の媒体を含む。
【０５６２】
説明されたことは、本発明の特定の実装に過ぎず、本発明の保護範囲を限定する意図はない。本発明において開示された技術的範囲内で当業者が容易に考案したあらゆる変形または置き換えは、本発明の保護範囲に含まれるものとする。従って、本発明の保護範囲は、特許請求の範囲の保護範囲に従うものとする。
【図１】
2019533950.tif 000005
【図２】
2019533950.tif 000006
【図３】
2019533950.tif 000007
【図４】
2019533950.tif 000008
【図５】
2019533950.tif 000009
【図５−１】
2019533950.tif 000010
【図５−２】
2019533950.tif 000011
【図５−３】
2019533950.tif 000012
【図５−４】
2019533950.tif 000013
【図５−５】
2019533950.tif 000014
【図５−６】
2019533950.tif 000015
【図６】
2019533950.tif 000016
【図７】
2019533950.tif 000017
【図８】
2019533950.tif 000018
【図９】
2019533950.tif 000019
【図１０】
2019533950.tif 000020
【図１１】
2019533950.tif 000021
【図１２】
2019533950.tif 000022
【図１３】
2019533950.tif 000023
【図１４】
2019533950.tif 000024
【図１５】
2019533950.tif 000025
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
情報伝送方法であって、
基地局が、ユーザ機器（ＵＥ）のために少なくとも１つの第１リソースを設定する段階であって、前記第１リソースは、第１チャネルおよび／または信号を送信するために前記ＵＥによって使用され、前記第１チャネルおよび／または信号はサウンディング参照信号（ＳＲＳ）を含む、段階と、
前記基地局が、第１指示情報を前記ＵＥへ送信する段階であって、前記第１指示情報は、前記第１リソースと第２リソースとの間の対応関係を示す、段階と
を備え、
前記第２リソースは、前記第１チャネルおよび／または信号の前記送信の前に第２チャネルおよび／または信号を前記基地局へ送信するために前記ＵＥによって使用されるリソースであり、前記対応関係は、前記第１チャネルおよび／または信号を送信するためのビームを決定するために前記ＵＥによって使用され、前記第１チャネルおよび／または信号を送信するための前記ビームは、前記第２チャネルおよび／または信号を送信するためのビームと同一である、
方法。
【請求項２】
前記少なくとも１つの第１リソースはリソースグループに含まれる、請求項１に記載の方法。
【請求項３】
前記第１リソースは、時間領域リソース、周波数領域リソース、符号領域リソースおよびアンテナポートのうち少なくとも１つを含む、請求項１または２に記載の方法。
【請求項４】
前記第１指示情報は、前記リソースグループにおける前記第１リソースの各々と、前記第２リソースとの間の対応関係を含む、請求項２に記載の方法。
【請求項５】
前記第１指示情報は、前記リソースグループにおける前記第１リソースの各々の識別子と、前記第２リソースの識別子とを含む、請求項４に記載の方法。
【請求項６】
情報伝送方法であって、
ユーザ機器（ＵＥ）が、基地局によって前記ＵＥのために設定された少なくとも１つの第１リソースを取得する段階であって、前記第１リソースは、第１チャネルおよび／または信号を送信するために前記ＵＥによって使用され、前記第１チャネルおよび／または信号は、サウンディング参照信号（ＳＲＳ）を含む、段階と、
前記ＵＥが、前記基地局によって送信された第１指示情報を受信する段階であって、前記第１指示情報は、前記第１リソースと第２リソースとの間の対応関係を示す、段階と
を備え、
前記第２リソースは、前記第１チャネルおよび／または信号の前記送信の前に、第２チャネルおよび／または信号を前記基地局へ送信するために前記ＵＥによって使用されるリソースであり、前記対応関係は、前記第１チャネルおよび／または信号を送信するためのビームを決定するために前記ＵＥによって使用され、前記第１チャネルおよび／または信号を送信するための前記ビームは、前記第２チャネルおよび／または信号を送信するためのビームと同一である、
方法。
【請求項７】
前記少なくとも１つの第１リソースは、リソースグループに含まれる、請求項６に記載の方法。
【請求項８】
前記第１リソースは、時間領域リソース、周波数領域リソース、符号領域リソースおよびアンテナポートのうち少なくとも１つを含む、請求項６または７に記載の方法。
【請求項９】
前記第１指示情報は、前記リソースグループにおける前記第１リソースの各々と前記第２リソースとの間の対応関係を含む、請求項７に記載の方法。
【請求項１０】
前記第１指示情報は、前記リソースグループにおける前記第１リソースの各々の識別子と、前記第２リソースの識別子とを含む、請求項９に記載の方法。
【請求項１１】
設定ユニットおよび送信ユニットを備える基地局であって、
前記設定ユニットは、ユーザ機器（ＵＥ）のために少なくとも１つの第１リソースを設定するよう構成され、前記第１リソースは、第１チャネルおよび／または信号を送信するために前記ＵＥによって使用され、前記第１チャネルおよび／または信号は、サウンディング参照信号（ＳＲＳ）を含み、
前記送信ユニットは、第１指示情報を前記ＵＥへ送信するよう構成され、前記第１指示情報は、前記第１リソースと第２リソースとの間の対応関係を示し、
前記第２リソースは、前記第１チャネルおよび／または信号の前記送信の前に第２チャネルおよび／または信号を前記基地局へ送信するために前記ＵＥによって使用されるリソースであり、前記対応関係は、前記第１チャネルおよび／または信号を送信するためのビームを決定するために前記ＵＥによって使用され、前記第１チャネルおよび／または信号を送信するための前記ビームは、前記第２チャネルおよび／または信号を送信するためのビームと同一である、
基地局。
【請求項１２】
前記少なくとも１つの第１リソースは、リソースグループに含まれる、請求項１１に記載の基地局。
【請求項１３】
前記第１リソースは、時間領域リソース、周波数領域リソース、符号領域リソースおよびアンテナポートのうち少なくとも１つを含む、請求項１１または１２に記載の基地局。
【請求項１４】
前記第１指示情報は、前記リソースグループにおける前記第１リソースの各々と前記第２リソースとの間の対応関係を含む、請求項１２に記載の基地局。
【請求項１５】
前記第１指示情報は、前記リソースグループにおける前記第１リソースの各々の識別子と、前記第２リソースの識別子とを含む、請求項１４に記載の基地局。
【請求項１６】
取得ユニットおよび受信ユニットを備えるユーザ機器（ＵＥ）であって、
前記取得ユニットは、前記ＵＥのために基地局によって設定される少なくとも１つの第１リソースを取得するよう構成され、前記第１リソースは、第１チャネルおよび／または信号を送信するために前記ＵＥによって使用され、前記第１チャネルおよび／または信号は、サウンディング参照信号（ＳＲＳ）を含み、
前記受信ユニットは、前記基地局によって送信された第１指示情報を受信するよう構成され、前記第１指示情報は、前記第１リソースと第２リソースとの間の対応関係を示し、
前記第２リソースは、前記第１チャネルおよび／または信号の前記送信の前に、第２チャネルおよび／または信号を前記基地局へ送信するよう前記ＵＥによって使用されるリソースであり、前記対応関係は、前記第１チャネルおよび／または信号を送信するためのビームを決定するために前記ＵＥによって使用され、前記第１チャネルおよび／または信号を送信するためのビームは、前記第２チャネルおよび／または信号を送信するためのビームと同一である、
ＵＥ。
【請求項１７】
前記少なくとも１つの第１リソースはリソースグループに含まれる、請求項１６に記載のＵＥ。
【請求項１８】
前記第１リソースは、時間領域リソース、周波数領域リソース、符号領域リソースおよびアンテナポートのうち少なくとも１つを含む、請求項１６または１７に記載のＵＥ。
【請求項１９】
前記第１指示情報は、前記リソースグループにおける前記第１リソースの各々と前記第２リソースとの間の対応関係を含む、請求項１７に記載のＵＥ。
【請求項２０】
前記第１指示情報は、前記リソースグループにおける前記第１リソースの各々の識別子と、前記第２リソースの識別子とを含む、請求項１９に記載のＵＥ。
【請求項２１】
コンピュータによって実行されるとき、前記コンピュータに、請求項１から５のいずれか一項に記載の方法を行わせる命令を含むコンピュータ可読記憶媒体。
【請求項２２】
コンピュータによって実行されると、前記コンピュータに、請求項６から１０のいずれか一項に記載の方法を行わせる命令を含むコンピュータ可読記憶媒体。
【請求項２３】
コンピュータによって実行されると、前記コンピュータに、請求項１から５のいずれか一項に記載の方法を行わせる命令を含むコンピュータプログラム。
【請求項２４】
コンピュータによって実行されると、前記コンピュータに、請求項６から１０のいずれか一項に記載の方法を行わせる命令を含むコンピュータプログラム。
【手続補正２】
【補正対象書類名】明細書
【補正対象項目名】全文
【補正方法】変更
【補正の内容】
【発明の詳細な説明】
【技術分野】
【０００１】
本発明の実施形態は、通信分野に関し、特に、情報伝送方法およびデバイスに関する。
【背景技術】
【０００２】
ロングタームエボリューション（Ｌｏｎｇ  Ｔｅｒｍ  Ｅｖｏｌｕｔｉｏｎ、ＬＴＥ）システムにおいて、ユーザ機器（Ｕｓｅｒ  Ｅｑｕｉｐｍｅｎｔ、ＵＥ）は、サウンディング参照信号（Ｓｏｕｎｄｉｎｇ  Ｒｅｆｅｒｅｎｃｅ  Ｓｉｇｎａｌｓ、ＳＲＳ）を基地局へ送信し得て、その結果、基地局は、受信されたＳＲＳに基づいて、アップリンクチャネル品質推定などのオペレーションを実行する。
【０００３】
加えて、モバイルインターネットの継続的な発展に伴い、低周波数スペクトルリソースはますます不足している。増大する通信速度および容量の要求を満たすべく、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）は、次世代無線通信システムにおいて使用されるスペクトル範囲に、豊富な周波数リソースを有する高周波数を組み込む。しかしながら、動作周波数として低周波数を使用する無線通信システムと比較して、動作周波数として高周波数を使用する無線通信システムは、比較的高い伝送損失を有する。言い換えれば、同一の送信電力では、動作周波数として高周波数を使用する無線通信システムのカバレッジは、動作周波数として低周波数を使用する無線通信システムのカバレッジより遥かに狭い。従って、動作周波数として高周波数を使用する無線通信システムのカバレッジを拡張するべく、業界ではビームフォーミング技術が導入されている。
【０００４】
結果として、動作周波数として高周波数を使用する無線通信システムにおいて、ＵＥがＳＲＳを送信する必要がある場合、ビームフォーミング処理をＳＲＳに実行する必要がある。しかしながら、ＬＴＥシステムは動作周波数として低周波数を使用するので、ＵＥがＬＴＥシステムにおいてＳＲＳを送信するとき、ビームフォーミング処理は必要ない。言い換えれば、先行技術には、ＳＲＳに対してビームフォーミングを実行するための解決法が無い。
【発明の概要】
【０００５】
本発明の実施形態はＳＲＳに対してビームフォーミングを実装するための情報伝送方法およびデバイスを提供する。
【０００６】
前述の目的を達成するべく、本発明の実施形態は、以下の技術的解決法を使用する。
【０００７】
第１態様によれば、本発明の実施形態は、情報伝送方法を提供し、当該方法は、基地局が、ＵＥのために少なくとも１つの第１リソースを設定する段階であって、第１リソースは、目標チャネルおよび／または信号を送信するためにＵＥによって使用される、段階と、基地局が、第１指示情報をＵＥへ送信する段階であって、第１指示情報は、第１リソースとビームとの間の対応関係を示すために使用され、ビームはアップリンク送信ビーム、または、ダウンリンク受信ビーム、または、ダウンリンク送信ビーム、または、アップリンク受信ビームである、段階とを備える。
【０００８】
本発明の本実施形態によって提供される情報伝送方法において、基地局は、目標チャネルおよび／または信号を送信するために使用される少なくとも１つの第１リソースをＵＥのために設定し、第１リソースとビームとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０００９】
第１態様に関連して、可能な実装において、少なくとも１つの第１リソースは、リソースグループに含まれ得て、リソースグループは少なくとも１つのリソースサブグループを含み得る。
【００１０】
第１態様および前述の可能な実装に関連して、別の可能な実装において、目標チャネルおよび／または信号は、ＳＲＳ、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）、物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【００１１】
第１態様および前述の可能な実装に関連して、別の可能な実装において、ビームは、ポート、プリコーディングマトリックス、および空間特性パラメータのうち少なくとも１つを使用することによって識別され得る、または、ビームは空間フィルタ（ｓｐａｔｉａｌ  ｆｉｌｔｅｒｉｎｇ）であり得る。
【００１２】
第１態様および前述の可能な実装に関連して、別の可能な実装において、第１リソースは、時間領域リソース、周波数領域リソース、符号領域リソースおよびアンテナポートのうち少なくとも１つを含み得る。
【００１３】
第１態様および前述の可能な実装に関連して、別の可能な実装において、第１リソースとビームとの間の対応関係は、以下の異なる方式で示され得る。
方式１：第１指示情報が、リソースサブグループにおける各第１リソースの識別子と、各第１リソースの識別子に対応するビームの番号とを含み得る。
方式２：第１指示情報が、各リソースサブグループの識別子と、各リソースサブグループの識別子に対応するビームの番号とを含み得る。
方式３：第１指示情報が、各リソースサブグループの識別子と、各リソースサブグループの識別子に対応するビームグループにおける各ビームの番号とを含み得て、ビームグループは、少なくとも１つのビームを含む（異なるリソースサブグループは、同一のビームグループに対応し得る）。
方式４：第１指示情報が、各リソースサブグループの識別子と、各リソースサブグループの識別子に対応するビームグループの番号とを含み得る（異なるリソースサブグループの識別子は同一のビームグループの番号に対応し得る）。
方式５：第１指示情報は、ビームグループにおける各ビームの番号を含み得る。
方式６：第１指示情報は、ビームグループの番号を含み得る。
方式７：第１指示情報は、各リソースサブグループの識別子と、各リソースサブグループの識別子に対応するビームの任意選択範囲とを含み得る。
方式８：第１指示情報は、各第１リソースの識別子と、各第１リソースの識別子に対応するビームの番号とを含み得る。
方式９：第１指示情報は、各第１リソースの識別子と、各第１リソースの識別子に対応するビームグループにおける各ビームの番号とを含み得て、ビームグループは少なくとも１つのビームを含む（異なる第１リソースは同一のビームグループに対応し得る）。
方式１０：第１指示情報は、各第１リソースの識別子と、各第１リソースの識別子に対応するビームグループの番号とを含み得る（異なる第１リソースの識別子は、同一のビームグループの番号に対応し得る）。
方式１１：第１指示情報は、各第１リソースの識別子と、各第１リソースの識別子に対応するビームの任意選択範囲とを含み得る。
【００１４】
方式１において、基地局は、第１指示情報を使用して、同一のリソースサブグループにおける第１リソース上で、ＵＥが異なる送信ビームを使用することによって目標チャネルおよび／または信号を送信する必要があることを示す。この場合、これに対応して、事前定義または事前設定方式が使用され得て、その結果、同一のリソースサブグループにおけるすべての第１リソース上で、基地局は、同一の受信ビームを使用することによって、目標チャネルおよび／または信号を受信する。
【００１５】
方式２から方式６において、基地局は、第１指示情報を使用して、同一のリソースサブグループにおけるすべての第１リソース上で、ＵＥが同一の送信ビームを使用することによって目標チャネルおよび／または信号を送信する必要があることを示す。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【００１６】
方式２において、ビームがダウンリンク送信ビームまたはアップリンク受信ビームである場合、ユーザ機器は、各サブリソース上で、ダウンリンク送信ビームまたはアップリンク受信ビームと対になったアップリンク送信ビームを使用することによって、目標チャネルおよび／または信号を送信する。
【００１７】
任意選択で、第１指示情報は設定情報であり得る。設定情報は上位層シグナリングにおいて搬送され得る。
【００１８】
代替的に、第１指示情報は設定情報または設定指示であり得る。設定情報は、第１リソースとビームとの間の対応関係を示すために使用され（設定情報は複数の設定を含み得る）、設定情報は、上位層シグナリングにおいて搬送され得る。設定指示は、ＵＥが目標チャネルおよび／または信号を送信するとき、複数の設定のうちどの設定が使用されるかを示すために使用され、設定指示は、ダウンリンク制御インジケータ（Ｄｏｗｎｌｉｎｋ  Ｃｏｎｔｒｏｌ  Ｉｎｄｉｃａｔｏｒ、ＤＣＩ）において搬送され得る。
【００１９】
第１態様および前述の可能な実装に関連して、別の可能な実装において、基地局が第１指示情報をＵＥへ送信する前に、情報伝送方法は更に、基地局が、ビームとビームの番号との間の対応関係を示すために使用される設定情報をＵＥへ送信する段階であって、ビームの番号は基地局によって選択されるビームのシーケンス番号であり得る、段階を備え得る。
【００２０】
第１態様および前述の可能な実装に関連して、別の可能な実装において、基地局が第１指示情報をＵＥへ送信する前に、情報伝送方法は更に、基地局が、リソースグループを少なくとも１つのリソースサブグループに分割するためにＵＥによって使用される第２指示情報をＵＥへ送信する段階を備え得る。
【００２１】
第１態様および前述の可能な実装に関連して、別の可能な実装において、基地局がＵＥの能力に基づいてＵＥのためにリソースを設定することを可能にするべく、基地局が少なくとも１つの第１リソースをＵＥのために設定する前に、情報伝送方法は更に、基地局が、ＵＥによって送信された能力指示情報を受信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備え得て、これに対応して、基地局が少なくとも１つの第１リソースをＵＥのために設定することは、具体的には、基地局が能力指示情報に基づいて少なくとも１つの第１リソースをＵＥのために設定することを含み得る。
【００２２】
第１態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【００２３】
第１態様および前述の可能な実装に関連して、ビームはまた、空間フィルタ、プリコーディングまたは空間加重であり得る。
【００２４】
第２態様によれば、本発明の実施形態は情報伝送方法を提供し、当該方法は、基地局が、少なくとも１つの第１リソースをＵＥのために設定する段階であって、第１リソースは、ＵＥが目標チャネルおよび／または信号を送信するために使用される、段階と、基地局が、第１指示情報をＵＥへ送信する段階であって、第１指示情報は第１リソースと第２リソースとの間の対応関係を示すために使用され、第１リソースと第２リソースとの間の対応関係は、疑似コロケーションＱＣＬ関係が目標チャネルおよび／または信号のためのアンテナポートと、第２リソース上で送信されるチャネルおよび／または信号のためのアンテナポートとの間に存在すること、目標チャネルおよび／または信号が、第２リソース上で送信されるチャネルおよび／または信号と同一のビームを使用することによって送信されること、ならびに、目標チャネルおよび／または信号が、第２リソース上で送信されるチャネルおよび／または信号と同一の空間フィルタを使用することによって送信されることのうち少なくとも１つを含み得る、段階とを備える。
【００２５】
本発明の本実施形態によって提供される情報伝送方法において、基地局は、目標チャネルおよび／または信号を送信するために使用される少なくとも１つの第１リソースをＵＥのために設定し、第１リソースと第２リソースとの間の対応関係を示すために使用される第１指示情報をＵＥへ送信し、その結果、ＵＥは、第１リソース、第１指示情報および第２リソースに基づいて、目標チャネルおよび／または信号を送信するために必要なビームを決定でき、または、その結果、ＵＥは、第１指示情報および第２リソースに基づいて、目標チャネルおよび／または信号を送信するために必要なビームを決定でき、または、その結果、ＵＥは、第２リソースおよび第１指示情報に基づいて、目標チャネルおよび／または信号を受信するために基地局によって使用されるビームを決定でき、それにより、目標チャネルおよび／または信号を受信するために基地局によって使用されるビームに基づいて、ＵＥによって目標チャネルおよび／または信号を送信するために必要なビームを更に決定する。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【００２６】
第２態様に関連して、可能な実装において、ビームはまた、空間フィルタ、プリコーディングまたは空間加重であり得る。
【００２７】
第２態様に関連して、可能な実装において、少なくとも１つの第１リソースは、リソースグループに含まれ、リソースグループは少なくとも１つのリソースサブグループを含み得る。
【００２８】
第２態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【００２９】
第２態様および前述の可能な実装に関連して、別の可能な実装において、第１リソースは、時間領域リソース、周波数領域リソース、符号領域リソースおよびアンテナポートのうち少なくとも１つを含み得る。
【００３０】
第２態様および前述の可能な実装に関連して、別の可能な実装において、第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含み得る、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。第２リソースは、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、主同期信号、副同期信号、同期信号ブロック、物理ブロードキャストチャネルの復調参照信号、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、物理ダウンリンク制御チャネルの復調参照信号、および、物理ダウンリンク共有チャネルの復調参照信号のうち少なくとも１つのチャネルおよび／または信号を送信するために使用されるリソースであり得る。任意選択で、物理ダウンリンク制御チャネルは、制御リソースセット（ＣＯＲＥＳＥＴ、ｃｏｎｔｒｏｌ  ｒｅｓｏｕｒｃｅ  ｓｅｔ）であり得る、または、ランダムアクセス応答またはシステム情報の制御情報を搬送する物理ダウンリンク制御チャネルであり得る。任意選択で、物理ダウンリンク共有チャネルは、システム情報を搬送する物理ダウンリンク共有チャネルであり得る。
【００３１】
第２態様および前述の可能な実装に関連して、別の可能な実装において、第１指示情報は、リソースサブグループにおける各第１リソースと第２リソースとの間の対応関係を含み得る。
【００３２】
基地局は、第１指示情報を使用して、リソースサブグループにおける第１リソースが、異なる第２リソースに対応することを示す。言い換えれば、同一のリソースサブグループにおける第１リソース上で、ＵＥは、異なる送信ビームを使用することによって、目標チャネルおよび／または信号を送信する必要がある。この場合、これに対応して、事前定義または事前設定方式が使用され得て、その結果、同一のリソースサブグループにおけるすべての第１リソース上で、基地局は、同一の受信ビームを使用することによって、目標チャネルおよび／または信号を受信する。
【００３３】
第２態様および前述の可能な実装に関連して、別の可能な実装において、第１指示情報は具体的には、リソースサブグループにおける各第１リソースの識別子と、各第１リソースの識別子に対応する第２リソースの識別子とを含み得る、または、第１指示情報は具体的には、疑似コロケーション（Ｑｕａｓｉ  Ｃｏ−Ｌｏｃａｔｉｏｎ、ＱＣＬ）関係が、各第１リソース上の信号のためのアンテナポートと、第２リソース上の信号のためのアンテナポートとの間に存在することを示すために使用される情報を含む。または、第１指示情報は具体的には、各第１リソースに対応する第２リソースの識別子を含む。任意選択で、第１指示情報が各第１リソースに対応する第２リソースの識別子を含むとき、第１指示情報は、１または複数の第２リソースの識別子を含み得て、第２リソースの識別子の数は、第１リソースの数と同一であり、第１指示情報によって示される第１リソースと、第２リソースの各々との間の対応関係は、事前定義され得る。
【００３４】
第２態様および前述の可能な実装に関連して、別の可能な実装において、第１指示情報は、各第１リソースとビームの任意選択範囲との間の対応関係を更に含み得る。
【００３５】
第２態様および前述の可能な実装に関連して、別の可能な実装において、第１指示情報は、各リソースサブグループと第２リソースとの間の対応関係を含み得る。
【００３６】
基地局は、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【００３７】
第２態様および前述の可能な実装に関連して、別の可能な実装において、第１指示情報は具体的には、各リソースサブグループの識別子、および、各リソースサブグループの識別子に対応する第２リソースの識別子を含み得る。または、第１指示情報は具体的には、ＱＣＬ関係が各リソースサブグループ上の信号のためのアンテナポートと、第２リソース上の信号のためのアンテナポートとの間に存在することを示すために使用される情報を含み得る。または、第１指示情報は具体的には、各リソースサブグループに対応する第２リソースの識別子を含み得る。
【００３８】
第２態様および前述の可能な実装に関連して、別の可能な実装において、第１指示情報は、各リソースサブグループと第２リソースグループとの間の対応関係を含み得て、第２リソースグループは少なくとも１つの第２リソースを含む。基地局は、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【００３９】
第２態様および前述の可能な実装に関連して、別の可能な実装において、第１指示情報は具体的には、各リソースサブグループの識別子、および、各リソースサブグループの識別子に対応する第２リソースグループにおける各第２リソースの識別子を含み得る。または、第１指示情報は具体的には、各リソースサブグループの識別子、および、各リソースサブグループの識別子に対応する第２リソースグループの識別子を含み得る。または、第１指示情報は具体的には、ＱＣＬ関係が各リソースサブグループ上の信号のためのアンテナポートと、第２リソースグループ上の信号のためのアンテナポートとの間に存在することを示すために使用される情報を含み得る。
【００４０】
第２態様および前述の可能な実装に関連して、別の可能な実装において、第１指示情報は、第２リソースグループにおける各第２リソースの識別子を含み得る。または、第１指示情報は、第２リソースグループの識別子を含み得る。任意選択で、第１指示情報が第２リソースグループの識別子を含むとき、第２リソースグループにおける第２リソースの数は、第１リソースグループにおける第１リソースサブグループの数と同一であり、かつ、第１指示情報において示されるような、第２リソースグループにおける第２リソースと、第１リソースグループにおける第１リソースサブグループとの間の対応関係は事前定義される。基地局は、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【００４１】
第２態様および前述の可能な実装に関連して、別の可能な実装において、第１指示情報は、各リソースサブグループとビームの任意選択範囲との間の対応関係を更に含み得る。
【００４２】
第２態様および前述の可能な実装に関連して、別の可能な実装において、第１指示情報は、各第１リソースと第２リソースとの間の対応関係を含み得る。
【００４３】
第２態様および前述の可能な実装に関連して、別の可能な実装において、第１指示情報は具体的には、各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含み得る。
【００４４】
第２態様および前述の可能な実装に関連して、別の可能な実装において、各第１リソースと第２リソースグループとの間の対応関係において、第２リソースグループは少なくとも１つの第２リソースを含む。
【００４５】
第２態様および前述の可能な実装に関連して、別の可能な実装において、第１指示情報は具体的には、各第１リソースの識別子、および、各第１リソースの識別子に対応する第２リソースグループにおける各第２リソースの識別子を含み得る。または、第１指示情報は具体的には、各第１リソースの識別子、および、各第１リソースの識別子に対応する第２リソースグループの識別子を含み得る。または、第１指示情報は具体的には、ＱＣＬ関係が、各第１リソース上の信号のためのアンテナポートと、第２リソースグループ上の信号のためのアンテナポートとの間に存在することを示すために使用される情報を含み得る。または、第１指示情報は具体的には、各第１リソースに対応する第２リソースグループにおける各第２リソースの識別子を含み得る。または、第１指示情報は具体的には、各第１リソースに対応する第２リソースグループの識別子を含み得る。
【００４６】
第２態様および前述の可能な実装に関連して、別の可能な実装において、第１指示情報は、各第１リソースとビームの任意選択範囲との間の対応関係を更に含み得る。
【００４７】
第２態様および前述の可能な実装に関連して、別の可能な実装において、第２リソースグループは１または複数の第２リソースを含む。
【００４８】
第２態様および前述の可能な実装に関連して、別の可能な実装において、ＱＣＬ関係が存在するということは、同一のアンテナポートパラメータを有することを意味する。
【００４９】
代替的に、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、到着角度（Ａｎｇｌｅ  ｏｆ  ａｒｒｉｖａｌ、ＡＯＡ）、平均ＡＯＡ、ＡＯＡスプレッド、発射角度（Ａｎｇｌｅ  ｏｆ  Ｄｅｐａｒｔｕｒｅ、ＡＯＤ）、平均発射角度ＡＯＤ、ＡＯＤスプレッド、受信アンテナ空間相関パラメータ、送信アンテナ空間相関パラメータ、送信ビーム、受信ビーム、リソース識別子、送信側電力方位角スペクトル（ＰＡＳ、Ｐｏｗｅｒ  Ａｚｉｍｕｔｈ  Ｓｐｅｃｔｒｕｍ）、受信側ＰＡＳおよびＰＡＳのうち少なくとも１つであり得る。ビームは、プリコーディング、加重シーケンス番号、ビームシーケンス番号および空間フィルタのうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）のリソース識別子、または、リソース上のビームを示すために使用されるＳＲＳのリソース識別子、または、同期信号もしくは同期信号ブロックのリソース識別子、または、ＰＲＡＣＨ上で送信されるプリアンブルシーケンスのリソース識別子、または、リソース上のビームを示すために使用されるＤＭＲＳのリソース識別子を含む。例えば、ダウンリンク信号のためのポートと、ダウンリンク信号のための別のポートとの間、または、アップリンク信号のためのポートと、アップリンク信号のための別のポートとの間の空間ＱＣＬ関係は、２つの信号が同一のＡＯＡまたはＡＯＤを有し得ることであり得て、２つの信号が同一の受信ビームまたは送信ビームを有することを示すために使用される。別の例として、ダウンリンク信号とアップリンク信号との間、または、アップリンク信号のためのポートと、ダウンリンク信号のためのポートとの間のＱＣＬ関係は、２つの信号のうち一方の信号のＡＯＡと、他方の信号とのＡＯＤとの間に対応関係が存在すること、または、２つの信号のうち一方の信号のＡＯＤと、他方の信号のＡＯＡとの間に対応関係が存在することであり得る���言い換えれば、ビーム対応関係を使用することによって、アップリンク送信ビームは、ダウンリンク受信ビームに基づいて決定され得る、または、ダウンリンク受信ビームは、アップリンク送信ビームに基づいて決定され得る。
【００５０】
ＱＣＬ関係を有するポート上で送信された信号はまた、対応するビームを有するものとして理解され得て、対応するビームは、同一の受信ビーム、同一の送信ビーム、受信ビームに対応する送信ビーム（レシプロシティシナリオに対応する）、送信ビームに対応する受信ビーム（レシプロシティシナリオに対応する）のうち少なくとも１つを含む。
【００５１】
ＱＣＬ関係を有するポート上で送信される信号はまた、同一の空間フィルタ（ｓｐａｔｉａｌ  ｆｉｌｔｅｒ）を使用することによって受信または送信された信号として理解され得る。空間フィルタは、プリコーディング、アンテナポートの加重、アンテナポートの位相偏向、および、アンテナポートの振幅利得のうち少なくとも１つであり得る。
【００５２】
ＱＣＬ関係を有するポート上で送信される信号はまた、対応するビーム対リンク（ＢＰＬ、ｂｅａｍ  ｐａｉｒ  ｌｉｎｋ）を有するものとして理解され得て、対応するＢＰＬは、同一のダウンリンクＢＰＬ、同一のアップリンクＢＰＬ、ダウンリンクＢＰＬに対応するアップリンクＢＰＬ、および、アップリンクＢＰＬに対応するダウンリンクＢＰＬのうち少なくとも１つを含む。
【００５３】
任意選択で、ＱＣＬ関係は、技術的本質を変更することなく別の名前を有し得て、例えば、空間ＱＣＬ関係またはレシプロシティＱＣＬ関係とも称され得る。
【００５４】
第２態様および前述の可能な実装に関連して、別の可能な実装において、第１指示情報は設定情報であり得る。設定情報は、上位層シグナリングにおいて搬送され得る。
【００５５】
代替的に、第１指示情報は設定情報または設定指示であり得る。設定情報は、第１リソースと、ビームまたは第２リソースとの間の対応関係を示すために使用され（設定情報は複数の設定を同時に含み得る）、設定情報は上位層シグナリングにおいて搬送され得る。設定指示は、ＵＥが目標チャネルおよび／または信号を送信するとき、複数の設定のうちどの設定が使用されるかを示すために使用され、設定指示は、ＤＣＩにおいて搬送され得る。
【００５６】
第２態様および前述の可能な実装に関連して、別の可能な実装において、第１指示情報を搬送するチャネルが位置する時間単位と、第２リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【００５７】
第２態様および前述の可能な実装に関連して、別の可能な実装において、第１リソースと第２リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【００５８】
第２態様および前述の可能な実装に関連して、別の可能な実装において、第２リソースと、第１指示情報を搬送するチャネルが位置する時間単位との間の時間オフセットは事前定義される、または、基地局の第４設定情報に基づいて決定される。任意選択で、時間オフセットは、正の値または０であり得る。時間単位は、タイムスロット、サブフレーム、シンボルまたはミニタイムスロットであり得る。
【００５９】
第２態様および前述の可能な実装に関連して、別の可能な実装において、第２リソースと第１リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【００６０】
第２態様および前述の可能な実装に関連して、別の可能な実装において、基地局が第１指示情報をＵＥへ送信する前に、情報伝送方法は更に、基地局が、リソースグループを少なくとも１つのリソースサブグループに分割するためにＵＥによって使用される第２指示情報をＵＥへ送信する段階を備え得る。
【００６１】
第２態様および前述の可能な実装に関連して、別の可能な実装において、基地局がＵＥの能力に基づいてＵＥのためにリソースを設定することを可能にするべく、基地局が少なくとも１つの第１リソースをＵＥのために設定する前に、情報伝送方法は更に、基地局が、ＵＥによって送信された能力指示情報を受信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備え得て、これに対応して、基地局が少なくとも１つの第１リソースをＵＥのために設定することは、具体的には、基地局が能力指示情報に基づいて少なくとも１つの第１リソースをＵＥのために設定することを含み得る。
【００６２】
第２態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【００６３】
第３態様によれば、本発明の実施形態は情報伝送方法を提供し、当該方法は、ＵＥが、基地局によってＵＥのために設定された少なくとも１つの第１リソースを取得する段階であって、第１リソースは、目標チャネルおよび／または信号を送信するためにＵＥによって使用される、段階と、ＵＥが、基地局によって送信された第１指示情報を受信する段階であって、第１指示情報は、第１リソースとビームとの間の対応関係を示すために使用され、ビームはアップリンク送信ビーム、または、ダウンリンク受信ビーム、または、ダウンリンク送信ビーム、または、アップリンク受信ビームである、段階とを備える。
【００６４】
本発明の本実施形態によって提供される情報伝送方法において、ＵＥは、ＵＥのために基地局によって設定された、目標チャネルおよび／または信号を送信するために使用される少なくとも１つの第１リソースを取得し、基地局によって送信された、第１リソースとビームとの間の対応関係を示すために使用される第１指示情報を受信する。従って、ＵＥは、第１リソースおよび第１指示情報に基づいて、目標チャネルおよび／または信号を送信するために必要なビームを決定でき、第１リソース上、および、目標チャネルおよび／または信号を送信するために必要なビーム上で、目標チャネルおよび／または信号を送信できる。目標チャネルまたは信号、またはその両方がＳＲＳであるとき、ＵＥは、目標チャネルおよび／または信号を送信するために必要な決定されたビームを使用することによってＳＲＳを送信し、それにより、ＳＲＳに対するビームフォーミングを実装する。
【００６５】
第３態様に関連して、可能な実装において、少なくとも１つの第１リソースは、リソースグループに含まれ得て、リソースグループは少なくとも１つのリソースサブグループを含み得る。
【００６６】
第３態様および前述の可能な実装に関連して、別の可能な実装において、ＵＥが、基地局によって送信された第１指示情報を受信した後に、情報伝送方法は更に、ＵＥが第１リソースおよび第１指示情報に基づいて、目標チャネルおよび／または信号、すなわち、アップリンク送信ビームを送信するために必要なビームを決定する段階と、第１リソース上およびアップリンク送信ビーム上で目標チャネルおよび／または信号を送信する段階とを備え得る。
【００６７】
ビームがアップリンク送信ビームであるとき、ＵＥは、第１リソース、および、第１リソースとビームとの間の対応関係に基づいて、アップリンク送信ビームを直接決定し得る。ビームがダウンリンク受信ビームであるとき、ＵＥはまず、第１リソース、および、第１リソースとビームとの間の対応関係に基づいて、ダウンリンク受信ビームを決定してから、アップリンクビームとダウンリンクビームとの間の対応関係を使用することによって、ダウンリンク受信ビームに基づいて、アップリンク送信ビームを決定し得る（アップリンクビームとダウンリンクビームとの間の対応関係は、アップリンクおよびダウンリンクチャネルのレシプロシティから取得され得る）。または、ビームがダウンリンク送信ビームであるとき、ＵＥはまず、第１リソース、および、第１リソースとビームとの間の対応関係に基づいて、ダウンリンク送信ビームを決定してから、アップリンクビームとダウンリンクビームとの間の対応関係を使用することによって、ダウンリンク送信ビームに基づいてダウンリンク受信ビームを決定し、最後に、アップリンクビームとダウンリンクビームとの間の対応関係を使用することによって、ダウンリンク受信ビームに基づいて、アップリンク送信ビームを決定し得る。
【００６８】
第３態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【００６９】
第３態様および前述の可能な実装に関連して、別の可能な実装において、ビームはポートであり得る、または、プリコーディングであり得る。
【００７０】
第３態様および前述の可能な実装に関連して、別の可能な実装において、第１リソースは、時間領域リソース、周波数領域リソース、符号領域リソースおよびアンテナポートのうち少なくとも１つを含み得る。
【００７１】
第３態様および前述の可能な実装に関連して、別の可能な実装において、第１指示情報は、リソースサブグループにおける各第１リソースの識別子、および、各第１リソースの識別子に対応するビームの番号を含み得て、これに対応して、ＵＥが第１リソースおよび第１指示情報に基づいてアップリンク送信ビームを決定することは、具体的には、ＵＥが、第１リソースの識別子に対応するビームの番号を決定してから、ビームの番号に対応するビームに基づいてアップリンク送信ビームを決定することであり得る。
または、第１指示情報は、各リソースサブグループの識別子、および、各リソースサブグループの識別子に対応するビームの番号を含み得て、これに対応して、ＵＥが、第１リソースおよび第１指示情報に基づいてアップリンク送信ビームを決定することは、具体的には、ＵＥが、第１リソースが属するリソースサブグループの識別子を決定し、リソースサブグループの識別子に対応するビームの番号を決定してから、ビームの番号に対応するビームに基づいてアップリンク送信ビームを決定することであり得る。
または、第１指示情報は、各リソースサブグループの識別子、および、各リソースサブグループの識別子に対応するビームグループにおける各ビームの番号を含み得て、ビームグループは少なくとも１つのビームを含み、これに対応して、ＵＥが、第１リソースおよび第１指示情報に基づいてアップリンク送信ビームを決定することは、具体的には、ＵＥが、第１リソースが属するリソースサブグループの識別子を決定し、リソースサブグループの識別子に対応するビームグループにおける各ビームの番号を決定してから、ビームグループにおけるビームに基づいてアップリンク送信ビームを決定することであり得る。
または、第１指示情報は、各リソースサブグループの識別子、および、各リソースサブグループの識別子に対応するビームグループの番号を含み得て、これに対応して、ＵＥが、第１リソースおよび第１指示情報に基づいてアップリンク送信ビームを決定することは、具体的には、ＵＥが、第１リソースが属するリソースサブグループの識別子を決定し、リソースサブグループの識別子に対応するビームグループの番号を決定してから、ビームグループにおけるビームに基づいてアップリンク送信ビームを決定することであり得る。
または、第１指示情報は、ビームグループにおける各ビームの番号を含み得る、または、第１指示情報は、ビームグループの番号を含み得て、これに対応して、ＵＥが第１リソースおよび第１指示情報に基づいてアップリンク送信ビームを決定することは、具体的には、ＵＥが、ビームグループにおけるビームに基づいてアップリンク送信ビームを決定することであり得て、第１リソースが属するリソースサブグループはビームに対応する。
または、第１指示情報は、各リソースサブグループの識別子、および、各リソースサブグループの識別子に対応するビームの任意選択範囲を含み得て、これに対応して、ＵＥが、第１リソースおよび第１指示情報に基づいてアップリンク送信ビームを決定することは、具体的には、ＵＥが、第１リソースが属するリソースサブグループの識別子を決定し、リソースサブグループの識別子に対応するビームの任意選択範囲を決定してから、ビームの任意選択範囲に基づいてアップリンク送信ビームを決定することであり得る。
または、第１指示情報は各第１リソースの識別子、および、各第１リソースの識別子に対応するビームの番号を含み得る。
または、第１指示情報は、各第１リソースの識別子、および、各第１リソースの識別子に対応するビームグループにおける各ビームの番号を含み得て、ビームグループは少なくとも１つのビームを含む。
または、第１指示情報は、各第１リソースの識別子、および、各第１リソースの識別子に対応するビームグループの番号を含み得る。
または、第１指示情報は、各第１リソースの識別子、および、各第１リソースの識別子に対応するビームの任意選択範囲を含み得る。
【００７２】
第３態様および前述の可能な実装に関連して、別の可能な実装において、ＵＥが、基地局によって送信された第１指示情報を受信する前に、情報伝送方法は、基地局によって送信された、ビームとビームの番号との間の対応関係を示すために使用される設定情報をＵＥが受信する段階を更に備え得る。これに対応して、ＵＥが第１指示情報に基づいてビームの番号を決定するとき、ＵＥは、設定情報に基づいて、番号に対応するビームを決定し得て、ビームの番号は、基地局によって選択されたビームのシーケンス番号であり得る。
【００７３】
第３態様および前述の可能な実装に関連して、別の可能な実装において、ＵＥが、基地局によって送信された第１指示情報を受信する前に、情報伝送方法は更に、ＵＥが、基地局によって送信された、リソースグループを少なくとも１つのリソースサブグループに分割するためにＵＥによって使用される第２指示情報を受信し、第２指示情報に基づいてリソースグループを少なくとも１つのリソースサブグループに分割する段階を備え得る。
【００７４】
第３態様および前述の可能な実装に関連して、別の可能な実装において、基地局がＵＥの能力に基づいてＵＥのためにリソースを設定することを可能するべく、基地局によってＵＥのために設定された少なくとも１つの第１リソースをＵＥが取得する前に、情報伝送方法は更に、ＵＥが、能力指示情報を基地局へ送信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備え得る。
【００７５】
第３態様および前述の可能な実装に関連して、別の可能な実装において、能力タイプはビームマネジメントステージおよび／またはビームの任意選択範囲を含む。能力タイプは事前定義され得る、または、基地局によって設定され得る。
【００７６】
第４態様によれば、本発明の実施形態は、情報伝送方法を提供し、当該方法は、ＵＥが、基地局によってＵＥのために設定された少なくとも１つの第１リソースを取得する段階であって、第１リソースは目標チャネルおよび／または信号を送信するためにＵＥによって使用される、段階と、ＵＥが、基地局によって送信された第１指示情報を受信する段階であって、第１指示情報は、第１リソースと第２リソースとの間の対応関係を示すために使用され、第１リソースと第２リソースとの間の対応関係は、疑似コロケーションＱＣＬ関係が目標チャネルおよび／または信号のためのアンテナポートと、第２リソース上で送信されるチャネルおよび／または信号のためのアンテナポートとの間に存在すること、目標チャネルおよび／または信号が、第２リソース上で送信されるチャネルおよび／または信号と同一のビームを使用することによって送信されること、ならびに、目標チャネルおよび／または信号が、第２リソース上で送信されるチャネルおよび／または信号と同一の空間フィルタを使用することによって送信されることのうち少なくとも１つを含み得る、段階とを備える。
【００７７】
本発明の本実施形態によって提供される情報伝送方法において、ＵＥは、ＵＥのために基地局によって設定された、目標チャネルおよび／または信号を送信するために使用される少なくとも１つの第１リソースを取得し、基地局によって送信された、第１リソースと第２リソースとの間の対応関係を示すために使用される第１指示情報を受信する。従って、ＵＥは、第１リソースおよび第１指示情報に基づいて、目標チャネルおよび／または信号を送信するために必要なビームを決定できる、または、第１指示情報および第２リソースに基づいて、目標チャネルおよび／または信号を送信するために必要なビームを決定でき、第１リソース上で、ならびに、目標チャネルおよび／または信号を送信するために必要なビーム上で、目標チャネルおよび／または信号を送信できる。目標チャネルまたは信号、またはその両方がＳＲＳであるとき、ＵＥは、目標チャネルおよび／または信号を送信するために必要な決定されたビームを使用することによってＳＲＳを送信し、それにより、ＳＲＳに対するビームフォーミングを実装する。
【００７８】
第４態様に関連して、可能な実装において、ビームはまた、空間フィルタ、プリコーディングまたは空間加重であり得る。
【００７９】
第４態様に関連して、可能な実装において、少なくとも１つの第１リソースは、リソースグループに含まれ得て、リソースグループは少なくとも１つのリソースサブグループを含み得る。
【００８０】
第４態様および前述の可能な実装に関連して、別の可能な実装において、ＵＥが、基地局によって送信された第１指示情報を受信した後に、情報伝送方法は更に、ＵＥが、第１リソースおよび第１指示情報に基づいて第２リソースを決定し、第２リソースに対応するビームに基づいて、目標チャネルおよび／または信号を送信するために必要なビーム、すなわちアップリンク送信ビームを決定し、ＵＥが、第１リソース上およびアップリンク送信ビーム上で目標チャネルおよび／または信号を送信する段階を備え得る。
【００８１】
第４態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【００８２】
第４態様および前述の可能な実装に関連して、別の可能な実装において、第１リソースは、時間領域リソース、周波数領域リソース、符号領域リソースおよびアンテナポートのうち少なくとも１つを含み得る。
【００８３】
第４態様および前述の可能な実装に関連して、別の可能な実装において、第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含み得る、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。
【００８４】
第２リソースは、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、主同期信号、副同期信号、同期信号ブロック、物理ブロードキャストチャネルの復調参照信号、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、物理ダウンリンク制御チャネルの復調参照信号、および、物理ダウンリンク共有チャネルの復調参照信号のうち少なくとも１つのチャネルおよび／または信号を送信するために使用されるリソースであり得る。任意選択で、物理ダウンリンク制御チャネルは、制御リソースセット（ＣＯＲＥＳＥＴ、ｃｏｎｔｒｏｌ  ｒｅｓｏｕｒｃｅ  ｓｅｔ）であり得る、または、ランダムアクセス応答またはシステム情報の制御情報を搬送する物理ダウンリンク制御チャネルであり得る。任意選択で、物理ダウンリンク共有チャネルは、システム情報を搬送する物理ダウンリンク共有チャネルであり得る。
【００８５】
第４態様および前述の可能な実装に関連して、別の可能な実装において、第１指示情報は、リソースサブグループにおける各第１リソースと第２リソースとの間の対応関係を含み得る。
【００８６】
第４態様および前述の可能な実装に関連して、別の可能な実装において、第１指示情報は具体的には、リソースサブグループにおける各第１リソースの識別子と、各第１リソースの識別子に対応する第２リソースの識別子とを含み得る、または、第１指示情報は具体的には、ＱＣＬ関係が、各第１リソース上の信号のためのアンテナポートと、第２リソース上の信号のためのアンテナポートとの間に存在することを示すために使用される情報を含む。または、第１指示情報は具体的には、各第１リソースに対応する第２リソースの識別子を含む。任意選択で、第１指示情報が各第１リソースに対応する第２リソースの識別子を含むとき、第１指示情報は、１または複数の第２リソースの識別子を含み得て、第２リソースの識別子の数は、第１リソースの数と同一であり、第１指示情報によって示される第１リソースと、第２リソースの各々との間の対応関係は、事前定義され得る。
【００８７】
第４態様および前述の可能な実装に関連して、別の可能な実装において、第１指示情報は、各第１リソースとビームの任意選択範囲との間の対応関係を更に含み得る。
【００８８】
第４態様および前述の可能な実装に関連して、別の可能な実装において、第１指示情報は、各リソースサブグループと第２リソースとの間の対応関係を含み得る。
【００８９】
第４態様および前述の可能な実装に関連して、別の可能な実装において、第１指示情報は具体的には、各リソースサブグループの識別子、および、各リソースサブグループの識別子に対応する第２リソースの識別子を含み得る。または、第１指示情報は具体的には、ＱＣＬ関係が各リソースサブグループ上の信号のためのアンテナポートと、第２リソース上の信号のためのアンテナポートとの間に存在することを示すために使用される情報を含み得る。または、第１指示情報は具体的には、各リソースサブグループに対応する第２リソースの識別子を含み得る。
【００９０】
第４態様および前述の可能な実装に関連して、別の可能な実装において、第１指示情報は、各リソースサブグループと第２リソースグループとの間の対応関係を含み得て、第２リソースグループは少なくとも１つの第２リソースを含む。
【００９１】
第４態様および前述の可能な実装に関連して、別の可能な実装において、第１指示情報は具体的には、各リソースサブグループの識別子、および、各リソースサブグループの識別子に対応する第２リソースグループにおける各第２リソースの識別子を含み得る。または、第１指示情報は具体的には、各リソースサブグループの識別子、および、各リソースサブグループの識別子に対応する第２リソースグループの識別子を含み得る。または、第１指示情報は具体的には、ＱＣＬ関係が各リソースサブグループ上の信号のためのアンテナポートと、第２リソースグループ上の信号のためのアンテナポートとの間に存在することを示すために使用される情報を含み得る。
【００９２】
第４態様および前述の可能な実装に関連して、別の可能な実装において、第１指示情報は、第２リソースグループにおける各第２リソースの識別子を含み得る。または、第１指示情報は、第２リソースグループの識別子を含み得る。任意選択で、第１指示情報が第２リソースグループの識別子を含むとき、第２リソースグループにおける第２リソースの数は、第１リソースグループにおける第１リソースサブグループの数と同一であり、かつ、第１指示情報において示されるような、第２リソースグループにおける第２リソースと、第１リソースグループにおける第１リソースサブグループとの間の対応関係は事前定義される。
【００９３】
第４態様および前述の可能な実装に関連して、別の可能な実装において、第１指示情報は、各リソースサブグループとビームの任意選択範囲との間の対応関係を更に含み得る。
【００９４】
第４態様および前述の可能な実装に関連して、別の可能な実装において、第１指示情報は、各第１リソースと第２リソースとの間の対応関係を含み得る。
【００９５】
第４態様および前述の可能な実装に関連して、別の可能な実装において、第１指示情報は具体的には、各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含み得る。
【００９６】
第４態様および前述の可能な実装に関連して、別の可能な実装において、各第１リソースと第２リソースグループとの間の対応関係において、第２リソースグループは少なくとも１つの第２リソースを含む。
【００９７】
第４態様および前述の可能な実装に関連して、別の可能な実装において、第１指示情報は具体的には、各第１リソースの識別子、および、各第１リソースの識別子に対応する第２リソースグループにおける各第２リソースの識別子を含み得る。または、第１指示情報は具体的には、各第１リソースの識別子、および、各第１リソースの識別子に対応する第２リソースグループの識別子を含み得る。または、第１指示情報は具体的には、ＱＣＬ関係が、各第１リソース上の信号のためのアンテナポートと、第２リソースグループ上の信号のためのアンテナポートとの間に存在することを示すために使用される情報を含み得る。または、第１指示情報は具体的には、各第１リソースに対応する第２リソースグループにおける各第２リソースの識別子を含み得る。または、第１指示情報は具体的には、各第１リソースに対応する第２リソースグループの識別子を含み得る。
【００９８】
第４態様および前述の可能な実装に関連して、別の可能な実装において、第１指示情報は、各第１リソースとビームの任意選択範囲との間の対応関係を更に含み得る。
【００９９】
第４態様および前述の可能な実装に関連して、別の可能な実装において、第２リソースグループは１または複数の第２リソースを含む。
【０１００】
第４態様および前述の可能な実装に関連して、別の可能な実装において、ＱＣＬ関係が存在するということは、同一のアンテナポートパラメータを有することを意味する。
【０１０１】
代替的に、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、到着角度（Ａｎｇｌｅ  ｏｆ  ａｒｒｉｖａｌ、ＡＯＡ）、平均ＡＯＡ、ＡＯＡスプレッド、発射角度（Ａｎｇｌｅ  ｏｆ  Ｄｅｐａｒｔｕｒｅ、ＡＯＤ）、平均発射角度ＡＯＤ、ＡＯＤスプレッド、受信アンテナ空間相関パラメータ、送信アンテナ空間相関パラメータ、送信ビーム、受信ビーム、リソース識別子、送信側電力方位角スペクトル（ＰＡＳ、Ｐｏｗｅｒ  Ａｚｉｍｕｔｈ  Ｓｐｅｃｔｒｕｍ）、受信側ＰＡＳおよびＰＡＳのうち少なくとも１つであり得る。ビームは、プリコーディング、加重シーケンス番号、ビームシーケンス番号および空間フィルタのうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、ＣＳＩ−ＲＳのリソース識別子、または、リソース上のビームを示すために使用されるＳＲＳのリソース識別子、または、同期信号もしくは同期信号ブロックのリソース識別子、または、ＰＲＡＣＨ上で送信されるプリアンブルシーケンスのリソース識別子、または、リソース上のビームを示すために使用されるＤＭＲＳのリソース識別子を含む。例えば、ダウンリンク信号のためのポートと、ダウンリンク信号のための別のポートとの間、または、アップリンク信号のためのポートと、アップリンク信号のための別のポートとの間の空間ＱＣＬ関係は、２つの信号が同一のＡＯＡまたはＡＯＤを有し得ることであり得て、２つの信号が同一の受信ビームまたは送信ビームを有することを示すために使用される。別の例として、ダウンリンク信号とアップリンク信号との間、または、アップリンク信号のためのポートと、ダウンリンク信号のためのポートとの間のＱＣＬ関係は、２つの信号のうち一方の信号のＡＯＡと、他方の信号とのＡＯＤとの間に対応関係が存在すること、または、２つの信号のうち一方の信号のＡＯＤと、他方の信号のＡＯＡとの間に対応関係が存在することであり得る。言い換えれば、ビーム対応関係を使用することによって、アップリンク送信ビームは、ダウンリンク受信ビームに基づいて決定され得る、または、ダウンリンク受信ビームは、アップリンク送信ビームに基づいて決定され得る。
【０１０２】
空間ＱＣＬ関係を有するポート上で送信された信号はまた、対応するビームを有するものとして理解され得て、対応するビームは、同一の受信ビーム、同一の送信ビーム、受信ビームに対応する送信ビーム（レシプロシティシナリオに対応する）、および、送信ビームに対応する受信ビーム（レシプロシティシナリオに対応する）のうち少なくとも１つを含む。
【０１０３】
空間ＱＣＬ関係を有するポート上で送信される信号はまた、同一の空間フィルタ（ｓｐａｔｉａｌ  ｆｉｌｔｅｒ）を使用することによって受信または送信された信号として理解され得る。空間フィルタは、プリコーディング、アンテナポートの加重、アンテナポートの位相偏向、および、アンテナポートの振幅利得のうち少なくとも１つであり得る。
【０１０４】
空間ＱＣＬ関係を有するポート上で送信される信号はまた、対応するビーム対リンク（ＢＰＬ、ｂｅａｍ  ｐａｉｒ  ｌｉｎｋ）を有するものとして理解され得て、対応するＢＰＬは、同一のダウンリンクＢＰＬ、同一のアップリンクＢＰＬ、ダウンリンクＢＰＬに対応するアップリンクＢＰＬ、および、アップリンクＢＰＬに対応するダウンリンクＢＰＬのうち少なくとも１つを含む。
【０１０５】
任意選択で、ＱＣＬ関係は、技術的本質を変更することなく別の名前を有し得て、例えば、空間ＱＣＬ関係またはレシプロシティＱＣＬ関係とも称され得る。
【０１０６】
第４態様および前述の可能な実装に関連して、別の可能な実装において、ＵＥが、基地局によって送信された第１指示情報を受信する前に、情報伝送方法は更に、ＵＥが、基地局によって送信された、リソースグループを少なくとも１つのリソースサブグループに分割するためにＵＥによって使用される第２指示情報を受信し、第２指示情報に基づいてリソースグループを少なくとも１つのリソースサブグループに分割する段階を備え得る。
【０１０７】
第４態様および前述の可能な実装に関連して、別の可能な実装において、基地局がＵＥの能力に基づいてＵＥのためにリソースを設定することを可能するべく、基地局によってＵＥのために設定された少なくとも１つの第１リソースをＵＥが取得する前に、情報伝送方法は更に、ＵＥが、能力指示情報を基地局へ送信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備え得る。
【０１０８】
第４態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【０１０９】
第４態様および前述の可能な実装に関連して、別の可能な実装において、第１指示情報を搬送するチャネルが位置する時間単位と、第２リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【０１１０】
第４態様および前述の可能な実装に関連して、別の可能な実装において、第１リソースと第２リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【０１１１】
第４態様および前述の可能な実装に関連して、別の可能な実装において、第２リソースと、第１指示情報を搬送するチャネルが位置する時間単位との間の時間オフセットは事前定義される、または、基地局の第４設定情報に基づいて決定される。任意選択で、時間オフセットは、正の値または０であり得る。時間単位は、タイムスロット、サブフレーム、シンボルまたはミニタイムスロットであり得る。
【０１１２】
第４態様および前述の可能な実装に関連して、別の可能な実装において、第２リソースと第１リソースとの間の時間オフセットは事前定義される、または、基地局の第３設定情報に基づいて決定される。任意選択で、時間オフセットは正の値、負の値または０であり得る。時間単位は、タイムスロット、サブフレーム、シンボルまたはミニタイムスロットであり得る。
【０１１３】
第５態様によれば、本発明の実施形態は、基地局を提供し、当該基地局は、ＵＥのために少なくとも１つの第１リソースを設定するよう構成される設定ユニットであって、第１リソースは、目標チャネルおよび／または信号を送信するためにＵＥによって使用される、設定ユニットと、第１指示情報をＵＥへ送信するよう構成される送信ユニットであって、第１指示情報は、第１リソースとビームとの間の対応関係を示すために使用され、ビームは、アップリンク送信ビーム、または、ダウンリンク受信ビーム、または、ダウンリンク送信ビーム、または、アップリンク受信ビームである、送信ユニットとを備える。
【０１１４】
第５態様に関連して、可能な実装において、少なくとも１つの第１リソースは、リソースグループに含まれ得て、リソースグループは少なくとも１つのリソースサブグループを含み得る。
【０１１５】
第５態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【０１１６】
第５態様および前述の可能な実装に関連して、別の可能な実装において、ビームはポートであり得る、または、プリコーディングであり得る。
【０１１７】
第５態様および前述の可能な実装に関連して、別の可能な実装において、第１リソースは、時間領域リソース、周波数領域リソース、符号領域リソースおよびアンテナポートのうち少なくとも１つを含み得る。
【０１１８】
第５態様および前述の可能な実装に関連して、別の可能な実装において、第１リソースとビームとの間の対応関係は、以下の異なる方式で示され得る。
方式１：第１指示情報が、リソースサブグループにおける各第１リソースの識別子と、各第１リソースの識別子に対応するビームの番号とを含み得る。
方式２：第１指示情報が、各リソースサブグループの識別子と、各リソースサブグループの識別子に対応するビームの番号とを含み得る。
方式３：第１指示情報が、各リソースサブグループの識別子と、各リソースサブグループの識別子に対応するビームグループにおける各ビームの番号とを含み得て、ビームグループは、少なくとも１つのビームを含む（異なるリソースサブグループは、同一のビームグループに対応し得る）。
方式４：第１指示情報が、各リソースサブグループの識別子と、各リソースサブグループの識別子に対応するビームグループの番号とを含み得る（異なるリソースサブグループの識別子は同一のビームグループの番号に対応し得る）。
方式５：第１指示情報は、ビームグループにおける各ビームの番号を含み得る。
方式６：第１指示情報は、ビームグループの番号を含み得る。
方式７：第１指示情報は、各リソースサブグループの識別子と、各リソースサブグループの識別子に対応するビームの任意選択範囲とを含み得る。
方式８：第１指示情報は、各第１リソースの識別子と、各第１リソースの識別子に対応するビームの番号とを含み得る。
方式９：第１指示情報は、各第１リソースの識別子と、各第１リソースの識別子に対応するビームグループにおける各ビームの番号とを含み得て、ビームグループは少なくとも１つのビームを含む（異なる第１リソースは同一のビームグループに対応し得る）。
方式１０：第１指示情報は、各第１リソースの識別子と、各第１リソースの識別子に対応するビームグループの番号とを含み得る（異なる第１リソースの識別子は、同一のビームグループの番号に対応し得る）。
方式１１：第１指示情報は、各第１リソースの識別子と、各第１リソースの識別子に対応するビームの任意選択範囲とを含み得る。
【０１１９】
方式１において、送信ユニットは、第１指示情報を使用して、同一のリソースサブグループにおける第１リソース上で、ＵＥが異なる送信ビームを使用することによって目標チャネルおよび／または信号を送信する必要があることを示す。この場合、これに対応して、事前定義または事前設定方式が使用され得て、その結果、同一のリソースサブグループにおけるすべての第１リソース上で、基地局は、同一の受信ビームを使用することによって、目標チャネルおよび／または信号を受信する。
【０１２０】
方式２から方式６において、送信ユニットは、第１指示情報を使用して、同一のリソースサブグループにおけるすべての第１リソース上で、ＵＥが同一の送信ビームを使用することによって目標チャネルおよび／または信号を送信する必要があることを示す。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０１２１】
方式２において、ビームがダウンリンク送信ビームまたはアップリンク受信ビームである場合、ユーザ機器は、各サブリソース上で、ダウンリンク送信ビームまたはアップリンク受信ビームと対になったアップリンク送信ビームを使用することによって、目標チャネルおよび／または信号を送信する。
【０１２２】
任意選択で、第１指示情報は設定情報であり得る。設定情報は、上位層シグナリングにおいて搬送され得る。
【０１２３】
代替的に、第１指示情報は設定情報または設定指示であり得る。設定情報は、第１リソースとビームとの間の対応関係を示すために使用され（設定情報は複数の設定を同時に含み得る）、設定情報は、上位層シグナリングにおいて搬送され得る。設定指示は、ＵＥが目標チャネルおよび／または信号を送信するとき、複数の設定のうちどの設定が使用されるかを示すために使用され、設定指示は、ＤＣＩにおいて搬送され得る。
【０１２４】
第５態様および前述の可能な実装に関連して、別の可能な実装において、送信ユニットは更に、ビームとビームの番号との間の対応関係を示すために使用される設定情報をＵＥへ送信するよう構成され、ビームの番号は、基地局によって選択されるビームのシーケンス番号であり得る。
【０１２５】
第５態様および前述の可能な実装に関連して、別の可能な実装において、送信ユニットは更に、リソースグループを少なくとも１つのリソースサブグループに分割するためにＵＥによって使用される第２指示情報をＵＥへ送信するよう構成される。
【０１２６】
第５態様および前述の可能な実装に関連して、別の可能な実装において、基地局が、ＵＥの能力に基づいてＵＥのためにリソースを設定することを可能にするべく、基地局は更に、ＵＥによって送信された能力指示情報を受信するよう構成される受信ユニットであって、能力指示情報は、ＵＥによって能力タイプ内においてサポートされるビームの最大数を含む、または、能力指示情報は、ＵＥによって能力タイプ内においてサポートされるビームの最大数の量子化値を含む、受信ユニットを備え得て、これに対応して、設定ユニットは具体的には、受信ユニットによって受信された能力指示情報に基づいて、ＵＥのために少なくとも１つの第１リソースを設定するよう構成される。
【０１２７】
第５態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【０１２８】
第６態様によれば、本発明の実施形態は基地局を提供し、当該基地局は、ＵＥのために少なくとも１つの第１リソースを設定するよう構成される設定ユニットであって、第１リソースは、目標チャネルおよび／または信号を送信するためにＵＥによって使用される、設定ユニットと、第１指示情報をＵＥへ送信するよう構成される送信ユニットであって、第１指示情報は、第１リソースと第２リソースとの間の対応関係を示すために使用される、送信ユニットとを備える。
【０１２９】
第６態様に関連して、可能な実装において、少なくとも１つの第１リソースは、リソースグループに含まれ得て、リソースグループは少なくとも１つのリソースサブグループを含み得る。
【０１３０】
第６態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【０１３１】
第６態様および前述の可能な実装に関連して、別の可能な実装において、第１リソースは、時間領域リソース、周波数領域リソース、符号領域リソースおよびアンテナポートのうち少なくとも１つを含み得る。
【０１３２】
第６態様および前述の可能な実装に関連して、別の可能な実装において、第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含み得る、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。
【０１３３】
第６態様および前述の可能な実装に関連して、別の可能な実装において、第１指示情報は、リソースサブグループにおける各第１リソースと第２リソースとの間の対応関係を含み得る。
【０１３４】
送信ユニットは、第１指示情報を使用して、リソースサブグループにおける第１リソースが異なる第２リソースに対応することを示す。言い換えれば、同一のリソースサブグループにおける第１リソース上で、ＵＥは、異なる送信ビームを使用することによって、目標チャネルおよび／または信号を送信する必要がある。この場合、これに対応して、事前定義または事前設定方式が使用され得て、その結果、同一のリソースサブグループにおけるすべての第１リソース上で、基地局は、同一の受信ビームを使用することによって、目標チャネルおよび／または信号を受信する。
【０１３５】
第６態様および前述の可能な実装に関連して、別の可能な実装において、第１指示情報は具体的には、リソースサブグループにおける各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含む。
【０１３６】
第６態様および前述の可能な実装に関連して、別の可能な実装において、第１指示情報は、各第１リソースとビームの任意選択範囲との間の対応関係を更に含み得る。
【０１３７】
第６態様および前述の可能な実装に関連して、別の可能な実装において、第１指示情報は、各リソースサブグループと第２リソースとの間の対応関係を含み得る。
【０１３８】
送信ユニットは、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０１３９】
第６態様および前述の可能な実装に関連して、別の可能な実装において、第１指示情報は具体的には、各リソースサブグループの識別子、および、各リソースサブグループの識別子に対応する第２リソースの識別子を含み得る、または、第１指示情報は具体的には、ＱＣＬ関係が、各リソースサブグループ上の信号のためのアンテナポートと、第２リソース上の信号のためのアンテナポートとの間に存在することを示すために使用される情報を含み得る。
【０１４０】
第６態様および前述の可能な実装に関連して、別の可能な実装において、第１指示情報は、各リソースサブグループと第２リソースグループとの間の対応関係を含み得て、第２リソースグループは少なくとも１つの第２リソースを含む。送信ユニットは、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０１４１】
第６態様および前述の可能な実装に関連して、別の可能な実装において、第１指示情報は具体的には、各リソースサブグループの識別子、および、各リソースサブグループの識別子に対応する第２リソースグループにおける各第２リソースの識別子を含み得る。または、第１指示情報は具体的には、各リソースサブグループの識別子、および、各リソースサブグループの識別子に対応する第２リソースグループの識別子を含み得る。または、第１指示情報は具体的には、ＱＣＬ関係が各リソースサブグループ上の信号のためのアンテナポートと、第２リソースグループ上の信号のためのアンテナポートとの間に存在することを示すために使用される情報を含み得る。
【０１４２】
第６態様および前述の可能な実装に関連して、別の可能な実装において、第１指示情報は、第２リソースグループにおける各第２リソースの識別子を含み得る。または、第１指示情報は、第２リソースグループの識別子を含み得る。送信ユニットは、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０１４３】
第６態様および前述の可能な実装に関連して、別の可能な実装において、第１指示情報は、各リソースサブグループとビームの任意選択範囲との間の対応関係を更に含み得る。
【０１４４】
第６態様および前述の可能な実装に関連して、別の可能な実装において、第１指示情報は、各第１リソースと第２リソースとの間の対応関係を含み得る。
【０１４５】
第６態様および前述の可能な実装に関連して、別の可能な実装において、第１指示情報は具体的には、各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含み得る。
【０１４６】
第６態様および前述の可能な実装に関連して、別の可能な実装において、各第１リソースと第２リソースグループとの間の対応関係において、第２リソースグループは少なくとも１つの第２リソースを含む。
【０１４７】
第６態様および前述の可能な実装に関連して、別の可能な実装において、第１指示情報は具体的には、各第１リソースの識別子、および、各第１リソースの識別子に対応する第２リソースグループにおける各第２リソースの識別子を含み得る。または、第１指示情報は具体的には、各第１リソースの識別子、および、各第１リソースの識別子に対応する第２リソースグループの識別子を含み得る。または、第１指示情報は具体的には、ＱＣＬ関係が、各第１リソース上の信号のためのアンテナポートと、第２リソースグループ上の信号のためのアンテナポートとの間に存在することを示すために使用される情報を含み得る。
【０１４８】
第６態様および前述の可能な実装に関連して、別の可能な実装において、第１指示情報は、各第１リソースとビームの任意選択範囲との間の対応関係を更に含み得る。
【０１４９】
第６態様および前述の可能な実装に関連して、別の可能な実装において、ＱＣＬ関係が存在するということは、同一のアンテナポートパラメータを有することを意味する。
【０１５０】
代替的に、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、ＡＯＡ、平均ＡＯＡ、ＡＯＡスプレッド、ＡＯＤ、平均発射角度ＡＯＤ、ＡＯＤスプレッド、受信アンテナ空間相関パラメータ、送信ビーム、受信ビームおよびリソース識別子のうち少なくとも１つであり得る。ビームは、プリコーディング、加重シーケンス番号およびビームシーケンス番号のうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、ＣＳＩ−ＲＳのリソース識別子、または、ＳＲＳのリソース識別子を含む。
【０１５１】
第６態様および前述の可能な実装に関連して、別の可能な実装において、第１指示情報は設定情報であり得る。設定情報は、上位層シグナリングにおいて搬送され得る。
【０１５２】
代替的に、第１指示情報は設定情報または設定指示であり得る。設定情報は、第１リソースとビームとの間の対応関係を示すために使用され（設定情報は複数の設定を同時に含み得る）、設定情報は、上位層シグナリングにおいて搬送され得る。設定指示は、ＵＥが目標チャネルおよび／または信号を送信するとき、複数の設定のうちどの設定が使用されるかを示すために使用され、設定指示は、ＤＣＩにおいて搬送され得る。
【０１５３】
第６態様および前述の可能な実装に関連して、別の可能な実装において、送信ユニットは更に、リソースグループを少なくとも１つのリソースサブグループに分割するためにＵＥによって使用される第２指示情報をＵＥへ送信するよう構成される。
【０１５４】
第６態様および前述の可能な実装に関連して、別の可能な実装において、基地局が、ＵＥの能力に基づいてＵＥのためにリソースを設定することを可能にするべく、基地局は更に、ＵＥによって送信された能力指示情報を受信するよう構成される受信ユニットであって、能力指示情報は、ＵＥによって能力タイプ内においてサポートされるビームの最大数を含む、または、能力指示情報は、ＵＥによって能力タイプ内においてサポートされるビームの最大数の量子化値を含む、受信ユニットを備え得て、これに対応して、設定ユニットは具体的には、受信ユニットによって受信された能力指示情報に基づいて、ＵＥのために少なくとも１つの第１リソースを設定するよう構成される。
【０１５５】
第６態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【０１５６】
第７態様によれば、本発明の実施形態は、ＵＥを提供し、ＵＥは、基地局によってＵＥのために設定された少なくとも１つの第１リソースを取得するよう構成される取得ユニットであって、第１リソースは、目標チャネルおよび／または信号を送信するためにＵＥによって使用される、取得ユニットと、基地局によって送信された第１指示情報を受信するよう構成される受信ユニットであって、第１指示情報は、第１リソースとビームとの間の対応関係を示すために使用され、ビームは、アップリンク送信ビーム、または、ダウンリンク受信ビーム、または、ダウンリンク送信ビーム、または、アップリンク受信ビームである、受信ユニットとを備える。
【０１５７】
第７態様に関連して、可能な実装において、少なくとも１つの第１リソースは、リソースグループに含まれ得て、リソースグループは少なくとも１つのリソースサブグループを含み得る。
【０１５８】
第７態様および前述の可能な実装に関連して、別の可能な実装において、ＵＥは更に、取得ユニットによって取得された第１リソース、および、受信ユニットによって受信された第１指示情報に基づいて、目標チャネルおよび／または信号を送信するために必要なビーム、すなわちアップリンク送信ビームを決定するよう構成される決定ユニットと、第１リソース上、および、決定ユニットによって決定されたアップリンク送信ビーム上で、目標チャネルおよび／または信号を送信するよう構成される送信ユニットとを備え得る。
【０１５９】
ビームがアップリンク送信ビームであるとき、決定ユニットは、第１リソース、および、第１リソースとビームとの間の対応関係に基づいて、アップリンク送信ビームを直接決定し得る。ビームがダウンリンク受信ビームであるとき、決定ユニットはまず、第１リソース、および、第１リソースとビームとの間の対応関係に基づいて、ダウンリンク受信ビームを決定してから、アップリンクビームとダウンリンクビームとの間の対応関係を使用することによって、ダウンリンク受信ビームに基づいて、アップリンク送信ビームを決定し得る（アップリンクビームとダウンリンクビームとの間の対応関係は、アップリンクおよびダウンリンクチャネルのレシプロシティから取得され得る）。または、ビームがダウンリンク送信ビームであるとき、決定ユニットはまず、第１リソース、および、第１リソースとビームとの間の対応関係に基づいて、ダウンリンク送信ビームを決定してから、アップリンクビームとダウンリンクビームとの間の対応関係を使用することによって、ダウンリンク送信ビームに基づいてダウンリンク受信ビームを決定し、最後に、アップリンクビームとダウンリンクビームとの間の対応関係を使用することによって、ダウンリンク受信ビームに基づいて、アップリンク送信ビームを決定し得る。
【０１６０】
第７態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【０１６１】
第７態様および前述の可能な実装に関連して、別の可能な実装において、ビームはポートであり得る、または、プリコーディングであり得る。
【０１６２】
第７態様および前述の可能な実装に関連して、別の可能な実装において、第１リソースは、時間領域リソース、周波数領域リソース、符号領域リソースおよびアンテナポートのうち少なくとも１つを含み得る。
【０１６３】
第７態様および前述の可能な実装に関連して、別の可能な実装において、第１指示情報は、リソースサブグループにおける各第１リソースの識別子、および、各第１リソースの識別子に対応するビームの番号を含み得て、これに対応して、決定ユニットは具体的には、第１リソースの識別子に対応するビームの番号を決定してから、ビームの番号に対応するビームに基づいてアップリンク送信ビームを決定するよう構成される。
または、第１指示情報は、各リソースサブグループの識別子、および、各リソースサブグループの識別子に対応するビームの番号を含み得て、これに対応して、決定ユニットは具体的には、第１リソースが属するリソースサブグループの識別子を決定し、リソースサブグループの識別子に対応するビームの番号を決定してから、ビームの番号に対応するビームに基づいてアップリンク送信ビームを決定するよう構成される。
または、第１指示情報は、各リソースサブグループの識別子、および、各リソースサブグループの識別子に対応するビームグループにおける各ビームの番号を含み得て、ビームグループは、少なくとも１つのビームを含み、これに対応して、決定ユニットは具体的には、第１リソースが属するリソースサブグループの識別子を決定し、リソースサブグループの識別子に対応するビームグループにおける各ビームの番号を決定してから、ビームグループにおけるビームに基づいてアップリンク送信ビームを決定するよう構成される。
または、第１指示情報は、各リソースサブグループの識別子、および、各リソースサブグループの識別子に対応するビームグループの番号を含み得て、これに対応して、決定ユニットは具体的には、第１リソースが属するリソースサブグループの識別子を決定し、リソースサブグループの識別子に対応するビームグループの番号を決定してから、ビームグループにおけるビームに基づいてアップリンク送信ビームを決定するよう構成される。
または、第１指示情報は、ビームグループにおける各ビームの番号を含み得る、または、第１指示情報は、ビームグループの番号を含み得て、これに対応して、決定ユニットは具体的には、ビームグループにおけるビームに基づいてアップリンク送信ビームを決定するよう構成され、第１リソースが属するリソースサブグループはビームに対応する。
または、第１指示情報は、各リソースサブグループの識別子、および、各リソースサブグループの識別子に対応するビームの任意選択範囲を含み得て、これに対応して、決定ユニットは具体的には、第１リソースが属するリソースサブグループの識別子を決定し、リソースサブグループの識別子に対応するビームの任意選択範囲を決定してから、ビームの任意選択範囲に基づいてアップリンク送信ビームを決定するよう構成される。
または、第１指示情報は、各第１リソースの識別子、および、各第１リソースの識別子に対応するビームの番号を含み得る。
または、第１指示情報は、各第１リソースの識別子、および、各第１リソースの識別子に対応するビームグループにおける各ビームの番号を含み得て、ビームグループは少なくとも１つのビームを含む。
または、第１指示情報は、各第１リソースの識別子、および、各第１リソースの識別子に対応するビームグループの番号を含み得る。
または、第１指示情報は、各第１リソースの識別子、および、各第１リソースの識別子に対応するビームの任意選択範囲を含み得る。
【０１６４】
第７態様および前述の可能な実装に関連して、別の可能な実装において、受信ユニットは更に、基地局によって送信された、ビームとビームの番号との間の対応関係を示すために使用される設定情報を受信するよう構成される。これに対応して、決定ユニットが第１指示情報に基づいてビームの番号を決定するとき、決定ユニットは、受信ユニットによって受信された設定情報に基づいて、番号に対応するビームを決定し得て、ビームの番号は、基地局によって選択されるビームのシーケンス番号であり得る。
【０１６５】
第７態様および前述の可能な実装に関連して、別の可能な実装において、受信ユニットは更に、基地局によって送信された、リソースグループを少なくとも１つのリソースサブグループに分割するためにＵＥによって使用される第２指示情報を受信し、第２指示情報に基づいてリソースグループを少なくとも１つのリソースサブグループに分割するよう構成される。
【０１６６】
第７態様および前述の可能な実装に関連して、別の可能な実装において、基地局が、ＵＥの能力に基づいて、ＵＥのためにリソースを設定することを可能にするべく、送信ユニットは更に、能力指示情報を基地局へ送信するよう構成され、能力指示情報は、ＵＥによって能力タイプ内においてサポートされるビームの最大数を含む、または、能力指示情報は、ＵＥによって能力タイプ内においてサポートされるビームの最大数の量子化値を含む。
【０１６７】
第７態様および前述の可能な実装に関連して、別の可能な実装において、能力タイプはビームマネジメントステージおよび／またはビームの任意選択範囲を含む。能力タイプは事前定義され得る、または、基地局によって設定され得る。
【０１６８】
第８態様によれば、本発明の実施形態はＵＥを提供し、当該ＵＥは、基地局によってＵＥのために設定された少なくとも１つの第１リソースを取得するよう構成される取得ユニットであって、第１リソースは、目標チャネルおよび／または信号を送信するためにＵＥによって使用される、取得ユニットと、基地局によって送信された第１指示情報を受信するよう構成される受信ユニットであって、第１指示情報は、第１リソースと第２リソースとの間の対応関係を示すために使用される、受信ユニットとを含む。
【０１６９】
第８態様に関連して、可能な実装において、少なくとも１つの第１リソースは、リソースグループに含まれ得て、リソースグループは少なくとも１つのリソースサブグループを含み得る。
【０１７０】
第８態様および前述の可能な実装に関連して、別の可能な実装において、ＵＥは更に、第１リソースおよび第１指示情報に基づいて第２リソースを決定し、第２リソースに対応するビームに基づいて、目標チャネルおよび／または信号を送信するために必要なビーム、すなわち、アップリンク送信ビームを決定するよう構成される決定ユニットと、第１リソース上およびアップリンク送信ビーム上で目標チャネルおよび／または信号を送信するよう構成される送信ユニットとを備え得る。
【０１７１】
第８態様および前述の可能な実装に関連して、別の可能な実装において、目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含み得る。
【０１７２】
第８態様および前述の可能な実装に関連して、別の可能な実装において、第１リソースは、時間領域リソース、周波数領域リソース、符号領域リソースおよびアンテナポートのうち少なくとも１つを含み得る。
【０１７３】
第８態様および前述の可能な実装に関連して、別の可能な実装において、第２リソースは、送信ユニットが目標チャネルおよび／または信号を送信する前に、情報を基地局へ送信するために送信ユニットによって使用される時間領域リソース、周波数領域リソース、符号領域リソースおよびアンテナポートのうち少なくとも１つを含み得る、または、第２リソースは、送信ユニットが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。
【０１７４】
第８態様および前述の可能な実装に関連して、別の可能な実装において、第１指示情報は、リソースサブグループにおける各第１リソースと第２リソースとの間の対応関係を含み得る。
【０１７５】
第８態様および前述の可能な実装に関連して、別の可能な実装において、第１指示情報は具体的には、リソースサブグループにおける各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含む。
【０１７６】
第８態様および前述の可能な実装に関連して、別の可能な実装において、第１指示情報は、各第１リソースとビームの任意選択範囲との間の対応関係を更に含み得る。
【０１７７】
第８態様および前述の可能な実装に関連して、別の可能な実装において、第１指示情報は、各リソースサブグループと第２リソースとの間の対応関係を含み得る。
【０１７８】
第８態様および前述の可能な実装に関連して、別の可能な実装において、第１指示情報は具体的には、各リソースサブグループの識別子、および、各リソースサブグループの識別子に対応する第２リソースの識別子を含み得る、または、第１指示情報は具体的には、ＱＣＬ関係が、各リソースサブグループ上の信号のためのアンテナポートと、第２リソース上の信号のためのアンテナポートとの間に存在することを示すために使用される情報を含み得る。
【０１７９】
第８態様および前述の可能な実装に関連して、別の可能な実装において、第１指示情報は、各リソースサブグループと第２リソースグループとの間の対応関係を含み得て、第２リソースグループは少なくとも１つの第２リソースを含む。
【０１８０】
第８態様および前述の可能な実装に関連して、別の可能な実装において、第１指示情報は具体的には、各リソースサブグループの識別子、および、各リソースサブグループの識別子に対応する第２リソースグループにおける各第２リソースの識別子を含み得る。または、第１指示情報は具体的には、各リソースサブグループの識別子、および、各リソースサブグループの識別子に対応する第２リソースグループの識別子を含み得る。または、第１指示情報は具体的には、ＱＣＬ関係が各リソースサブグループ上の信号のためのアンテナポートと、第２リソースグループ上の信号のためのアンテナポートとの間に存在することを示すために使用される情報を含み得る。
【０１８１】
第８態様および前述の可能な実装に関連して、別の可能な実装において、第１指示情報は、第２リソースグループにおける各第２リソースの識別子を含み得る。または、第１指示情報は、第２リソースグループの識別子を含み得る。
【０１８２】
第８態様および前述の可能な実装に関連して、別の可能な実装において、第１指示情報は、各リソースサブグループとビームの任意選択範囲との間の対応関係を更に含み得る。
【０１８３】
第８態様および前述の可能な実装に関連して、別の可能な実装において、第１指示情報は、各第１リソースと第２リソースとの間の対応関係を含み得る。
【０１８４】
第８態様および前述の可能な実装に関連して、別の可能な実装において、第１指示情報は具体的には、各第１リソースの識別子、および、各第１リソースの識別子に対応する第２リソースの識別子を含み得る。または、第１指示情報は具体的には、ＱＣＬ関係が、各第１リソース上の信号のためのアンテナポートと、第２リソース上の信号のためのアンテナポートとの間に存在することを示すために使用される情報を含み得る。
【０１８５】
第８態様および前述の可能な実装に関連して、別の可能な実装において、各第１リソースと第２リソースグループとの間の対応関係において、第２リソースグループは少なくとも１つの第２リソースを含む。
【０１８６】
第８態様および前述の可能な実装に関連して、別の可能な実装において、第１指示情報は具体的には、各第１リソースの識別子、および、各第１リソースの識別子に対応する第２リソースグループにおける各第２リソースの識別子を含み得る。または、第１指示情報は具体的には、各第１リソースの識別子、および、各第１リソースの識別子に対応する第２リソースグループの識別子を含み得る。または、第１指示情報は具体的には、ＱＣＬ関係が、各第１リソース上の信号のためのアンテナポートと、第２リソースグループ上の信号のためのアンテナポートとの間に存在することを示すために使用される情報を含み得る。
【０１８７】
第８態様および前述の可能な実装に関連して、別の可能な実装において、第１指示情報は、各第１リソースとビームの任意選択範囲との間の対応関係を更に含み得る。
【０１８８】
第８態様および前述の可能な実装に関連して、別の可能な実装において、ＱＣＬ関係が存在するということは、同一のアンテナポートパラメータを有することを意味する。
【０１８９】
代替的に、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、到着角度ＡＯＡ、平均ＡＯＡ、ＡＯＡスプレッド、発射角度ＡＯＤ、平均発射角度ＡＯＤ、ＡＯＤスプレッド、受信アンテナ空間相関パラメータ、送信ビーム、受信ビーム、およびリソース識別子のうち少なくとも１つであり得る。ビームは、プリコーディング、加重シーケンス番号およびビームシーケンス番号のうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、ＣＳＩ−ＲＳのリソース識別子、または、ＳＲＳのリソース識別子を含む。
【０１９０】
第８態様および前述の可能な実装に関連して、別の可能な実装において、受信ユニットは更に、基地局によって送信された、リソースグループを少なくとも１つのリソースサブグループに分割するためにＵＥによって使用される第２指示情報を受信し、第２指示情報に基づいてリソースグループを少なくとも１つのリソースサブグループに分割するよう構成される。
【０１９１】
第８態様および前述の可能な実装に関連して、別の可能な実装において、基地局が、ＵＥの能力に基づいて、ＵＥのためにリソースを設定することを可能にするべく、送信ユニットは更に、能力指示情報を基地局へ送信するよう構成され、能力指示情報は、ＵＥによって能力タイプ内においてサポートされるビームの最大数を含む、または、能力指示情報は、ＵＥによって能力タイプ内においてサポートされるビームの最大数の量子化値を含む。
【０１９２】
第８態様および前述の可能な実装に関連して、別の可能な実装において、能力タイプは、ビームマネジメントステージおよび／またはビームの任意選択範囲を含み得る。能力タイプは事前定義され得る、または、基地局によって設定され得る。
【０１９３】
第９態様によれば、本発明の実施形態は、能力報告方法を提供し、当該方法は、ＵＥが、能力タイプに基づいて能力指示情報を基地局へ送信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備える。
【０１９４】
本発明の本実施形態によって提供される能力報告方法において、ＵＥは、能力タイプに基づいて、ＵＥによって能力タイプ内においてサポートされるビームの最大数、または、ビームの最大数の量子化値を含む能力指示情報を基地局へ送信し、その結果、基地局は、ＵＥの能力指示情報に基づいて、第１リソースをＵＥに割り当てることができる。これにより、過剰なリソースをＵＥに割り当てることにより発生するリソースの無駄、または、不十分な第１リソースをＵＥに割り当てることにより発生する不完全なビーム探索の問題を回避する。
【０１９５】
第９態様に関連して、可能な実装において、能力タイプは、ビームマネジメントステージおよび／またはビームの任意選択範囲を含み、ビームはポートまたはプリコーディングである。能力タイプは事前定義され得る、または、基地局によって設定され得る。
【０１９６】
第１０態様によれば、本発明の実施形態は、能力報告方法を提供し、当該方法は、基地局が、ＵＥによって送信された能力指示情報を受信する段階であって、能力指示情報は、ＵＥによって能力タイプ内においてサポートされるビームの最大数を含む、または、能力指示情報は、ＵＥによって能力タイプ内においてサポートされるビームの最大数の量子化値を含む、段階を備える。
【０１９７】
本発明の本実施形態によって提供される能力報告方法において、基地局は、ＵＥによって能力タイプ内においてサポートされるビームの最大数、または、ビームの最大数の量子化値を含む、ＵＥによって送信された能力指示情報を受信し、それにより、ＵＥの能力指示情報に基づいて、第１リソースをＵＥに割り当てる。これにより、過剰なリソースをＵＥに割り当てることにより発生するリソースの無駄、または、不十分な第１リソースをＵＥに割り当てることにより発生する不完全なビーム探索の問題を回避する。
【０１９８】
第１０態様に関連して、可能な実装において、能力タイプは、ビームマネジメントステージおよび／またはビームの任意選択範囲を含み、ビームはポートまたはプリコーディングである。能力タイプは事前定義され得る、または、基地局によって設定され得る。
【０１９９】
第１１態様によれば、本発明の実施形態は、ＵＥを提供し、当該ＵＥは、能力タイプに基づいて能力指示情報を基地局へ送信するよう構成される送信ユニットであって、能力指示情報はＵＥによって能力タイプ内においてサポートされるビームの最大数を含む、または、能力指示情報は、ＵＥによって能力タイプ内においてサポートされるビームの最大数の量子化値を含む、送信ユニットを備える。
【０２００】
第１１態様に関連して、可能な実装において、能力タイプは、ビームマネジメントステージおよび／またはビームの任意選択範囲を含み、ビームはポートまたはプリコーディングである。能力タイプは事前定義され得る、または、基地局によって設定され得る。
【０２０１】
第１２態様によれば、本発明の実施形態は基地局を提供し、当該基地局は、ＵＥによって送信された能力指示情報を受信するよう構成された受信ユニットであって、能力指示情報は、ＵＥによって能力タイプ内においてサポートされるビームの最大数を含む、または、能力指示情報は、ＵＥによって能力タイプ内においてサポートされるビームの最大数の量子化値を含む、受信ユニットを備える。
【０２０２】
第１２態様に関連して、可能な実装において、能力タイプは、ビームマネジメントステージおよび／またはビームの任意選択範囲を含み、ビームはポートまたはプリコーディングである。能力タイプは事前定義され得る、または、基地局によって設定され得る。
【０２０３】
第１３態様によれば、本発明の実施形態は、リソース指示方法を提供し、当該方法は、基地局が、指示情報をＵＥへ送信する段階であって、指示情報は、ビームの番号およびビームの番号に対応するリソースの識別子、または、リソースの番号およびリソースの番号に対応するリソースの識別子を含む、段階を備える。
【０２０４】
本発明の本実施形態によって提供されるリソース指示方法において、基地局は、ビームの番号およびビームの番号に対応するリソースの識別子を含む指示情報をＵＥへ送信する、または、基地局は、リソースの番号およびリソースの番号に対応するリソースの識別子を含む指示情報をＵＥへ送信し、その結果、ＵＥは、指示情報に基づいて、情報を送信するために必要なビーム、または、ビームの候補セットを決定し、決定されたビームを使用することによって情報を送信し、それにより、ビームフォーミングを実装する。基地局は、いくつかのリソース識別子のみに番号を付け得て、それにより、基地局がビームの番号またはリソースの番号を示すときのシグナリングオーバーヘッドが減少する。
【０２０５】
第１３態様に関連して、可能な実装において、ビームはポートであり得る、または、プリコーディングであり得る。
【０２０６】
第１３態様および前述の可能な実装に関連して、別の可能な実装において、リソースは、時間領域リソース、周波数領域リソース、符号領域リソースおよびアンテナポートのうち少なくとも１つを含み得る。
【０２０７】
第１４態様によれば、本発明の実施形態は、リソース指示方法を提供し、当該方法は、ＵＥが、基地局によって送信された指示情報を受信する段階であって、指示情報は、ビームの番号およびビームの番号に対応するリソースの識別子、または、リソースの番号およびリソースの番号に対応するリソースの識別子を含む、段階を備える。
【０２０８】
本発明の本実施形態によって提供されるリソース指示方法において、ＵＥは、基地局によって送信された指示情報を受信し、指示情報は、ビームの番号およびビームの番号に対応するリソースの識別子、または、リソースの番号およびリソースの番号に対応するリソースの識別子を含み、その結果、ＵＥは、指示情報に基づいて、情報を送信するために必要なビームまたはビームの候補セットを決定し、決定されたビームを使用することによって情報を送信でき、それにより、ビームフォーミングを実装する。基地局は、いくつかのリソース識別子のみに番号を付け得て、それにより、基地局がビームの番号またはリソースの番号を示すときのシグナリングオーバーヘッドが減少する。
【０２０９】
第１４態様に関連して、可能な実装において、ビームはポートであり得る、または、プリコーディングであり得る。
【０２１０】
第１４態様および前述の可能な実装に関連して、別の可能な実装において、リソースは、時間領域リソース、周波数領域リソース、符号領域リソースおよびアンテナポートのうち少なくとも１つを含み得る。
【０２１１】
第１５態様によれば、本発明の実施形態は基地局を提供し、当該基地局は、指示情報をＵＥへ送信するよう構成される送信ユニットであって、指示情報は、ビームの番号およびビームの番号に対応するリソースの識別子、または、リソースの番号およびリソースの番号に対応するリソースの識別子を含む、送信ユニットを備える。
【０２１２】
第１５態様に関連して、可能な実装において、ビームはポートであり得る、または、プリコーディングであり得る。
【０２１３】
第１５態様および前述の可能な実装に関連して、別の可能な実装において、リソースは、時間領域リソース、周波数領域リソース、符号領域リソースおよびアンテナポートのうち少なくとも１つを含み得る。
【０２１４】
第１６態様によれば、本発明の実施形態はＵＥを提供し、当該ＵＥは、基地局によって送信された指示情報を受信するよう構成される受信ユニットであって、指示情報は、ビームの番号およびビームの番号に対応するリソースの識別子、または、リソースの番号およびリソースの番号に対応するリソースの識別子を含む、受信ユニットを備える。
【０２１５】
第１６態様に関連して、可能な実装において、ビームはポートであり得る、または、プリコーディングであり得る。
【０２１６】
第１６態様および前述の可能な実装に関連して、別の可能な実装において、リソースは、時間領域リソース、周波数領域リソース、符号領域リソースおよびアンテナポートのうち少なくとも１つを含み得る。
【０２１７】
第１７態様によれば、本発明の実施形態は、プロセッサ、メモリおよび送受信機を含む基地局を提供し、メモリは、コンピュータ実行可能命令を記憶するよう構成され、基地局が動作するとき、プロセッサは、メモリに記憶されたコンピュータ実行可能命令を実行し、その結果、基地局は、第１態様、および、第１態様の可能な実装のいずれか１つにおける情報伝送方法を実行する、または、第２態様、および、第２態様の可能な実装のいずれか１つにおける情報伝送方法を実行する、または、第１０態様、または、第１０態様の可能な実装における能力報告方法を実行する、または、第１３態様、および、第１３態様の可能な実装のいずれか１つにおけるリソース指示伝送方法を実行する。
【０２１８】
第１８態様によれば、本発明の実施形態は、プロセッサ、メモリおよび送受信機を含むＵＥを提供し、メモリは、コンピュータ実行可能命令を記憶するよう構成され、ＵＥが動作するとき、プロセッサは、メモリに記憶されたコンピュータ実行可能命令を実行し、その結果、ＵＥは、第３態様、および、第３態様の可能な実装のいずれか１つにおける情報伝送方法を実行する、または、第４態様、および、第４態様の可能な実装のいずれか１つにおける情報伝送方法を実行する、または、第９態様、または、第９態様の可能な実装の能力報告方法を実行する、または、第１４態様、および、第１４態様の可能な実装のいずれか１つにおけるリソース指示伝送方法を実行する。
【０２１９】
第１９態様によれば、本発明の実施形態は、基地局が、ユーザ機器ＵＥのために少なくとも１つの第１リソースを設定する段階であって、第１リソースは、第１アンテナポート上で第１チャネルおよび／または信号を送信するためにＵＥによって使用される、段階と、
基地局が、第１指示情報をＵＥへ送信する段階であって、第１指示情報は、第１リソースと第２リソースとの間の対応関係を示すために使用される、段階と、
基地局が、第２アンテナポート上でＵＥによって送信された第２チャネルおよび／または信号を第２リソース上で受信し、基地局が、第１アンテナポート上でＵＥによって送信された第１チャネルおよび／または信号を受信する段階であって、疑似コロケーションＱＣＬ関係が第１アンテナポートと第２アンテナポートとの間に存在する、または、ＵＥによって第１チャネルおよび／または信号を送信するためのビームは、ＵＥによって第２チャネルおよび／または信号を送信するためのビームと同一である、段階、または、
基地局が、第２リソースおよび第３アンテナポート上で第３チャネルおよび／または信号をＵＥへ送信し、基地局が、第１アンテナポート上でＵＥによって送信された第１チャネルおよび／または信号を受信する段階であって、疑似コロケーションＱＣＬ関係が第１アンテナポートと第３アンテナポートとの間に存在する、または、ＵＥによって第１チャネルおよび／または信号を送信するためのビームは、ＵＥによって第３チャネルおよび／または信号を受信するためのビームに対応する、段階と
を備える情報伝送方法を提供する。
【０２２０】
第２０態様によれば、本発明の実施形態は、ユーザ機器ＵＥが、基地局によってＵＥのために設定される少なくとも１つの第１リソースを取得する段階であって、第１リソースは、第１アンテナポート上で第１チャネルおよび／または信号を送信するためにＵＥによって使用される、段階と、
ＵＥが、基地局によって送信された第１指示情報を受信する段階であって、第１指示情報は、第１リソースと第２リソースとの間の対応関係を示すために使用される、段階と、
ＵＥが、第２リソースおよび第２アンテナポート上で第２チャネルおよび／または信号を基地局へ送信し、ＵＥが、第１アンテナポート上で、第１チャネルおよび／または信号を基地局へ送信する段階であって、疑似コロケーションＱＣＬ関係が、第１アンテナポートと第２アンテナポートとの間に存在する、または、ＵＥによって第１チャネルおよび／または信号を送信するためのビームは、ＵＥによって第２チャネルおよび／または信号を送信するためのビームと同一である、段階、または、
ＵＥが、第２リソースおよび第３アンテナポート上で基地局によって送信された第３チャネルおよび／または信号を受信し、ＵＥが、第１アンテナポート上で、第１チャネルおよび／または信号を基地局へ送信する段階であって、疑似コロケーションＱＣＬ関係が第１アンテナポートと第３アンテナポートとの間に存在する、または、ＵＥによって第１チャネルおよび／または信号を送信するためのビームが、ＵＥによって第３チャネルおよび／または信号を受信するためのビームに対応する、段階と
を備える情報伝送方法を提供する。
【０２２１】
第２１態様によれば、本発明の実施形態は、設定ユニットと、送信ユニットと、受信ユニットとを備える基地局であって、
設定ユニットは、ユーザ機器ＵＥのために少なくとも１つの第１リソースを設定するよう構成され、第１リソースは、第１アンテナポート上で第１チャネルおよび／または信号を送信するためにＵＥによって使用され、
送信ユニットは、第１指示情報をＵＥへ送信するよう構成され、第１指示情報は、第１リソースと第２リソースとの間の対応関係を示すために使用され、
受信ユニットは、第２アンテナポート上でＵＥによって送信された第２チャネルおよび／または信号を第２リソース上で受信するよう構成され、受信ユニットは更に、第１アンテナポート上でＵＥによって送信された第１チャネルおよび／または信号を受信するよう構成され、疑似コロケーションＱＣＬ関係が第１アンテナポートと第２アンテナポートとの間に存在する、または、ＵＥによって第１チャネルおよび／または信号を送信するためのビームが、ＵＥによって第２チャネルおよび／または信号を送信するためのビームと同一である、または、
送信ユニットが、第２リソースおよび第３アンテナポート上で第３チャネルおよび／または信号をＵＥへ送信するよう構成され、受信ユニットは更に、第１アンテナポート上でＵＥによって送信された第１チャネルおよび／または信号を受信するよう構成され、疑似コロケーションＱＣＬ関係が、第１アンテナポートと第３アンテナポートとの間に存在する、または、ＵＥによって第１チャネルおよび／または信号を送信するためのビームが、ＵＥによって第３チャネルおよび／または信号を受信するためのビームに対応する、
基地局を提供する。
【０２２２】
第２２態様によれば、本発明の実施形態は、取得ユニット、受信ユニットおよび送信ユニットを備えるユーザ機器ＵＥであって、
取得ユニットは、基地局によってＵＥのために設定された少なくとも１つの第１リソースを取得するよう構成され、第１リソースは、第１アンテナポート上で第１チャネルおよび／または信号を送信するためにＵＥによって使用され、
受信ユニットは、基地局によって送信された第１指示情報を受信するよう構成され、第１指示情報は、第１リソースと第２リソースとの間の対応関係を示すために使用され、
送信ユニットは、第２リソースおよび第２アンテナポート上で第２チャネルおよび／または信号を基地局へ送信するよう構成され、送信ユニットは更に、第１アンテナポート上で第１チャネルおよび／または信号を基地局へ送信するよう構成され、疑似コロケーションＱＣＬ関係が第１アンテナポートと第２アンテナポートとの間に存在する、または、送信ユニットによって第１チャネルおよび／または信号を送信するためのビームは、送信ユニットによって第２チャネルおよび／または信号を送信するためのビームと同一である、または、
受信ユニットは、第２リソースおよび第３アンテナポート上で基地局によって送信された第３チャネルおよび／または信号を受信するよう構成され、送信ユニットは、第１アンテナポート上で第１チャネルおよび／または信号を基地局へ送信するよう構成され、疑似コロケーションＱＣＬ関係が、第１アンテナポートと第３アンテナポートとの間に存在する、または、送信ユニットによって第１チャネルおよび／または信号を送信するためのビームは、受信ユニットによって第３チャネルおよび／または信号を受信するためのビームに対応する、
ＵＥを提供する。
【０２２３】
第２３態様によれば、本発明の実施形態は、前述の基地局によって使用されるコンピュータソフトウェア命令を記憶するよう構成されるコンピュータ記憶媒体を提供し、コンピュータソフトウェア命令は、前述の情報伝送方法、能力報告方法、または、リソース指示方法を実行するために使用されるプログラムを含む。
【０２２４】
第２４態様によれば、本発明の実施形態は、前述のＵＥによって使用されるコンピュータソフトウェア命令を記憶するよう構成されるコンピュータ記憶媒体を提供し、コンピュータソフトウェア命令は、前述の情報伝送方法、能力報告方法、または、リソース指示方法を実行するために使用されるプログラムを含む。
【図面の簡単な説明】
【０２２５】
【図１】本発明の実施形態に係る、本発明の実施形態が適用され得る通信システムの簡略化された概略図である。
【０２２６】
【図２】本発明の実施形態に係る基地局の概略構造図である。
【０２２７】
【図３】本発明の一実施形態に係るＵＥの概略構造図である。
【０２２８】
【図４】本発明の一実施形態に係る情報伝送方法のフローチャートである。
【０２２９】
【図５】本発明の一実施形態に係る別の情報伝送方法のフローチャートである。
【０２３０】
【図５−１】本発明の実施形態に係る、リソースとタイムスロットとの間の関係の概略図である。
【０２３１】
【図５−２】本発明の実施形態に係る、リソースとタイムスロットとの間の別の関係の概略図である。
【０２３２】
【図５−３】本発明の実施形態に係る、リソースとタイムスロットとの間の別の関係の概略図である。
【０２３３】
【図５−４】本発明の実施形態に係る、リソースとタイムスロットとの間の別の関係の概略図である。
【０２３４】
【図５−５】本発明の実施形態に係る、リソースとタイムスロットとの間の別の関係の概略図である。
【０２３５】
【図５−６】本発明の実施形態に係る、リソースとタイムスロットとの間の別の関係の概略図である。
【０２３６】
【図６】本発明の一実施形態に係る別の情報伝送方法のフローチャートである。
【０２３７】
【図７】本発明の一実施形態に係るＵＥのビーム能力を示すための概略図である。
【０２３８】
【図８】本発明の一実施形態に係る別の情報伝送方法のフローチャートである。
【０２３９】
【図９】本発明の実施形態に係る能力報告方法のフローチャートである。
【０２４０】
【図１０】本発明の実施形態に係るリソース指示方法のフローチャートである。
【０２４１】
【図１１】本発明の実施形態に係るリソースとビームとの間の対応関係の概略図である。
【０２４２】
【図１２】本発明の一実施形態による別の基地局の概略構造図である。
【０２４３】
【図１３】本発明の一実施形態による別の基地局の概略構造図である。
【０２４４】
【図１４】本発明の一実施形態に係る別のＵＥの概略構造図である。
【０２４５】
【図１５】本発明の一実施形態に係る別のＵＥの概略構造図である。
【発明を実施するための形態】
【０２４６】
ＳＲＳに対するビームフォーミングを実装するべく、本発明の実施形態は情報伝送方法を提供する。当該方法の基本原理は以下の通りである。基地局がＵＥのために少なくとも１つの第１リソースを設定し、第１リソースは目標チャネルおよび／または信号を送信するためにＵＥによって使用され、基地局は、第１リソースとビームとの間の対応関係を示すために使用される、または、第１リソースと第２リソースとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０２４７】
ビームは、ポート、プリコーディングマトリックスおよび空間特性パラメータのうち少なくとも１つを使用することによって識別され得て、または、ビームは、空間フィルタ（ｓｐａｔｉａｌ  ｆｉｌｔｅｒｉｎｇ）であり得る。
【０２４８】
任意選択で、ビームは、空間リソースとしても理解され得て、エネルギー伝送方向を有する送信または受信プリコーディングベクトルであり得る。加えて、送信または受信プリコーディングベクトルは、インデックス情報を使用することによって識別されることができる。エネルギー伝送方向は、空間位置において受信された、プリコーディングベクトルを使用することによってプリコーディング処理を受けた信号が、比較的良好な受信電力を有すること、例えば、受信復調信号対雑音比を満たすことを示し得る。また、エネルギー伝送方向は、異なる空間位置から送信された、プリコーディングベクトルを使用することによって受信された同じ信号が、異なる受信電力を有することを示し得る。
【０２４９】
任意選択で、同一の通信デバイス（端末デバイスまたはネットワークデバイスなど）は、異なるプリコーディングベクトルを有し得て、異なるデバイスはまた、異なるビームに対応する異なるプリコーディングベクトルを有し得る。
【０２５０】
通信デバイスの設定または能力に関して、通信デバイスは、異なるプリコーディングベクトルのうち１または複数を同時に使用し得る。言い換えれば、１または複数のビームは同時に形成され得る。ビーム情報はインデックス情報を使用することによって識別され得る。任意選択で、インデックス情報は、ＵＥのために設定されたリソース識別子（ｉｄｅｎｔｉｔｙ、ＩＤ）に対応し得る。例えば、インデックス情報は、チャネル状態情報参照信号（Ｃｈａｎｎｅｌ  ｓｔａｔｕｓ  ｉｎｆｏｒｍａｔｉｏｎ  Ｒｅｆｅｒｅｎｃｅ  Ｓｉｇｎａｌ、ＣＳＩ−ＲＳ）の設定されたＩＤまたはリソースに対応し得る、または、アップリンクサウンディング参照信号（Ｓｏｕｎｄｉｎｇ  Ｒｅｆｅｒｅｎｃｅ  Ｓｉｇｎａｌ、ＳＲＳ）の設定されたＩＤまたはリソースに対応し得る。代替的に、任意選択で、インデックス情報は、ビーム上で搬送される信号またはチャネルによって明示的または黙示的に搬送されるインデックス情報であり得る。例えば、インデックス情報は、ビームを使用することによって送信される同期信号またはブロードキャストチャネルによって示されるビームのインデックス情報であり得る。
【０２５１】
ビーム対は、送信側の送信ビーム、および、受信側の受信ビームを含み得て、アップリンクビームまたはダウンリンクビームとも称される。例えば、ビーム対は、基地局の送信ビームもしくはＵＥの受信ビーム、または、ＵＥの送信ビームもしくは基地局の受信ビームを含み得る。
【０２５２】
本発明の本実施形態における目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、および、アップリンク位相トラッキング参照信号のうち少なくとも１つを含み得る。サウンディング参照信号は、チャネル品質情報を取得するために使用される、および／または、ビームマネジメントのために使用される。ＰＲＡＣＨは、アップリンクアクセスに使用される。ＰＵＳＣＨは、少なくともアップリンクデータ伝送に使用される。ＰＵＣＣＨは、少なくともアップリンク制御情報伝送に使用される。アップリンク復調参照信号は、アップリンクチャネルの復調に使用される。アップリンクトラッキング信号、アップリンク発見信号、アップリンクビーム参照信号およびアップリンクモビリティ参照信号は、ビームマネジメントおよび／または無線リソース管理（Ｒａｄｉｏ  Ｒｅｓｏｕｒｃｅ  Ｍａｎａｇｅｍｅｎｔ、ＲＲＭ）測定に使用される。アップリンク位相トラッキング参照信号は位相トラッキングに使用される。
【０２５３】
本発明の本実施形態における疑似コロケーション（ｑｕａｓｉ  ｃｏ−ｌｏｃａｔｅｄ、ＱＣＬ）関係は以下の意味を有し得る。
【０２５４】
ＱＣＬ関係が存在するということは、同一のアンテナポートパラメータを有することを意味する。または、ＱＣＬ関係が存在するということは、アンテナポートに対応する参照信号に同一のパラメータが存在することを意味する。または、ＱＣＬ関係が存在するということは、ユーザ機器が、あるアンテナポートのパラメータに基づいて、当該アンテナポートとのＱＣＬ関係を有するアンテナポートのパラメータを決定し得ることを意味する。または、ＱＣＬ関係が存在するということは、２つのアンテナポートが同一のパラメータを有することを意味する。または、ＱＣＬ関係が存在するということは、２つのアンテナポートのパラメータの間の差が閾値未満であることを意味する。パラメータは、遅延スプレッド、ドップラースプレッド、ドップラー周波数シフト、平均遅延、平均利得、到着角度（Ａｎｇｌｅ  ｏｆ  ａｒｒｉｖａｌ、ＡＯＡ）、平均ＡＯＡ、ＡＯＡスプレッド、発射角度（Ａｎｇｌｅ  ｏｆ  Ｄｅｐａｒｔｕｒｅ、ＡＯＤ）、平均発射角度ＡＯＤ、ＡＯＤスプレッド、受信アンテナ空間相関パラメータ、送信アンテナ空間相関パラメータ、送信ビーム、受信ビーム、リソース識別子、送信側電力方位角スペクトル（ＰＡＳ、Ｐｏｗｅｒ  Ａｚｉｍｕｔｈ  Ｓｐｅｃｔｒｕｍ）、受信側ＰＡＳおよびＰＡＳのうち少なくとも１つであり得る。ビームは、プリコーディング、加重シーケンス番号、ビームシーケンス番号および空間フィルタのうち少なくとも１つを含む。方位角は、異なる次元の分解値、または、異なる次元の分解値の組み合わせであり得る。アンテナポートは、異なるアンテナポート番号を有するアンテナポート、および／または、同一のアンテナポート番号を有し、異なる時間および／または周波数および／または符号領域リソース上で情報を送信または受信するアンテナポート、および／または、異なるアンテナポート番号を有し、異なる時間および／または周波数および／または符号領域リソース上で情報を送信または受信するアンテナポートである。リソース識別子は、チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ−ＲＳ）のリソース識別子、または、リソース上のビームを示すために使用されるＳＲＳのリソース識別子、または、同期信号もしくは同期信号ブロックのリソース識別子、または、ＰＲＡＣＨ上で送信されるプリアンブルシーケンスのリソース識別子、または、リソース上のビームを示すために使用されるＤＭＲＳのリソース識別子を含む。例えば、ダウンリンク信号のためのポートと、ダウンリンク信号のための別のポートとの間、または、アップリンク信号のためのポートと、アップリンク信号のための別のポートとの間の空間ＱＣＬ関係は、２つの信号が同一のＡＯＡまたはＡＯＤを有し得ることであり得て、２つの信号が同一の受信ビームまたは送信ビームを有することを示すために使用される。別の例として、ダウンリンク信号とアップリンク信号との間、または、アップリンク信号のためのポートと、ダウンリンク信号のためのポートとの間のＱＣＬ関係は、２つの信号のうち一方の信号のＡＯＡと、他方の信号とのＡＯＤとの間に対応関係が存在すること、または、２つの信号���うち一方の信号のＡＯＤと、他方の信号のＡＯＡとの間に対応関係が存在することであり得る。言い換えれば、ビーム対応関係を使用することによって、アップリンク送信ビームは、ダウンリンク受信ビームに基づいて決定され得る、または、ダウンリンク受信ビームは、アップリンク送信ビームに基づいて決定され得る。
【０２５５】
ＱＣＬ関係を有するポート上で送信された信号はまた、対応するビームを有するものとして理解され得て、対応するビームは、同一の受信ビーム、同一の送信ビーム、受信ビームに対応する送信ビーム（レシプロシティシナリオに対応する）、送信ビームに対応する受信ビーム（レシプロシティシナリオに対応する）のうち少なくとも１つを含む。
【０２５６】
ＱＣＬ関係を有するポート上で送信された信号はまた、同一の空間フィルタ（ｓｐａｔｉａｌ  ｆｉｌｔｅｒ）を使用することによって受信または送信された信号として理解され得る。空間フィルタは、プリコーディング、アンテナポートの加重、アンテナポートの位相偏向、および、アンテナポートの振幅利得のうち少なくとも１つであり得る。
【０２５７】
ＱＣＬ関係を有するポート上で送信される信号はまた、対応するビーム対リンク（ＢＰＬ、ｂｅａｍ  ｐａｉｒ  ｌｉｎｋ）を有するものとして理解され得て、対応するＢＰＬは、同一のダウンリンクＢＰＬ、同一のアップリンクＢＰＬ、ダウンリンクＢＰＬに対応するアップリンクＢＰＬ、および、アップリンクＢＰＬに対応するダウンリンクＢＰＬのうち少なくとも１つを含む。
【０２５８】
任意選択で、ＱＣＬ関係は、技術的本質を変更することなく別の名前を有し得て、例えば、空間ＱＣＬ関係またはレシプロシティＱＣＬ関係とも称され得る。
【０２５９】
本発明の本実施形態における第１リソースは、時間領域リソース、周波数領域リソース、符号領域リソースおよびアンテナポートのうち少なくとも１つを含み得る。
【０２６０】
本発明の本実施形態における第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含み得る、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含み得る。
【０２６１】
任意選択で、本発明の本実施形態における第２リソースは、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、主同期信号、副同期信号、同期信号ブロック、物理ブロードキャストチャネルの復調参照信号、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、物理ダウンリンク制御チャネルの復調参照信号、および、物理ダウンリンク共有チャネルの復調参照信号のうち少なくとも１つのチャネルおよび／または信号を送信するために使用されるリソースであり得る。任意選択で、物理ダウンリンク制御チャネルは、制御リソースセット（ＣＯＲＥＳＥＴ、ｃｏｎｔｒｏｌ  ｒｅｓｏｕｒｃｅ  ｓｅｔ）であり得る、または、ランダムアクセス応答またはシステム情報の制御情報を搬送する物理ダウンリンク制御チャネルであり得る。任意選択で、物理ダウンリンク共有チャネルは、システム情報を搬送する物理ダウンリンク共有チャネルであり得る。
【０２６２】
以下では、本発明の実施形態を、添付図面を参照して詳細に説明する。
【０２６３】
図１は、本発明の実施形態が適用され得る通信システムの簡略化された概略図である。図１に示されるように、通信システムは基地局１１およびＵＥ１２を含み得る。
【０２６４】
通信システムは、ＬＴＥシステム、ＬＴＥシステムから進化した将来のシステム、ワイヤレス・フィディリティ（Ｗｉｒｅｌｅｓｓ  Ｆｉｄｅｌｉｔｙ、Ｗｉ−Ｆｉ）システム、マイクロ波アクセスのためのワールドワイドインターオペラビリティ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）システム、３ＧＰＰ関連セルラシステム、または同様のものであり得る。
【０２６５】
基地局１１は、無線通信基地局（Ｂａｓｅ  Ｓｔａｔｉｏｎ、ＢＳ）、基地局コントローラ、伝送受信ポイント（Ｔｒａｎｓｍｉｓｓｉｏｎ  Ｒｅｃｅｐｔｉｏｎ  ｐｏｉｎｔ、ＴＲＰ）、ｇＮＢ、または同様のものであり得る。基地局１１は、無線アクセスネットワークにデプロイされてＵＥ１２のための無線通信機能を提供する機器である。基地局１１の主な機能は、無線リソース管理を実行すること、インターネットプロトコル（Ｉｎｔｅｒｎｅｔ  Ｐｒｏｔｏｃｏｌ、ＩＰ）ヘッダを圧縮すること、ユーザ機器のデータストリームを暗号化すること、ＵＥ１２がアタッチされたときモビリティマネジメントエンティティ（Ｍｏｂｉｌｅ  Ｍａｎａｇｅｍｅｎｔ  Ｅｎｔｉｔｙ、ＭＭＥ）を選択すること、ユーザプレーンデータをサービングゲートウェイ（Ｓｅｒｖｉｃｅ  Ｇａｔｅｗａｙ、ＳＧＷ）へルーティングすること、ページングメッセージを編成および送信すること、ブロードキャストメッセージを編成および送信すること、モビリティまたはスケジューリングの目的で測定および測定報告設定を実行することなどである。基地局１１は、さまざまな形態のマクロ基地局、ミクロ基地局、中継局、アクセスポイントなどを含み得る。異なる無線アクセス技術を使用するシステムにおいて、基地局の機能を有するデバイスの名称は異なり得る。例えば、そのようなデバイスは、ＬＴＥシステムにおいて進化型ノードＢ（ｅｖｏｌｖｅｄ  ＮｏｄｅＢ、ｅＮＢ  ｏｒ  ｅＮｏｄｅＢ）と称され、または、第３世代遠隔通信（Ｔｈｅ  ３ｒｄ  Ｇｅｎｅｒａｔｉｏｎ  Ｔｅｌｅｃｏｍｍｕｎｉｃａｔｉｏｎｓ、３Ｇ）システムにおいてノードＢ（Ｎｏｄｅ  Ｂ）と称されるなどである。通信技術の進化に伴い、「基地局」という名称は変化し得る。加えて、別の可能な場合において、基地局１１は、無線通信機能をＵＥ１２に提供する別の機器であり得る。説明を簡単にするべく、本発明の本実施形態において、無線通信機能をＵＥ１２に提供する機器は、基地局１１と称される。
【０２６６】
ＵＥ１２は、無線通信機能を有する様々なハンドヘルドデバイス（携帯電話、インテリジェント端末、マルチメディアデバイスまたはメディアストリーミングデバイスなど）、車載デバイス、ウェアラブルデバイス、コンピューティングデバイス、または、無線モデムに接続された別の処理デバイス、さまざまな形態の移動局（Ｍｏｂｉｌｅ  Ｓｔａｔｉｏｎ、ＭＳ）または端末デバイス（ｔｅｒｍｉｎａｌ  ｄｅｖｉｃｅ）などを含み得る。説明を簡単にするべく、前述のデバイスはＵＥ１２と総称される。
【０２６７】
図２は本発明の実施形態に係る基地局の概略構造図である。図２に示すように、基地局はプロセッサ２１、メモリ２２および送受信機２３を含み得る。
【０２６８】
以下では、基地局の各コンポーネントを図２を参照して詳細に説明する。
【０２６９】
プロセッサ２１は、１つのプロセッサであり得る、または、複数の処理要素の総称であり得る。例えば、プロセッサ２１は、汎用中央演算処理装置（Ｃｅｎｔｒａｌ  Ｐｒｏｃｅｓｓｉｎｇ  Ｕｎｉｔ、ＣＰＵ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、または、本発明の解決法におけるプログラム実行を制御するための１または複数の集積回路、例えば、１または複数のマイクロプロセッサ（Ｄｉｇｉｔａｌ  Ｓｉｇｎａｌ  Ｐｒｏｃｅｓｓｏｒ、ＤＳＰ）、または、１または複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）であり得る。プロセッサ２１は、メモリ２２に記憶されたソフトウェアプログラムを動作させる、または、実行すること、および、メモリ２２に記憶されたデータを呼び出すことによって、端末の様々な機能を実行し得る。
【０２７０】
特定の実装では、実施形態において、プロセッサ２１は１または複数のＣＰＵを含み得る。例えば、図２に示されるように、プロセッサ２１はＣＰＵ０およびＣＰＵ１を含む。
【０２７１】
特定の実装では、実施形態において、基地局は複数のプロセッサを含み得る。例えば、図２に示されるように、基地局は、プロセッサ２１およびプロセッサ２５を含む。プロセッサの各々は、シングルＣＰＵ（ｓｉｎｇｌｅ−ＣＰＵ）プロセッサであり得る、または、マルチＣＰＵ（ｍｕｌｔｉ−ＣＰＵ）プロセッサであり得る。本明細書のプロセッサは、データ（例えばコンピュータプログラム命令）を処理するために使用される１または複数のデバイス、回路、および／または、プロセッシングコアであり得る。
【０２７２】
メモリ２２は、リードオンリメモリ（Ｒｅａｄ−Ｏｎｌｙ  Ｍｅｍｏｒｙ、ＲＯＭ）、または、静的な情報および命令を記憶可能な別のタイプの静的ストレージデバイス、ランダムアクセスメモリ（Ｒａｎｄｏｍ  Ａｃｃｅｓｓ  Ｍｅｍｏｒｙ、ＲＡＭ）、または、情報および命令を記憶可能な別のタイプの動的ストレージデバイスであり得る、または、電気的消去可能プログラマブルリードオンリーメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ、ＣＤ−ＲＯＭ）、または他のコンパクトディスクストレージまたは光ディスクストレージ（圧縮光ディスク、レーザディスク、光ディスク、デジタルバーサタイルディスク、Ｂｌｕｅ−ｒａｙ光ディスクなどを含む）、磁気ディスク記憶媒体、または、別の磁気ストレージデバイス、または、命令もしくはデータ構造の形態で所望のプログラムコードを保持または記憶可能で、コンピュータからアクセス可能な任意の他の媒体であり得るが、これらに限定されるものではない。メモリは独立して存在し得て、バスを使用することによってプロセッサに接続される。メモリはまた、プロセッサと統合され得る。
【０２７３】
メモリ２２は、本発明の解決法を実行するために使用されるアプリケーションプログラムコードを記憶するよう構成され、アプリケーションプログラムコードは、プロセッサ２１の制御下で実行される。プロセッサ２１は、メモリ２２に記憶されたアプリケーションプログラムコードを実行するよう構成される。
【０２７４】
送受信機２３は、イーサネット（登録商標）、無線アクセスネットワーク（Ｒａｄｉｏ  Ａｃｃｅｓｓ  Ｎｅｔｗｏｒｋ、ＲＡＮ）、または、無線ローカルエリアネットワーク（Ｗｉｒｅｌｅｓｓ  Ｌｏｃａｌ  Ａｒｅａ  Ｎｅｔｗｏｒｋ、ＷＬＡＮ）など、別のデバイスまたは通信ネットワークと通信するよう構成される。本発明の本実施形態において、送受信機２３は、ベースバンドプロセッサの一部または全部を含み得て、任意選択で、無線周波数（Ｒａｄｉｏ  Ｆｒｅｑｕｅｎｃｙ、ＲＦ）プロセッサを更に含み得る。ＲＦプロセッサはＲＦ信号を送信および受信するよう構成される。ベースバンドプロセッサは、ＲＦ信号から変換されたベースバンド信号の処理、または、ＲＦ信号に変換される予定のベースバンド信号の処理を実装するよう構成される。
【０２７５】
図３は、本発明の一実施形態に係るＵＥの概略構造図である。図３に示されるように、ＵＥは、プロセッサ３１、メモリ３２および送受信機３３を含み得る。
【０２７６】
以下では、ＵＥの各コンポーネントを、図３を参照して詳細に説明する。
【０２７７】
プロセッサ３１は、１つのプロセッサであり得る、または、複数の処理要素の総称であり得る。例えば、プロセッサ３１は、本発明の解決法において実行されるプログラムを制御するための汎用ＣＰＵ、ＡＳＩＣ、または１または複数の集積回路、例えば、１または複数のＤＳＰ、または、１または複数のＦＰＧＡであり得る。プロセッサ３１は、メモリ３２に記憶されたソフトウェアプログラムを動作させる、または、実行すること、および、メモリ３２に記憶されたデータを呼び出すことによって、端末の様々な機能を実行し得る。
【０２７８】
特定の実装では、実施形態において、プロセッサ３１は１または複数のＣＰＵを含み得る。例えば、図３に示すように、プロセッサ３１はＣＰＵ０およびＣＰＵ１を含む。
【０２７９】
特定の実装では、実施形態において、ＵＥは複数のプロセッサを含み得る。例えば、図３に示されるように、ＵＥは、プロセッサ３１およびプロセッサ３５を含む。プロセッサの各々はシングルＣＰＵプロセッサであり得る、または、マルチＣＰＵプロセッサであり得る。本明細書のプロセッサは、データ（例えばコンピュータプログラム命令）を処理するために使用される１または複数のデバイス、回路、および／または、プロセッシングコアであり得る。
【０２８０】
メモリ３２は、ＲＯＭ、または、静的な情報および命令を記憶可能な別のタイプの静的ストレージデバイス、または、ＲＡＭ、または、情報および命令を記憶可能な別のタイプの動的ストレージデバイスであり得る、または、ＥＥＰＲＯＭ、ＣＤ−ＲＯＭ、または、他のコンパクトディスクストレージまたは光ディスクストレージ（圧縮光ディスク、レーザディスク、光ディスク、デジタルバーサタイルディスク、Ｂｌｕ−ｒａｙ（登録商標）ディスクなどを含む）、磁気ディスク記憶媒体、または別の磁気ストレージデバイス、または、命令もしくはデータ構造の形態で所望のプログラムコードを保持もしくは記憶可能で、コンピュータからアクセス可能な任意の他の媒体であり得るが、これらに限定されるものではない。メモリは独立して存在し得て、バスを使用することによってプロセッサに接続される。メモリはまた、プロセッサと統合され得る。
【０２８１】
送受信機３３は、別のデバイスまたは通信ネットワーク、例えばイーサネット（登録商標）、ＲＡＮまたはＷＬＡＮなどと通信するよう構成される。送受信機３３は、受信機能を実装するための受信ユニット、および、送信機能を実装するための送信ユニットを含み得る。
【０２８２】
図３に示されるデバイスの構造は、ＵＥに対する限定を設定するものではない。含まれるコンポーネントの数は、図に示されるものより大きくてよく、または、より小さくてよく、または、いくつかのコンポーネントは組み合わされる、または、コンポーネントの配置は異なる。示されてはいないが、ＵＥは、バッテリ、カメラ、Ｂｌｕｅｔｏｏｔｈ（登録商標）モジュール、ＧＰＳモジュールおよびディスプレイなどを更に含み得る。ここでは詳細を説明しない。
【０２８３】
図４は、本発明の一実施形態に係る情報伝送方法のフローチャートである。図４に示すように、当該方法は以下の段階を備え得る。
【０２８４】
４０１．基地局がＵＥのために少なくとも１つの第１リソースを設定する。
【０２８５】
第１リソースは、目標チャネルおよび／または信号を送信するためにＵＥによって使用される。目標チャネルおよび／または信号（例えばＳＲＳ）に対するビームフォーミングを実装するために、基地局は、ＵＥが目標チャネルおよび／または信号を送信するための少なくとも１つの第１リソース（例えば、時間領域リソース、周波数領域リソース、符号領域リソースおよびアンテナポートのうち１または複数）を設定し得る。
【０２８６】
少なくとも１つの第１リソースはリソースグループを形成し、リソースグループは少なくとも１つのリソースサブグループを含み得る。
【０２８７】
任意選択で、同一のリソースサブグループにおけるすべての第１リソースは、同一の周波数領域リソース、または、同一の符号領域リソースであり得る。
【０２８８】
更に、任意選択で、基地局は更に、特定のリソースグループ使用方式をＵＥのために設定し得る。例えば、ＵＥのために設定された特定のリソースグループ使用方式は、設定されたリソースグループを周期的に使用して目標チャネルおよび／または信号を送信する、または、設定されたリソースグループを周期的に使用して目標チャネルおよび／または信号を送信する代わりに、基地局によって送信されたＤＣＩを受信した後に、設定されたリソースグループを使用して目標チャネルおよび／または信号を送信する、または、設定されたリソースグループを半永久的（ｓｅｍｉ−ｐｅｒｓｉｓｔｅｎｔ）に使用して目標チャネルおよび／または信号を送信することであり得る。言い換えれば、アクティブ化（ａｃｔｉｖａｔｅ）は、ＤＣＩまたはＭＡＣ  ＣＥを使用することによってトリガされ得て、非アクティブ化（ｄｅａｃｔｉｖａｔｅ）は、ＤＣＩまたはＭＡＣ  ＣＥを使用することによってトリガされ得る。または、アクティブ化（ａｃｔｉｖａｔｅ）は、ＤＣＩまたはＭＡＣ  ＣＥを使用することによってトリガされ得て、非アクティブ化は、一定期間後にトリガされ、一定期間は、（基地局によって設定されることなく、または、ローカルに予め記憶される、もしくは、事前設定されることなく）プロトコルによって規定され得る、または、基地局によって設定され得る。または、アクティブ化は、設定情報が受信されたとき、一定期間後にトリガされ得て、非アクティブ化は、ＤＣＩまたはＭＡＣ  ＣＥを使用することによってトリガされる、または、非アクティブ化は、一定期間後にトリガされ、設定情報の受信とアクティブ化との間の一定期間は、（基地局によって設定されることなく、または、ローカルに予め記憶される、もしくは事前設定されることなく）プロトコルによって規定され得る、または、基地局によって設定され得て、アクティブ化と非アクティブ化との間の一定期間もまた、（基地局によって設定されることなく、または、ローカルに予め記憶される、もしくは事前設定されることなく）プロトコルによって規定され得る、または、基地局によって設定され得る。
【０２８９】
更に、任意選択で、基地局は更に、設定されたリソースグループのグループ化方式をＵＥに示し得て、すなわち、設定されたリソースグループを少なくとも１つのリソースサブグループに分割するグループ化方式をＵＥに示す。
【０２９０】
４０２．ＵＥが、基地局によってＵＥのために設定された少なくとも１つの第１リソースを取得する。
【０２９１】
４０３．基地局が第１指示情報をＵＥへ送信し、第１指示情報は、第１リソースとビームとの間の対応関係を示すために使用される。
【０２９２】
ビームは、アップリンク送信ビーム、ダウンリンク受信ビーム、ダウンリンク送信ビームまたはアップリンク受信ビームである。基地局によってＵＥのために設定されたリソースグループに基づいて、基地局は、リソースグループに含まれる第１リソースとビームとの間の対応関係を示すために使用される第１指示情報をＵＥに送信し得る。
【０２９３】
４０４．ＵＥが、基地局によって送信された第１指示情報を受信する。
【０２９４】
４０５．ＵＥが、第１リソースおよび第１指示情報に基づいてアップリンク送信ビームを決定する。
【０２９５】
ＵＥが、基地局によって送信された第１指示情報を受信した後に、ＵＥが、第１指示情報に含まれる対応関係、および、設定されたリソースグループに含まれる第１リソースに基づいて、目標チャネルおよび／または信号を送信するために必要なビーム、すなわちアップリンク送信ビームを決定し得る。
【０２９６】
例えば、対応関係におけるビームがアップリンク送信ビームであるとき、ＵＥは、第１リソースに対応するビームをアップリンク送信ビームとして直接決定し得る。対応関係におけるビームがダウンリンク受信ビームであるとき、ＵＥはまず、第１リソースに対応するダウンリンク受信ビームを取得してから、アップリンクビームとダウンリンクビームとの間の対応関係を使用することによって、ダウンリンク受信ビームに基づいて、アップリンク送信ビームを決定し得る、または、ビームがダウンリンク送信ビームであるとき、ＵＥはまず、第１リソース、および、第１リソースとビームとの間の対応関係に基づいて、ダウンリンク送信ビームを決定してから、アップリンクビームとダウンリンクビームとの間の対応関係を使用することによって、ダウンリンク送信ビームに基づいて、ダウンリンク受信ビームを決定し、最後に、アップリンクビームとダウンリンクビームとの間の対応関係を使用することによって、ダウンリンク受信ビームに基づいて、アップリンク送信ビームを決定し得る。
【０２９７】
４０６．ＵＥが、第１リソースおよびアップリンク送信ビーム上で、目標チャネルおよび／または信号を送信する。
【０２９８】
ＵＥがアップリンク送信ビームを決定した後に、ＵＥは、第１リソースおよび決定されたアップリンク送信ビーム上で目標チャネルおよび／または信号を送信し得て、それにより、目標チャネルおよび／または信号に対するビームフォーミングを実装する。
【０２９９】
本発明の本実施形態によって提供される情報伝送方法において、基地局は、目標チャネルおよび／または信号を送信するために使用される少なくとも１つの第１リソースをＵＥのために設定し、第１リソースとビームとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０３００】
図５は、本発明の一実施形態に係る別の情報伝送方法のフローチャートである。図５に示されるように、当該方法は以下の段階を備え得る。
【０３０１】
５０１．基地局がＵＥのために少なくとも１つの第１リソースを設定する。
【０３０２】
第１リソースは、目標チャネルおよび／または信号を送信するためにＵＥによって使用される、または、第１リソースは、目標チャネルおよび／または信号を受信するためにＵＥによって使用される。
【０３０３】
目標チャネルおよび／または信号（例えばＳＲＳ）に対するビームフォーミングを実装するために、基地局は、ＵＥが目標チャネルおよび／または信号を送信するためのうち少なくとも１つの第１リソース（例えば、時間領域リソース、周波数領域リソース、符号領域リソースおよびアンテナポートのうち１または複数）を設定し得る。
【０３０４】
少なくとも１つの第１リソースはリソースグループを形成し、リソースグループは少なくとも１つのリソースサブグループを含み得る。
【０３０５】
任意選択で、同一のリソースサブグループにおけるすべての第１リソースは、同一の周波数領域リソース、または、同一の符号領域リソースであり得る。
【０３０６】
任意選択で、基地局は、リソースグループ使用方式をＵＥのために更に設定し得る。例えば、使用方式は、設定されたリソースグループを周期的に使用して、目標チャネルおよび／または信号を送信すること、または、設定されたリソースグループを周期的に使用して、目標チャネルおよび／または信号を送信する代わりに、基地局によって送信されたＤＣＩを受信後、設定されたリソースグループを使用して、目標チャネルおよび／または信号を送信すること、または、設定されたリソースグループを半永久的（ｓｅｍｉ−ｐｅｒｓｉｓｔｅｎｔ）に使用して目標チャネルおよび／または信号を送信すること、すなわち、基地局によって送信されたＤＣＩまたはＭＡＣ  ＣＥを受信後、設定されたリソースグループを周期的に使用して、目標チャネルおよび／または信号を送信し、基地局によって送信された新しいＤＣＩまたは新しいＭＡＣ  ＣＥを受信後に伝送を停止することであり得る。
【０３０７】
任意選択で、基地局は更に、設定されたリソースグループのグループ化方式をＵＥに示し得て、すなわち、設定されたリソースグループを少なくとも１つのリソースサブグループに分割するグループ化方式をＵＥに示す。
【０３０８】
５０２．ＵＥが、基地局によってＵＥのために設定される少なくとも１つの第１リソースを取得する。
【０３０９】
基地局は、シグナリングによって第１リソースをＵＥに通知し得る。
【０３１０】
５０３．基地局が第１指示情報をＵＥへ送信し、第１指示情報は、第１リソースと第２リソースとの間の対応関係を示すために使用される。
【０３１１】
ＵＥが目標チャネルおよび／または信号を基地局へ送信する前に、ＵＥは、第２リソースおよび第２リソースに対応するビームを使用することによって、他の情報を基地局へ送信する、または、ＵＥが目標チャネルおよび／または信号を基地局へ送信する前に、基地局は、第２リソースおよび第２リソースに対応するビームを使用することによって、他の情報をＵＥへ送信する。言い換えれば、第２リソースとビームとの間の対応関係は知られており、これに基づいて、基地局は、第１リソースと第２リソースとの間の対応関係を示すために使用される第１指示情報をＵＥへ送信し得て、その結果、ＵＥは、第１指示情報に基づいて、目標チャネルおよび／または信号を送信するためのビームを決定する、または、第１リソース上で目標チャネルおよび／または信号を受信するために基地局によって使用されるビームを決定する。
【０３１２】
ＵＥが目標チャネルおよび／または信号を送信するときにビームフォーミングを実装できるようにするべく、基地局は、第１指示情報を使用することによって、ＵＥのために設定されたリソースグループにおける第１リソースと、第２リソースとの間の対応関係をＵＥに示す。第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含む、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含む。任意選択で、本発明の本実施形態における第２リソースは、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号、アップリンク復調参照信号、主同期信号、副同期信号、同期信号ブロック、物理ブロードキャストチャネルの復調参照信号、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、および、物理ダウンリンク制御チャネルの復調参照信号、および、物理ダウンリンク共有チャネルの復調参照信号のうち少なくとも１つのチャネルおよび／または信号を送信するために使用されるリソースであり得る。任意選択で、物理ダウンリンク制御チャネルは、制御リソースセット（ＣＯＲＥＳＥＴ、ｃｏｎｔｒｏｌ  ｒｅｓｏｕｒｃｅ  ｓｅｔ）であり得る、または、ランダムアクセス応答またはシステム情報の制御情報を搬送する物理ダウンリンク制御チャネルであり得る。任意選択で、物理ダウンリンク共有チャネルは、システム情報を搬送する物理ダウンリンク共有チャネルであり得る。
【０３１３】
言い換えれば、基地局は、ビームと対応関係にあることが知られている第２リソースと第１リソースとの間の対応関係をＵＥへ送信し得て、その結果、ＵＥは必要なビームを決定する。
【０３１４】
特定の実装において、基地局は、以下の異なる方式で、ＵＥのために設定されたリソースグループにおける各第１リソースと、第２リソースとの間の対応関係をＵＥに示し得る。任意選択で、以下の実装において、第１リソースと第２リソースとの間の対応関係は、疑似コロケーションＱＣＬ関係が目標チャネルおよび／または信号のためのアンテナポートと、第２リソース上で送信されるチャネルおよび／または信号のためのアンテナポートとの間に存在すること、目標チャネルおよび／または信号のために使用される送信ビームが、第２リソース上で送信されるチャネルおよび／または信号に使用される送信ビームと同一であること、目標チャネルおよび／または信号に使用される送信ビームが、第２リソース上で送信されるチャネルおよび／または信号に使用される受信ビームに対応すること、および、目標チャネルおよび／または信号に使用される空間フィルタが、第２リソース上で送信されるチャネルおよび／または信号に使用される空間フィルタと同一であることのうち少なくとも１つを含む。
【０３１５】
任意選択で、第２リソースの識別子と第２リソースとの間の対応関係は事前定義され得る、または、基地局によって設定され得る。例えば、第２リソースがＳＲＳを送信するために使用されるとき、第２リソースの識別子は、ＳＲＩ（ＳＲＳリソースインジケータ、ＳＲＳ  ｒｅｓｏｕｒｃｅ  ｉｎｄｉｃａｔｏｒ）であり得る、または、第２リソースの識別子と、ＳＲＩまたはＳＲＳリソースとの間の対応関係は、基地局によって設定または事前定義され、その結果、第２リソースの識別子は、いくつかのＳＲＳリソースまたはＳＲＩに対応し得て、これにより、第２リソースインジケータのオーバーヘッドを低減する。別の例として、第２リソースがＣＳＩ−ＲＳであるとき、第２リソースの識別子はＣＲＩ（ＣＳＩ−ＲＳリソースインジケータ、ＣＳＩ−ＲＳ  ｒｅｓｏｕｒｃｅ  ｉｎｄｉｃａｔｏｒ）であり得る、または、基地局は、第２リソースの識別子と、ＣＲＩまたはＣＳＩ−ＲＳリソースまたはユーザ機器によって報告されるＣＲＩとの間の対応関係を設定または事前定義し得る。例えば、第２リソースの識別子は、低オーバーヘッドインジケータ（ＬＯＩ、ｌｏｗ  ｏｖｅｒｈｅａｄ  ｉｎｄｉｃａｔｏｒ）であり得て、その結果、第２リソースの識別子は、いくつかのＣＳＩ−ＲＳリソースまたはＣＲＩに対応し、これにより、第２リソースインジケータのオーバーヘッドを低減する。
【０３１６】
方式１：第１指示情報は、リソースサブグループにおける各第１リソースと第２リソースとの間の対応関係を含む。
【０３１７】
以下の方式は、リソースサブグループにおける各第１リソースと、第２リソースとの間の対応関係を示すために使用され得る。第１指示情報は具体的には、リソースサブグループにおける各第１リソースの識別子、および、各第１リソースの識別子に対応する第２リソースの識別子を含む。または、第１指示情報は具体的には、ＱＣＬ関係が、各第１リソース上で送信される目標チャネルおよび／または信号のためのアンテナポートと、第２リソース上の信号のためのアンテナポートとの間に存在することを示すために使用される情報を含む。または、第１指示情報は具体的には、各第１リソースに対応する第２リソースの識別子を含む。
【０３１８】
任意選択で、第１指示情報が、各第１リソースに対応する第２リソースの識別子を含むとき、第１指示情報は、第２リソースの１または複数の識別子を含み得る。任意選択で、第２リソースの識別子の数は第１リソースの数と同一である。任意選択で、第１指示情報によって示される第２リソースの各々と、第１リソースとの間の対応関係は、事前定義され得る。例えば、第１指示情報によって示される第２リソースの各々は、順番に第１リソースに対応する。
【０３１９】
加えて、更に、方式１に基づいて、第１指示情報は更に、各第１リソースとビームの任意選択範囲との間の対応関係を含む。
【０３２０】
方式２：第１指示情報は、各リソースサブグループと第２リソースとの間の対応関係を含む。
【０３２１】
以下の方式は、各リソースサブグループと第２リソースとの間の対応関係を示すために使用され得る。第１指示情報は具体的には、各リソースサブグループの識別子、および、各リソースサブグループの識別子に対応する第２リソースの識別子を含む。または、第１指示情報は具体的には、ＱＣＬ関係が、各リソースサブグループ上の信号のためのアンテナポートと、第２リソース上の信号のためのアンテナポートとの間に存在することを示すために使用される情報を含む。または、第１指示情報は具体的には、各リソースサブグループに対応する第２リソースの識別子を含み得る。
【０３２２】
基地局は、第１指示情報を使用して、同一のリソースサブグループにおけるすべての第１リソースが同一の第２リソースに対応することを示す。言い換えれば、同一のリソースサブグループにおけるすべての第１リソース上で、ＵＥは、同一の送信ビームを使用することによって目標チャネルおよび／または信号を送信する必要がある。この場合、これに対応して、事前定義または事前設定方式が使用され得て、その結果、同一のリソースサブグループにおける第１リソース上で、基地局は、異なる受信ビームを使用することによって、目標チャネルおよび／または信号を受信する。
【０３２３】
方式３：第１指示情報は、各リソースサブグループと、第２リソースグループとの間の対応関係を含み、第２リソースグループは１または複数の第２リソースを含む。以下の方式は、リソースサブグループと第２リソースグループとの間の対応関係を示すために使用され得る。第１指示情報は具体的には、リソースサブグループの識別子、および、リソースサブグループの識別子に対応する第２リソースグループにおける第２リソースの識別子を含む。または、第１指示情報は具体的には、リソースサブグループの識別子、および、リソースサブグループの識別子に対応する第２リソースグループの識別子を含む。
【０３２４】
方式４：第１指示情報は、リソースサブグループに対応する第２リソースグループにおける第２リソースの識別子を含む。
【０３２５】
方式５：第１指示情報は、リソースグループに対応する第２リソースグループの識別子を含む。
【０３２６】
任意選択で、方式３から方式５において、第２リソースグループにおける第２リソースの数は、リソースグループにおけるリソースサブグループの数と同一である。
【０３２７】
任意選択で、方式３から方式５において、対応関係、例えば、第２リソースグループにおける第２リソースと、リソースグループにおけるリソースサブグループとの間の順次的な対応関係は事前定義され得る。
【０３２８】
任意選択で、例えば、第２リソースはＳＲＳリソースである。別の例として、第２リソースはＣＳＩ−ＲＳリソースである。別の例として、第１リソースはＳＲＳリソースにおけるポートであり、第１リソースサブグループは、１または複数のＳＲＳポートを含むＳＲＳリソースであり、第１リソースグループは、１または複数のＳＲＳリソースを含むＳＲＳリソースグループである。
【０３２９】
任意選択で、第１指示情報を送信するための方法は、基地局が、ＲＲＣシグナリングまたはＭＡＣ  ＣＥシグナリングなどの上位層シグナリングを使用することによって、複数の第２リソースグループ候補を設定してから、基地局が、ＭＡＣ  ＣＥシグナリングまたはＤＣＩシグナリングを使用することによって、第２リソースグループ候補の１つを第２リソースグループとして示す段階を備え得る。
【０３３０】
更に任意選択で、１または複数の第２リソースグループ候補は、第２リソースグループ候補のセットを形成する。基地局は、ＲＲＣシグナリングまたはＭＡＣ  ＣＥシグナリングなどの上位層シグナリングを使用することによって、第２リソースグループ候補の１または複数のセットを設定し、次に、基地局は、ＲＲＣシグナリングまたはＭＡＣ  ＣＥシグナリングなどのシグナリングを使用することによって、第２リソースグループ候補のセットの１つを示し、次に、基地局は、ＭＡＣ  ＣＥまたはＤＣＩシグナリングを使用することによって、第２リソースグループ候補の示されたセットにおけるある第２リソースグループ候補を第２リソースグループとして示す。
【０３３１】
更に任意選択で、第２リソースグループ候補の同一セットに含まれる第２リソースグループにおける第２リソースの数は同一であり、第２リソースグループ候補の異なるセットに含まれる第２リソースグループにおける第２リソースの数は異なり得る。
【０３３２】
更に任意選択で、ＵＥは、第１リソースグループにおける第１リソースサブグループの数に基づいて、第２リソースグループ候補のセットを決定し得る。例えば、第２リソースグループ候補の決定されたセットにおける第２リソースグループにおける第２リソースの数は、第１リソースグループにおける第１リソースサブグループの数に等しい。実現可能な実施形態が表１に提供される。ＵＥは、第１リソースグループにおける第１リソースサブグループの数に基づいて、表における列を決定する。言い換えれば、ＵＥは、第２リソースグループ候補のセットを決定する。例えば、リソースグループが１つの第１リソースサブグループを含む場合、第２リソースグループ候補のセット０が選択され、第２リソースグループ候補のセット０における各第２リソースグループは１つの第２リソースを含む。この場合、第２リソースグループは、１つの第２リソースのみを含むので、ビームインジケータは、第２リソースの識別子を直接示し得る。別の例として、リソースグループが２つの第１リソースサブグループを含むと想定すると、第２リソースグループ候補のセット１が選択され、第２リソースグループ候補のセット１における各第２リソースグループは２つの第２リソースを含む。別の例として、リソースグループが４つの第１リソースサブグループを含むと想定すると、第２リソースグループ候補のセット２が選択され、第２リソースグループ候補のセット２における各第２リソースグループは４つの第２リソースを含む。この事前定義された対応関係によれば、第１リソースサブグループが確実に第２リソースに対応し得る。加えて、基地局は、ＭＡＣ  ＣＥまたはＤＣＩインジケータテーブルにおけるビームインジケータを使用することによって、表における行を決定する。例えば、ＭＡＣ  ＣＥまたはＤＣＩにおける対応するフィールドにおけるビットが「００」である場合、リソースグループ０が選択される。以下の表における行および列は単に例であり、交換可能であり得て、行および／または列の数も増加または減少し得る、または、別の表の一部でもあり得ることに留意すべきである。以下の表におけるフィールドの値は２進数である、または、小数、８進数もしくは１６進数によって示され得る。表において、ＭＡＣ  ＣＥまたはＤＣＩにおける、第１リソースと第２リソースとの間の対応関係を示すために使用されるフィールドと第２リソースグループの識別子との間の対応関係、または、ＭＡＣ  ＣＥまたはＤＣＩにおける、第１リソースと第２リソースとの間の対応関係を示すために使用されるフィールドと第２リソースの識別子との間の対応関係は、リスト（ｌｉｓｔ）、式、文字列、アレイ、コードセグメントまたは同様のものの形式で反映され得る。表において、第１列における第１リソースサブグループの数は、別の数値でもあり得て、ここでは単に例として使用される。
［表１］
【表１】
2019533950.tif 000026
【０３３３】
更に、第２リソースがＳＲＳリソースまたはＣＳＩ−ＲＳリソースであり、第１リソースサブグループがＳＲＳリソースであると想定すると、表１は、以下の表２に変更され得る。ＳＲＳ／ＣＳＩ−ＲＳリソースの識別子は、ＳＲＩまたはＣＲＩであり得る、または、基地局は、ＳＲＩまたはＣＲＩと、ＳＲＳ／ＣＳＩ−ＲＳリソースの識別子との間の対応関係を設定または事前定義し得る。
【０３３４】
以下の表におけるフィールドの値は２進数である、または、小数、８進数もしくは１６進数によって示され得る。表において、ＭＡＣ  ＣＥまたはＤＣＩにおける、ＳＲＳリソースとＳＲＳ／ＣＳＩ−ＲＳリソースとの間の対応関係を示すために使用されるフィールドとＳＲＳ／ＣＳＩ−ＲＳリソースグループの識別子との間の対応関係、または、ＭＡＣ  ＣＥまたはＤＣＩにおける、ＳＲＳリソースとＳＲＳ／ＣＳＩ−ＲＳリソースとの間の対応関係を示すために使用されるフィールドとＳＲＳ／ＣＳＩ−ＲＳリソースの識別子との間の対応関係は、リスト（ｌｉｓｔ）、式、文字列、アレイ、および、コードセグメントなどの形式で反映され得る。表において、第１列におけるＳＲＳリソースの数は、別の数値でもあり得て、ここでは単に例として使用される。
［表２］
【表２】
2019533950.tif 000027
【０３３５】
加えて、更に、方式２から方式５に基づいて、第１指示情報は更に、各リソースサブグループとビームの任意選択範囲との間の対応関係を含む。
【０３３６】
方式６：第１指示情報は、各第１リソースと第２リソースとの間の対応関係を含む。
【０３３７】
以下の方式は、各第１リソースと第２リソースとの間の対応関係を示すために使用され得る。第１指示情報は具体的には、各第１リソースの識別子、および、各第１リソースの識別子に対応する第２リソースの識別子を含む。または、第１指示情報は具体的には、ＱＣＬ関係が、各第１リソース上の信号のためのアンテナポートと、第２リソース上の信号のためのアンテナポートとの間に存在することを示すために使用される情報を含む。または、第１指示情報は、第１リソースに対応する第２リソースの識別子を含む。
【０３３８】
方式７：第１指示情報は、各第１リソースと第２リソースグループとの間の対応関係を含み、第２リソースグループは少なくとも１つの第２リソースを含む。
【０３３９】
以下の方式は、各第１リソースと第２リソースグループとの間の対応関係を示すために使用され得る。第１指示情報は具体的には、各第１リソースの識別子、および、各第１リソースの識別子に対応する第２リソースグループにおける各第２リソースの識別子を含む。または、第１指示情報は具体的には、各第１リソースの識別子、および、各第１リソースの識別子に対応する第２リソースグループの識別子を含む。または、第１指示情報は具体的には、ＱＣＬ関係が、各第１リソース上の信号のためのアンテナポートと、第２リソースグループ上の信号のためのアンテナポートとの間に存在することを示すために使用される情報を含む。または、第１指示情報は具体的には、第１リソースに対応する第２リソースグループの識別子を含む。
【０３４０】
方式８：第１指示情報は、各第１リソースとビームの任意選択範囲との間の対応関係を含む。
【０３４１】
任意選択で、前述の方式１から８において、第１指示情報は、同一のシグナリングにおいて搬送され得る、または、異なるシグナリングにおいて搬送され得る。例えば、第１指示情報が異なるシグナリングにおいて搬送されるとき、第１リソースの識別子、または、第１リソースサブグループの識別子は、シグナリング１において搬送され得て、前述の実装における第１指示情報における第１リソースの識別子および第１リソースサブグループの識別子以外の情報はシグナリング２において搬送され得る。別の例として、第１シグナリングがＤＣＩにおいて搬送されるとき、ＤＣＩは、第１リソースの識別子、または、第１リソースサブグループの識別子、または、第１リソースグループの識別子を含まないことがあり得る。または、第１シグナリングがＭＡＣ  ＣＥにおいて搬送されるとき、第１ＭＡＣ  ＣＥは、第１リソースの識別子、または、第１リソースサブグループの識別子、または、第１リソースグループの識別子、および、対応する第２リソースの識別子もしくは第２リソースグループの識別子を含み得る。任意選択で、前述の実装１から８において、第１指示情報は更に、ユーザ機器自体が、目標チャネルおよび／または信号のための送信ビーム、または、目標チャネルおよび／または信号との間でＱＣＬ関係を有する信号を選択することを示すために使用され得る。
【０３４２】
任意選択で、前述の実装１から８において、第１指示情報は更に、既に使用された第ｋ回目の送信ビームが目標チャネルおよび／または信号のために使用されること、または、第１リソースが、第ｋ回目で既に示された第２リソースに対応することを示すために使用され得て、ｋは、基地局によって設定または事前定義され得て、例えば、ｋ＝１またはｋ＝２である。例えば、方式５における表１のＭＡＣ  ＣＥまたはＤＣＩにおける、第１リソースと第２リソースとの間の対応関係を示すために使用されるフィールドは更に、既に使用された第ｋ回目の送信ビームが、目標チャネルおよび／または信号に使用されること、または、第２リソースが、第ｋ回目で既に示された第２リソースであることを示すために使用され得る。または、方式５における表２のＭＡＣ  ＣＥまたはＤＣＩにおける、ＳＲＳリソースとＳＲＳ／ＣＳＩ−ＲＳリソースとの間の対応関係を示すために使用されるフィールドは更に、既に使用された第ｋ回目の送信ビームが、目標チャネルおよび／または信号のために使用されること、または、ＳＲＳ／ＣＳＩ−ＲＳリソースが、第ｋ回目で既に示されたＳＲＳ／ＣＳＩ−ＲＳリソースであることを示すために使用され得る。
【０３４３】
任意選択で、前述の実装１から８において、第１指示情報は更に、目標チャネルおよび／または信号に使用される送信ビームが、ＵＥ自体によって決定されること、または、目標チャネルおよび／または信号に使用されるアンテナポートとの間でＱＣＬ関係を有するアンテナポートが限定されないことを示すために使用され得る。例えば、方式５における表１のＭＡＣ  ＣＥまたはＤＣＩにおける第１リソースと第２リソースとの間の対応関係を示すために使用されるフィールドは更に、目標チャネルおよび／または信号に使用される送信ビームが、ＵＥ自体によって決定されること、または、目標チャネルおよび／または信号に使用されるアンテナポートとのＱＣＬ関係を有するアンテナポートは限定されないことを示すために使用され得る。または、方式５における表２のＭＡＣ  ＣＥまたはＤＣＩにおける、ＳＲＳリソースとＳＲＳ／ＣＳＩ−ＲＳリソースとの間の対応関係を示すために使用されるフィールドは更に、目標チャネルおよび／または信号に使用される送信ビームがＵＥ自体によって決定されること、または、ＳＲＳに使用されるアンテナポートとのＱＣＬ関係を有するアンテナポートが限定されないことを示すために使用され得る。
【０３４４】
任意選択で、前述の実装１から８において、基地局は、第１指示情報が存在するかどうか、または、第１指示情報が第２リソースの識別子、もしくは、第２リソースグループの識別子を含むかどうかを示すために使用される第３指示情報を送信し得て、それにより、ビームを示す必要が無いときのシグナリングオーバーヘッドを低減する。
【０３４５】
任意選択で、前述の実装１から８において、第２リソースと、第３リソースまたは第１リソースとの間の時間領域間隔は、基地局によって事前定義される、または、設定される。第３リソースは、第１指示情報を送信するためのリソースの一部または全部である。
【０３４６】
例えば、第１指示情報は、ＲＲＣシグナリングまたはＭＡＣ  ＣＥシグナリングにおいて搬送される、または、第１指示情報における、第２リソースの識別子、もしくは、第２リソースグループの識別子は、ＲＲＣシグナリングまたはＭＡＣ  ＣＥシグナリングにおいて搬送され、この場合、第３リソースは、ＲＲＣシグナリングまたはＭＡＣ  ＣＥシグナリングを搬送するＰＤＳＣＨが位置するタイムスロットまたはサブフレームまたはシンボルまたはミニタイムスロットであり得る。タイムスロットが、本実施形態において、例として使用される。別の例として、第１指示情報は、ＤＣＩにおいて搬送される、または、第１指示情報における、第２リソースの識別子、もしくは、第２リソースグループの識別子は、ＤＣＩにおいて搬送され、この場合、第３リソースは、ＤＣＩを搬送するＰＤＣＣＨが位置するタイムスロットまたはサブフレームまたはシンボルまたはミニタイムスロットであり得る。タイムスロットが、本実施形態において、例として使用される。
【０３４７】
任意選択で、第２リソースが非周期的ＳＲＳまたは非周期的ＣＳＩ−ＲＳなどの非周期的信号を搬送する場合、事前定義された第２リソースは、非周期的信号を送信するためのリソースであり、第２リソースと第３リソースまたは第１リソースとの間の時間領域間隔は、非周期的信号が位置するタイムスロットと、第３リソースまたは第１リソースのタイムスロットとの間の間隔である。
【０３４８】
任意選択で、第２リソースが、周期的または半永続的ＳＲＳまたはＣＳＩ−ＲＳなどの、周期的信号または半永続的信号を搬送する場合、基地局は、信号を周期的に送信するプロセスにおいてシグナリングを使用することによって、種々のビームを設定し得る。従って、第２リソースは、周期的に送信される予定の対応する信号を送信する特定の時間において占有されるリソースとして定義される必要がある。
【０３４９】
具体的には、第１指示情報は、第２リソース上で送信される第２信号のためのリソースインジケータを示すために使用される。例えば、第２信号は、ＳＲＳまたはＣＳＩ−ＲＳであり、第２信号のためのリソースインジケータは、ＳＲＩまたはＣＲＩまたはそれらの識別子である。第２リソースは、第２リソースグループに含まれ得て、指示方法は、前述の方式１から８における指示方法であり得る。第２リソースと第３リソースまたは第１リソースとの間の時間領域間隔は、以下の実装方法において、基地局によって事前定義または設定される。
【０３５０】
実装方法１：第２リソースは、第３リソースのａ１個前のタイムスロットよりａ２回前に送信された第２信号のためのリソースであり得る。例えば、第３リソースがタイムスロットｎである場合、または、第３リソースが位置するタイムスロットがタイムスロットｎである場合、第２リソースは、図５−１に示すように、タイムスロットｎ−ａ１よりａ２回前に送信される第２信号のためのリソースである。ａ１は基地局によって設定または事前定義され得て、例えば、ａ１＝０またはａ１＝１である。ａ２もまた、基地局によって設定または事前定義され得て、例えば、ａ２＝１である。ａ１は、正の値、負の値または０であり得て、ａ１＝０はまた、「ａ１が定義されていない」ことであると理解され得る。すなわち、第２リソースは、第３リソースよりａ２回前に送信される第２信号のためのリソースであり得る。
【０３５１】
実装方法２：第２リソースは、第３リソースよりａ１個前のタイムスロットよりａ２回前の、第３リソースのビームとは異なるビーム上にある、または、第３リソース上の信号との非ＱＣＬ関係を有する、第２信号のためのリソースであり得る。例えば、第３リソースがタイムスロットｎである場合、または、第３リソースが位置するタイムスロットがタイムスロットｎである場合、第２リソースは、図５−２に示すように、タイムスロットｎ−ａ１よりａ２回前の、第３リソースのビームとは異なるビーム上にある、または、第３リソース上の信号との非ＱＣＬ関係を有する、第２信号のためのリソースである。異なるビームは更に、異なる空間フィルタとして、または、非ＱＣＬ関係を有するものとして理解され得る。ａ１は基地局によって設定または事前定義され得て、例えば、ａ１＝０またはａ１＝１である。ａ２もまた、基地局によって設定または事前定義され得て、例えば、ａ２＝１である。ａ１は、正の値、負の値または０であり得て、ａ１＝０は、「ａ１は定義されていない」こととしても理解され得る。すなわち、第２リソースは、第３リソースよりａ２回前の、異なるビーム上の第２信号のためのリソースであり得る。実装方法１と比較して、実装方法２では、複数のａ２の値は同一のビームに対応し得る。従って、ａ２を示すためのオーバーヘッドを低減できる。
【０３５２】
実装方法３：第２リソースは、第１リソースよりａ１個前のタイムスロットよりａ２回前に送信される第２信号のためのリソースであり得る。例えば、第１リソースが位置するタイムスロットがタイムスロットｎである場合、第２リソースは、図５−３に示すように、タイムスロットｎ−ａ１よりａ２回前に送信される第２信号のためのリソースである。ａ１は、基地局によって設定または事前定義され得て、例えば、ａ１＝０、または、ａ１＝１である。ａ２はまた、基地局によって設定または事前定義され得て、例えば、ａ２＝１である。ａ１は、正の値、負の値または０であり得て、ａ１＝０は、「ａ１が定義されていない」ものとして理解され得る。すなわち、第２リソースは、第１リソースよりａ２回前に送信される第２信号のためのリソースであり得る。
【０３５３】
実装方法４：第２リソースは、第１リソースよりａ１個前のタイムスロットよりａ２回前の、第１リソースのビームとは異なるビーム上にある第２信号のためのリソースであり得る。例えば、第１リソースが位置するタイムスロットが、タイムスロットｎである場合、第２リソースは、図５−４に示すように、タイムスロットｎ−ａ１よりａ２回前の、第１リソースのビームとは異なるビーム上にある、または、第１リソース上の信号との非ＱＣＬ関係を有する、第２信号のためのリソースである。異なるビームは更に、異なる空間フィルタとして、または、非ＱＣＬ関係を有するものとして理解され得る。ａ１は基地局によって設定または事前定義され得て、例えば、ａ１＝０またはａ１＝１である。ａ２はまた、基地局によって設定または事前定義され得て、例えば、ａ２＝１である。ａ１は、正の値、負の値または０であり得て、ａ１＝０はまた、「ａ１は定義されていない」こととして理解され得る。すなわち、第２リソースは、第１リソースよりａ２回前の、異なるビーム上の第２信号のためのリソースであり得る。実装方法３と比較して、実装方法４では、複数のａ２の値は同一のビームに対応し得る。従って、ａ２を示すためのオーバーヘッドを減少できる。
【０３５４】
任意選択で、前述の実装１から８において、第１リソースと第３リソースまたは第２リソースとの間の時間領域間隔は、基地局によって事前定義または設定される。第３リソースは、第１指示情報を送信するためのリソースの一部または全部である。例えば、第１指示情報は、ＲＲＣシグナリングまたはＭＡＣ  ＣＥシグナリングにおいて搬送される、または、第１指示情報における、第２リソースの識別子、もしくは、第２リソースグループの識別子は、ＲＲＣシグナリングまたはＭＡＣ  ＣＥシグナリングにおいて搬送され、この場合、第３リソースは、ＲＲＣシグナリングまたはＭＡＣ  ＣＥシグナリングを搬送するＰＤＳＣＨが位置するタイムスロットまたはサブフレームまたはシンボルまたはミニタイムスロットであり得る。タイムスロットが、本実施形態において、例として使用される。別の例として、第１指示情報は、ＤＣＩにおいて搬送される、または、第１指示情報における、第２リソースの識別子、もしくは、第２リソースグループの識別子は、ＤＣＩにおいて搬送され、この場合、第３リソースは、ＤＣＩを搬送するＰＤＣＣＨが位置するタイムスロットまたはサブフレームまたはシンボルまたはミニタイムスロットであり得る。タイムスロットが、本実施形態において、例として使用される。
【０３５５】
任意選択で、第１リソースが非周期的ＳＲＳまたは非周期的ＣＳＩ−ＲＳなどの非周期的目標チャネルおよび／または信号を搬送する場合、事前定義された第１リソースは、非周期的目標チャネルおよび／または信号を送信するためのリソースであり、第１リソースと第３リソースまたは第２リソースとの間の時間領域間隔は、非周期的目標チャネルおよび／または信号が位置するタイムスロットと、第３リソースまたは第２リソースのタイムスロットとの間の間隔である。
【０３５６】
任意選択で、第１リソースが、周期的または半永続的ＳＲＳまたはＣＳＩ−ＲＳなどの周期的信号または半永続的目標チャネルおよび／または信号を搬送する場合、第１指示情報のための有効な遅延またはファジー時間が存在すると想定すると、第１指示情報の具体的な有効時間が規定される必要がある。
【０３５７】
具体的には、第１指示情報は、第１リソースに対応する第２リソース、または、第１リソースと第２リソースとの間の対応関係を示すために使用される。例えば、目標チャネルまたは信号、またはその両方はＳＲＳである。第１リソースは、第１リソースグループまたは第１リソースサブグループに含まれ得て、指示方法は、前述の方式１から８における指示方法であり得る。第１リソースと第３リソースまたは第２リソースとの間の時間領域間隔は、以下の実装方法において基地局によって事前定義または設定される。
【０３５８】
実装方法１：第１リソースは第３リソースのｂ１個後のタイムスロットのｂ２回後に送信される目標チャネルおよび／または信号のためのリソースであり得る、または、第１指示情報は、目標チャネルおよび／または信号が、第３リソースのｂ１個後のタイムスロットのｂ２回後に送信されるときに有効になり始める。例えば、第３リソースがタイムスロットｎである場合、または、第３リソースが位置するタイムスロットがタイムスロットｎである場合、第１リソースは、タイムスロットｎ＋ｂ１のｂ２回後に送信される目標チャネルおよび／または信号のためのリソースである、または、第１指示情報は、図５−５に示すように、目標チャネルおよび／または信号が、タイムスロットｎ＋ｂ１のｂ２回後に送信されるときに有効になる。ｂ１は、基地局によって設定または事前定義され得て、例えば、ｂ１＝０またはｂ１＝１である。ｂ２もまた、基地局によって設定または事前定義され得て、例えば、ｂ２＝１である。ｂ１＝０は、「ｂ１は定義されていない」ものとしても理解され得る。すなわち、第１リソースは、第３リソースのｂ２回後に送信される目標チャネルおよび／または信号のためのリソースであり得る、または、第１指示情報は、目標チャネルおよび／または信号が、第３リソースのｂ２回後に送信されるときに有効になり始める。
【０３５９】
実装方法２：第１リソースは第２リソースのｂ１個後のタイムスロットのｂ２回後に送信される目標チャネルおよび／または信号のためのリソースであり得る、または、第１指示情報は、目標チャネルおよび／または信号が、第２リソースのａ１個後のタイムスロットのｂ２回後に送信されるときに有効になり始める。例えば、第２リソースがタイムスロットｎである場合、または、第２リソースが位置するタイムスロットがタイムスロットｎである場合、第１リソースは、タイムスロットｎ＋ｂ１のｂ２回後に送信される目標チャネルおよび／または信号のためのリソースである、または、第１指示情報は、図５−６に示すように、目標チャネルおよび／または信号が、タイムスロットｎ＋ｂ１のｂ２回後に送信されるときに有効になる。ｂ１は、基地局によって設定または事前定義され得て、例えば、ｂ１＝０またはｂ１＝１である。ｂ２もまた、基地局によって設定または事前定義され得て、例えば、ｂ２＝１である。ｂ１＝０は、「ｂ１は定義されていない」ものとしても理解され得る。すなわち、第１リソースは、第２リソースのｂ２回後に送信される目標チャネルおよび／または信号のためのリソースであり得る、または、第１指示情報は、目標チャネルおよび／または信号が、第２リソースのｂ２回後に送信されるときに有効になり始める。
【０３６０】
本実施形態の別の実装方法において、第１指示情報における、第２リソースまたは第２リソースグループを示すために使用される情報は、第１ＤＣＩにおいて搬送され得る。第１ＤＣＩは、１より多くの周波数領域リソース部分上で目標チャネルおよび／または信号の伝送をトリガするために使用され得る。周波数領域リソース部分は、キャリアまたは帯域幅部分（ＢＷＰ、ｂａｎｄｗｉｄｔｈ  ｐａｒｔ）であり得る。ＢＷＰは、基地局によってＵＥのために設定された帯域幅であり得て、一意のサブキャリア間隔およびＣＰタイプを有し、データの送信に使用され得る。本実施形態において、例えば、目標チャネルまたは信号、またはその両方はＳＲＳである。この場合、第１リソースまたは第１リソースサブグループまたは第１リソースグループは、複数の周波数領域リソース部分を含む。各第１リソースは、周波数領域リソース部分に位置すること、または、各第１リソースサブグループは周波数領域リソース部分に位置すること、または、第１リソースは複数の周波数領域リソース部分に位置することが理解され得る。周波数領域リソース部分のいくつかは、ＰＵＳＣＨ伝送が実行されない、または、ＰＵＳＣＨ伝送およびＰＵＣＣＨ伝送が実行されない周波数領域リソース部分である。この場合、第１指示情報は、複数の周波数領域リソース部分上のビームまたは対応する第２リソースまたは第２リソースグループを示すために使用される。
【０３６１】
具体的には、第１ＤＣＩは１または複数のブロックを含む。例えば、第１ＤＣＩは、ブロック１、ブロック２、...ブロックＣを含み得て、Ｃは正の整数である。第１ＤＣＩにおけるＣ個のブロックのうち１または複数は、第１指示情報における、第２リソースまたは第２リソースグループを示すために使用される情報を搬送するために使用され得る。任意選択で、Ｃ個のブロックが第１ＤＣＩにおけるいくつかのビットである場合、第１ＤＣＩにおける別のブロックまたはより多くのブロックは、他のＵＥの第１指示情報を搬送するために使用され得る。この場合、第１ＤＣＩは、異なるユーザ機器のＳＲＳ伝送を示すために使用される。この場合、第１ＤＣＩにおけるＣ個のブロックの１つは、ｂ１個の第２リソースおよびｂ２個の電力伝送電力制御（ＴＰＣ、Ｔｒａｎｓｍｉｓｓｉｏｎ  Ｐｏｗｅｒ  Ｃｏｎｔｒｏｌ）パラメータを示すために使用され、ｂ１＞１、ｂ２＞１である。例えば、第１ＤＣＩにおけるＣ個のブロックの１つは、ｂ１個の第２リソースの識別子を含む、または、ｂ１個の第２リソースの第２リソースグループのうち１または複数の識別子を含む。具体的には、第１ＤＣＩにおけるＣ個のブロックの１つ（例えば、第１ＤＣＩにおけるブロックであり得る）のビット数および具体的な意味は、以下の方式を有する。
【０３６２】
方式１：ｂ２は、ｂ１、キャリアの数、および、各キャリアにおけるＢＷＰの数に基づいて決定される。例えば、ｂ２＝ｂ１×キャリアの数×各キャリアにおけるＢＷＰの数である。この場合、ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る。例えば、ＴＰＣはソートされ、ｂ１個のグループに分類され、各グループは、１つの第２リソースに対応し、例えば順次に対応する。従って、各リソース、および、各ビームについて、ＴＰＣが決定され、閉ループ電力制御の調整が実行される。この場合、Ｃ＝１である。
【０３６３】
この方式において、各ブロック（ｂｌｏｃｋ）は、１つのユーザ機器に対応し、ユーザ機器のための以下のビットを含む。
【０３６４】
（１）┌ｌｏｇ２（ｂ１）┐個のビット、ここで、┌・┐は切り上げを表し、基地局は、第１ＤＣＩのブロック（ｂｌｏｃｋ）における┌ｌｏｇ２（ｂ１）┐個のビットを使用することによって、ブロックに対応するキャリアにおけるＢＷＰにおいてユーザ機器によって使用される、第２リソースの識別子、または、第２リソースの１または複数の第２リソースグループの識別子を示す。
【０３６５】
（２）┌ｌｏｇ２（ｂ２）┐個のビット、ここで、┌・┐は切り上げを表し、基地局は、第１ＤＣＩのブロック（ｂｌｏｃｋ）における┌ｌｏｇ２（ｂ２）┐個のビットを使用することによって、ユーザ機器の電力制御コマンドを示し、電力制御コマンドはＴＰＣであり得る。ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。
【０３６６】
方式２：ｂ２はｂ１に基づいて決定される。例えばｂ２＝ｂ１である。この場合、ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。例えば、一対一の対応関係が、ソートされたＴＰＣと、示されたソートされた第２リソースとの間に存在する。従って、ＴＰＣは、各ビームについて決定され、閉ループ電力制御の調整が実行される。更に、この場合、Ｃ＞１である。第１ＤＣＩにおけるＣ個のブロックの各々は、キャリアにおけるＢＰに対応する。例えば、Ｃは、キャリアの数、および、各キャリアにおけるＢＷＰの数に基づいて決定され得る。例えば、Ｃ＝キャリアの数×各キャリアにおけるＢＷＰの数である。
【０３６７】
この方式において、各ブロック（ｂｌｏｃｋ）は、キャリアにおけるＢＷＰに対応し、キャリアにおけるＢＷＰのための以下のビットを含む。
【０３６８】
（１）┌ｌｏｇ２（ｂ１）┐個のビット、ここで、┌・┐は切り上げを表し、基地局は、第１ＤＣＩのブロック（ｂｌｏｃｋ）における┌ｌｏｇ２（ｂ１）┐個のビットを使用することによって、キャリアにおけるＢＷＰにおいてユーザ機器によって使用される、第２リソースの識別子、または、第２リソースの１または複数の第２リソースグループの識別子を示す。
【０３６９】
（２）┌ｌｏｇ２（ｂ２）┐個のビット、ここで、┌・┐は切り上げを表し、基地局は、第１ＤＣＩのブロック（ｂｌｏｃｋ）における┌ｌｏｇ２（ｂ２）┐個のビットを使用することによって、キャリアにおけるＢＷＰにおけるユーザ機器の電力制御コマンドを示し、電力制御コマンドはＴＰＣであり得る。ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。
【０３７０】
この場合、ユーザ機器は、１または複数のブロック（ｂｌｏｃｋ）に対応し得る。言い換えれば、基地局は、第１ＤＣＩにおける１または複数のブロック（ｂｌｏｃｋ）を使用することによって、ユーザ機器によって使用される、第２リソースの識別子、または、第２リソースの１または複数の第２リソースグループの識別子を示し得る。
【０３７１】
方式３：ｂ２は、ｂ１およびキャリアの数に基づいて決定される、または、ｂ１およびＢＷＰの数に基づいて決定される。例えば、ｂ２＝ｂ１×キャリアの数、または、ｂ２＝ｂ１×ＢＷＰの数である。この場合、ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る。例えば、ＴＰＣはソートされ、ｂ１個のグループに分類され、各グループは、１つの第２リソースに対応し、例えば順次に対応する。従って、各リソース、および、各ビームについて、ＴＰＣが決定され、閉ループ電力制御の調整が実行される。この場合、Ｃ＝１である。
【０３７２】
この方式において、各ブロック（ｂｌｏｃｋ）は、１つのユーザ機器に対応し、ユーザ機器のための以下のビットを含む。
【０３７３】
（１）┌ｌｏｇ２（ｂ１）┐個のビット、ここで、┌・┐は切り上げを表し、基地局は、第１ＤＣＩのブロック（ｂｌｏｃｋ）における┌ｌｏｇ２（ｂ１）┐個のビットを使用することによって、ブロック（ｂｌｏｃｋ）に対応するキャリアまたはＢＷＰにおいてユーザ機器によって使用される、第２リソースの識別子、または、第２リソースの１または複数の第２リソースグループの識別子を示す。
【０３７４】
（２）┌ｌｏｇ２（ｂ２）┐個のビット、ここで、┌・┐は切り上げを表し、基地局は、第１ＤＣＩのブロック（ｂｌｏｃｋ）における┌ｌｏｇ２（ｂ２）┐個のビットを使用することによって、ユーザ機器の電力制御コマンドを示し、電力制御コマンドはＴＰＣであり得る。ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。
【０３７５】
方式４：ｂ２はｂ１に基づいて決定される。例えばｂ２＝ｂ１である。この場合、ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。例えば、一対一の対応関係が、ソートされたＴＰＣと、示されたソートされた第２リソースとの間に存在する。従って、ＴＰＣは、各ビームについて決定され、閉ループ電力制御の調整が実行される。更に、この場合、Ｃ＞１である。第１ＤＣＩにおけるＣ個のブロックの各々は、キャリアにおけるＢＰに対応する。例えば、Ｃは、キャリアの数、または、ＢＷＰの数に基づいて決定され得る。例えば、Ｃ＝キャリアの数、または、Ｃ＝ＢＷＰの数である。
【０３７６】
この方式において、各ブロック（ｂｌｏｃｋ）は、キャリアまたはＢＷＰに対応し、キャリアまたはＢＷＰのための以下のビットを含む。
【０３７７】
（１）┌ｌｏｇ２（ｂ１）┐個のビット、ここで、┌・┐は切り上げを表し、基地局は、第１ＤＣＩのブロック（ｂｌｏｃｋ）における┌ｌｏｇ２（ｂ１）┐個のビットを使用することによって、キャリアまたはＢＷＰにおいてユーザ機器によって使用される、第２リソースの識別子、または、第２リソースの１または複数の第２リソースグループの識別子を示す。
【０３７８】
（２）┌ｌｏｇ２（ｂ２）┐個のビット、ここで、┌・┐は切り上げを表し、基地局は、第１ＤＣＩのブロック（ｂｌｏｃｋ）における┌ｌｏｇ２（ｂ２）┐個のビットを使用することによって、キャリアまたはＢＷＰのためのユーザ機器の電力制御コマンドを示し、電力制御コマンドはＴＰＣであり得る。ｂ１個の第２リソースとｂ２個のＴＰＣとの間の対応関係は、ＲＲＣシグナリングまたはＭＡＣ  ＣＥシグナリングなどの上位層シグナリングを使用することによって設定され得る、または、事前定義され得る。
【０３７９】
この場合、ユーザ機器は、１または複数のブロック（ｂｌｏｃｋ）に対応し得る。言い換えれば、基地局は、第１ＤＣＩにおける１または複数のブロック（ｂｌｏｃｋ）を使用することによって、ユーザ機器によって使用される、第２リソースの識別子、または、第２リソースの１または複数の第２リソースグループの識別子を示し得る。
【０３８０】
任意選択で、ユーザ機器は、ｂ１、キャリアの数、および、各キャリアにおけるＢＷＰの数に基づいて、実装方法１または実装方法２を使用することを決定する。例えば、ｂ１、キャリアの数、および、各キャリアにおけるＢＷＰの数を乗算した積が、Ｌより大きい、または、Ｌ以上であるとき、実装方法１が使用され、そうでない場合、実装方法２が使用される。Ｌは事前設定される、または、プロトコルによって規定される、または、基地局によって設定される。例えば、基地局は、ＲＲＣシグナリングを使用することによってＬの値を設定し得る。
【０３８１】
任意選択で、ユーザ機器は、ｂ１およびキャリアの数に基づいて、実装方法３または実装方法４を使用することを決定する。代替的に、ユーザ機器は、ｂ１およびＢＷＰの数に基づいて、実装方法３または実装方法４を使用することを決定する。例えば、ｂ１とキャリアの数とを乗算した積がＬより大きい、または、Ｌ以上であるとき、実装方法３が使用され、そうでない場合、実装方法４が使用される。代替的に、例えば、ｂ１とＢＷＰの数とを乗算した積がＬより大きい、または、Ｌ以上であるとき、実装方法３が使用され、そうでない場合、実装方法４が使用される。Ｌは事前設定される、または、プロトコルによって規定される、または、基地局によって設定される。例えば、基地局は、ＲＲＣシグナリングを使用することによってＬの値を設定し得る。
【０３８２】
任意選択で、前述の実装方法において、同一のキャリアにおける異なるＢＷＰが同一の第２リソースまたは第２リソースグループに対応することが、基地局によって事前定義または示される。
【０３８３】
任意選択で、前述の実装方法において、キャリアはコンポーネントキャリア（ＣＣ、ｃｏｍｐｏｎｅｎｔ  ｃａｒｒｉｅｒ）である。
【０３８４】
任意選択で、前述の実装方法において、第１ＤＣＩにおけるＣ個のブロックは更に、ＳＲＳ伝送をトリガするために使用される情報を含み得る。例えば、第１ＤＣＩにおけるＣ個のブロックの１つは、ＳＲＳトリガシグナリングを含み、ＳＲＳトリガシグナリングは、基地局がＲＲＣシグナリングまたはＭＡＣ  ＣＥシグナリングなどの上位層シグナリングを使用することによって設定するＳＲＳ伝送をトリガするために使用され得る。
【０３８５】
本発明の拡張において、情報伝送方法は更に、ダウンリンク方向に拡張され得る。この場合、基地局は、目標チャネルおよび／または信号をＵＥへ送信し、第１リソースは、ダウンリンク送信リソースである。この場合、目標チャネルおよび／または信号は、主同期信号、副同期信号、同期信号ブロック、物理ブロードキャストチャネル、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、復調参照信号（ＤＭＲＳ、Ｄｅｍｏｄｕｌａｔｉｏｎ  ｒｅｆｅｒｅｎｃｅ  ｓｉｇｎａｌ）、物理ダウンリンク制御チャネル、物理ダウンリンク共有チャネルおよび制御リソースセットＣＯＲＥＳＥＴのうち少なくとも１つであり得る。
【０３８６】
前述の第１指示情報設定方法が、ダウンリンク送信において目標チャネルおよび／または信号を示すために使用されるとき、基地局は第１指示情報をＵＥへ送信し、第１指示情報は、第１リソースと第２リソースとの間の対応関係を示すために使用される。
【０３８７】
基地局が目標チャネルおよび／または信号をＵＥへ送信する前に、ＵＥは、第２リソースおよび対応するビームを使用することによって、他の情報を基地局へ送信する、または、基地局が目標チャネルおよび／または信号をＵＥへ送信する前に、基地局は、第２リソースおよび対応するビームを使用することによって、他の情報をＵＥへ送信し、ＵＥは、対応する受信ビームを使用することによって、第２リソース上で送信された信号を受信する。言い換えれば、ＵＥはすでに、第２リソースと受信ビームとの間の対応関係を認識し、基地局は、これに基づいて、第１リソースと第２リソースとの間の対応関係を示すために使用される第１指示情報をＵＥへ送信し得て、その結果、ＵＥは、第１指示情報に基づいて、第１リソース上で目標チャネルおよび／または信号を受信するためにＵＥが必要とするビームを決定する、または、第１リソース上で目標チャネルおよび／または信号を送信するために基地局によって使用されるビームを決定する。例えば、ＵＥは、第１指示情報に基づいて、第１リソース上で目標チャネルおよび／または信号を受信するためにＵＥが必要とするビームが、第２リソース上で送信される信号をＵＥが受信する受信ビームであると決定する、または、ＵＥは、第１指示情報に基づいて、ＱＣＬ関係が、目標チャネルおよび／または信号を送信するためのアンテナポートと、第２リソース上で信号を送信するためのアンテナポートとの間に存在すると決定する。具体的には、第１指示情報を送信するための方法は、前述の方式のいずれか１つ、または、組み合わせであり得る。
【０３８８】
任意選択で、前述の実装において、第１指示情報は更に、既に使用された第ｋ回目の受信ビームが目標チャネルおよび／または信号のために使用されること、または、第１リソースが、第ｋ回目で既に示された第２リソースに対応することを示すために使用され得て、ｋは、基地局によって設定または事前定義され得て、例えば、ｋ＝１またはｋ＝２である。例えば、方式５における表１のＭＡＣ  ＣＥまたはＤＣＩにおける、第１リソースと第２リソースとの間の対応関係を示すために使用されるフィールドは更に、既に使用された第ｋ回目の受信ビームが、目標チャネルおよび／または信号に使用されること、または、第２リソースが、第ｋ回目で既に示された第２リソースであることを示すために使用され得る。
【０３８９】
任意選択で、前述の実装において、第１指示情報は更に、目標チャネルおよび／または信号に使用される受信ビームが、ＵＥ自体によって決定されること、または、目標チャネルおよび／または信号に使用されるアンテナポートとのＱＣＬ関係を有するアンテナポートが限定されないことを示すために使用され得る。例えば、方式５における表１のＭＡＣ  ＣＥまたはＤＣＩにおける第１リソースと第２リソースとの間の対応関係を示すために使用されるフィールドは更に、目標チャネルおよび／または信号に使用される受信ビームが、ＵＥ自体によって決定されること、または、目標チャネルおよび／または信号に使用されるアンテナポートとのＱＣＬ関係を有するアンテナポートは限定されないことを示すために使用され得る。
【０３９０】
５０４：ＵＥが、基地局によって送信された第１指示情報を受信する。
【０３９１】
５０５．ＵＥが、第１リソースおよび第１指示情報に基づいて、第２リソースを決定し、第２リソースに対応するビームに基づいて、アップリンク送信ビームまたはダウンリンク受信ビームを決定する。
【０３９２】
任意選択で、第２リソースに対応するビームに基づいてアップリンク送信ビームを決定することは更に、アップリンク受信ビームを決定することであり得る。例えば、第２リソース上でチャネルおよび／または信号を送信するために使用されるアップリンク受信ビームは、目標チャネルおよび／または信号のためのアップリンク受信ビームとして決定され得る、または、第２リソース上でチャネルおよび／または信号を送信するために使用されるアップリンク受信ビームは、第２リソース上でチャネルおよび／または信号を送信するために使用されるアンテナポートと、目標チャネルおよび／または信号のために使用されるアンテナポートとの間のＱＣＬ関係に基づいて、目標チャネルおよび／または信号のためのアップリンク受信ビームとして決定される。別の例として、第２リソース上でのチャネルおよび／または信号のダウンリンク送信に使用される空間フィルタは、目標チャネルおよび／または信号のアップリンク受信に使用される空間フィルタとして決定され得る、または、第２リソース上でのチャネルおよび／または信号のダウンリンク送信に使用されるダウンリンク送信ビームに対応するアップリンク受信ビームは、目標チャネルおよび／または信号のためのアップリンク受信ビームとして決定され得る、または、第２リソース上でチャネルおよび／または信号を送信するために使用されるアンテナポートと、目標チャネルおよび／または信号のために使用されるアンテナポートとの間のＱＣＬ関係に基づいて、第２リソース上でのチャネルおよび／または信号のダウンリンク送信に使用される空間フィルタは、目標チャネルおよび／または信号のアップリンク受信に使用される空間フィルタとして決定され得る、または、第２リソース上でのチャネルおよび／または信号のダウンリンク送信に使用されるダウンリンク送信ビームに対応するアップリンク受信ビームは、目標チャネルおよび／または信号のためのアップリンク受信ビームとして決定される。
【０３９３】
ＵＥが、基地局によって送信された第１指示情報を受信した後に、ＵＥはまず、第１指示情報に含まれる対応関係と、設定されたリソースグループに含まれる第１リソースとに基づいて、第１リソースに対応する第２リソースを決定し、次に、第２リソースとビームとの間の知られている対応関係と、第２リソースに対応するビームとに基づいて、目標チャネルおよび／または信号についてのアップリンク送信ビームまたはアップリンク受信ビームを決定し得る。
【０３９４】
例えば、ＵＥが第２リソースおよび対応するビーム上で他の情報を送信するとき、第２リソースとアップリンク送信ビームとの間の対応関係は知られており、この場合、第２リソースに対応するビームは、目標チャネルおよび／または信号のためのアップリンク送信ビームとして直接決定され得る、または、第２リソースに対応する受信ビームは、目標チャネルおよび／または信号のためのアップリンク受信ビームとして直接決定される。基地局が第２リソースおよび対応するビーム上で他の情報を送信するとき、第２リソースとダウンリンク受信ビームとの間の対応関係は知られており、この場合、目標チャネルおよび／または信号のためのアップリンク送信ビームは、アップリンクビームとダウンリンクビームとの間の対応関係を使用することによって第２リソースに対応するビームに基づいて決定され得る。任意選択で、ビームは、空間フィルタでもあり得る、または、ＱＣＬ関係が、第２リソース上で送信される信号のためのアンテナポートと、目標チャネルおよび／または信号のためのアンテナポートとの間に存在する。
【０３９５】
任意選択で、解決するための別の実装において、前述の段階および実施形態において、第１リソースと第２リソースとの間の対応関係を示す対応する第１シグナリングが無い場合、第１リソースと、第１リソースの前の目標チャネルおよび／または信号の送信のために占有されたリソースとの間に対応関係が存在することが事前定義される。例えば、前回の目標チャネルおよび／または信号を送信するためのビームまたは空間フィルタが、今回の目標チャネルおよび／または信号を送信するために使用される、または、例えば、ＱＣＬ関係が、目標チャネルおよび／または信号のためのアンテナポートと、前回のチャネルおよび／または信号を送信するためのアンテナポートとの間に存在する。任意選択で、第１リソースと第２リソースとの間の対応関係を示す対応する第１シグナリングが無い場合、ユーザ機器自体が、目標チャネルおよび／または信号のために使用される送信ビーム、または、目標チャネルおよび／または信号とのＱＣＬ関係を有する信号を決定することが事前定義される。任意選択で、第１リソースと第２リソースとの間の対応関係を示す対応する第１シグナリングが無く、かつ、目標チャネルおよび／または信号が初めて送信された場合、ユーザ機器自体が、目標チャネルおよび／または信号に使用される送信ビーム、または、目標チャネルおよび／または信号とのＱＣＬ関係を有する信号を決定すること、または、目標チャネルおよび／または信号とのＱＣＬ関係を有する信号が限定されないことが事前定義される。
【０３９６】
任意選択で、既に使用された第ｋ回目の送信ビームが目標チャネルおよび／または信号のために使用されること、または、第１リソースが、既に示された第ｋ回目の第２リソースに対応することを示すために第１指示情報が使用される場合（ここで、ｋは基地局によって設定または事前定義され得て、例えば、ｋ＝１またはｋ＝２）、ＵＥは、既に使用された第ｋ回目の送信ビームを使用する、または、既に示された第ｋ回目の第１リソースと第２リソースとの間の対応関係に基づいて、アップリンク送信ビームまたは受信ビームを決定する、または、既に示された第ｋ回目の第１リソースと第２リソースとの間の対応関係に基づいて、目標チャネルおよび／または信号に使用されるアンテナポートと、第２リソース上で送信される信号のために使用されるアンテナポートとの間にＱＣＬ関係が存在すると決定する。具体的には、本発明の本実施形態における、送信ビームまたは受信ビーム、または、ＱＣＬ関係を決定するための方法が使用され得る。
【０３９７】
任意選択で、第１指示情報は、目標チャネルおよび／または信号に使用される送信ビームがＵＥ自体によって決定されること、または、目標チャネルおよび／または信号に使用されるアンテナポートとのＱＣＬ関係を有するアンテナポートが限定されないと示すために使用される場合、ＵＥ自体が、目標チャネルおよび／または信号のための送信ビーム、または、目標チャネルおよび／または信号に使用されるアンテナポートとのＱＣＬ関係を有するアンテナポートが限定されないことを決定する。
【０３９８】
任意選択で、前述の段階または実施形態において、目標チャネルおよび／または信号によって占有されるシンボルの一部または全部で、ＵＥが第３チャネルおよび／または信号を送信する場合、ＵＥは、第３チャネルおよび／または信号のための送信ビームまたは受信ビームが、目標チャネルおよび／または信号のものと同一であるかどうかを決定する必要がある、または、ＵＥは、第３チャネルおよび／または信号のためのアンテナポートと、目標チャネルおよび／または信号のためのアンテナポートとの間にＱＣＬ関係が存在するかどうかを決定する必要がある。任意選択で、本発明における、目標チャネルおよび／または信号を示すための方法が、第３チャネルおよび／または信号を示す、例えば、第３チャネルおよび／または信号と第４リソースとの間の対応関係を示す、または、第３チャネルおよび／または信号とビームまたは空間フィルタとの間の対応関係、または、第３チャネルおよび／または信号のためのポートと、第４リソース上で送信される信号のためのポートとの間にＱＣＬ関係が存在するかどうかを示すために使用され得る。この場合、ＵＥは、第２リソースが第４リソースと同一であるかどうかに基づいて、第３チャネルおよび／または信号のための送信ビームまたは受信ビームが目標チャネルおよび／または信号のためのものと同一であるかどうかを決定し得る（ビームは、空間フィルタであり得る）、または、ＵＥは、第３チャネルおよび／または信号のためのアンテナポートと、目標チャネルおよび／または信号のためのアンテナポートとの間にＱＣＬ関係が存在するかどうかを決定する必要がある。
【０３９９】
任意選択で、第３チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つであり得る。
【０４００】
任意選択で、第３チャネルおよび／または信号のための送信ビームまたは受信ビームが目標チャネルおよび／または信号のものと同一であるとＵＥが決定した場合、または、第３チャネルおよび／または信号のためのアンテナポートと、目標チャネルおよび／または信号のためのアンテナポートとの間にＱＣＬ関係が存在するとＵＥが決定する必要がある場合、ＵＥは、目標チャネルおよび／または信号、および、第３チャネルおよび／または信号を送信する。第３チャネルおよび／または信号のための送信ビームまたは受信ビームが目標チャネルおよび／または信号のものと異なるとＵＥが決定した場合、または、第３チャネルおよび／または信号のためのアンテナポートと、目標チャネルおよび／または信号のためのアンテナポートとの間にＱＣＬ関係が存在しないとＵＥが決定した場合、以下の実装方法が利用可能である。
【０４０１】
実装方法１：ＵＥは、事前定義された優先度に基づいて、目標チャネルおよび／または信号、ならびに、第３チャネルおよび／または信号のうちの１つをシンボル上で送信することを決定する。例えば、事前定義された優先度は、ＰＵＳＣＨの優先度がＳＲＳより低いこと、および、ＰＵＣＣＨの優先度がＳＲＳより高いことであり得る。この場合、例えば、目標チャネルまたは信号、またはその両方がＳＲＳであり、かつ、第３チャネルおよび／または信号がＰＵＳＣＨである場合、ＰＵＳＣＨはＳＲＳのシンボルにマッピングされず、レートマッチングが実行される。別の例として、目標チャネルおよび／または信号がＰＵＣＣＨであり、かつ、第３チャネルおよび／または信号がＳＲＳである場合、ＳＲＳはＰＵＣＣＨのシンボルにマッピングされない。加えて、例えば、ＰＵＳＣＨ上でアップリンク制御情報を搬送する、または、ＤＭＲＳを搬送するシンボルの優先度は、ＳＲＳのものより高いこと、または、ＰＵＳＣＨ上の前方配置ＤＭＲＳ（ｆｒｏｎｔ−ｌｏａｄｅｄ  ＤＭＲＳ）のシンボルの優先度は、ＳＲＳのものより高く、ＰＵＳＣＨ上の追加のＤＭＲＳ（ａｄｄｉｔｉｏｎａｌ  ＤＭＲＳ）の優先度がＳＲＳのものより低い、または、より高いことが更に定義され得る。別の例として、ＣＳＩを搬送するＰＵＣＣＨの優先度はＳＲＳのものより低いことが定義され得る。例えば、目標チャネルおよび／または信号がＰＵＣＣＨであり、かつ、第３チャネルおよび／または信号がＳＲＳである場合、ＰＵＣＣＨはＳＲＳのシンボルにマッピングされない。任意選択で、シンボルの数、フォーマット、占有された周波数領域リソースの数、または、ＰＵＣＣＨの占有されたＲＢの数は、事前定義された方式で調整され得て、その結果、ＰＵＣＣＨはＳＲＳのシンボルにマッピングされず、ＵＥはＰＵＣＣＨを送信できる。
【０４０２】
実装方法２：基地局は優先度情報を設定する。例えば、実装方法１における優先度は基地局によって設定されないことがあり得て、例えば、ＲＲＣシグナリングまたはＭＡＣ  ＣＥシグナリングを使用することによって設定される。ＵＥは、基地局によって設定された優先度情報、および、実装方法１における方法に基づいて、目標チャネルおよび／または信号と第３チャネルおよび／または信号との間のマッピングおよび／またはレートマッチングを決定する。
【０４０３】
任意選択で、前述の実装方法において、目標チャネルおよび／または信号によって占有される周波数領域リソースは、第３チャネルおよび／または信号によって占有される周波数領域リソースと異なり得る、または、それと部分的もしくは完全に重複する。
【０４０４】
任意選択で、前述の実装方法において、目標チャネルおよび／または信号の時間−周波数リソースの一部または全部が、第３チャネルおよび／または信号のものと同一である場合、以下の処理方法が利用可能である。
【０４０５】
処理方法１：前述の実装方法における優先度に基づいて、高い優先度のチャネルおよび／または信号を決定する。ＵＥが、高い優先度のチャネルおよび／または信号の設定に基づいて、高い優先度のチャネルおよび／または信号をマッピングし、ＵＥは、低い優先度のチャネルおよび／または信号を送信しない。
【０４０６】
処理方法２：前述の実装方法における優先度に基づいて、高い優先度のチャネルおよび／または信号を決定する。ＵＥが、高い優先度のチャネルおよび／または信号の設定に基づいて、高い優先度のチャネルおよび／または信号をマッピングし、ＵＥは、高い優先度のチャネルおよび／または信号の時間−周波数リソース以外の時間−周波数リソース上で、低い優先度のチャネルおよび／または信号を送信する。具体的には、低い優先度のチャネルおよび／または信号がＰＵＳＣＨであるとき、ＰＵＳＣＨは、高い優先度のチャネルおよび／または信号の時間−周波数リソース以外の、基地局によって設定またはスケジューリングされる、ＰＵＳＣＨを送信するために使用される時間−周波数リソースにマッピングされる。低い優先度のチャネルおよび／または信号がＳＲＳであるとき、目標チャネルおよび／または信号の一部または全部の時間−周波数リソースが第３チャネルおよび／または信号のものと同一であるシンボル上で、ＳＲＳは、設定されたＳＲＳ帯域幅における高い優先度のチャネルおよび／または信号の周波数領域リソースとは異なる周波数領域リソースにおける一部または全部のリソースにマッピングされる。例えば、具体的には、ＳＲＳがマッピングされる帯域幅は、４個のＲＢの整数倍であり、ＳＲＳがマッピングされる周波数領域リソースは連続することが確実にされる必要がある。更に、ＵＥは、ＳＲＳがマッピングされる周波数領域リソースに基づいてＳＲＳのシーケンスを決定し得る。低い優先度のチャネルおよび／または信号がＰＵＣＣＨであるとき、ＰＵＣＣＨは、高い優先度のチャネルおよび／または信号の時間−周波数リソース以外の時間−周波数リソースにマッピングされ、ＵＥは、ＰＵＣＣＨがマッピングされるリソースに基づいて、ＰＵＣＣＨのシンボルの数、フォーマットおよび帯域幅、ならびに、ＰＵＣＣＨに含まれるアップリンク制御情報のうち少なくとも１つを決定し、ＰＵＣＣＨを送信する。
【０４０７】
任意選択で、第１指示情報が無いとき、または、送信ビームが無いとき、処理方法１および処理方法２が更に使用され得る。
【０４０８】
本発明の拡張において、情報伝送方法は更に、ダウンリンク方向に拡張され得る。この場合、ＵＥは、第１リソースおよび第１指示情報に基づいて第２リソースを決定し、第２リソースに対応するビームに基づいてダウンリンク受信ビームを決定する。例えば、本発明の本実施形態における、送信ビームを決定するためにアップリンク方向において使用される方法は、受信ビームを決定するためにダウンリンク方向において使用され得る。
【０４０９】
ＵＥが、基地局によって送信された第１指示情報を受信した後に、ＵＥはまず、第１指示情報に含まれる対応関係と、設定されたリソースグループに含まれる第１リソースとに基づいて、第１リソースに対応する第２リソースを決定し、次に、第２リソースとビームとの間の知られている対応関係と、第２リソースに対応するビームとに基づいて、目標チャネルおよび／または信号についてのダウンリンク受信ビームを決定し得る。
【０４１０】
例えば、ＵＥが第２リソースおよび対応するビーム上で他の情報を受信したとき、第２リソースとダウンリンク受信ビームとの間の対応関係は知られており、この場合、第２リソースに対応するダウンリンク受信ビームは、目標チャネルおよび／または信号のためのダウンリンク受信ビームとして直接決定され得る。ＵＥが第２リソースおよび対応するビーム上で他の情報を送信するとき、第２リソースとアップリンク送信ビームとの間の対応関係は知られており、この場合、目標チャネルおよび／または信号のためのダウンリンク受信ビームは、アップリンクビームとダウンリンクビームとの間の対応関係を使用することによって、第２リソースに対応するアップリンク送信ビームに基づいて決定され得る。任意選択で、ビームは、空間フィルタでもあり得る、または、ＱＣＬ関係が、第２リソース上で送信される信号のためのアンテナポートと、目標チャネルおよび／または信号のためのアンテナポートとの間に存在する。
【０４１１】
任意選択で、前述の段階および実施形態において、第１リソースと第２リソースとの間の対応関係を示す対応する第１シグナリングが無い場合、第１リソースと、第１リソースの前の目標チャネルおよび／または信号の送信のために占有されたリソースとの間に対応関係が存在することが事前定義される。例えば、前回の目標チャネルおよび／または信号を受信するためのビームまたは空間フィルタが、今回の目標チャネルおよび／または信号を送信するために使用される、または、例えば、ＱＣＬ関係が、目標チャネルおよび／または信号のためのアンテナポートと、前回のチャネルおよび／または信号を送信するためのアンテナポートとの間に存在する。任意選択で、第１リソースと第２リソースとの間の対応関係を示す対応する第１シグナリングが無い場合、ユーザ機器自体が、目標チャネルおよび／または信号のために使用される受信ビーム、または、目標チャネルおよび／または信号とのＱＣＬ関係を有する信号を決定することが事前定義される。任意選択で、第１リソースと第２リソースとの間の対応関係を示す対応する第１シグナリングが無く、かつ、目標チャネルおよび／または信号が初めて受信された場合、ユーザ機器自体が、目標チャネルおよび／または信号のために使用される受信ビーム、または、目標チャネルおよび／または信号とのＱＣＬ関係を有する信号を決定することが事前定義される。
【０４１２】
任意選択で、前述の段階または実施形態において、目標チャネルおよび／または信号によって占有されるシンボルの一部または全部で、第３チャネルおよび／または信号をＵＥが受信する、または、基地局が送信する場合、ＵＥは、第３チャネルおよび／または信号のための送信ビームまたは受信ビームが、目標チャネルおよび／または信号のものと同一であるかどうかを決定する必要がある（ビームは空間フィルタであり得る）、または、ＵＥは、第３チャネルおよび／または信号のためのアンテナポートと、目標チャネルおよび／または信号のためのアンテナポートとの間にＱＣＬ関係が存在するかどうかを決定する必要がある。任意選択で、本発明における、目標チャネルおよび／または信号を示すための方法が、第３チャネルおよび／または信号を示す、例えば、第３チャネルおよび／または信号と第４リソースとの間の対応関係を示す、または、第３チャネルおよび／または信号とビームまたは空間フィルタとの間の対応関係、または、第３チャネルおよび／または信号のためのポートと、第４リソース上で送信される信号のためのポートとの間にＱＣＬ関係が存在するかどうかを示すために使用され得る。この場合、ＵＥは、第２リソースが第４リソースと同一であるかどうかに基づいて、第３チャネルおよび／または信号のための受信ビームが目標チャネルおよび／または信号のためのものと同一であるかどうかを決定し得る（ビームは、空間フィルタであり得る）、または、ＵＥは、第３チャネルおよび／または信号のためのアンテナポートと、目標チャネルおよび／または信号のためのアンテナポートとの間にＱＣＬ関係が存在するかどうかを決定する必要がある。
【０４１３】
この場合、第３チャネルおよび／または信号は、ダウンリンクチャネルおよび／または信号であり、主同期信号、副同期信号、同期信号ブロック、物理ブロードキャストチャネル、ＣＳＩ−ＲＳ、トラッキング参照信号（Ｔｒａｃｋｉｎｇ  ｒｅｆｅｒｅｎｃｅ  ｓｉｇｎａｌ、ＴＲＳ）、位相トラッキング参照信号（ｐｈａｓｅ  ｔｒａｃｋｉｎｇ  ｒｅｆｅｒｅｎｃｅ  ｓｉｇｎａｌ、ＰＴ−ＲＳ）、復調参照信号（ＤＭＲＳ、Ｄｅｍｏｄｕｌａｔｉｏｎ  ｒｅｆｅｒｅｎｃｅ  ｓｉｇｎａｌ）、物理ダウンリンク制御チャネル、物理ダウンリンク共有チャネルおよび制御リソースセットＣＯＲＥＳＥＴのうち少なくとも１つであり得る。
【０４１４】
任意選択で、第３チャネルおよび／または信号のための受信ビームが目標チャネルおよび／または信号のものと同一であるとＵＥが決定した場合、または、第３チャネルおよび／または信号のためのアンテナポートと、目標チャネルおよび／または信号のためのアンテナポートとの間にＱＣＬ関係が存在するとＵＥが決定する必要がある場合、ＵＥは、目標チャネルおよび／または信号、および、第３チャネルおよび／または信号を受信する。第３チャネルおよび／または信号のための受信ビームが目標チャネルおよび／または信号のものと異なるとＵＥが決定した場合、または、第３チャネルおよび／または信号のためのアンテナポートと、目標チャネルおよび／または信号のためのアンテナポートとの間にＱＣＬ関係が存在しないとＵＥが決定した場合、以下の実装方法が利用可能である。
【０４１５】
実装方法１：ＵＥが、事前定義された優先度に基づいて、目標チャネルおよび／または信号、および、第３チャネルおよび／または信号のうちの１つは、シンボル上で受信される、または、シンボルにマッピングされると決定する。例えば、事前定義された優先度は、ＰＤＳＣＨの優先度がＣＳＩ−ＲＳのものより低いこと、および、ＰＤＣＣＨの優先度はＣＳＩ−ＲＳのものより高いことであり得る。この場合、例えば、目標チャネルおよび／または信号がＣＳＩ−ＲＳであり、かつ、第３チャネルおよび／または信号がＰＤＳＣＨである場合、ＰＤＳＣＨはＣＳＩ−ＲＳのシンボルにマッピングされず、レートマッチングが実行される。別の例として、目標チャネルおよび／または信号がＰＤＣＣＨであり、かつ、第３チャネルおよび／または信号がＣＳＩ−ＲＳである場合、ＣＳＩ−ＲＳはＰＳＣＣＨのシンボルにマッピングされない。加えて、例えば、ＰＤＳＣＨ上の前方配置ＤＭＲＳ（ｆｒｏｎｔ−ｌｏａｄｅｄ  ＤＭＲＳ）を搬送するシンボルの優先度は、ＣＳＩ−ＲＳのものより高いこと、および、ＰＤＳＣＨ上の追加のＤＭＲＳ（ａｄｄｉｔｉｏｎａｌ  ＤＭＲＳ）の優先度は、ＳＲＳのものより低い、または、より高いことが更に定義され得る。別の例として、目標チャネルおよび／または信号がＣＳＩ−ＲＳであり、かつ、第３チャネルおよび／または信号が同期信号または同期信号ブロックである場合、ＣＳＩ−ＲＳはシンボルにマッピングされない。
【０４１６】
実装方法２：基地局は優先度情報を設定する。例えば、実装方法１における優先度は基地局によって設定されないことがあり得て、例えば、ＲＲＣシグナリングまたはＭＡＣ  ＣＥシグナリングを使用することによって設定される。ＵＥは、基地局によって設定された優先度情報、および、実装方法１における方法に基づいて、目標チャネルおよび／または信号と第３チャネルおよび／または信号との間のマッピングおよび／またはレートマッチングを決定する。
【０４１７】
任意選択で、第３チャネルおよび／または信号の受信ビームが、目標チャネルおよび／または信号のためのアンテナポートの第１部分のものと同一であるとＵＥが決定した場合、または、第３チャネルおよび／または信号のためのアンテナポートと、目標チャネルおよび／または信号のためのアンテナポートの第１部分との間にＱＣＬ関係が存在するとＵＥが決定する必要がある場合、ＵＥは、アンテナポートの第１部分における目標チャネルおよび／または信号、ならびに、第３チャネルおよび／または信号を受信する。例えば、目標チャネルおよび／または信号がＰＤＳＣＨ、または、ＰＤＳＣＨのＤＭＲＳであり、かつ、第３チャネルおよび／または信号がＣＳＩ−ＲＳであるとき、目標チャネルおよび／または信号のためのアンテナポートの第１部分は、ＤＭＲＳグループにおけるアンテナポートであり得る。第３チャネルおよび／または信号のための受信ビームが、目標チャネルおよび／または信号のためのアンテナポートの第２部分と異なるとＵＥが決定する場合、または、第３チャネルおよび／または信号のためのアンテナポートと、目標チャネルおよび／または信号のためのアンテナポートの第２部分との間にＱＣＬ関係が存在しないとＵＥが決定した場合、以下の実装方法が利用可能となる。
【０４１８】
実装方法１：ＵＥが、事前定義された優先度に基づいて、アンテナポートの第２部分上の目標チャネルおよび／または信号、および、第３チャネルおよび／または信号のうちの１つは、シンボル上で受信される、または、シンボルにマッピングされると決定する。例えば、事前定義された優先度は、ＰＤＳＣＨの優先度がＣＳＩ−ＲＳより低いことであり得る。この場合、例えば、目標チャネルおよび／または信号がＰＤＳＣＨ、または、ＰＤＳＣＨのＤＭＲＳであり、かつ、第３チャネルおよび／または信号がＣＳＩ−ＲＳである場合、アンテナポートの第２部分上のＰＤＳＣＨは、ＣＳＩ−ＲＳのシンボルにマッピングされず、レートマッチングが実行される。
【０４１９】
実装方法２：基地局は優先度情報を設定する。例えば、実装方法１における優先度は基地局によって設定されないことがあり得て、例えば、ＲＲＣシグナリングまたはＭＡＣ  ＣＥシグナリングを使用することによって設定される。ＵＥは、基地局によって設定された優先度情報、および、実装方法１における方法に基づいて、アンテナポートの第２部分における目標チャネルおよび／または信号と、第３チャネルおよび／または信号との間のマッピングおよび／またはレートマッチングを決定する。
【０４２０】
任意選択で、基地局は、第３チャネルおよび／または信号のためのアンテナポートと、目標チャネルおよび／または信号のためのアンテナポートとの間の関連を設定し、第３チャネルおよび／または信号、ならびに、目標チャネルおよび／または信号は、関連ポート上で同時に送信され得る。具体的には、第３チャネルおよび／または信号のためのアンテナポートａと、目標チャネルおよび／または信号のためのアンテナポートｂとの間に関連が存在する場合、第３チャネルおよび／または信号のためのアンテナポートａの受信ビームが目標チャネルおよび／または信号のためのアンテナポートｂの受信ビームと同一であるかどうか、または、第３チャネルおよび／または信号のためのアンテナポートａと、目標チャネルおよび／または信号のためのアンテナポートｂとの間にＱＣＬ関係が存在するかどうかにかかわらず、第３チャネルおよび／または信号は、アンテナポートａ上で送信され得て、目標チャネルおよび／または信号はアンテナポートｂ上で同時に送信され得る。
【０４２１】
任意選択で、第３信号および／またはチャネルのためのアンテナポートと、目標チャネルおよび／または信号のためのアンテナポートとの間の関連もユーザ機器によって報告され得る。
【０４２２】
任意選択で、既に使用された第ｋ回目の受信ビームが目標チャネルおよび／または信号のために使用されること、または、第１リソースが、既に示された第ｋ回目の第２リソースに対応することを示すために第１指示情報が使用される場合（ここで、ｋは基地局によって設定または事前定義され得て、例えば、ｋ＝１またはｋ＝２）、ＵＥは、既に使用された第ｋ回目の受信ビームを使用する、または、既に示された第ｋ回目の第１リソースと第２リソースとの間の対応関係に基づいて、アップリンク送信ビームまたは受信ビームを決定する、または、既に示された第ｋ回目の第１リソースと第２リソースとの間の対応関係に基づいて、目標チャネルおよび／または信号に使用されるアンテナポートと、第２リソース上で送信される信号のために使用されるアンテナポートとの間にＱＣＬ関係が存在すると決定する。具体的には、本発明の本実施形態における、送信ビームまたは受信ビーム、または、ＱＣＬ関係を決定するための方法が使用され得る。
【０４２３】
任意選択で、第１指示情報は、目標チャネルおよび／または信号に使用される受信ビームがＵＥ自体によって決定されること、または、目標チャネルおよび／または信号に使用されるアンテナポートとのＱＣＬ関係を有するアンテナポートが限定されないことを示すために使用される場合、ＵＥ自体が、目標チャネルおよび／または信号のための受信ビーム、または、目標チャネルおよび／または信号に使用されるアンテナポートとのＱＣＬ関係を有するアンテナポートが限定されないことを決定する。
【０４２４】
任意選択で、解決するための別の実装において、前述の段階および実施形態において、第１リソースと第２リソースとの間の対応関係を示す対応する第１シグナリングが無い場合、第１リソースと、第１リソースの前の目標チャネルおよび／または信号の送信のために占有されたリソースとの間に対応関係が存在することが事前定義される。例えば、前回の目標チャネルおよび／または信号を送信するためのビームまたは空間フィルタが、今回の目標チャネルおよび／または信号を送信するために使用される、または、例えば、ＱＣＬ関係が、目標チャネルおよび／または信号のためのアンテナポートと、前回のチャネルおよび／または信号を送信するためのアンテナポートとの間に存在する。任意選択で、第１リソースと第２リソースとの間の対応関係を示す対応する第１シグナリングが無い場合、ユーザ機器自体が、目標チャネルおよび／または信号のために使用される受信ビームを、または、目標チャネルおよび／または信号とのＱＣＬ関係を有する信号決定する必要があることが事前定義される。任意選択で、第１リソースと第２リソースとの間の対応関係を示す対応する第１シグナリングが無く、かつ、目標チャネルおよび／または信号が初めて送信される場合、ユーザ機器自体が、目標チャネルおよび／または信号に使用される受信ビーム、または、目標チャネルおよび／または信号とのＱＣＬ関係を有する信号を決定する必要があること、または、目標チャネルおよび／または信号とのＱＣＬ関係を有する信号が限定されないことが事前定義される。
【０４２５】
５０６．ＵＥが、第１リソースおよびアップリンク送信ビーム上で、目標チャネルおよび／または信号を送信する。
【０４２６】
本発明の本実施形態における段階５０１から段階５０６の詳細な説明は、本発明の別の実施形態における段階４０１から段階４０６の詳細な説明と同様であることに留意すべきである。本発明の本実施形態における段階５０１から段階５０６の詳細な説明については、本発明の別の実施形態における段階４０１から段階４０６の詳細な説明を参照されたい。ここでは詳細を更に説明しない。
【０４２７】
本発明の本実施形態によって提供される情報伝送方法において、基地局は、目標チャネルおよび／または信号を送信するために使用される少なくとも１つの第１リソースをＵＥのために設定し、第１リソースと第２リソースとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０４２８】
図６は、本発明の一実施形態に係る別の情報伝送方法のフローチャートである。図６に示すように、方法は以下の段階を備え得る。
【０４２９】
６０１．ＵＥは能力指示情報を基地局へ送信する。
【０４３０】
基地局がＵＥのビーム能力に基づいてＵＥのためにリソースを設定することを可能にするべく、ＵＥは、自身のビーム能力を基地局へ報告し得る。具体的には、ＵＥは、能力指示情報を基地局へ送信することによって自身のビーム能力を報告し得る。
【０４３１】
例えば、ＵＥは、メッセージ３（Ｍｅｓｓａｇｅ  ３）および／またはアップリンク上位層シグナリングを使用することによって、能力指示情報を基地局へ送信し得る。
【０４３２】
能力指示情報は、ＵＥによって能力タイプ内においてサポートされるビームの最大数を含む、または、能力指示情報は、ＵＥによって能力タイプ内においてサポートされるビームの最大数の量子化値を含む。能力タイプは、ビームマネジメントステージおよび／またはビームの任意選択範囲を含み得る。加えて、能力タイプは事前定義され得る、または、基地局によって設定され得る。
【０４３３】
例えば、能力タイプがビームマネジメントステージを含むとき、ビームマネジメントステージは、Ｕ−１ステージ、Ｕ−２ステージおよびＵ−３ステージを含み得る。Ｕ−１ステージにおいて、基地局は、ＵＥの異なる送信ビームを測定し得て、それにより、ＵＥの送信ビームの選択、または、基地局の受信ビームの選択をサポートする。Ｕ−２ステージにおいて、基地局は、自身の異なる受信ビームを測定し得て（この場合、これに対応して、ＵＥは同一の送信ビーム上で信号を基地局へ送信し得る）、それにより、基地局内、または、基地局間の可能な受信ビームの切り替えをサポートする。Ｕ−３ステージにおいて、基地局は、自身の異なる受信ビームを測定し得て（この場合、これに対応して、ＵＥは異なる送信ビーム上で信号を基地局へ送信し得る）、その結果、ＵＥはビームフォーミングシナリオにおいて自身の送信ビームを変更できる。
【０４３４】
能力タイプがビームの任意選択範囲を含むとき、ビーム（送信ビームを指す）の任意選択範囲は、０度〜３６０度または４５度〜１３５度などを含み得る。
【０４３５】
例えば、能力タイプがビームマネジメントステージを含み、かつ、ＵＥによって能力タイプ内においてサポートされるビームの最大数が能力指示情報の報告に使用されるとき、図７に示されるように、Ｕ−１ステージにおいてＵＥによってサポートされるビームの最大数が４であり、かつ、Ｕ−３ステージにおいてＵＥによってサポートされるビームの最大数が５であると想定すると、ＵＥによって基地局へ送信される能力指示情報は、Ｕ−１ステージにおいてサポートされるビームの最大数が４であること、および、Ｕ−３ステージにおいてサポートされるビームの最大数が５であることを含み得る。
【０４３６】
別の例として、能力タイプがビームの任意選択範囲を含み、かつ、ＵＥによって能力タイプ内においてサポートされるビームの最大数の量子化値が能力指示情報の報告に使用されるとき、０度〜３６０度においてＵＥによってサポートされるビームの最大数が１６であり、４５度〜１３５度においてＵＥによってサポートされるビームの最大数が４であり、かつ、ビームの数が８以上１６未満であるとき対応する量子化値が２であり、ビームの数が１以上８未満であるとき対応する量子化値が１であると想定すると、ＵＥによって基地局へ送信される能力指示情報は、０度〜３６０度においてサポートされるビームの最大数の量子化値は２であること、および、４５度〜１３５度においてサポートされるビームの最大数の量子化値は１であることを含み得る。
【０４３７】
６０２．基地局がＵＥによって送信された能力指示情報を受信する。
【０４３８】
６０３．基地局が、能力指示情報に基づいてＵＥのためにリソースグループを設定する。
【０４３９】
リソースグループは、少なくとも１つのリソースサブグループを含み得て、リソースサブグループは少なくとも１つの第１リソースを含み、第１リソースは、目標チャネルおよび／または信号を送信するためにＵＥによって使用される。
【０４４０】
本発明の本実施形態において、第１リソースは、時間領域リソース、周波数領域リソース、符号領域リソースおよびアンテナポートのうち少なくとも１つを含み得る。目標チャネルおよび／または信号は、ＳＲＳ、ＰＲＡＣＨ、ＰＵＳＣＨ、ＰＵＣＣＨ、アップリンクトラッキング信号、アップリンク発見信号、アップリンクビーム参照信号、アップリンクモビリティ参照信号およびアップリンク復調参照信号のうち少なくとも１つを含む。
【０４４１】
基地局が、ＵＥによって送信された能力指示情報を受信した後に、基地局は、ＵＥによって異なる能力タイプ内においてサポートされるビームの最大数、または、サポートされるビームの最大数の量子化値に基づいて、対応する能力タイプに対応するリソースグループをＵＥのために設定し得る。原理としては、ＵＥのために設定されたリソースグループを分割することによって取得され得るリソースサブグループの数は、対応する能力タイプにおけるＵＥのビームの最大数以下である。
【０４４２】
段階６０３の詳細な説明は、本発明の別の実施形態における段階４０１の詳細な説明と同様であることに留意すべきである。本発明の本実施形態における段階６０３の詳細な説明については、本発明の別の実施形態における段階４０１の詳細な説明を参照されたい。本発明の本実施形態において、ここでは詳細を更に説明しない。
【０４４３】
６０４．基地局が第２指示情報をＵＥへ送信する。
【０４４４】
リソースグループの分割を実装するべく、基地局は更に、リソースグループを少なくとも１つのリソースサブグループに分割するためにＵＥによって使用される第２指示情報をＵＥへ送信し得る。
【０４４５】
６０５．ＵＥが、基地局によってＵＥのために設定されるリソースグループを取得する。
【０４４６】
６０６．ＵＥが、基地局によって送信された第２指示情報を受信する。
【０４４７】
６０７．ＵＥが、第２指示情報に基づいて、リソースグループを少なくとも１つのリソースサブグループに分割する。
【０４４８】
ＵＥが、基地局によって設定されたリソースグループを取得し、基地局によって送信された第２指示情報を受信した後に、ＵＥは、第２指示情報によって示されるグループ化方式において、取得されたリソースグループを少なくとも１つのリソースサブグループに分割し得る。
【０４４９】
６０８．基地局が第１指示情報をＵＥへ送信し、第１指示情報は、第１リソースとビームとの間の対応関係を示すために使用される。
【０４５０】
ビームはアップリンク送信ビームであり得る、または、ダウンリンク受信ビームであり得る。ＵＥが目標チャネルおよび／または信号を送信するときにビームフォーミングを実装できるようにするべく、基地局は、第１指示情報を使用することによって、ＵＥのために設定されたリソースグループにおける各第１リソースと、ビームとの間の対応関係をＵＥに示す。
【０４５１】
特定の実装において、基地局は、以下の異なる方式で、ＵＥのために設定されたリソースグループにおける各第１リソースと、ビームとの間の対応関係をＵＥに示し得る。
【０４５２】
方式１：第１指示情報は、リソースサブグループにおける各第１リソースの識別子、および、各第１リソースの識別子に対応するビームの番号を含む。
【０４５３】
同一の識別子が、異なるリソースサブグループにおける第１リソースを示すために使用され得て、この場合、リソースグループに含まれるすべてのリソースサブグループについて、対応関係は、第１リソースが同一のビームに対応すると決定するために使用され得る。
【０４５４】
方式２：第１指示情報は、各リソースサブグループの識別子、および、各リソースサブグループの識別子に対応するビームの番号を含む。言い換えれば、各リソースサブグループに含まれるすべての第１リソースは同一のビームに対応する。ビームがダウンリンク送信ビームまたはアップリンク受信ビームである場合、ユーザ機器は、各サブリソース上で、ダウンリンク送信ビームまたはアップリンク受信ビームと対になったアップリンク送信ビームを使用することによって、目標チャネルおよび／または信号を送信する。
【０４５５】
方式３：第１指示情報は、各リソースサブグループの識別子、および、各リソースサブグループの識別子に対応するビームグループにおける各ビームの番号を含み、ビームグループは少なくとも１つのビームを含む。
【０４５６】
例えば、ビームグループは、Ｕ−１ステージにおける送信ビームに含まれる、Ｕ−３ステージにおけるＵＥのものである送信ビームであり得る、または、基地局によって定義されたビームグループであり得る。
【０４５７】
方式４：第１指示情報は、各リソースサブグループの識別子、および、各リソースサブグループの識別子に対応するビームグループの番号を含む。
【０４５８】
言い換えれば、方式３から方式４において、各リソースサブグループはビームグループに対応する。当然ながら、ビームグループにおけるビームの番号、または、複数のリソースサブグループの識別子に対応するビームグループの番号は同一であり得る。言い換えれば、複数のリソースサブグループは１つのビームグループに対応し得る。
【０４５９】
方式５：第１指示情報はビームグループにおける各ビームの番号を含む。
【０４６０】
方式６：第１指示情報はビームグループの番号を含む。
【０４６１】
言い換えれば、方式５および方式６において、すべてのリソースサブグループは１つのビームグループに対応する。
【０４６２】
リソースグループが少なくとも１つのリソースサブグループに分割され、リソースグループにおける各第１リソースとビームとの間の対応関係が方式２から方式６において示されるので、第１指示情報のシグナリングオーバーヘッドを効果的に低減できる。
【０４６３】
方式７：第１指示情報は、各リソースサブグループの識別子、および、各リソースサブグループの識別子に対応するビームの任意選択範囲を含む。
【０４６４】
基地局がＵＥのビーム能力を認識していないとき、基地局は、方式７において、ＵＥのために設定されたリソースグループにおける各第１リソースと、ビームとの間の対応関係をＵＥに示し得て、その結果、ＵＥ自体は、ある範囲内のビームを選択でき、より正確なビーム探索を実装できる。
【０４６５】
方式８：第１指示情報は、各第１リソースの識別子と、各第１リソースの識別子に対応するビームの番号とを含む。
【０４６６】
方式９：第１指示情報は、各第１リソースの識別子と、各第１リソースの識別子に対応するビームグループにおける各ビームの番号とを含み、ビームグループは、少なくとも１つのビームを含む（異なる第１リソースは、同一のビームグループに対応し得る）。
【０４６７】
方式１０：第１指示情報は、各第１リソースの識別子と、各第１リソースの識別子に対応するビームグループの番号とを含む（異なる第１リソースの識別子は同一のビームグループの番号に対応し得る）。
【０４６８】
言い換えれば、方式９および方式１０において、各第１リソースは１つのビームグループに対応する。当然ながら、ビームグループにおけるビームの番号、または、複数の第１リソースの識別子に対応するビームグループの番号は同一であり得る。言い換えれば、複数の第１リソースは１つのビームグループに対応し得る。
【０４６９】
方式１１：第１指示情報は、各第１リソースの識別子と、各第１リソースの識別子に対応するビームの任意選択範囲とを含む。基地局がＵＥのビーム能力を認識していないとき、基地局は、方式１１において、ＵＥのために設定されたリソースグループにおける各第１リソースとビームとの間の対応関係をＵＥに示し得る。
【０４７０】
基地局が第１指示情報をＵＥへ送信する前に、基地局は更に、ビームと、ビームの番号との間の対応関係を示すために使用される設定情報をＵＥへ送信する必要があり、ビームの番号は、基地局によって選択されるビームのシーケンス番号であり得る。
【０４７１】
６０９．ＵＥが、基地局によって送信された第１指示情報を受信する。
【０４７２】
６１０．ＵＥが、第１リソースおよび第１指示情報に基づいてアップリンク送信ビームを決定する。
【０４７３】
基地局が、段階６０８における方式１において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥは、第１指示情報に含まれる、リソースサブグループにおける各第１リソースの識別子、および、各第１リソースの識別子に対応するビームの番号に基づいて、第１リソースに対応するビームの番号を直接決定し、次に、ビームの番号に対応するビームに基づいてアップリンク送信ビームを決定し得る。
【０４７４】
基地局が、段階６０８における方式２において、ＵＥのために設定されるリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥはまず、第１リソースが属するリソースサブグループの識別子を決定し、次に、リソースサブグループの決定された識別子、ならびに、第１指示情報に含まれる、各リソースサブグループの識別子、および、各リソースサブグループの識別子に対応するビームの番号に基づいて、リソースサブグループの識別子に対応するビームの番号を決定し、ビームの番号に対応するビームに基づいてアップリンク送信ビームを決定し得る。ビームがダウンリンク送信ビームまたはアップリンク受信ビームである場合、ユーザ機器は、各サブリソース上で、ダウンリンク送信ビームまたはアップリンク受信ビームと対になったアップリンク送信ビームを使用することによって、目標チャネルおよび／または信号を送信する。
【０４７５】
基地局が、段階６０８における方式３において、ＵＥのために設定されるリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥはまず、第１リソースが属するリソースサブグループの識別子を決定し、次に、リソースサブグループの決定された識別子、ならびに、第１指示情報に含まれる、各リソースサブグループの識別子、および、各リソースサブグループの識別子に対応するビームの番号に基づいて、リソースサブグループの識別子に対応するビームグループにおける各ビームの番号を決定し、ビームグループにおけるビームに基づいてアップリンク送信ビームを決定し得る。
【０４７６】
基地局が、方式４において、ＵＥのために設定されたリソースグループにおける各第１リソースとビームとの間の対応関係をＵＥに示すとき、ＵＥが第１リソースおよび第１指示情報に基づいてアップリンク送信ビームを決定する具体的なプロセスは、基地局が方式３において第１リソースとビームとの間の対応関係をＵＥに示すときに、ＵＥがアップリンク送信ビームを決定するプロセスと同様である。本発明の本実施形態において、ここでは詳細を更に説明しない。
【０４７７】
基地局が方式５または方式６において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥは、ビームグループにおけるビームに基づいてアップリンク送信ビームを決定し得る。第１リソースが属するリソースサブグループにおけるすべての第１リソースは、１つのアップリンク送信ビームに対応する。
【０４７８】
基地局が方式７において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥはまず、第１リソースが属するリソースサブグループの識別子を決定し、次に、決定されたリソースサブグループの識別子、ならびに、第１指示情報に含まれる各リソースサブグループの識別子、および、各リソースサブグループの識別子に対応するビームの任意選択範囲に基づいて、リソースサブグループの識別子に対応するビームの任意選択範囲を決定し、ビームの任意選択範囲に基づいてアップリンク送信ビームを決定し得る。
【０４７９】
基地局が、段階６０８における方式８において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥは、第１指示情報に含まれる、第１リソースの識別子、および、各第１リソースの識別子に対応するビームの番号に基づいて、第１リソースに対応するビームの番号を直接決定し、次に、ビームの番号に対応するビームに基づいてアップリンク送信ビームを決定し得る。
【０４８０】
基地局が段階６０８における方式９において、ＵＥのために設定されたリソースグループにおける各第１リソースとビームとの間の対応関係をＵＥに示すとき、ＵＥが第１指示情報を受信した後に、目標チャネルおよび／または信号が第１リソース上で送信される必要がある場合、ＵＥは、第１指示情報に含まれる第１リソースの識別子、および、各第１リソースの識別子に対応するビームグループにおける各ビームの番号に基づいて、第１リソースの識別子に対応するビームグループにおける各ビームの番号を直接決定し、ビームグループにおけるビームに基づいてアップリンク送信ビームを決定し得る。
【０４８１】
基地局が、方式１０または方式１１において、ＵＥのために設定されたリソースグループにおける各第１リソースとビームとの間の対応関係をＵＥに示すとき、ＵＥが第１リソースおよび第１指示情報に基づいてアップリンク送信ビームを決定する具体的なプロセスは、基地局が方式９において第１リソースとビームとの間の対応関係をＵＥに示すときに、ＵＥがアップリンク送信ビームを決定するプロセスと同様である。本発明の本実施形態において、ここでは詳細を更に説明しない。
【０４８２】
段階６１０の詳細な説明は、本発明の別の実施形態における段階４０５の詳細な説明と同様であることに留意すべきである。本発明の本実施形態における段階６１０の詳細な説明については、別の実施形態における段階４０５の詳細な説明を参照されたい。本発明の本実施形態において、ここでは詳細を更に説明しない。
【０４８３】
６１１．ＵＥが、第１リソースおよびアップリンク送信ビーム上で、目標チャネルおよび／または信号を送信する。
【０４８４】
ＵＥがアップリンク送信ビームを決定した後に、ＵＥは、第１リソースおよび決定されたアップリンク送信ビーム上で目標チャネルおよび／または信号を送信し得て、それにより、目標チャネルおよび／または信号に対するビームフォーミングを実装する。
【０４８５】
本発明の本実施形態によって提供される情報伝送方法において、基地局は、目標チャネルおよび／または信号を送信するために使用される少なくとも１つの第１リソースをＵＥのために設定し、第１リソースとビームとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０４８６】
図８は、本発明の一実施形態に係る別の情報伝送方法のフローチャートである。図８に示されるように、方法は以下の段階を備え得る。
【０４８７】
７０１．ＵＥが能力指示情報を基地局へ送信する。
【０４８８】
７０２．基地局が、ＵＥによって送信された能力指示情報を受信する。
【０４８９】
７０３．基地局が、能力指示情報に基づいて、ＵＥのためにリソースグループを設定する。
【０４９０】
７０４．基地局が第２指示情報をＵＥへ送信する。
【０４９１】
７０５．ＵＥが、ＵＥのために基地局によって設定されたリソースグループを取得する。
【０４９２】
７０６．ＵＥが、基地局によって送信された第２指示情報を受信する。
【０４９３】
７０７．ＵＥが、第２指示情報に基づいて、リソースグループを少なくとも１つのリソースサブグループに分割する。
【０４９４】
７０８．基地局が第１指示情報をＵＥへ送信し、第１指示情報は、第１リソースと第２リソースとの間の対応関係を示すために使用される。
【０４９５】
ＵＥが目標チャネルおよび／または信号を送信するときにビームフォーミングを実装できるようにするべく、基地局は、第１指示情報を使用することによって、ＵＥのために設定されたリソースグループにおける各第１リソースと、第２リソースとの間の対応関係をＵＥに示す。第２リソースは、ＵＥが目標チャネルおよび／または信号を送信する前に、情報を基地局へ送信するためにＵＥによって使用される時間領域リソース、周波数領域リソース、符号領域リソースおよびアンテナポートのうち少なくとも１つを含む、または、第２リソースは、ＵＥが目標チャネルおよび／または信号を送信する前に、情報をＵＥへ送信するために基地局によって使用される時間領域リソース、周波数領域リソース、符号領域リソースおよびアンテナポートのうち少なくとも１つを含む。言い換えれば、基地局は、ビームと対応関係にあることが知られている第２リソースと第１リソースとの間の対応関係をＵＥへ送信し得て、その結果、ＵＥはビームフォーミングに必要なビームを決定する。
【０４９６】
特定の実装において、基地局は、以下の異なる方式で、ＵＥのために設定されたリソースグループにおける各第１リソースと、第２リソースとの間の対応関係をＵＥに示し得る。
【０４９７】
方式１．第１指示情報は、リソースサブグループにおける各第１リソースと第２リソースとの間の対応関係を含む。
【０４９８】
以下の方式は、リソースサブグループにおける各第１リソースと第２リソースとの間の対応関係を示すために使用され得る。第１指示情報は具体的には、リソースサブグループにおける各第１リソースの識別子、および、各第１リソースの識別子に対応する第２リソースの識別子を含む。または、第１指示情報は具体的には、ＱＣＬ関係が、各第１リソース上の信号のためのアンテナポートと、第２リソース上の信号のためのアンテナポートとの間に存在することを示すために使用される情報を含む。
【０４９９】
加えて、更に、方式１に基づいて、第１指示情報は更に、各第１リソースとビームの任意選択範囲との間の対応関係を含む。
【０５００】
方式２：第１指示情報は、各リソースサブグループと第２リソースとの間の対応関係を含む。
【０５０１】
以下の方式は、各リソースサブグループと第２リソースとの間の対応関係を示すために使用され得る。第１指示情報は具体的には、各リソースサブグループの識別子、および、各リソースサブグループの識別子に対応する第２リソースの識別子を含む、または、第１指示情報は具体的には、各リソースサブグループ上の信号のためのアンテナポートと第２リソース上の信号のためのアンテナポートとの間にＱＣＬ関係が存在することを示すために使用される情報を含む。
【０５０２】
方式３：第１指示情報は、各リソースサブグループと、第２リソースグループとの間の対応関係を含み、第２リソースグループは少なくとも１つの第２リソースを含む。
【０５０３】
以下の方式は、各リソースサブグループと第２リソースグループとの間の対応関係を示すために使用され得る。第１指示情報は具体的には、各リソースサブグループの識別子と、各リソースサブグループの識別子に対応する第２リソースグループにおける各第２リソースの識別子とを含む、または、第１指示情報は具体的には、各リソースサブグループの識別子と、各リソースサブグループの識別子に対応する第２リソースグループの識別子とを含む。
【０５０４】
方式４：第１指示情報は第２リソースグループにおける各第２リソースの識別子を含む。
【０５０５】
方式５：第１指示情報が第２リソースグループの識別子を含む。
【０５０６】
加えて、更に、方式２から方式５に基づいて、第１指示情報は更に、各リソースサブグループとビームの任意選択範囲との間の対応関係を含む。
【０５０７】
方式６：第１指示情報は、各第１リソースと第２リソースとの間の対応関係を含む。
【０５０８】
以下の方式は、各第１リソースと第２リソースとの間の対応関係を示すために使用され得る。第１指示情報は具体的には、各第１リソースの識別子、および、各第１リソースの識別子に対応する第２リソースの識別子を含む。または、第１指示情報は具体的には、ＱＣＬ関係が、各第１リソース上の信号のためのアンテナポートと、第２リソース上の信号のためのアンテナポートとの間に存在することを示すために使用される情報を含む。
【０５０９】
方式７：第１指示情報は、各第１リソースと第２リソースグループとの間の対応関係を含み、第２リソースグループは少なくとも１つの第２リソースを含む。
【０５１０】
以下の方式は、各第１リソースと第２リソースグループとの間の対応関係を示すために使用され得る。第１指示情報は具体的には、各第１リソースの識別子、および、各第１リソースの識別子に対応する第２リソースグループにおける各第２リソースの識別子を含む。または、第１指示情報は具体的には、各第１リソースの識別子、および、各第１リソースの識別子に対応する第２リソースグループの識別子を含む。または、第１指示情報は具体的には、ＱＣＬ関係が、各第１リソース上の信号のためのアンテナポートと、第２リソースグループ上の信号のためのアンテナポートとの間に存在することを示すために使用される情報を含む。
【０５１１】
方式８：第１指示情報は、各第１リソースとビームの任意選択範囲との間の対応関係を含む。
【０５１２】
任意選択で、図５に対応する実施形態の解決法は、本実施形態においても使用され得る。
【０５１３】
７０９：ＵＥが、基地局によって送信された第１指示情報を受信する。
【０５１４】
７１０．ＵＥが、第１リソースおよび第１指示情報に基づいて、第２リソースを決定し、第２リソースに対応するアップリンク送信ビームを決定する。
【０５１５】
ＵＥが、基地局によって送信された第１指示情報を受信した後に、ＵＥはまず、第１指示情報に含まれる対応関係と、設定されたリソースグループに含まれる第１リソースとに基づいて、第１リソースに対応する第２リソースを決定し、次に、第２リソースとビームとの間の知られている対応関係と、第２リソースに対応するビームとに基づいて、アップリンク送信ビームを決定し得る。
【０５１６】
本発明の本実施形態において、本発明の本実施形態における、第１指示情報に基づいて第２リソースを決定する説明は、本発明の別の実施形態における段階６１０における、第１指示情報に基づいてビームを決定するプロセスと同様であることに留意すべきである。本発明の本実施形態において、第１指示情報に基づ第２リソースを決定する具体的なプロセスはここでは更に説明されない。詳細については、本発明の別の実施形態における段階６１０における、第１指示情報に基づいてビームを決定する詳細な説明を参照されたい。
【０５１７】
加えて、更に、段階７０８における方式１において、第１指示情報が更に各第１リソースとビームの任意選択範囲との間の対応関係を含むとき、ＵＥが第２リソースを決定した後に、ＵＥは、第２リソースに対応するビームを参照ビームとして使用し、次に、参照ビームおよびビームの任意選択範囲に基づいて、ビームの任意選択範囲におけるアップリンク送信ビームを決定し得る。当然、更に、段階７０８における方式２〜方式５においても、第１指示情報が更に各リソースサブグループとビームの任意選択範囲との間の対応関係を含むとき、ＵＥが第２リソースを決定した後に、ＵＥは、第２リソースに対応するビームを参照ビームとして使用し、次に、参照ビームおよびビームの任意選択範囲に基づいて、ビームの任意選択範囲におけるアップリンク送信ビームを決定し得る。
【０５１８】
段階７１０の詳細な説明は、本発明の別の実施形態における段階５０５の詳細な説明と同様であることに留意すべきである。本発明の本実施形態における段階７１０の詳細な説明については、別の実施形態における段階５０５の詳細な説明を参照されたい。本発明の本実施形態において、ここでは詳細を更に説明しない。
【０５１９】
７１１．ＵＥが、第１リソースおよびアップリンク送信ビーム上で、目標チャネルおよび／または信号を送信する。
【０５２０】
本発明の本実施形態によって提供される情報伝送方法において、基地局は、目標チャネルおよび／または信号を送信するために使用される少なくとも１つの第１リソースをＵＥのために設定し、第１リソースと第２リソースとの間の対応関係を示すために使用される第１指示情報をＵＥへ送信し、その結果、ＵＥは、第１リソースおよび第１指示情報に基づいて、目標チャネルおよび／または信号を送信するために必要なビームを決定できる。従って、目標チャネルまたは信号、またはその両方がＳＲＳであるとき、ＵＥは、目標チャネルおよび／または信号を送信するために必要な決定されたビームを使用することによってＳＲＳを送信でき、それにより、ＳＲＳに対するビームフォーミングを実装する。
【０５２１】
図５に対応する実施形態における指示方法も前述の実施形態に適用され得ることに留意すべきである。
【０５２２】
図９は、本発明の実施形態に係る能力報告方法のフローチャートである。図９に示されるように、方法は以下の段階を備え得る。
【０５２３】
８０１：ＵＥが、能力タイプに基づいて、能力指示情報を基地局へ送信する。
【０５２４】
能力指示情報は、ＵＥによって能力タイプ内においてサポートされるビームの最大数を含む、または、能力指示情報は、ＵＥによって能力タイプ内においてサポートされるビームの最大数の量子化値を含む。
【０５２５】
段階８０１の詳細な説明は、本発明の別の実施形態における段階６０１の詳細な説明と同様であることに留意すべきである。段階８０１の詳細な説明については、本発明の別の実施形態における段階６０１の詳細な説明を参照されたい。本発明の本実施形態において、ここでは詳細を更に説明しない。
【０５２６】
８０２．基地局が、ＵＥによって送信された能力指示情報を受信する。
【０５２７】
本発明の本実施形態によって提供される能力報告方法において、ＵＥは、能力タイプに基づいて、ＵＥによって能力タイプ内においてサポートされるビームの最大数、または、ＵＥによって能力タイプ内においてサポートされるビームの最大数の量子化値を含む能力指示情報を基地局へ送信し、その結果、基地局が、ＵＥによって送信された能力指示情報を受信した後に、基地局は、ＵＥの能力指示情報に基づいて、第１リソースをＵＥに割り当てることができる。これにより、過剰なリソースをＵＥに割り当てることにより発生するリソースの無駄、または、不十分な第１リソースをＵＥに割り当てることにより発生する不完全なビーム探索の問題を回避する。
【０５２８】
図１０は、本発明の実施形態に係るリソース指示方法のフローチャートである。図１０に示されるように、方法は以下の段階を備え得る。
【０５２９】
９０１．基地局が指示情報をＵＥへ送信し、指示情報は、ビームの番号およびビームの番号に対応するリソースの識別子、または、リソースの番号およびリソースの番号に対応するリソースの識別子を含む。
【０５３０】
ビームはポートであり得る、または、プリコーディングされ得る。リソースは、時間領域リソース、周波数領域リソース、符号領域リソースおよびアンテナポートのうち少なくとも１つを含み得る。ビームは、ダウンリンク受信ビーム、または、ダウンリンク送信ビーム、または、ダウンリンク受信ビームおよびダウンリンク送信ビーム（の対）、または、アップリンク送信ビーム、または、アップリンク受信ビーム、または、アップリンク送信ビームおよびアップリンク受信ビームの対、または、ダウンリンク受信ビームおよびアップリンク送信ビームの対であり得る。
【０５３１】
図１１に示されるように、異なるリソースは同一のビームに対応し得る。ビーム１（１はビームの番号）がリソース１に対応することを基地局がＵＥに示すとき、ＵＥは、ビーム１がリソース１に対応するビームであると決定し得る。ビーム１がリソース１に対応することを基地局がＵＥに示した後に、ビーム１がリソース２に対応することを基地局がＵＥに示す場合、ビーム１がリソース２に対応することを示す、基地局によって送信されたインジケーションをＵＥが受信した後に、ＵＥは、ビーム１が、リソース２に対応するビームであると決定し得る。加えて、ビーム１がリソース２に対応することを示すインジケーションが受信されるまで、基地局が２つのインジケーションを送信する間の一定期間に、ＵＥは常に、ビーム１がリソース１に対応するビームであると決定する。
【０５３２】
９０２．ＵＥが、基地局によって送信された指示情報を受信する。
【０５３３】
本発明の本実施形態によって提供されるリソース指示方法において、基地局は、ビームの番号およびビームの番号に対応するリソースの識別子を含む指示情報をＵＥへ送信する、または、基地局は、リソースの番号およびリソースの番号に対応するリソースの識別子を含む指示情報をＵＥへ送信し、その結果、ＵＥは、指示情報に基づいて、情報を送信するために必要なビーム、または、ビームの候補セットを決定し、決定されたビームを使用することによって情報を送信し、それにより、ビームフォーミングを実装する。基地局は、いくつかのリソース識別子のみに番号を付け得て、それにより、基地局がビームの番号またはリソースの番号を示すときのシグナリングオーバーヘッドが減少する。
【０５３４】
上では主に、ネットワーク要素間のインタラクションという観点から、本発明の実施形態によって提供される解決法が説明される。前述の機能を実装するべく、各ネットワーク要素は例えば、基地局またはＵＥが、機能を実行するための対応するハードウェア構造および／またはソフトウェアモジュールを含むことが理解され得る。当業者であれば、本明細書に開示される実施形態に関連して説明される例におけるアルゴリズムのステップは、本発明におけるハードウェア、または、ハードウェアおよびコンピュータソフトウェアの組み合わせによって実装されることができると容易に認識するはずである。機能がハードウェアによって実行されるか、または、コンピュータソフトウェアによって駆動されるハードウェアによって実行されるかは、技術的解決法の特定の適用、および、設計上の制約条件で決まる。当業者であれば、異なる方法を使用して、説明された機能を特定の適用毎に実装し得るが、そのような実装が本発明の範囲を超えるものとみなされるべきではない。
【０５３５】
本発明の実施形態において、基地局およびＵＥにおける機能モジュールは、前述の方法の例に従って定義され得る。例えば、各機能モジュールは、各機能との対応関係において定義され得る、または、２またはより多くの機能は１つの処理モジュールに統合され得る。統合モジュールは、ハードウェアの形式で実装され得る、または、ソフトウェア機能モジュールの形式で実装され得る。本発明の実施形態におけるモジュールの分割は単に例であり、論理的機能の分割に過ぎないことに留意すべきである。実際の実装において他の分割方式が利用可能であり得る。
【０５３６】
各機能モジュールが、各機能との対応関係において定義されるとき、図１２は、前述の実施形態における基地局の可能な概略構造図である。図１２に示されるように、基地局は、設定ユニット１００１、送信ユニット１００２および受信ユニット１００３を含み得る。
【０５３７】
設定ユニット１００１は、図４に示される情報伝送方法における段階４０１、図５に示される情報伝送方法における段階５０１、図６に示される情報伝送方法における段階６０３、および、図８に示される情報伝送方法における段階７０３を基地局が実行することをサポートするよう構成される。
【０５３８】
送信ユニット１００２は、図４に示される情報伝送方法における段階４０３、図５に示される情報伝送方法における段階５０３、図６に示される情報伝送方法における段階６０４および段階６０８、図８に示される情報伝送方法における段階７０４および段階７０８、ならびに、図１０に示されるリソース指示方法における段階９０１を基地局が実行することをサポートするよう構成される。
【０５３９】
受信ユニット１００３は、図６に示される情報伝送方法における段階６０２、図８に示される情報伝送方法における段階７０２、および、図９に示される能力報告方法における段階８０２を基地局が実行することをサポートするよう構成される。
【０５４０】
前述の方法の実施形態における段階のすべての関連内容は、対応する機能モジュールの機能説明において引用され得ることに留意すべきである。ここでは詳細を更に説明しない。
【０５４１】
本発明の本実施形態によって提供される基地局は、前述の情報伝送方法を実行するよう構成され、それにより、前述の情報伝送方法と同一の効果を達成する、または、前述のリソース指示方法を実行するよう構成され、それにより、前述のリソース指示方法と同一の効果を達成する、または、前述の能力報告方法を実行するよう構成され、それにより、前述の能力報告方法と同一の効果を達成する。
【０５４２】
統合されたユニットが使用されるとき、図１３は、前述の実施形態における基地局の別の可能な概略構造図である。図１３に示されるように、基地局は処理モジュール１１０１および通信モジュール１１０２を含む。
【０５４３】
処理モジュール１１０１は、基地局の動作を制御および管理するよう構成される。例えば、処理モジュール８１は、図４に示される情報伝送方法における段階４０１、図５に示される情報伝送方法における段階５０１、図６に示される情報伝送方法における段階６０３、および、図８に示される情報伝送方法における段階７０３を基地局が実行することをサポートするよう構成され、および／または、明細書において説明される技術の他のプロセスにおいて使用されるよう構成される。通信モジュール１１０２は、基地局と別のネットワークエンティティとの間の通信、例えば、図１、図３、図１４または図１５に示される機能モジュールまたはネットワークエンティティとの通信をサポートするよう構成される。例えば、通信モジュール１１０２は、図４に示される情報伝送方法における段階４０３、図５に示される情報伝送方法における段階５０３、図６に示される情報伝送方法における段階６０２、段階６０４および段階６０８、図８に示される情報伝送方法における段階７０４および段階７０８、図９に示される能力報告方法における段階８０２、および、図１０に示されるリソース指示方法における段階９０１を基地局が実行することをサポートするよう構成される。基地局は更に、基地局のプログラムコードおよびデータを記憶するよう構成される記憶モジュール１１０３を含み得る。
【０５４４】
処理モジュール１１０１はプロセッサまたはコントローラであり得る。処理モジュール１１０１は、本発明の開示において説明される、様々な例示的論理ブロック、モジュールおよび回路を実装または実行し得る。プロセッサはまた、演算機能を実装するための組み合わせ、例えば、１または複数のマイクロプロセッサを含む組み合わせ、ＤＳＰおよびマイクロプロセッサの組み合わせ、または同様のものであり得る。通信モジュール１１０２は、送受信機、送受信回路、通信インタフェースまたは同様のものであり得る。記憶モジュール１１０３はメモリであり得る。
【０５４５】
処理モジュール１１０１がプロセッサであり、通信モジュール１１０２が送受信機であり、記憶モジュール１１０３がメモリであるとき、本発明の本実施形態における基地局は、図２に示される基地局であり得る。
【０５４６】
各機能モジュールが、各機能との対応関係において定義されるとき、図１４は、前述の実施形態におけるＵＥの可能な概略構造図である。図１４に示されるように、ＵＥは、取得ユニット１２０１、受信ユニット１２０２、送信ユニット１２０３および決定ユニット１２０４を含み得る。
【０５４７】
取得ユニット１２０１は、図４に示される情報伝送方法における段階４０２、図５に示される情報伝送方法における段階５０２、図６に示される情報伝送方法における段階６０５、および、図８に示される情報伝送方法における段階７０５をＵＥが実行することをサポートするよう構成される。
【０５４８】
受信ユニット１２０２は、図４に示される情報伝送方法における段階４０４、図５に示される情報伝送方法における段階５０４、図６に示される情報伝送方法における段階６０６および段階６０９、図８に示される情報伝送方法における段階７０６および段階７０９、および、図１０に示されるリソース指示方法における段階９０２をＵＥが実行することをサポートするよう構成される。
【０５４９】
送信ユニット１２０３は、図４に示される情報伝送方法における段階４０６、図５に示される情報伝送方法における段階５０６、図６に示される情報伝送方法における段階６０１および段階６１１、図８に示される情報伝送方法における段階７０１および段階７１１、および、図９に示される能力報告方法における段階８０１をＵＥが実行することをサポートするよう構成される。
【０５５０】
決定ユニット１２０４は、図４に示される情報伝送方法における段階４０５、図５に示される情報伝送方法における段階５０５、図６に示される情報伝送方法における段階６０７および段階６１０、および、図８に示される情報伝送方法における段階７０７および段階７１０をＵＥが実行することをサポートするよう構成される。
【０５５１】
前述の方法の実施形態における段階のすべての関連内容は、対応する機能モジュールの機能説明において引用され得ることに留意すべきである。ここでは詳細を更に説明しない。
【０５５２】
本発明の本実施形態によって提供されるＵＥは、前述の情報伝送方法を実行するよう構成され、それにより、前述の情報伝送方法と同一の効果を達成する、または、前述のリソース指示方法を実行するよう構成され、それにより、前述のリソース指示方法と同一の効果を達成する、または、前述の能力報告方法を実行するよう構成され、それにより、前述の能力報告方法と同一の効果を達成する。
【０５５３】
統合されたユニットが使用されるとき、図１５は、前述の実施形態におけるＵＥの別の可能な概略構造図である。図１５に示されるように、ＵＥは、処理モジュール１３０１および通信モジュール１３０２を含む。
【０５５４】
処理モジュール１３０１は、ＵＥの動作を制御および管理するよう構成され、例えば、図４に示される情報伝送方法における段階４０２および段階４０５、図５に示される情報伝送方法における段階５０２および段階５０５、図６に示される情報伝送方法における段階６０５、段階６０７および段階６１０、図８に示される情報伝送方法における段階７０５、段階７０７および段階７１０を実行するよう構成される。通信モジュール１３０２は、ＵＥと別のネットワークエンティティとの間の通信、例えば、図１、図２、図１２、または、図１３に示される機能モジュールまたはネットワークエンティティとの通信をサポートするよう構成される。例えば、通信モジュール１３０２は、図４に示される情報伝送方法における段階４０４および段階４０６、図５に示される情報伝送方法における段階５０４および段階５０６、図６に示される情報伝送方法における段階６０１、段階６０６、段階６０９および段階６１１、図８に示される情報伝送方法における段階７０１、段階７０６、段階７０９および段階７１１、図９に示される能力報告方法における段階８０１、および、図１０に示されるリソース指示方法における段階９０２をＵＥが実行することをサポートする。ＵＥは更に、ＵＥのプログラムコードおよびデータを記憶するよう構成される記憶モジュール１３０３を含み得る。
【０５５５】
処理モジュール１３０１はプロセッサまたはコントローラであり得る。処理モジュール１３０１は、本発明の開示において説明される、様々な例示的論理ブロック、モジュールおよび回路を実装または実行し得る。プロセッサはまた、演算機能を実装するための組み合わせ、例えば、１または複数のマイクロプロセッサを含む組み合わせ、ＤＳＰおよびマイクロプロセッサの組み合わせ、または同様のものであり得る。通信モジュール１３０２は、送受信機、送受信回路、通信インタフェースまたは同様のものであり得る。記憶モジュール１３０３はメモリであり得る。
【０５５６】
処理モジュール１３０１がプロセッサであり、通信モジュール１３０２が送受信機であり、記憶モジュール１３０３がメモリであるとき、本発明の本実施形態におけるＵＥは、図３に示されるＵＥであり得る。
【０５５７】
実装についての前述の説明により、当業者は、説明を簡便性および簡潔性の目的で、前述の機能モジュールの分割は説明のための例であることを理解することが可能である。実際の適用において、前述の機能は、要求に従って異なる複数のモジュールに割り当てられて実装され得る。すなわち、機器の内部構造は、前述の機能のすべてまたは一部を実装するべく異なる機能モジュールに分割される。
【０５５８】
本願で提供されるいくつかの実施形態において、開示された機器および方法は、他の方式で実装され得ることが理解されるべきである。例えば、説明されている機器の実施形態は一例に過ぎない。例えば、モジュールまたはユニットの分割は、論理的機能の分割に過ぎず、実際の実装においては、他の分割であり得る。例えば、複数のユニットまたはコンポーネントは、組み合わされ得る、または、別の機器に統合され得る、または、いくつかの特徴が無視され得る、または、実行されないことがあり得る。加えて、表示または議論されている相互結合もしくは直接的結合または通信接続は、いくつかのインタフェースを使用することによって実装され得る。機器間またはユニット間の間接的結合または通信接続は、電子的形態、機械的形態、または他の形態で実装されてよい。
【０５５９】
別個の部分として説明されるユニットは、物理的に別個であっても、そうでなくてもよく、ユニットとして表示される部分は、１または複数の物理的ユニットであり得る、または、１つの場所に位置し得る、または、異なる場所に分散し得る。実施形態の解決法の目的を達成するべく、実際の必要性に従ってユニットの一部または全部が選択され得る。
【０５６０】
加えて、本発明の実施形態の機能ユニットが１つの処理ユニットに統合されてよく、または、当該ユニットの各々が物理的に単独で存在してよく、または、２つまたはそれより多くのユニットが１つのユニットに統合される。統合されたユニットは、ハードウェアの形態で実装されてよく、または、ソフトウェア機能ユニットの形態で実装され得る。
【０５６１】
統合されたユニットがソフトウェア機能ユニットの形式で実装され、かつ、個別の製品として販売または使用されるとき、統合されたユニットは可読記憶媒体に記憶され得る。そのような理解に基づいて、本発明の実施形態における技術的解決法は本質的に、または、先行技術に寄与する部分、または、技術的解決法の全部もしくは一部は、ソフトウェア製品の形態で実装され得る。ソフトウェア製品は、記憶媒体に記憶され、本発明の実施形態において説明される方法の段階の全部または一部を実行するよう、（シングルチップマイクロコンピュータ、チップ、または同様のものであり得る）デバイス、または、プロセッサ（ｐｒｏｃｅｓｓｏｒ）に命令するための複数の命令を含む。前述の記憶媒体は、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、光ディスクまたは同様のものなど、プログラムコードを記憶できる任意の媒体を含む。
【０５６２】
説明されたことは、本発明の特定の実装に過ぎず、本発明の保護範囲を限定する意図はない。本発明において開示された技術的範囲内で当業者が容易に考案したあらゆる変形または置き換えは、本発明の保護範囲に含まれるものとする。従って、本発明の保護範囲は、特許請求の範囲の保護範囲に従うものとする。
（項目１）
情報伝送方法であって、
基地局が、ユーザ機器ＵＥのために少なくとも１つの第１リソースを設定する段階であって、上記第１リソースは、第１アンテナポート上で第１チャネルおよび／または信号を送信するために上記ＵＥによって使用される、段階と、
上記基地局が、第１指示情報を上記ＵＥへ送信する段階であって、上記第１指示情報は、上記第１リソースと第２リソースとの間の対応関係を示すために使用される、段階と、
上記基地局が、第２アンテナポート上で上記ＵＥによって送信された第２チャネルおよび／または信号を上記第２リソース上で受信し、上記基地局が、上記第１アンテナポート上で上記ＵＥによって送信された上記第１チャネルおよび／または信号を受信する段階であって、疑似コロケーションＱＣＬ関係が上記第１アンテナポートと上記第２アンテナポートとの間に存在する、または、上記ＵＥによって上記第１チャネルおよび／または信号を送信するためのビームは、上記ＵＥによって上記第２チャネルおよび／または信号を送信するためのビームと同一である、段階、または、
上記基地局が、上記第２リソースおよび第３アンテナポート上で第３チャネルおよび／または信号を上記ＵＥへ送信し、上記基地局が、上記第１アンテナポート上で上記ＵＥによって送信された上記第１チャネルおよび／または信号を受信する段階であって、疑似コロケーションＱＣＬ関係が上記第１アンテナポートと上記第３アンテナポートとの間に存在する、または、上記ＵＥによって上記第１チャネルおよび／または信号を送信するためのビームは、上記ＵＥによって上記第３チャネルおよび／または信号を受信するためのビームに対応する、段階と
を備える方法。
（項目２）
上記少なくとも１つの第１リソースはリソースグループに含まれ、上記リソースグループは少なくとも１つのリソースサブグループを含む、項目１に記載の方法。
（項目３）
上記第１チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含む、項目１または２に記載の方法。
（項目４）
上記第１リソースは、時間領域リソース、周波数領域リソース、符号領域リソースおよびアンテナポートのうち少なくとも１つを含む、項目１から３のいずれか一項に記載の方法。
（項目５）
上記第１指示情報は、上記リソースサブグループにおける上記第１リソースの各々と、上記第２リソースとの間の対応関係を含む、項目１から４のいずれか一項に記載の方法。
（項目６）
上記第１指示情報は具体的には、上記リソースサブグループにおける上記第１リソースの各々の識別子、および、上記第１リソースの各々の上記識別子に対応する上記第２リソースの識別子を含む、または、
上記第１指示情報は具体的には、疑似コロケーションＱＣＬ関係が、上記第１リソースの各々における信号のためのアンテナポートと、上記第２リソースにおける上記信号のための上記アンテナポートとの間に存在することを示すために使用される情報を含む、項目５に記載の方法。
（項目７）
情報伝送方法であって、
ユーザ機器ＵＥが、基地局によって上記ＵＥのために設定される少なくとも１つの第１リソースを取得する段階であって、上記第１リソースは、第１アンテナポート上で第１チャネルおよび／または信号を送信するために上記ＵＥによって使用される、段階と、
上記ＵＥが、上記基地局によって送信された第１指示情報を受信する段階であって、上記第１指示情報は、上記第１リソースと第２リソースとの間の対応関係を示すために使用される、段階と、
上記ＵＥが、上記第２リソースおよび第２アンテナポート上で第２チャネルおよび／または信号を上記基地局へ送信し、上記ＵＥが、上記第１アンテナポート上で、上記第１チャネルおよび／または信号を上記基地局へ送信する段階であって、疑似コロケーションＱＣＬ関係が、上記第１アンテナポートと上記第２アンテナポートとの間に存在する、または、上記ＵＥによって上記第１チャネルおよび／または信号を送信するためのビームは、上記ＵＥによって上記第２チャネルおよび／または信号を送信するためのビームと同一である、段階、または、
上記ＵＥが、上記第２リソースおよび第３アンテナポート上で上記基地局によって送信された第３チャネルおよび／または信号を受信し、上記ＵＥが、上記第１アンテナポート上で、上記第１チャネルおよび／または信号を上記基地局へ送信する段階であって、疑似コロケーションＱＣＬ関係が上記第１アンテナポートと上記第３アンテナポートとの間に存在する、または、上記ＵＥによって上記第１チャネルおよび／または信号を送信するためのビームが、上記ＵＥによって上記第３チャネルおよび／または信号を受信するためのビームに対応する、段階と
を備える方法。
（項目８）
上記少なくとも１つの第１リソースはリソースグループに含まれ、上記リソースグループは少なくとも１つのリソースサブグループを含む、項目７に記載の方法。
（項目９）
上記ＵＥが、上記基地局によって送信された第１指示情報を受信する上記段階の後に、上記方法は更に、
上記ＵＥが、上記第１リソースおよび上記第１指示情報に基づいて上記第２リソースを決定し、上記第２リソースに対応するビームに基づいてアップリンク送信ビームを決定する段階と、
上記ＵＥが、上記第１リソースおよび上記アップリンク送信ビーム上で上記第１チャネルおよび／または信号を送信する段階と
を備える、項目７または８に記載の方法。
（項目１０）
上記第１チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含む、項目７から９のいずれか一項に記載の方法。
（項目１１）
上記第１リソースは、時間領域リソース、周波数領域リソース、符号領域リソースおよびアンテナポートのうち少なくとも１つを含む、項目７から１０のいずれか一項に記載の方法。
（項目１２）
上記第１指示情報は、上記リソースサブグループにおける上記第１リソースの各々と、上記第２リソースとの間の対応関係を含む、項目７から１１のいずれか一項に記載の方法。
（項目１３）
設定ユニットと、送信ユニットと、受信ユニットとを備える基地局であって、
上記設定ユニットは、ユーザ機器ＵＥのために少なくとも１つの第１リソースを設定するよう構成され、上記第１リソースは、第１アンテナポート上で第１チャネルおよび／または信号を送信するために上記ＵＥによって使用され、
上記送信ユニットは、第１指示情報を上記ＵＥへ送信するよう構成され、上記第１指示情報は、上記第１リソースと第２リソースとの間の対応関係を示すために使用され、
上記受信ユニットは、第２アンテナポート上で上記ＵＥによって送信された第２チャネルおよび／または信号を上記第２リソース上で受信するよう構成され、上記受信ユニットは更に、上記第１アンテナポート上で上記ＵＥによって送信された上記第１チャネルおよび／または信号を受信するよう構成され、疑似コロケーションＱＣＬ関係が上記第１アンテナポートと上記第２アンテナポートとの間に存在する、または、上記ＵＥによって上記第１チャネルおよび／または信号を送信するためのビームが、上記ＵＥによって上記第２チャネルおよび／または信号を送信するためのビームと同一である、または、
上記送信ユニットが、上記第２リソースおよび第３アンテナポート上で第３チャネルおよび／または信号を上記ＵＥへ送信するよう構成され、上記受信ユニットは更に、上記第１アンテナポート上で上記ＵＥによって送信された上記第１チャネルおよび／または信号を受信するよう構成され、疑似コロケーションＱＣＬ関係が、上記第１アンテナポートと上記第３アンテナポートとの間に存在する、または、上記ＵＥによって上記第１チャネルおよび／または信号を送信するためのビームが、上記ＵＥによって上記第３チャネルおよび／または信号を受信するためのビームに対応する、
基地局。
（項目１４）
上記少なくとも１つの第１リソースはリソースグループに含まれ、上記リソースグループは少なくとも１つのリソースサブグループを含む、項目１３に記載の基地局。
（項目１５）
上記第１チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含む、項目１３または１４に記載の基地局。
（項目１６）
上記第１リソースは、時間領域リソース、周波数領域リソース、符号領域リソースおよびアンテナポートのうち少なくとも１つを含む、項目１３から１５のいずれか一項に記載の基地局。
（項目１７）
上記第２リソースは、上記ＵＥが上記第１チャネルおよび／または信号を送信する前に、情報を上記基地局へ送信するために上記ＵＥによって使用される時間領域リソース、周波数領域リソース、符号領域リソースおよびアンテナポートのうち少なくとも１つを含む、または、
上記第２リソースは、上記ＵＥが上記第１チャネルおよび／または信号を送信する前に、情報を上記ＵＥへ送信するために上記基地局によって使用される時間領域リソース、周波数領域リソース、符号領域リソースおよびアンテナポートのうち少なくとも１つを含む、
項目１３から１６のいずれか一項に記載の基地局。
（項目１８）
上記第１指示情報は、上記リソースサブグループにおける上記第１リソースの各々と、上記第２リソースとの間の対応関係を含む、項目１３から１７のいずれか一項に記載の基地局。
（項目１９）
上記第１指示情報は、上記リソースサブグループの各々と上記第２リソースとの間の対応関係を含む、項目１３から１７のいずれか一項に記載の基地局。
（項目２０）
取得ユニット、受信ユニットおよび送信ユニットを備えるユーザ機器ＵＥであって、
上記取得ユニットは、基地局によって上記ＵＥのために設定された少なくとも１つの第１リソースを取得するよう構成され、上記第１リソースは、第１アンテナポート上で第１チャネルおよび／または信号を送信するために上記ＵＥによって使用され、
上記受信ユニットは、上記基地局によって送信された第１指示情報を受信するよう構成され、上記第１指示情報は、上記第１リソースと第２リソースとの間の対応関係を示すために使用され、
上記送信ユニットは、上記第２リソースおよび第２アンテナポート上で第２チャネルおよび／または信号を上記基地局へ送信するよう構成され、上記送信ユニットは更に、上記第１アンテナポート上で上記第１チャネルおよび／または信号を上記基地局へ送信するよう構成され、疑似コロケーションＱＣＬ関係が上記第１アンテナポートと上記第２アンテナポートとの間に存在する、または、上記送信ユニットによって上記第１チャネルおよび／または信号を送信するためのビームは、上記送信ユニットによって上記第２チャネルおよび／または信号を送信するためのビームと同一である、または、
上記受信ユニットは、上記第２リソースおよび第３アンテナポート上で上記基地局によって送信された第３チャネルおよび／または信号を受信するよう構成され、上記送信ユニットは、上記第１アンテナポート上で上記第１チャネルおよび／または信号を上記基地局へ送信するよう構成され、疑似コロケーションＱＣＬ関係が、上記第１アンテナポートと上記第３アンテナポートとの間に存在する、または、上記送信ユニットによって上記第１チャネルおよび／または信号を送信するためのビームは、上記受信ユニットによって上記第３チャネルおよび／または信号を受信するためのビームに対応する、
ＵＥ。
（項目２１）
上記少なくとも１つの第１リソースはリソースグループに含まれ、上記リソースグループは少なくとも１つのリソースサブグループを含む、項目２０に記載のＵＥ。
（項目２２）
決定ユニットは、上記受信ユニットによって受信された上記第１リソースおよび上記第１指示情報に基づいて、上記第２リソースを決定し、上記第２リソースに対応するビームに基づいて、アップリンク送信ビームを決定するよう構成され、
上記送信ユニットは、上記取得ユニットによって取得された上記第１リソース上で、および、上記決定ユニットによって決定される上記アップリンク送信ビーム上で、上記第１チャネルおよび／または信号を送信するよう構成される、項目２０または２１に記載のＵＥ。
（項目２３）
上記第１チャネルおよび／または信号は、サウンディング参照信号ＳＲＳ、物理ランダムアクセスチャネルＰＲＡＣＨ、物理アップリンク共有チャネルＰＵＳＣＨ、物理アップリンク制御チャネルＰＵＣＣＨ、アップリンクトラッキング信号、アップリンク発見信号、アップリンクビーム参照信号、アップリンクモビリティ参照信号、アップリンク復調参照信号およびアップリンク位相トラッキング参照信号のうち少なくとも１つを含む、項目２０から２２のいずれか一項に記載のＵＥ。
（項目２４）
上記第１リソースは、時間領域リソース、周波数領域リソース、符号領域リソースおよびアンテナポートのうち少なくとも１つを含む、項目２０から２３のいずれか一項に記載のＵＥ。
（項目２５）
上記第２リソースは、上記ＵＥが上記第１チャネルおよび／または信号を送信する前に、情報を上記基地局へ送信するために上記ＵＥによって使用される時間領域リソース、周波数領域リソース、符号領域リソースおよびアンテナポートのうち少なくとも１つを含む、または、
上記第２リソースは、上記ＵＥが上記第１チャネルおよび／または信号を送信する前に、情報を上記ＵＥへ送信するために上記基地局によって使用される時間領域リソース、周波数領域リソース、符号領域リソースおよびアンテナポートのうち少なくとも１つを含む、
項目２０から２４のいずれか一項に記載のＵＥ。
（項目２６）
上記第１指示情報は、上記リソースサブグループにおける上記第１リソースの各々と、上記第２リソースとの間の対応関係を含む、項目２０から２５のいずれか一項に記載のＵＥ。
【国際調査報告】
2019533950.tif 000028
2019533950.tif 000029
2019533950.tif 000030
2019533950.tif 000031